(57)【特許請求の範囲】
【請求項１】
ある撮影対象を種々なカメラアングルで撮影した複数映像の集まりをアングルブロックという形で記録可能なフォーマットを持つ記録媒体から、このアングルブロックに記録された複数映像を選択的に再生できるシステムにおいて、
前記アングルブロックを含むプログラムソースが記録された前記記録媒体がセットされると、「アングルブロック入りのプログラムソースである」ことを通知するアングルマークを点灯させる手段と、
前記プログラムソースの前記アングルブロックの部分の再生に入ると、「アングル変更が可能である」ことを通知するアングルマークを点滅、変形、あるいは変色させる手段とを具備したことを特徴とするマルチアングルブロック再生システム。
【請求項２】
前記アングルマークが点灯状態にあるときに、このアングルマークの点灯状態を選択的にオン／オフするアングルマークオン／オフキーを備えたことを特徴とする請求項１に記載のマルチアングルブロック再生システムに使用されるリモートコントローラ。
【請求項３】
前記アングルマークを表示するディスプレイを備えたことを特徴とする請求項１または請求項２に記載のマルチアングルブロック再生システムに使用されるリモートコントローラ。
【請求項４】
前記アングルマークが、カメラアングルの方向を図示する形を含むことを特徴とする請求項１ないし請求項３のいずれか１項に記載のマルチアングルブロック再生システムに使用されるリモートコントローラ。
【請求項５】
前記アングルマークを含む表示窓を備え、この表示窓に表示された前記アングルマークが、カメラアングルの方向を図示する形を含むことを特徴とする請求項１ないし請求項３のいずれか１項に記載のマルチアングルブロック再生システム。
【請求項６】
前記アングルブロックに含まれるアングル番号を変更するキーを含むことを特徴とする請求項１ないし請求項５のいずれか１項に記載のマルチアングルブロック再生システムに使用されるリモートコントローラ。
【請求項７】
前記アングルブロックに含まれるアングル番号を表示する手段をさらに備えたことを特徴とする請求項１に記載のマルチアングルブロック再生システム。
【請求項８】
現在再生中の前記アングルブロックのアングル番号を表示する手段をさらに備えたことを特徴とする請求項１に記載のマルチアングルブロック再生システム。
【請求項９】
中心側にリードインエリアを持ち、このリードインエリアの外側にビデオマネージャを記録するエリアを持ち、このビデオマネージャ記録エリアの外側に１以上のビデオタイトルセットを記録するエリアを持ち、少なくとも１つのビデオタイトルセット記録エリアが複数のアングルセルからなるアングルブロックを含み、それぞれのアングルセルがある撮影対象を種々なカメラアングルで撮影した異なるビデオデータを含むところのディスク状記録媒体から、前記アングルセル内のビデオデータを選択的に再生する再生装置において、
前記ディスク状記録媒体の前記ビデオマネージャがビデオマネージャ情報を含み、前記ビデオマネージャ情報がタイトルサーチポインタテーブルを含み、前記タイトルサーチポインタテーブルがタイトルサーチポインタを含み、前記タイトルサーチポインタがアングル数を含むときに、
前記再生装置が、前記アングルセルの存在を通知するアングルマークと；前記アングル数を調べ、この数が複数あるときに、前記アングルマークを点灯する手段とを備えたことを特徴とする再生装置。
【請求項１０】
中心側にリードインエリアを持ち、このリードインエリアの外側にビデオマネージャを記録するエリアを持ち、このビデオマネージャ記録エリアの外側に１以上のビデオタイトルセットを記録するエリアを持ち、少なくとも１つのビデオタイトルセット記録エリアが複数のアングルセルからなるアングルブロックを含み、それぞれのアングルセルがある撮影対象を種々なカメラアングルで撮影した異なるビデオデータを含むところのディスク状記録媒体から、前記アングルセル内のビデオデータを選択的に再生する再生装置において、
前記ディスク状記録媒体の前記ビデオマネージャがビデオマネージャ情報を含み、前記ビデオマネージャ情報がタイトルサーチポインタテーブルを含み、前記タイトルサーチポインタテーブルがタイトルサーチポインタを含み、前記タイトルサーチポインタがアングル数を含むときに、
前記再生装置が、前記アングルセルの存在を通知するアングルマークと；前記アングル数を調べ、この数が複数あるときに、前記アングルマークを点灯する第１の手段と；前記アングル数が１つのときは、前記アングルマークを消灯する第２の手段とを備えたことを特徴とする再生装置。
【請求項１１】
中心側にリードインエリアを持ち、このリードインエリアの外側にビデオマネージャを記録するエリアを持ち、このビデオマネージャ記録エリアの外側に１以上のビデオタイトルセットを記録するエリアを持ち、少なくとも１つのビデオタイトルセット記録エリアが複数のアングルセルからなるアングルブロックを含み、それぞれのアングルセルがある撮影対象を種々なカメラアングルで撮影した異なるビデオデータを含むところのディスク状記録媒体から、前記アングルセル内のビデオデータを選択的に再生する再生装置において、
前記ディスク状記録媒体の前記ビデオマネージャがビデオマネージャ情報を含み、前記ビデオマネージャ情報がタイトルサーチポインタテーブルを含み、前記タイトルサーチポインタテーブルがタイトルサーチポインタを含み、前記タイトルサーチポインタがアングル数を含むときに、
前記再生装置が、前記アングルセルの存在を通知するアングルマークと；前記アングル数を調べ、この数が複数あるときに、前記アングルマークを点灯する第１の手段と；前記アングル数が１つのときは、前記アングルマークを消灯する第２の手段と；前記アングル数が複数あるときでも、前記アングルマークを強制的に消灯させる第３の手段とを備えたことを特徴とする再生装置。
【請求項１２】
中心側にリードインエリアを持ち、このリードインエリアの外側にビデオマネージャを記録するエリアを持ち、このビデオマネージャ記録エリアの外側に１以上のビデオタイトルセットを記録するエリアを持ち、少なくとも１つのビデオタイトルセット記録エリアが複数のアングルセルからなるアングルブロックを含み、それぞれのアングルセルがある撮影対象を種々なカメラアングルで撮影した異なるビデオデータを含むところのディスク状記録媒体から、前記アングルセル内のビデオデータを選択的に再生する再生装置において、
前記ディスク状記録媒体の前記ビデオマネージャがビデオマネージャ情報を含み、前記ビデオマネージャ情報がタイトルサーチポインタテーブルを含み、前記タイトルサーチポインタテーブルがタイトルサーチポインタを含み、前記タイトルサーチポインタがアングル数を含むときに、
前記再生装置が、前記アングルセルの存在を通知するアングルマークと；前記アングル数を調べ、この数が複数あるときに、前記アングルマークを点灯する第１の手段と；前記アングル数が１つのときは、前記アングルマークを消灯する第２の手段と；前記アングル数が複数あるときでも、前記アングルマークの点灯または消灯を行う第３の手段と；前記第３の手段に対して前記アングルマークの点灯または消灯を指示するアングルマークオン／オフキーを持つリモートコントローラとを備えたことを特徴とする再生装置。
【請求項１３】
中心側にリードインエリアを持ち、このリードインエリアの外側にビデオマネージャを記録するエリアを持ち、このビデオマネージャ記録エリアの外側に１以上のビデオタイトルセットを記録するエリアを持ち、少なくとも１つのビデオタイトルセット記録エリアが複数のアングルセルからなるアングルブロックを含み、それぞれのアングルセルがある撮影対象を種々なカメラアングルで撮影した異なるビデオデータを含むところのディスク状記録媒体から、前記アングルセル内のビデオデータを選択的に再生する再生装置において、
前記ディスク状記録媒体の前記ビデオタイトルセットが１以上のビデオオブジェクトセットを含み、前記ビデオオブジェクトセットが１以上のビデオオブジェクトを含み、前記ビデオオブジェクトが前記アングルセルを含めて１以上のセルを含み、前記セルが１以上のビデオオブジェクトユニットを含み、前記ビデオオブジェクトユニット各々がその先頭にナビゲーションパックを含み、前記ナビゲーションパックが再生制御情報を含み、前記再生制御情報が前記アングルセル各々のアドレスデータを含むノンシームレスアングル情報を含むときに、
前記再生装置が、前記アングルブロックの存在を通知するアングルマークと；前記アングル数を調べ、この数が複数あるときに、前記アングルマークを点灯する第１の手段と；前記アングル数が複数あるときに、前記アングルセル各々のアドレスデータを参照して、現在再生中のアングルセルとは別のアングルセルへ、再生時間軸上で逆戻ってノンシームレスに再生対象を切り替える第２の手段とを備えたことを特徴とする再生装置。
【請求項１４】
中心側にリードインエリアを持ち、このリードインエリアの外側にビデオマネージャを記録するエリアを持ち、このビデオマネージャ記録エリアの外側に１以上のビデオタイトルセットを記録するエリアを持ち、少なくとも１つのビデオタイトルセット記録エリアが複数のアングルセルからなるアングルブロックを含み、それぞれのアングルセルがある撮影対象を種々なカメラアングルで撮影した異なるビデオデータを含むところのディスク状記録媒体から、前記アングルセル内のビデオデータを選択的に再生する再生装置において、
前記ディスク状記録媒体の前記ビデオタイトルセットが１以上のビデオオブジェクトセットを含み、前記ビデオオブジェクトセットが１以上のビデオオブジェクトを含み、前記ビデオオブジェクトが前記アングルセルを含めて１以上のセルを含み、前記セルが１以上のビデオオブジェクトユニットを含み、前記ビデオオブジェクトユニット各々がその先頭にナビゲーションパックを含み、前記ナビゲーションパックがデータサーチ情報を含み、前記データサーチ情報が前記アングルセル各々のアドレスデータを含むシームレスアングル情報を含み、
前記ディスク状記録媒体の前記ビデオタイトルセットが前記アングルセルを含めて１以上のセルで構成されるプログラムチェーンを含み、前記プログラムチェーンがプログラムチェーン情報を含み、前記プログラムチェーン情報がセル再生情報テーブルを含み、前記セル再生情報テーブルが１以上のセル再生情報を含み、前記セル再生情報各々がセルカテゴリーを含み、前記セルカテゴリーが前記アングルブロックであるかどうかを示すセルブロックタイプおよびシームレスアングル変更であるかどうかを示すシームレスアングル変更フラグを含むときに、
前記再生装置が、前記アングルブロックの存在を通知するアングルマークと；前記アングル数を調べ、この数が複数あるときに、前記アングルマークを点灯する第１の手段と；前記セルカテゴリーの前記セルブロックタイプが現在アングルブロックであることを示しているときに、前記アングルマークを点滅させまたは変形させあるいは別の色で表示する第２の手段と；前記セルカテゴリーの前記セルブロックタイプが現在アングルブロックであることを示しており、前記セルカテゴリーの前記シームレスアングル変更フラグがシームレスアングル変更であることを示しているときに、前記アングルセル各々のアドレスデータを参照して、現在再生中のアングルセルとは別のアングルセルへ、再生時間軸上で逆戻らずにシームレスに再生対象を切り替える第３の手段とを備えたことを特徴とする再生装置。
【請求項１５】
中心側にリードインエリアを持ち、このリードインエリアの外側にビデオマネージャを記録するエリアを持ち、このビデオマネージャ記録エリアの外側に１以上のビデオタイトルセットを記録するエリアを持ち、少なくとも１つのビデオタイトルセット記録エリアが複数のアングルセルからなるアングルブロックを含み、それぞれのアングルセルがある撮影対象を種々なカメラアングルで撮影した異なるビデオデータを含むところのディスク状記録媒体から、前記アングルセル内のビデオデータを選択的に再生する再生装置において、
前記ディスク状記録媒体の前記ビデオマネージャにビデオマネージャ情報を記録し、
前記ビデオマネージャ情報にタイトルサーチポインタテーブルを記録し、
前記タイトルサーチポインタテーブルにタイトルサーチポインタを記録し、
前記タイトルサーチポインタにアングル数を記録し、
前記アングル数を調べ、この数が複数あるときに、前記アングルセルの存在を通知するアングルマークを点灯させるように構成したことを特徴とするアングルマーク点灯方法。
【請求項１６】
中心側にリードインエリアを持ち、このリードインエリアの外側にビデオマネージャを記録するエリアを持ち、このビデオマネージャ記録エリアの外側に１以上のビデオタイトルセットを記録するエリアを持ち、少なくとも１つのビデオタイトルセット記録エリアが複数のアングルセルからなるアングルブロックを含み、それぞれのアングルセルがある撮影対象を種々なカメラアングルで撮影した異なるビデオデータを含むところのディスク状記録媒体から、前記アングルセル内のビデオデータを選択的に再生する再生装置において、
前記ディスク状記録媒体の前記ビデオマネージャにビデオマネージャ情報を記録し、
前記ビデオマネージャ情報にタイトルサーチポインタテーブルを記録し、
前記タイトルサーチポインタテーブルにタイトルサーチポインタを記録し、
前記タイトルサーチポインタにアングル数を記録し、
前記アングル数を調べ、この数が複数あるときに、前記アングルセルの存在を通知するアングルマークを点灯させ、
前記アングル数が１つのときは、前記アングルマークを消灯させるように構成したことを特徴とするアングルマーク点灯・消灯方法。
【請求項１７】
中心側にリードインエリアを持ち、このリードインエリアの外側にビデオマネージャを記録するエリアを持ち、このビデオマネージャ記録エリアの外側に１以上のビデオタイトルセットを記録するエリアを持ち、少なくとも１つのビデオタイトルセット記録エリアが複数のアングルセルからなるアングルブロックを含み、それぞれのアングルセルがある撮影対象を種々なカメラアングルで撮影した異なるビデオデータを含むところのディスク状記録媒体から、前記アングルセル内のビデオデータを選択的に再生する再生装置において、
前記ディスク状記録媒体の前記ビデオマネージャにビデオマネージャ情報を記録し、
前記ビデオマネージャ情報にタイトルサーチポインタテーブルを記録し、
前記タイトルサーチポインタテーブルにタイトルサーチポインタを記録し、
前記タイトルサーチポインタにアングル数を記録し、
前記アングル数を調べ、この数が複数あるときに、前記アングルセルの存在を通知するアングルマークを点灯させ、
前記アングル数が１つのときは、前記アングルマークを消灯させ、
前記アングル数が複数あるときでも、前記アングルマークを任意に消灯させるように構成したことを特徴とするアングルマーク点灯・消灯方法。
【請求項１８】
中心側にリードインエリアを持ち、このリードインエリアの外側にビデオマネージャを記録するエリアを持ち、このビデオマネージャ記録エリアの外側に１以上のビデオタイトルセットを記録するエリアを持ち、少なくとも１つのビデオタイトルセット記録エリアが複数のアングルセルからなるアングルブロックを含み、それぞれのアングルセルがある撮影対象を種々なカメラアングルで撮影した異なるビデオデータを含むところのディスク状記録媒体から、前記アングルセル内のビデオデータを選択的に再生する再生装置において、
前記ディスク状記録媒体の前記ビデオタイトルセットに１以上のビデオオブジェクトセットを記録し、
前記ビデオオブジェクトセットに１以上のビデオオブジェクトを記録し、
前記ビデオオブジェクトに前記アングルセルを含めて１以上のセルを記録し、
前記セルに１以上のビデオオブジェクトユニットを記録し、
前記ビデオオブジェクトユニット各々の先頭にナビゲーションパックを記録し、
前記ナビゲーションパックに再生制御情報を記録し、
前記再生制御情報に前記アングルセル各々のアドレスデータを含むノンシームレスアングル情報を記録し、
前記ディスク状記録媒体の前記ビデオマネージャにビデオマネージャ情報を記録し、
前記ビデオマネージャ情報にタイトルサーチポインタテーブルを記録し、
前記タイトルサーチポインタテーブルにタイトルサーチポインタを記録し、
前記タイトルサーチポインタにアングル数を記録し、
前記アングル数を調べ、この数が複数あるときに、前記アングルブロックの存在を通知するアングルマークを点灯し、
前記アングル数が複数あるときに、前記アングルセル各々のアドレスデータを参照して、現在再生中のアングルセルとは別のアングルセルへ、再生時間軸上で逆戻ってノンシームレスに再生対象を切り替えることを特徴とするノンシームレスアングル変更方法。
【請求項１９】
中心側にリードインエリアを持ち、このリードインエリアの外側にビデオマネージャを記録するエリアを持ち、このビデオマネージャ記録エリアの外側に１以上のビデオタイトルセットを記録するエリアを持ち、少なくとも１つのビデオタイトルセット記録エリアが複数のアングルセルからなるアングルブロックを含み、それぞれのアングルセルがある撮影対象を種々なカメラアングルで撮影した異なるビデオデータを含むところのディスク状記録媒体から、前記アングルセル内のビデオデータを選択的に再生する再生装置において、
前記ディスク状記録媒体の前記ビデオタイトルセットに１以上のビデオオブジェクトセットを記録し、
前記ビデオオブジェクトセットに１以上のビデオオブジェクトを記録し、
前記ビデオオブジェクトに前記アングルセルを含めて１以上のセルを記録し、
前記セルに１以上のビデオオブジェクトユニットを記録し、
前記ビデオオブジェクトユニット各々の先頭にナビゲーションパックを記録し、
前記ナビゲーションパックにデータサーチ情報を記録し、
前記データサーチ情報に前記アングルセル各々のアドレスデータを含むシームレスアングル情報を記録し、
前記ビデオタイトルセットに、前記アングルセルを含めて１以上のセルで構成されるプログラムチェーンを記録し、
前記プログラムチェーンにプログラムチェーン情報を記録し、
前記プログラムチェーン情報にセル再生情報テーブルを記録し、
前記セル再生情報テーブルに１以上のセル再生情報を記録し、
前記セル再生情報各々にセルカテゴリーを記録し、
前記セルカテゴリーに前記アングルブロックであるかどうかを示すセルブロックタイプおよびシームレスアングル変更であるかどうかを示すシームレスアングル変更フラグを記録し、
前記アングル数を調べ、この数が複数あるときに、前記アングルブロックの存在を通知するアングルマークを点灯し、
前記セルカテゴリーの前記セルブロックタイプが現在アングルブロックであることを示しているときに、前記アングルマークを点滅させまたは変形させあるいは別の色で表示し、
前記セルカテゴリーの前記セルブロックタイプが現在アングルブロックであることを示しており、前記セルカテゴリーの前記シームレスアングル変更フラグがシームレスアングル変更であることを示しているときに、前記アングルセル各々のアドレスデータを参照して、現在再生中のアングルセルとは別のアングルセルへ、再生時間軸上で逆戻らずにシームレスに再生対象を切り替えることを特徴とするシームレスアングル変更方法。
【請求項２０】
中心側にリードインエリアを持ち、このリードインエリアの外側にビデオマネージャを記録するエリアを持ち、このビデオマネージャ記録エリアの外側に１以上のビデオタイトルセットを記録するエリアを持ち、少なくとも１つのビデオタイトルセット記録エリアが複数のアングルセルからなるアングルブロックを含み、それぞれのアングルセルがある撮影対象を種々なカメラアングルで撮影した異なるビデオデータを含むところのディスク状記録媒体を使用するものであって、
前記ディスク状記録媒体の前記ビデオマネージャにビデオマネージャ情報が記録され、
前記ビデオマネージャ情報にタイトルサーチポインタテーブルが記録され、
前記タイトルサーチポインタテーブルにタイトルサーチポインタが記録され、
前記タイトルサーチポインタにアングル数が記録されている場合に、
前記ディスク状記録媒体から前記アングルセル内のビデオデータを選択的に再生するコンピュータ読み取り可能なプログラムが、以下の処理ステップを含む：
前記アングル数を調べ、この数が複数あるときに、前記アングルセルの存在を通知するアングルマークを点灯させるステップ。
【請求項２１】
中心側にリードインエリアを持ち、このリードインエリアの外側にビデオマネージャを記録するエリアを持ち、このビデオマネージャ記録エリアの外側に１以上のビデオタイトルセットを記録するエリアを持ち、少なくとも１つのビデオタイトルセット記録エリアが複数のアングルセルからなるアングルブロックを含み、それぞれのアングルセルがある撮影対象を種々なカメラアングルで撮影した異なるビデオデータを含むところのディスク状記録媒体を使用するものであって、
前記ディスク状記録媒体の前記ビデオマネージャにビデオマネージャ情報が記録され、
前記ビデオマネージャ情報にタイトルサーチポインタテーブルが記録され、
前記タイトルサーチポインタテーブルにタイトルサーチポインタが記録され、
前記タイトルサーチポインタにアングル数が記録されている場合に、
前記ディスク状記録媒体から前記アングルセル内のビデオデータを選択的に再生するコンピュータ読み取り可能なプログラムが、以下の処理ステップを含む：
前記アングル数を調べ、この数が複数あるときに、前記アングルセルの存在を通知するアングルマークを点灯させるステップ、
前記アングル数が１つのときは、前記アングルマークを消灯させるステップ。
【請求項２２】
中心側にリードインエリアを持ち、このリードインエリアの外側にビデオマネージャを記録するエリアを持ち、このビデオマネージャ記録エリアの外側に１以上のビデオタイトルセットを記録するエリアを持ち、少なくとも１つのビデオタイトルセット記録エリアが複数のアングルセルからなるアングルブロックを含み、それぞれのアングルセルがある撮影対象を種々なカメラアングルで撮影した異なるビデオデータを含むところのディスク状記録媒体を使用するものであって、
前記ディスク状記録媒体の前記ビデオマネージャにビデオマネージャ情報が記録され、
前記ビデオマネージャ情報にタイトルサーチポインタテーブルが記録され、
前記タイトルサーチポインタテーブルにタイトルサーチポインタが記録され、
前記タイトルサーチポインタにアングル数が記録されている場合に、
前記ディスク状記録媒体から前記アングルセル内のビデオデータを選択的に再生するコンピュータ読み取り可能なプログラムが、以下の処理ステップを含む：
前記アングル数を調べ、この数が複数あるときに、前記アングルセルの存在を通知するアングルマークを点灯させるステップ、
前記アングル数が１つのときは、前記アングルマークを消灯させるステップ、
前記アングル数が複数あるときでも、前記アングルマークを任意に消灯させるステップ。
【請求項２３】
中心側にリードインエリアを持ち、このリードインエリアの外側にビデオマネージャを記録するエリアを持ち、このビデオマネージャ記録エリアの外側に１以上のビデオタイトルセットを記録するエリアを持ち、少なくとも１つのビデオタイトルセット記録エリアが複数のアングルセルからなるアングルブロックを含み、それぞれのアングルセルがある撮影対象を種々なカメラアングルで撮影した異なるビデオデータを含むところのディスク状記録媒体を使用するものであって、
前記ディスク状記録媒体の前記ビデオタイトルセットに１以上のビデオオブジェクトセットが記録され、
前記ビデオオブジェクトセットに１以上のビデオオブジェクトが記録され、
前記ビデオオブジェクトに前記アングルセルを含めて１以上のセルが記録され、
前記セルに１以上のビデオオブジェクトユニットが記録され、
前記ビデオオブジェクトユニット各々の先頭にナビゲーションパックが記録され、
前記ナビゲーションパックに再生制御情報が記録され、
前記再生制御情報に前記アングルセル各々のアドレスデータを含むノンシームレスアングル情報が記録され、
前記ディスク状記録媒体の前記ビデオマネージャにビデオマネージャ情報が記録され、
前記ビデオマネージャ情報にタイトルサーチポインタテーブルが記録され、
前記タイトルサーチポインタテーブルにタイトルサーチポインタが記録され、
前記タイトルサーチポインタにアングル数が記録されている場合に、
前記ディスク状記録媒体から前記アングルセル内のビデオデータを選択的に再生するコンピュータ読み取り可能なプログラムが、以下の処理ステップを含む：
前記アングル数を調べ、この数が複数あるときに、前記アングルブロックの存在を通知するアングルマークを点灯するステップ、
前記アングル数が複数あるときに、前記アングルセル各々のアドレスデータを参照して、現在再生中のアングルセルとは別のアングルセルへ、ノンシームレスに再生対象を切り替えるステップ。
【請求項２４】
中心側にリードインエリアを持ち、このリードインエリアの外側にビデオマネージャを記録するエリアを持ち、このビデオマネージャ記録エリアの外側に１以上のビデオタイトルセットを記録するエリアを持ち、少なくとも１つのビデオタイトルセット記録エリアが複数のアングルセルからなるアングルブロックを含み、それぞれのアングルセルがある撮影対象を種々なカメラアングルで撮影した異なるビデオデータを含むところのディスク状記録媒体を使用するものであって、
前記ディスク状記録媒体の前記ビデオタイトルセットに１以上のビデオオブジェクトセットが記録され、
前記ビデオオブジェクトセットに１以上のビデオオブジェクトが記録され、
前記ビデオオブジェクトに前記アングルセルを含めて１以上のセルが記録され、
前記セルに１以上のビデオオブジェクトユニットが記録され、
前記ビデオオブジェクトユニット各々の先頭にナビゲーションパックが記録され、
前記ナビゲーションパックにデータサーチ情報が記録され、
前記データサーチ情報に前記アングルセル各々のアドレスデータを含むシームレスアングル情報が記録され、
前記ビデオタイトルセットに、前記アングルセルを含めて１以上のセルで構成されるプログラムチェーンが記録され、
前記プログラムチェーンにプログラムチェーン情報が記録され、
前記プログラムチェーン情報にセル再生情報テーブルが記録され、
前記セル再生情報テーブルに１以上のセル再生情報が記録され、
前記セル再生情報各々にセルカテゴリーが記録され、
前記セルカテゴリーに前記アングルブロックであるかどうかを示すセルブロックタイプおよびシームレスアングル変更であるかどうかを示すシームレスアングル変更フラグが記録されている場合に、
前記ディスク状記録媒体から前記アングルセル内のビデオデータを選択的に再生するコンピュータ読み取り可能なプログラムが、以下の処理ステップを含む：
前記アングル数を調べ、この数が複数あるときに、前記アングルブロックの存在を通知するアングルマークを点灯するステップ、
前記セルカテゴリーの前記セルブロックタイプが現在アングルブロックであることを示しているときに、前記アングルマークを点滅させまたは変形させあるいは別の色で表示するステップ、
前記セルカテゴリーの前記セルブロックタイプが現在アングルブロックであることを示しており、前記セルカテゴリーの前記シームレスアングル変更フラグがシームレスアングル変更であることを示しているときに、前記アングルセル各々のアドレスデータを参照して、現在再生中のアングルセルとは別のアングルセルへ、シームレスに再生対象を切り替えるステップ。
【発明の詳細な説明】
【０００１】
【発明の属する技術分野】
この発明は、映像と音声を同一の記録媒体に記録しておき、これを同期して再生できるディジタルビデオディスク（ＤＶＤ）とその再生システムの改良に関する。とくに、このシステムにおいて、同一シーン（または同一イベントあるいは関連イベント）を異なった複数の角度から撮影した映像の集まりをマルチアングルブロックという形で記録可能なＤＶＤフォーマットディスクを再生する場合に、ユーザー（視聴者）の希望する任意のアングルの画面を自由に選択し再生できるＤＶＤプレーヤにおける改善されたユーザーインターフェースに関する。
【０００２】
【従来の技術】
現在普及しているコンパクトディスク（ＣＤ）、レーザーディスク（ＬＤ）などの映像・音声記録媒体には「同一シーンを異なった複数の角度から撮影した映像の集まりを記録しておく」というマルチアングルブロックの考えはなく、タイトル制作者（プロバイダ）がそのようなマルチアングル付ソフト（光ディスク）を制作・頒布しようとしても出来なかった。
【０００３】
また、仮にマルチアングル付ソフトを記録した光ディスクを作成したとしても、マルチアングル再生機能を持つプレーヤがユーザサイドに無い（市販されていない）ため、プロバイダがいくらマルチアングル機能を利用したソフトを頒布したいと思っていても、それを可能にする環境（インフラストラクチャ）が整っていない。
【０００４】
そうした中で、スーパーデンシティ（ＳＤ）ディスクとして名乗りを上げた大容量のＤＶＤディスクは、アルチアングルブロックの記録・再生機能を実現するフォーマットになっている。このフォーマットにより、プロバイダの意向でマルチアングルに対応したソフトを制作し、それをディスクに記録し頒布することが可能となった。
【０００５】
また、マルチアングルを含むＤＶＤコンテンツが有料で（またはコマーシャルの併用により無料で）受信できるように構成されたビデオオンデマンドシステムにおいて、プロバイダの意向でマルチアングルに対応したソフトを制作し、それをデジタル回線を介して適宜システム加入者へ頒布することも可能となった。
【０００６】
上記フォーマットに基づくマルチアングル付ソフト（ＤＶＤディスク）を再生するプレーヤにおいては、このマルチアングルブロックの再生が出来ることが必須の機能となっている。したがって、どのＤＶＤプレーヤでも、マルチアングルブロックが記録されたディスクを再生し、エンドユーザーの希望するアングルでの映像を自由に選択し再生できなければならない。
【０００７】
【発明が解決しようとする課題】
ところが、ユーザ（視聴者）が自発的にアングル選択が出来るかどうか、あるいは今現在アングル選択が出来る場面であるかどうか（マルチアングルブロック再生中であるかどうか）を視聴者に簡単に知らしめるための手段が従来はなかった。
【０００８】
また、マルチアングルブロック再生中にユーザが手軽にアングル変更を指示する手段も（とくにビデオオンデマンドシステムでは）従来はなかった。
【０００９】
この発明の第１の目的は、同一シーン（または同一イベント若しくは関連イベント）を異なった複数の角度から撮影した映像の集まりをマルチアングルブロックという形で記録可能なフォーマットを持つＤＶＤディスクとその再生システムにおいて、ディスクを再生する場合に視聴者の希望する任意のアングルの画面を自由に選択し再生可能なシステムにおける、ユーザーインターフェースを提供することである。
【００１０】
この発明の第２の目的は、この発明の再生システムに適用されるアングルキー付リモートコントローラを提供することである。
【００１１】
この発明の第３の目的は、上記ユーザーインターフェイスを備えたディスク再生装置を提供することである。
【００１２】
この発明の第４の目的は、上記ユーザーインターフェイスを備えたマルチアングルブロック再生方法を提供することである。
【００１３】
この発明の第５の目的は、この発明の再生システムに適用されるマルチアングル情報記録媒体を提供することである。
【００１４】
この発明の第６の目的は、ＤＶＤディスクドライブが装着されたパーソナルコンピュータを、上記ユーザーインターフェイスを備えた仮想ＤＶＤプレーヤ化するコンピュータ読み取り可能なプログラムを提供することである。
【００１５】
この発明の第７の目的は、この発明の再生システムを利用したビデオオンデマンドシステムを提供することである。
【００１６】
【課題を解決するための手段】
第１の発明に係るマルチアングルブロック再生システムでは、ある撮影対象を種々なカメラアングルで撮影した複数映像の集まりをアングルブロック（図３２または図３８のＡＧＬ＿Ｃ＃ｉ）という形で記録可能なフォーマットを持つ記録媒体（１０）から、このアングルブロック（ＡＧＬ＿Ｃ＃ｉ）に記録された複数映像を選択的に再生できるシステムにおいて、
前記アングルブロック（ＡＧＬ＿Ｃ＃ｉ）を含むプログラムソース（タイトル）が記録された前記記録媒体（１０）がセットされると、「アングルブロック入りのプログラムソース（タイトル）である」ことを通知するアングルマーク（４０７）を点灯させ（図９８のＳＴ３４）、
前記プログラムソースの前記アングルブロック（ＡＧＬ＿Ｃ＃ｉ）の部分の再生に入ると、「アングル変更が可能である」ことを通知するアングルマーク（４０７）を点滅、変形、あるいは変色させる（図９９のＳＴ５２）ように構成している。
【００１７】
第２の発明に係るマルチアングルブロック再生システム用リモートコントローラは、前記プログラムソースの前記アングルブロック（ＡＧＬ＿Ｃ＃ｉ）部分が再生されるときあるいは再生されているときに（前記アングルマーク（４０７）が点滅、変形、あるいは変色されたときに）、前記再生システムにアングル変更を指示する（図９９のＳＴ４０イエス）アングルキー（図５または図８の５ａｎｇ）を備えている。
【００１８】
第３の発明に係るマルチアングルブロック再生システム用リモートコントローラは、前記アングルマーク（４０７）が点灯状態にあるときに、このアングルマーク（４０７）の点灯状態を選択的にオン／オフする（図９８のＳＴ３４、ＳＴ３６）アングルマークオン／オフキー（図５の５ａｍ）を備えている。
【００１９】
第４の発明に係るマルチアングルブロック再生システム用リモートコントローラは、前記アングルマーク（４０７）を表示するディスプレイ（図５の５ｚ）を備えている。
【００２０】
第５の発明に係るマルチアングルブロック再生システム用リモートコントローラでは、前記アングルマーク（４０７）が、カメラアングルの方向を図示する形（図９）を含んでいる。
【００２１】
第６の発明に係るマルチアングルブロック再生システムは、前記アングルマーク（４０７）を含む表示窓（図６および図７の４ｗ）を備え、この表示窓（図７の４ｗ）に表示された前記アングルマーク（４０７）が、カメラアングルの方向を図示する形（図９）を含むようになっている。
【００２２】
第７の発明に係るマルチアングルブロック再生システム用リモートコントローラは、前記アングルブロック（ＡＧＬ＿Ｃ＃ｉ）に含まれるアングル番号を変更するキー（図５または図８の５ｑ、５ａｎｇ）を含んでいる。
【００２３】
第８の発明に係るマルチアングルブロック再生システムは、前記アングルブロック（ＡＧＬ＿Ｃ＃ｉ）に含まれるアングル番号を表示する手段（図１の６、図８２、図９９のＳＴ４８）を備えている。
【００２４】
第９の発明に係るマルチアングルブロック再生システムは、現在再生中の前記アングルブロック（ＡＧＬ＿Ｃ＃ｉ）のアングル番号を表示する手段（図１の６、図１００のＳＴ６６）を備えている。
【００２５】
第１０の発明に係る再生装置では、中心側にリードインエリア（２７）を持ち、このリードインエリア（２７）の外側にビデオマネージャ（ＶＭＧ）を記録するエリア（図１０の７１）を持ち、このビデオマネージャ記録エリア（７１）の外側に１以上のビデオタイトルセット（ＶＴＳ＃ｎ）を記録するエリア（図１０の７２）を持ち、少なくとも１つのビデオタイトルセット記録エリア（７２）が複数のアングルセル（図３２または図３８のＡＧＬ＿Ｃ＃ｉ）からなるアングルブロックを含み、それぞれのアングルセル（ＡＧＬ＿Ｃ＃ｉ）がある撮影対象を種々なカメラアングルで撮影した異なるビデオデータ（ＡＧＬ＿Ｃ＃ｉ；図１１のセル８４に対応）を含むところのディスク状記録媒体（図３の１０）から、前記アングルセル（ＡＧＬ＿Ｃ＃ｉ）内のビデオデータ（図１１のＶＯＢＵ８５に対応）を選択的に再生する再生装置（図１）において、
前記ディスク状記録媒体（１０）の前記ビデオマネージャ（ＶＭＧ７１）がビデオマネージャ情報（図１２のＶＭＧＩ７５）を含み、前記ビデオマネージャ情報（ＶＭＧＩ７５）がタイトルサーチポインタテーブル（図１６のＴＴ＿ＳＲＰＴ７５２）を含み、前記タイトルサーチポインタテーブル（ＴＴ＿ＳＲＰＴ７５２）がタイトルサーチポインタ（図１８のＴＴ＿ＳＲＰ７５２Ｂ）を含み、前記タイトルサーチポインタ（ＴＴ＿ＳＲＰ７５２Ｂ）がアングル数（ＡＧＬ＿Ｎｓ）を含み、
前記再生装置（図１）が、前記アングルセル（ＡＧＬ＿Ｃ＃ｉ）の存在を通知するアングルマーク（図７の４０７）と；前記アングル数（ＡＧＬ＿Ｎｓ）を調べ（図８９のＳＴ１６Ｃ）、この数が複数あるときに（図９８のＳＴ３０イエス）、前記アングルマーク（４０７）を点灯する（ＳＴ３４）手段（図１のＣＰＵ部５０）とを備えている。
【００２６】
第１１の発明に係る再生装置では、中心側にリードインエリア（２７）を持ち、このリードインエリア（２７）の外側にビデオマネージャ（ＶＭＧ）を記録するエリア（図１０の７１）を持ち、このビデオマネージャ記録エリア（７１）の外側に１以上のビデオタイトルセット（ＶＴＳ＃ｎ）を記録するエリア（図１０の７２）を持ち、少なくとも１つのビデオタイトルセット記録エリア（７２）が複数のアングルセル（図３２または図３８のＡＧＬ＿Ｃ＃ｉ）からなるアングルブロックを含み、それぞれのアングルセル（ＡＧＬ＿Ｃ＃ｉ）がある撮影対象を種々なカメラアングルで撮影した異なるビデオデータ（ＡＧＬ＿Ｃ＃ｉ；図１１のセル８４に対応）を含むところのディスク状記録媒体（図３の１０）から、前記アングルセル（ＡＧＬ＿Ｃ＃ｉ）内のビデオデータ（図１１のＶＯＢＵ８５に対応）を選択的に再生する再生装置（図１）において、
前記ディスク状記録媒体（１０）の前記ビデオマネージャ（ＶＭＧ７１）がビデオマネージャ情報（図１２のＶＭＧＩ７５）を含み、前記ビデオマネージャ情報（ＶＭＧＩ７５）がタイトルサーチポインタテーブル（図１６のＴＴ＿ＳＲＰＴ７５２）を含み、前記タイトルサーチポインタテーブル（ＴＴ＿ＳＲＰＴ７５２）がタイトルサーチポインタ（図１８のＴＴ＿ＳＲＰ７５２Ｂ）を含み、前記タイトルサーチポインタ（ＴＴ＿ＳＲＰ７５２Ｂ）がアングル数（ＡＧＬ＿Ｎｓ）を含み、
前記再生装置（図１）が、前記アングルセル（ＡＧＬ＿Ｃ＃ｉ）の存在を通知するアングルマーク（図７の４０７）と；前記アングル数（ＡＧＬ＿Ｎｓ）を調べ（図８９のＳＴ１６Ｃ）、この数が複数あるときに（図９８のＳＴ３０イエス）、前記アングルマーク（４０７）を点灯する（ＳＴ３４）第１の手段（図１のＣＰＵ部５０）と；前記アングル数（ＡＧＬ＿Ｎｓ）が１つのときは（図９８のＳＴ３０ノー）、前記アングルマーク（４０７）を消灯する（ＳＴ３６）第２の手段（ＣＰＵ部５０）とを備えている。
【００２７】
第１２の発明に係る再生装置では、中心側にリードインエリア（２７）を持ち、このリードインエリア（２７）の外側にビデオマネージャ（ＶＭＧ）を記録するエリア（図１０の７１）を持ち、このビデオマネージャ記録エリア（７１）の外側に１以上のビデオタイトルセット（ＶＴＳ＃ｎ）を記録するエリア（図１０の７２）を持ち、少なくとも１つのビデオタイトルセット記録エリア（７２）が複数のアングルセル（図３２または図３８のＡＧＬ＿Ｃ＃ｉ）からなるアングルブロックを含み、それぞれのアングルセル（ＡＧＬ＿Ｃ＃ｉ）がある撮影対象を種々なカメラアングルで撮影した異なるビデオデータ（ＡＧＬ＿Ｃ＃ｉ；図１１のセル８４に対応）を含むところのディスク状記録媒体（図３の１０）から、前記アングルセル（ＡＧＬ＿Ｃ＃ｉ）内のビデオデータ（図１１のＶＯＢＵ８５に対応）を選択的に再生する再生装置（図１）において、
前記ディスク状記録媒体（１０）の前記ビデオマネージャ（ＶＭＧ７１）がビデオマネージャ情報（図１２のＶＭＧＩ７５）を含み、前記ビデオマネージャ情報（ＶＭＧＩ７５）がタイトルサーチポインタテーブル（図１６のＴＴ＿ＳＲＰＴ７５２）を含み、前記タイトルサーチポインタテーブル（ＴＴ＿ＳＲＰＴ７５２）がタイトルサーチポインタ（図１８のＴＴ＿ＳＲＰ７５２Ｂ）を含み、前記タイトルサーチポインタ（ＴＴ＿ＳＲＰ７５２Ｂ）がアングル数（ＡＧＬ＿Ｎｓ）を含み、
前記再生装置（図１）が、前記アングルセル（ＡＧＬ＿Ｃ＃ｉ）の存在を通知するアングルマーク（図７の４０７）と；前記アングル数（ＡＧＬ＿Ｎｓ）を調べ（図８９のＳＴ１６Ｃ）、この数が複数あるときに（図９８のＳＴ３０イエス）、前記アングルマーク（４０７）を点灯する（ＳＴ３４）第１の手段（図１のＣＰＵ部５０）と；前記アングル数（ＡＧＬ＿Ｎｓ）が１つのときは（図９８のＳＴ３０ノー）、前記アングルマーク（４０７）を消灯する（ＳＴ３６）第２の手段（ＣＰＵ部５０）と；前記アングル数（ＡＧＬ＿Ｎｓ）が複数あるときでも（ＳＴ３０イエス）、前記アングルマーク（４０７）を強制的に消灯させる（ＳＴ３２ノー、ＳＴ３６）第３の手段（ＣＰＵ部５０＋図５の５ａｍ）とを備えている。
【００２８】
第１３の発明に係る再生装置では、中心側にリードインエリア（２７）を持ち、このリードインエリア（２７）の外側にビデオマネージャ（ＶＭＧ）を記録するエリア（図１０の７１）を持ち、このビデオマネージャ記録エリア（７１）の外側に１以上のビデオタイトルセット（ＶＴＳ＃ｎ）を記録するエリア（図１０の７２）を持ち、少なくとも１つのビデオタイトルセット記録エリア（７２）が複数のアングルセル（図３２または図３８のＡＧＬ＿Ｃ＃ｉ）からなるアングルブロックを含み、それぞれのアングルセル（ＡＧＬ＿Ｃ＃ｉ）がある撮影対象を種々なカメラアングルで撮影した異なるビデオデータ（ＡＧＬ＿Ｃ＃ｉ；図１１のセル８４に対応）を含むところのディスク状記録媒体（図３の１０）から、前記アングルセル（ＡＧＬ＿Ｃ＃ｉ）内のビデオデータ（図１１のＶＯＢＵ８５に対応）を選択的に再生する再生装置（図１）において、
前記ディスク状記録媒体（１０）の前記ビデオマネージャ（ＶＭＧ７１）がビデオマネージャ情報（図１２のＶＭＧＩ７５）を含み、前記ビデオマネージャ情報（ＶＭＧＩ７５）がタイトルサーチポインタテーブル（図１６のＴＴ＿ＳＲＰＴ７５２）を含み、前記タイトルサーチポインタテーブル（ＴＴ＿ＳＲＰＴ７５２）がタイトルサーチポインタ（図１８のＴＴ＿ＳＲＰ７５２Ｂ）を含み、前記タイトルサーチポインタ（ＴＴ＿ＳＲＰ７５２Ｂ）がアングル数（ＡＧＬ＿Ｎｓ）を含み、
前記再生装置（図１）が、前記アングルセル（ＡＧＬ＿Ｃ＃ｉ）の存在を通知するアングルマーク（図７の４０７）と；前記アングル数（ＡＧＬ＿Ｎｓ）を調べ（図８９のＳＴ１６Ｃ）、この数が複数あるときに（図９８のＳＴ３０イエス）、前記アングルマーク（４０７）を点灯する（ＳＴ３４）第１の手段（図１のＣＰＵ部５０）と；前記アングル数（ＡＧＬ＿Ｎｓ）が１つのときは（図９８のＳＴ３０ノー）、前記アングルマーク（４０７）を消灯する（ＳＴ３６）第２の手段（ＣＰＵ部５０）と；前記アングル数（ＡＧＬ＿Ｎｓ）が複数あるときでも（ＳＴ３０イエス）、前記アングルマーク（４０７）の点灯（ＳＴ３４）または消灯（ＳＴ３６）を行う第３の手段（ＣＰＵ部５０）と；前記第３の手段（ＣＰＵ部５０）に対して前記アングルマーク（４０７）の点灯（ＳＴ３４）または消灯（ＳＴ３６）を指示するアングルマークオン／オフキー（５ａｍ）を持つリモートコントローラ（図５の５）とを備えている。
【００２９】
第１４の発明に係る再生装置では、中心側にリードインエリア（２７）を持ち、このリードインエリア（２７）の外側にビデオマネージャ（ＶＭＧ）を記録するエリア（図１０の７１）を持ち、このビデオマネージャ記録エリア（７１）の外側に１以上のビデオタイトルセット（ＶＴＳ＃ｎ）を記録するエリア（図１０の７２）を持ち、少なくとも１つのビデオタイトルセット記録エリア（７２）が複数のアングルセル（図３２または図３８のＡＧＬ＿Ｃ＃ｉ）からなるアングルブロックを含み、それぞれのアングルセル（ＡＧＬ＿Ｃ＃ｉ）がある撮影対象を種々なカメラアングルで撮影した異なるビデオデータ（ＡＧＬ＿Ｃ＃ｉ；図１１のセル８４に対応）を含むところのディスク状記録媒体（図３の１０）から、前記アングルセル（ＡＧＬ＿Ｃ＃ｉ）内のビデオデータ（図１１のＶＯＢＵ８５に対応）を選択的に再生する再生装置（図１）において、
前記ディスク状記録媒体（１０）の前記ビデオタイトルセット（ＶＴＳ７２）が１以上のビデオオブジェクトセット（図１１のＶＯＢＳ８２）を含み、前記ビデオオブジェクトセット（ＶＯＢＳ）が１以上のビデオオブジェクト（ＶＯＢ８３）を含み、前記ビデオオブジェクト（ＶＯＢ８３）が前記アングルセル（ＡＧＬ＿Ｃ＃ｉ）を含めて１以上のセル（８４）を含み、前記セル（８４）が１以上のビデオオブジェクトユニット（ＶＯＢＵ８５）を含み、前記ビデオオブジェクトユニット（ＶＯＢＵ８５）各々がその先頭にナビゲーションパック（８６）を含み、前記ナビゲーションパック（８６）が再生制御情報（図２６のＰＣＩデータ１１３）を含み、前記再生制御情報（図２８のＰＣＩ）が前記アングルセル（ＡＧＬ＿Ｃ＃ｉ）各々のアドレスデータ（図３０のＮＳＭＬ＿ＡＧＬ＿Ｃｎ＿ＤＳＴＡ）を含むノンシームレスアングル情報（ＮＳＭＬ＿ＡＧＬＩ）を含み、
前記再生装置（図１）が、前記アングルブロック（ＡＧＬ＿Ｃ＃ｉ）の存在を通知するアングルマーク（図７の４０７）と；前記アングル数（ＡＧＬ＿Ｎｓ）を調べ（図８９のＳＴ１６Ｃ）、この数が複数あるときに（図９８のＳＴ３０イエス）、前記アングルマーク（４０７）を点灯する（ＳＴ３４）第１の手段（図１のＣＰＵ部５０）と；前記アングル数（ＡＧＬ＿Ｎｓ）が複数あるときに（図９８のＳＴ３０イエス）、前記アングルセル（ＡＧＬ＿Ｃ＃ｉ）各々のアドレスデータ（図３０のＮＳＭＬ＿ＡＧＬ＿Ｃｎ＿ＤＳＴＡ）を参照して、現在再生中のアングルセルとは別のアングルセルへ、再生時間軸上で逆戻ってノンシームレスに再生対象を切り替える（図３２；図９９のＳＴ４４；図１００のＳＴ６８；図１０１の７６）第２の手段（ＣＰＵ部５０）とを備えている。
【００３０】
第１５の発明に係る再生装置では、中心側にリードインエリア（２７）を持ち、このリードインエリア（２７）の外側にビデオマネージャ（ＶＭＧ）を記録するエリア（図１０の７１）を持ち、このビデオマネージャ記録エリア（７１）の外側に１以上のビデオタイトルセット（ＶＴＳ＃ｎ）を記録するエリア（図１０の７２）を持ち、少なくとも１つのビデオタイトルセット記録エリア（７２）が複数のアングルセル（図３２または図３８のＡＧＬ＿Ｃ＃ｉ）からなるアングルブロックを含み、それぞれのアングルセル（ＡＧＬ＿Ｃ＃ｉ）がある撮影対象を種々なカメラアングルで撮影した異なるビデオデータ（ＡＧＬ＿Ｃ＃ｉ；図１１のセル８４に対応）を含むところのディスク状記録媒体（図３の１０）から、前記アングルセル（ＡＧＬ＿Ｃ＃ｉ）内のビデオデータ（図１１のＶＯＢＵ８５に対応）を選択的に再生する再生装置（図１）において、
前記ディスク状記録媒体（１０）の前記ビデオタイトルセット（ＶＴＳ７２）が１以上のビデオオブジェクトセット（図１１のＶＯＢＳ８２）を含み、前記ビデオオブジェクトセット（ＶＯＢＳ）が１以上のビデオオブジェクト（ＶＯＢ８３）を含み、前記ビデオオブジェクト（ＶＯＢ８３）が前記アングルセル（ＡＧＬ＿Ｃ＃ｉ）を含めて１以上のセル（８４）を含み、前記セル（８４）が１以上のビデオオブジェクトユニット（ＶＯＢＵ８５）を含み、前記ビデオオブジェクトユニット（ＶＯＢＵ８５）各々がその先頭にナビゲーションパック（８６）を含み、前記ナビゲーションパック（８６）がデータサーチ情報（図２６のＤＳＩデータ１１５）を含み、前記データサーチ情報（図３４のＤＳＩ）が前記アングルセル（ＡＧＬ＿Ｃ＃ｉ）各々のアドレスデータ（図３６のＳＭＬ＿ＡＧＬ＿Ｃｎ＿ＤＳＴＡ）を含むシームレスアングル情報（ＳＭＬ＿ＡＧＬＩ）を含み、
前記ディスク状記録媒体（１０）の前記ビデオタイトルセット（ＶＴＳ７２）が前記アングルセル（ＡＧＬ＿Ｃ＃ｉ）を含めて１以上のセル（８４）で構成されるプログラムチェーン（図１３のＰＧＣ）を含み、前記プログラムチェーン（ＰＧＣ）がプログラムチェーン情報（ＰＧＣＩ）を含み、前記プログラムチェーン情報（ＰＧＣＩ）がセル再生情報テーブル（図３９のＣ＿ＰＢＩＴ）を含み、前記セル再生情報テーブル（Ｃ＿ＰＢＩＴ）が１以上のセル再生情報（図４０のＣ＿ＰＢＩｎ）を含み、前記セル再生情報（Ｃ＿ＰＢＩ）各々がセルカテゴリー（図４１のＣ＿ＣＡＴ）を含み、前記セルカテゴリー（Ｃ＿ＣＡＴ）が前記アングルブロックであるかどうかを示すセルブロックタイプ（図４２）およびシームレスアングル変更であるかどうかを示すシームレスアングル変更フラグ（図４２）を含み、
前記再生装置（図１）が、前記アングルブロック（ＡＧＬ＿Ｃ＃ｉ）の存在を通知するアングルマーク（図７の４０７）と；前記アングル数（ＡＧＬ＿Ｎｓ）を調べ（図８９のＳＴ１６Ｃ）、この数が複数あるときに（図９８のＳＴ３０イエス）、前記アングルマーク（４０７）を点灯する（ＳＴ３４）第１の手段（図１のＣＰＵ部５０）と；前記セルカテゴリー（Ｃ＿ＣＡＴ）の前記セルブロックタイプ（図４２）が現在アングルブロックであることを示している（バイナリ０１）ときに（図９９のＳＴ５０イエス）、前記アングルマーク（４０７）を点滅させまたは変形させあるいは別の色で表示する（ＳＴ５２）第２の手段（ＣＰＵ部５０）と；前記セルカテゴリー（Ｃ＿ＣＡＴ）の前記セルブロックタイプ（図４２）が現在アングルブロックであることを示しており（図９８のＳＴ３０イエス；図９９のＳＴ４６イエス）、前記セルカテゴリー（Ｃ＿ＣＡＴ）の前記シームレスアングル変更フラグ（図４２）がシームレスアングル変更であることを示している（バイナリ１）ときに（図９９のＳＴ５０イエス）、前記アングルセル（ＡＧＬ＿Ｃ＃ｉ）各々のアドレスデータ（図３６のＳＭＬ＿ＡＧＬ＿Ｃｎ＿ＤＳＴＡ）を参照して、現在再生中のアングルセルとは別のアングルセルへ、再生時間軸上で逆戻らずにシームレスに再生対象を切り替える（図３８；図９９のＳＴ４４；図１００のＳＴ６８；図１０１の７６）第２の手段（ＣＰＵ部５０）とを備えている。
【００３１】
第１６の発明に係るアングルマーク点灯方法では、中心側にリードインエリア（２７）を持ち、このリードインエリア（２７）の外側にビデオマネージャ（ＶＭＧ）を記録するエリア（図１０の７１）を持ち、このビデオマネージャ記録エリア（７１）の外側に１以上のビデオタイトルセット（ＶＴＳ＃ｎ）を記録するエリア（図１０の７２）を持ち、少なくとも１つのビデオタイトルセット記録エリア（７２）が複数のアングルセル（図３２または図３８のＡＧＬ＿Ｃ＃ｉ）からなるアングルブロックを含み、それぞれのアングルセル（ＡＧＬ＿Ｃ＃ｉ）がある撮影対象を種々なカメラアングルで撮影した異なるビデオデータ（ＡＧＬ＿Ｃ＃ｉ；図１１のセル８４に対応）を含むところのディスク状記録媒体（図３の１０）から、前記アングルセル（ＡＧＬ＿Ｃ＃ｉ）内のビデオデータ（図１１のＶＯＢＵ８５に対応）を選択的に再生するものにおいて、
前記ディスク状記録媒体（１０）の前記ビデオマネージャ（ＶＭＧ７１）にビデオマネージャ情報（図１２のＶＭＧＩ７５）を記録し、
前記ビデオマネージャ情報（ＶＭＧＩ７５）にタイトルサーチポインタテーブル（図１６のＴＴ＿ＳＲＰＴ７５２）を記録し、
前記タイトルサーチポインタテーブル（ＴＴ＿ＳＲＰＴ７５２）にタイトルサーチポインタ（図１８のＴＴ＿ＳＲＰ７５２Ｂ）を記録し、
前記タイトルサーチポインタ（ＴＴ＿ＳＲＰ７５２Ｂ）にアングル数（ＡＧＬ＿Ｎｓ）を記録し、
前記アングル数（ＡＧＬ＿Ｎｓ）を調べ（図８９のＳＴ１６Ｃ）、この数が複数あるときに（図９８のＳＴ３０イエス）、前記アングルセル（ＡＧＬ＿Ｃ＃ｉ）の存在を通知するアングルマーク（４０７）を点灯させる（ＳＴ３４）ようにしている。
【００３２】
第１７の発明に係るアングルマーク点灯・消灯方法では、中心側にリードインエリア（２７）を持ち、このリードインエリア（２７）の外側にビデオマネージャ（ＶＭＧ）を記録するエリア（図１０の７１）を持ち、このビデオマネージャ記録エリア（７１）の外側に１以上のビデオタイトルセット（ＶＴＳ＃ｎ）を記録するエリア（図１０の７２）を持ち、少なくとも１つのビデオタイトルセット記録エリア（７２）が複数のアングルセル（図３２または図３８のＡＧＬ＿Ｃ＃ｉ）からなるアングルブロックを含み、それぞれのアングルセル（ＡＧＬ＿Ｃ＃ｉ）がある撮影対象を種々なカメラアングルで撮影した異なるビデオデータ（ＡＧＬ＿Ｃ＃ｉ；図１１のセル８４に対応）を含むところのディスク状記録媒体（図３の１０）から、前記アングルセル（ＡＧＬ＿Ｃ＃ｉ）内のビデオデータ（図１１のＶＯＢＵ８５に対応）を選択的に再生するものにおいて、
前記ディスク状記録媒体（１０）の前記ビデオマネージャ（ＶＭＧ７１）にビデオマネージャ情報（図１２のＶＭＧＩ７５）を記録し、
前記ビデオマネージャ情報（ＶＭＧＩ７５）にタイトルサーチポインタテーブル（図１６のＴＴ＿ＳＲＰＴ７５２）を記録し、
前記タイトルサーチポインタテーブル（ＴＴ＿ＳＲＰＴ７５２）にタイトルサーチポインタ（図１８のＴＴ＿ＳＲＰ７５２Ｂ）を記録し、
前記タイトルサーチポインタ（ＴＴ＿ＳＲＰ７５２Ｂ）にアングル数（ＡＧＬ＿Ｎｓ）を記録し、
前記アングル数（ＡＧＬ＿Ｎｓ）を調べ（図８９のＳＴ１６Ｃ）、この数が複数あるときに（図９８のＳＴ３０イエス）、前記アングルセル（ＡＧＬ＿Ｃ＃ｉ）の存在を通知するアングルマーク（４０７）を点灯させ（ＳＴ３４）、
前記アングル数（ＡＧＬ＿Ｎｓ）が１つのときは（図９８のＳＴ３０ノー）、前記アングルマーク（４０７）を消灯させる（ＳＴ３６）ようにしている。
【００３３】
第１８の発明に係るアングルマーク点灯・消灯方法では、
中心側にリードインエリア（２７）を持ち、このリードインエリア（２７）の外側にビデオマネージャ（ＶＭＧ）を記録するエリア（図１０の７１）を持ち、このビデオマネージャ記録エリア（７１）の外側に１以上のビデオタイトルセット（ＶＴＳ＃ｎ）を記録するエリア（図１０の７２）を持ち、少なくとも１つのビデオタイトルセット記録エリア（７２）が複数のアングルセル（図３２または図３８のＡＧＬ＿Ｃ＃ｉ）からなるアングルブロックを含み、それぞれのアングルセル（ＡＧＬ＿Ｃ＃ｉ）がある撮影対象を種々なカメラアングルで撮影した異なるビデオデータ（ＡＧＬ＿Ｃ＃ｉ；図１１のセル８４に対応）を含むところのディスク状記録媒体（図３の１０）から、前記アングルセル（ＡＧＬ＿Ｃ＃ｉ）内のビデオデータ（図１１のＶＯＢＵ８５に対応）を選択的に再生するものにおいて、
前記ディスク状記録媒体（１０）の前記ビデオマネージャ（ＶＭＧ７１）にビデオマネージャ情報（図１２のＶＭＧＩ７５）を記録し、
前記ビデオマネージャ情報（ＶＭＧＩ７５）にタイトルサーチポインタテーブル（図１６のＴＴ＿ＳＲＰＴ７５２）を記録し、
前記タイトルサーチポインタテーブル（ＴＴ＿ＳＲＰＴ７５２）にタイトルサーチポインタ（図１８のＴＴ＿ＳＲＰ７５２Ｂ）を記録し、
前記タイトルサーチポインタ（ＴＴ＿ＳＲＰ７５２Ｂ）にアングル数（ＡＧＬ＿Ｎｓ）を記録し、
前記アングル数（ＡＧＬ＿Ｎｓ）を調べ（図８９のＳＴ１６Ｃ）、この数が複数あるときに（図９８のＳＴ３０イエス）、前記アングルセル（ＡＧＬ＿Ｃ＃ｉ）の存在を通知するアングルマーク（４０７）を点灯させ（ＳＴ３４）、
前記アングル数（ＡＧＬ＿Ｎｓ）が１つのときは（図９８のＳＴ３０ノー）、前記アングルマーク（４０７）を消灯させ（ＳＴ３６）、
前記アングル数（ＡＧＬ＿Ｎｓ）が複数あるときでも（ＳＴ３０イエス）、前記アングルマーク（４０７）を任意に消灯させる（ＳＴ３２ノー、ＳＴ３６）ようにしている。
【００３４】
第１９の発明に係るノンシームレスアングル変更方法では、中心側にリードインエリア（２７）を持ち、このリードインエリア（２７）の外側にビデオマネージャ（ＶＭＧ）を記録するエリア（図１０の７１）を持ち、このビデオマネージャ記録エリア（７１）の外側に１以上のビデオタイトルセット（ＶＴＳ＃ｎ）を記録するエリア（図１０の７２）を持ち、少なくとも１つのビデオタイトルセット記録エリア（７２）が複数のアングルセル（図３２または図３８のＡＧＬ＿Ｃ＃ｉ）からなるアングルブロックを含み、それぞれのアングルセル（ＡＧＬ＿Ｃ＃ｉ）がある撮影対象を種々なカメラアングルで撮影した異なるビデオデータ（ＡＧＬ＿Ｃ＃ｉ；図１１のセル８４に対応）を含むところのディスク状記録媒体（図３の１０）から、前記アングルセル（ＡＧＬ＿Ｃ＃ｉ）内のビデオデータ（図１１のＶＯＢＵ８５に対応）を選択的に再生するものにおいて、
前記ディスク状記録媒体（１０）の前記ビデオタイトルセット（ＶＴＳ７２）に１以上のビデオオブジェクトセット（図１１のＶＯＢＳ８２）を記録し、
前記ビデオオブジェクトセット（ＶＯＢＳ）に１以上のビデオオブジェクト（ＶＯＢ８３）を記録し、
前記ビデオオブジェクト（ＶＯＢ８３）に前記アングルセル（ＡＧＬ＿Ｃ＃ｉ）を含めて１以上のセル（８４）を記録し、
前記セル（８４）に１以上のビデオオブジェクトユニット（ＶＯＢＵ８５）を記録し、
前記ビデオオブジェクトユニット（ＶＯＢＵ８５）各々の先頭にナビゲーションパック（８６）を記録し、
前記ナビゲーションパック（８６）に再生制御情報（図２６のＰＣＩデータ１１３）を記録し、
前記再生制御情報（図２８のＰＣＩ）に前記アングルセル（ＡＧＬ＿Ｃ＃ｉ）各々のアドレスデータ（図３０のＮＳＭＬ＿ＡＧＬ＿Ｃｎ＿ＤＳＴＡ）を含むノンシームレスアングル情報（ＮＳＭＬ＿ＡＧＬＩ）を記録し、
前記アングル数（ＡＧＬ＿Ｎｓ）を調べ（図８９のＳＴ１６Ｃ）、この数が複数あるときに（図９８のＳＴ３０イエス）、前記アングルブロック（ＡＧＬ＿Ｃ＃ｉ）の存在を通知するアングルマーク（４０７）を点灯し（ＳＴ３４）、
前記アングル数（ＡＧＬ＿Ｎｓ）が複数あるときに（図９８のＳＴ３０イエス）、前記アングルセル（ＡＧＬ＿Ｃ＃ｉ）各々のアドレスデータ（図３０のＮＳＭＬ＿ＡＧＬ＿Ｃｎ＿ＤＳＴＡ）を参照して、現在再生中のアングルセルとは別のアングルセルへ、再生時間軸上で逆戻ってノンシームレスに再生対象を切り替える（図３２；図９９のＳＴ４４；図１００のＳＴ６８；図１０１の７６）ようにしている。
【００３５】
第２０の発明に係るシームレスアングル変更方法では、中心側にリードインエリア（２７）を持ち、このリードインエリア（２７）の外側にビデオマネージャ（ＶＭＧ）を記録するエリア（図１０の７１）を持ち、このビデオマネージャ記録エリア（７１）の外側に１以上のビデオタイトルセット（ＶＴＳ＃ｎ）を記録するエリア（図１０の７２）を持ち、少なくとも１つのビデオタイトルセット記録エリア（７２）が複数のアングルセル（図３２または図３８のＡＧＬ＿Ｃ＃ｉ）からなるアングルブロックを含み、それぞれのアングルセル（ＡＧＬ＿Ｃ＃ｉ）がある撮影対象を種々なカメラアングルで撮影した異なるビデオデータ（ＡＧＬ＿Ｃ＃ｉ；図１１のセル８４に対応）を含むところのディスク状記録媒体（図３の１０）から、前記アングルセル（ＡＧＬ＿Ｃ＃ｉ）内のビデオデータ（図１１のＶＯＢＵ８５に対応）を選択的に再生するものにおいて、
前記ディスク状記録媒体（１０）の前記ビデオタイトルセット（ＶＴＳ７２）に１以上のビデオオブジェクトセット（図１１のＶＯＢＳ８２）を記録し、
前記ビデオオブジェクトセット（ＶＯＢＳ）に１以上のビデオオブジェクト（ＶＯＢ８３）を記録し、
前記ビデオオブジェクト（ＶＯＢ８３）に前記アングルセル（ＡＧＬ＿Ｃ＃ｉ）を含めて１以上のセル（８４）を記録し、
前記セル（８４）に１以上のビデオオブジェクトユニット（ＶＯＢＵ８５）を記録し、
前記ビデオオブジェクトユニット（ＶＯＢＵ８５）各々の先頭にナビゲーションパック（８６）を記録し、
前記ナビゲーションパック（８６）にデータサーチ情報（図２６のＤＳＩデータ１１５）を記録し、
前記データサーチ情報（図３４のＤＳＩ）に前記アングルセル（ＡＧＬ＿Ｃ＃ｉ）各々のアドレスデータ（図３６のＳＭＬ＿ＡＧＬ＿Ｃｎ＿ＤＳＴＡ）を含むシームレスアングル情報（ＳＭＬ＿ＡＧＬＩ）を記録し、
前記ビデオタイトルセット（ＶＴＳ７２）に、前記アングルセル（ＡＧＬ＿Ｃ＃ｉ）を含めて１以上のセル（８４）で構成されるプログラムチェーン（図１３のＰＧＣ）を記録し、
前記プログラムチェーン（ＰＧＣ）にプログラムチェーン情報（ＰＧＣＩ）を記録し、
前記プログラムチェーン情報（ＰＧＣＩ）にセル再生情報テーブル（図３９のＣ＿ＰＢＩＴ）を記録し、
前記セル再生情報テーブル（Ｃ＿ＰＢＩＴ）に１以上のセル再生情報（図４０のＣ＿ＰＢＩｎ）を記録し、
前記セル再生情報（Ｃ＿ＰＢＩ）各々にセルカテゴリー（図４１のＣ＿ＣＡＴ）を記録し、
前記セルカテゴリー（Ｃ＿ＣＡＴ）に前記アングルブロックであるかどうかを示すセルブロックタイプ（図４２）およびシームレスアングル変更であるかどうかを示すシームレスアングル変更フラグ（図４２）を記録し、
前記アングル数（ＡＧＬ＿Ｎｓ）を調べ（図８９のＳＴ１６Ｃ）、この数が複数あるときに（図９８のＳＴ３０イエス）、前記アングルブロック（ＡＧＬ＿Ｃ＃ｉ）の存在を通知するアングルマーク（４０７）を点灯し（ＳＴ３４）、
前記セルカテゴリー（Ｃ＿ＣＡＴ）の前記セルブロックタイプ（図４２）が現在アングルブロックであることを示している（バイナリ０１）ときに（図９９のＳＴ５０イエス）、前記アングルマーク（４０７）を点滅させまたは変形させあるいは別の色で表示し（ＳＴ５２）、
前記セルカテゴリー（Ｃ＿ＣＡＴ）の前記セルブロックタイプ（図４２）が現在アングルブロックであることを示しており（図９８のＳＴ３０イエス；図９９のＳＴ４６イエス）、前記セルカテゴリー（Ｃ＿ＣＡＴ）の前記シームレスアングル変更フラグ（図４２）がシームレスアングル変更であることを示している（バイナリ１）ときに（図９９のＳＴ５０イエス）、前記アングルセル（ＡＧＬ＿Ｃ＃ｉ）各々のアドレスデータ（図３６のＳＭＬ＿ＡＧＬ＿Ｃｎ＿ＤＳＴＡ）を参照して、現在再生中のアングルセルとは別のアングルセルへ、再生時間軸上で逆戻らずにシームレスに再生対象を切り替えるようにしている。
【００３６】
第２１の発明に係るディスク状記録媒体（図３の１０）は、中心側にリードインエリア（２７）を持ち、このリードインエリア（２７）の外側にビデオマネージャ（ＶＭＧ）を記録するエリア（図１０の７１）を持ち、このビデオマネージャ記録エリア（７１）の外側に１以上のビデオタイトルセット（ＶＴＳ＃ｎ）を記録するエリア（図１０の７２）を持ち、少なくとも１つのビデオタイトルセット記録エリア（７２）が複数のアングルセル（図３２または図３８のＡＧＬ＿Ｃ＃ｉ）からなるアングルブロックを含み、それぞれのアングルセル（ＡＧＬ＿Ｃ＃ｉ）がある撮影対象を種々なカメラアングルで撮影した異なるビデオデータ（ＡＧＬ＿Ｃ＃ｉ；図１１のセル８４に対応）を含む。
【００３７】
前記ディスク状記録媒体（１０）の前記ビデオマネージャ（ＶＭＧ）がビデオマネージャ情報（図１２のＶＭＧＩ）を含み、前記ビデオマネージャ情報（ＶＭＧＩ）がタイトルサーチポインタテーブル（図１６のＴＴ＿ＳＲＰＴ）を含み、前記タイトルサーチポインタテーブル（ＴＴ＿ＳＲＰＴ）がタイトルサーチポインタ（図１８のＴＴ＿ＳＲＰ）を含み、前記タイトルサーチポインタ（ＴＴ＿ＳＲＰ）がアングル数（ＡＧＬ＿Ｎｓ）を含む。
【００３８】
前記アングル数（ＡＧＬ＿Ｎｓ）が複数であるときに（図９８のＳＴ３０イエス）、前記アングルセル（ＡＧＬ＿Ｃ＃ｉ）の存在を示すように構成される。
【００３９】
第２２の発明に係る記録媒体では、前記アングル数（ＡＧＬ＿Ｎｓ）が１つのときは（図９８のＳＴ３０ノー）、前記アングルセル（ＡＧＬ＿Ｃ＃ｉ）が存在しないことを示すように構成される。
【００４０】
第２３の発明に係るディスク状記録媒体（図３の１０）は、中心側にリードインエリア（２７）を持ち、このリードインエリア（２７）の外側にビデオマネージャ（ＶＭＧ）を記録するエリア（図１０の７１）を持ち、このビデオマネージャ記録エリア（７１）の外側に１以上のビデオタイトルセット（ＶＴＳ＃ｎ）を記録するエリア（図１０の７２）を持ち、少なくとも１つのビデオタイトルセット記録エリア（７２）が複数のアングルセル（図３２または図３８のＡＧＬ＿Ｃ＃ｉ）からなるアングルブロックを含み、それぞれのアングルセル（ＡＧＬ＿Ｃ＃ｉ）がある撮影対象を種々なカメラアングルで撮影した異なるビデオデータ（ＡＧＬ＿Ｃ＃ｉ；図１１のセル８４に対応）を含む。
【００４１】
前記ディスク状記録媒体（１０）の前記ビデオタイトルセット（ＶＴＳ）が１以上のビデオオブジェクトセット（図１１のＶＯＢＳ）を含み、前記ビデオオブジェクトセット（ＶＯＢＳ）が１以上のビデオオブジェクト（ＶＯＢ）を含み、前記ビデオオブジェクト（ＶＯＢ）が前記アングルセル（ＡＧＬ＿Ｃ＃ｉ）を含めて１以上のセル（８４）を含み、前記セル（８４）が１以上のビデオオブジェクトユニット（ＶＯＢＵ）を含む。
【００４２】
前記ビデオオブジェクトユニット（ＶＯＢＵ）各々がその先頭にナビゲーションパック（８６）を含み、前記ナビゲーションパック（８６）が再生制御情報（図２６のＰＣＩデータ）を含み、前記再生制御情報（図２８のＰＣＩ）が前記アングルセル（ＡＧＬ＿Ｃ＃ｉ）各々のアドレスデータ（図３０のＮＳＭＬ＿ＡＧＬ＿Ｃｎ＿ＤＳＴＡ）を含むノンシームレスアングル情報（ＮＳＭＬ＿ＡＧＬＩ）を含む。
【００４３】
前記ディスク状記録媒体（１０）の前記ビデオマネージャ（ＶＭＧ）がビデオマネージャ情報（図１２のＶＭＧＩ）を含み、前記ビデオマネージャ情報（ＶＭＧＩ）がタイトルサーチポインタテーブル（図１６のＴＴ＿ＳＲＰＴ）を含み、前記タイトルサーチポインタテーブル（ＴＴ＿ＳＲＰＴ）がタイトルサーチポインタ（図１８のＴＴ＿ＳＲＰ）を含み、前記タイトルサーチポインタ（ＴＴ＿ＳＲＰ）がアングル数（ＡＧＬ＿Ｎｓ）を含む。
【００４４】
前記アングル数（ＡＧＬ＿Ｎｓ）が複数であるときに（図９８のＳＴ３０イエス）、前記アングルセル（ＡＧＬ＿Ｃ＃ｉ）各々のアドレスデータ（図３０のＮＳＭＬ＿ＡＧＬ＿Ｃｎ＿ＤＳＴＡ）を参照して、現在再生中のアングルセルとは別のアングルセルへ、ノンシームレスに再生対象を切り替える（図３２；図９９のＳＴ４４；図１００のＳＴ６８；図１０１の７６）ように構成される。
【００４５】
第２４の発明に係るディスク状記録媒体（図３の１０）は、中心側にリードインエリア（２７）を持ち、このリードインエリア（２７）の外側にビデオマネージャ（ＶＭＧ）を記録するエリア（図１０の７１）を持ち、このビデオマネージャ記録エリア（７１）の外側に１以上のビデオタイトルセット（ＶＴＳ＃ｎ）を記録するエリア（図１０の７２）を持ち、少なくとも１つのビデオタイトルセット記録エリア（７２）が複数のアングルセル（図３２または図３８のＡＧＬ＿Ｃ＃ｉ）からなるアングルブロックを含み、それぞれのアングルセル（ＡＧＬ＿Ｃ＃ｉ）がある撮影対象を種々なカメラアングルで撮影した異なるビデオデータ（ＡＧＬ＿Ｃ＃ｉ；図１１のセル８４に対応）を含む。
【００４６】
前記ディスク状記録媒体（１０）の前記ビデオタイトルセット（ＶＴＳ）が１以上のビデオオブジェクトセット（図１１のＶＯＢＳ）を含み、前記ビデオオブジェクトセット（ＶＯＢＳ）が１以上のビデオオブジェクト（ＶＯＢ）を含み、前記ビデオオブジェクト（ＶＯＢ）が前記アングルセル（ＡＧＬ＿Ｃ＃ｉ）を含めて１以上のセル（８４）を含み、前記セル（８４）が１以上のビデオオブジェクトユニット（ＶＯＢＵ）を含む。
【００４７】
前記ビデオオブジェクトユニット（ＶＯＢＵ）各々がその先頭にナビゲーションパック（８６）を含み、前記ナビゲーションパック（８６）がデータサーチ情報（図２６のＤＳＩデータ）を含み、前記データサーチ情報（図３４のＤＳＩ）が前記アングルセル（ＡＧＬ＿Ｃ＃ｉ）各々のアドレスデータ（図３６のＳＭＬ＿ＡＧＬ＿Ｃｎ＿ＤＳＴＡ）を含むシームレスアングル情報（ＳＭＬ＿ＡＧＬＩ）を含む。
【００４８】
前記ディスク状記録媒体（１０）の前記ビデオタイトルセット（ＶＴＳ）が前記アングルセル（ＡＧＬ＿Ｃ＃ｉ）を含めて１以上のセル（８４）で構成されるプログラムチェーン（図１３のＰＧＣ）を含み、前記プログラムチェーン（ＰＧＣ）がプログラムチェーン情報（ＰＧＣＩ）を含み、前記プログラムチェーン情報（ＰＧＣＩ）がセル再生情報テーブル（図３９のＣ＿ＰＢＩＴ）を含み、前記セル再生情報テーブル（Ｃ＿ＰＢＩＴ）が１以上のセル再生情報（図４０のＣ＿ＰＢＩｎ）を含み、前記セル再生情報（Ｃ＿ＰＢＩ）各々がセルカテゴリー（図４１のＣ＿ＣＡＴ）を含み、前記セルカテゴリー（Ｃ＿ＣＡＴ）が前記アングルブロックであるかどうかを示すセルブロックタイプ（図４２）およびシームレスアングル変更であるかどうかを示すシームレスアングル変更フラグ（図４２）を含む。
【００４９】
前記セルカテゴリー（Ｃ＿ＣＡＴ）の前記セルブロックタイプ（図４２）が現在アングルブロックであることを示しており（図９８のＳＴ３０イエス；図９９のＳＴ４６イエス）、前記セルカテゴリー（Ｃ＿ＣＡＴ）の前記シームレスアングル変更フラグ（図４２）がシームレスアングル変更であることを示している（バイナリ１）ときに（図９９のＳＴ５０イエス）、前記アングルセル（ＡＧＬ＿Ｃ＃ｉ）各々のアドレスデータ（図３６のＳＭＬ＿ＡＧＬ＿Ｃｎ＿ＤＳＴＡ）を参照して、現在再生中のアングルセルとは別のアングルセルへ、シームレスに再生対象を切り替えるように構成される。
【００５０】
第２５の発明に係るコンピュータ読み取り可能プログラムは、中心側にリードインエリア（２７）を持ち、このリードインエリア（２７）の外側にビデオマネージャ（ＶＭＧ）を記録するエリア（図１０の７１）を持ち、このビデオマネージャ記録エリア（７１）の外側に１以上のビデオタイトルセット（ＶＴＳ＃ｎ）を記録するエリア（図１０の７２）を持ち、少なくとも１つのビデオタイトルセット記録エリア（７２）が複数のアングルセル（図３２または図３８のＡＧＬ＿Ｃ＃ｉ）からなるアングルブロックを含み、それぞれのアングルセル（ＡＧＬ＿Ｃ＃ｉ）がある撮影対象を種々なカメラアングルで撮影した異なるビデオデータ（ＡＧＬ＿Ｃ＃ｉ；図１１のセル８４に対応）を含むところのディスク状記録媒体（図３の１０）に対して利用される。
【００５１】
前記ディスク状記録媒体（１０）の前記ビデオマネージャ（ＶＭＧ）にビデオマネージャ情報（図１２のＶＭＧＩ）が記録され、前記ビデオマネージャ情報（ＶＭＧＩ）にタイトルサーチポインタテーブル（図１６のＴＴ＿ＳＲＰＴ）が記録され、前記タイトルサーチポインタテーブル（ＴＴ＿ＳＲＰＴ）にタイトルサーチポインタ（図１８のＴＴ＿ＳＲＰ）が記録され、前記タイトルサーチポインタ（ＴＴ＿ＳＲＰ）にアングル数（ＡＧＬ＿Ｎｓ）が記録されている場合に、前記ディスク状記録媒体（図３の１０）から前記アングルセル（ＡＧＬ＿Ｃ＃ｉ）内のビデオデータ（図１１のＶＯＢＵ８５に対応）を選択的に再生するコンピュータ読み取り可能プログラムは、
前記アングル数（ＡＧＬ＿Ｎｓ）を調べ（図８９のＳＴ１６Ｃ）、この数が複数あるときに（図９８のＳＴ３０イエス）、前記アングルセル（ＡＧＬ＿Ｃ＃ｉ）の存在を通知するアングルマーク（４０７）を点灯させるステップ（ＳＴ３４）を含む。
【００５２】
第２６の発明に係るコンピュータ読み取り可能プログラムは、中心側にリードインエリア（２７）を持ち、このリードインエリア（２７）の外側にビデオマネージャ（ＶＭＧ）を記録するエリア（図１０の７１）を持ち、このビデオマネージャ記録エリア（７１）の外側に１以上のビデオタイトルセット（ＶＴＳ＃ｎ）を記録するエリア（図１０の７２）を持ち、少なくとも１つのビデオタイトルセット記録エリア（７２）が複数のアングルセル（図３２または図３８のＡＧＬ＿Ｃ＃ｉ）からなるアングルブロックを含み、それぞれのアングルセル（ＡＧＬ＿Ｃ＃ｉ）がある撮影対象を種々なカメラアングルで撮影した異なるビデオデータ（ＡＧＬ＿Ｃ＃ｉ；図１１のセル８４に対応）を含むところのディスク状記録媒体（図３の１０）に対して利用される。
【００５３】
前記ディスク状記録媒体（１０）の前記ビデオマネージャ（ＶＭＧ）にビデオマネージャ情報（図１２のＶＭＧＩ）が記録され、前記ビデオマネージャ情報（ＶＭＧＩ）にタイトルサーチポインタテーブル（図１６のＴＴ＿ＳＲＰＴ）が記録され、前記タイトルサーチポインタテーブル（ＴＴ＿ＳＲＰＴ）にタイトルサーチポインタ（図１８のＴＴ＿ＳＲＰ）が記録され、前記タイトルサーチポインタ（ＴＴ＿ＳＲＰ）にアングル数（ＡＧＬ＿Ｎｓ）が記録されている場合に、前記ディスク状記録媒体（図３の１０）から前記アングルセル（ＡＧＬ＿Ｃ＃ｉ）内のビデオデータ（図１１のＶＯＢＵ８５に対応）を選択的に再生するコンピュータ読み取り可能プログラムは、
前記アングル数（ＡＧＬ＿Ｎｓ）を調べ（図８９のＳＴ１６Ｃ）この数が複数あるときに（図９８のＳＴ３０イエス）前記アングルセル（ＡＧＬ＿Ｃ＃ｉ）の存在を通知するアングルマーク（４０７）を点灯させるステップ（ＳＴ３４）と、前記アングル数（ＡＧＬ＿Ｎｓ）が１つのときは（図９８のＳＴ３０ノー）前記アングルマーク（４０７）を消灯させるステップ（ＳＴ３６）とを含む。
【００５４】
第２７の発明に係るコンピュータ読み取り可能プログラムは、中心側にリードインエリア（２７）を持ち、このリードインエリア（２７）の外側にビデオマネージャ（ＶＭＧ）を記録するエリア（図１０の７１）を持ち、このビデオマネージャ記録エリア（７１）の外側に１以上のビデオタイトルセット（ＶＴＳ＃ｎ）を記録するエリア（図１０の７２）を持ち、少なくとも１つのビデオタイトルセット記録エリア（７２）が複数のアングルセル（図３２または図３８のＡＧＬ＿Ｃ＃ｉ）からなるアングルブロックを含み、それぞれのアングルセル（ＡＧＬ＿Ｃ＃ｉ）がある撮影対象を種々なカメラアングルで撮影した異なるビデオデータ（ＡＧＬ＿Ｃ＃ｉ；図１１のセル８４に対応）を含むところのディスク状記録媒体（図３の１０）に対して利用される。
【００５５】
前記ディスク状記録媒体（１０）の前記ビデオマネージャ（ＶＭＧ）にビデオマネージャ情報（図１２のＶＭＧＩ）が記録され、前記ビデオマネージャ情報（ＶＭＧＩ）にタイトルサーチポインタテーブル（図１６のＴＴ＿ＳＲＰＴ）が記録され、前記タイトルサーチポインタテーブル（ＴＴ＿ＳＲＰＴ）にタイトルサーチポインタ（図１８のＴＴ＿ＳＲＰ）が記録され、前記タイトルサーチポインタ（ＴＴ＿ＳＲＰ）にアングル数（ＡＧＬ＿Ｎｓ）が記録されている場合に、前記ディスク状記録媒体（図３の１０）から前記アングルセル（ＡＧＬ＿Ｃ＃ｉ）内のビデオデータ（図１１のＶＯＢＵ８５に対応）を選択的に再生するコンピュータ読み取り可能プログラムは、
前記アングル数（ＡＧＬ＿Ｎｓ）を調べ（図８９のＳＴ１６Ｃ）この数が複数あるときに（図９８のＳＴ３０イエス）前記アングルセル（ＡＧＬ＿Ｃ＃ｉ）の存在を通知するアングルマーク（４０７）を点灯させるステップ（ＳＴ３４）と、前記アングル数（ＡＧＬ＿Ｎｓ）が１つのときは（図９８のＳＴ３０ノー）前記アングルマーク（４０７）を消灯させるステップ（ＳＴ３６）と、前記アングル数（ＡＧＬ＿Ｎｓ）が複数あるときでも（ＳＴ３０イエス）前記アングルマーク（４０７）を任意に消灯させるステップ（ＳＴ３２ノー、ＳＴ３６）とを含む。
【００５６】
第２８の発明に係るコンピュータ読み取り可能プログラムは、中心側にリードインエリア（２７）を持ち、このリードインエリア（２７）の外側にビデオマネージャ（ＶＭＧ）を記録するエリア（図１０の７１）を持ち、このビデオマネージャ記録エリア（７１）の外側に１以上のビデオタイトルセット（ＶＴＳ＃ｎ）を記録するエリア（図１０の７２）を持ち、少なくとも１つのビデオタイトルセット記録エリア（７２）が複数のアングルセル（図３２または図３８のＡＧＬ＿Ｃ＃ｉ）からなるアングルブロックを含み、それぞれのアングルセル（ＡＧＬ＿Ｃ＃ｉ）がある撮影対象を種々なカメラアングルで撮影した異なるビデオデータ（ＡＧＬ＿Ｃ＃ｉ；図１１のセル８４に対応）を含むところのディスク状記録媒体（図３の１０）に対して利用される。
【００５７】
前記ディスク状記録媒体（１０）の前記ビデオタイトルセット（ＶＴＳ）に１以上のビデオオブジェクトセット（図１１のＶＯＢＳ）が記録され、前記ビデオオブジェクトセット（ＶＯＢＳ）に１以上のビデオオブジェクト（ＶＯＢ）が記録され、前記ビデオオブジェクト（ＶＯＢ）に前記アングルセル（ＡＧＬ＿Ｃ＃ｉ）を含めて１以上のセル（８４）が記録され、前記セル（８４）に１以上のビデオオブジェクトユニット（ＶＯＢＵ）が記録され、前記ビデオオブジェクトユニット（ＶＯＢＵ）各々の先頭にナビゲーションパック（８６）が記録され、前記ナビゲーションパック（８６）に再生制御情報（図２６のＰＣＩデータ）が記録され、前記再生制御情報（図２８のＰＣＩ）に前記アングルセル（ＡＧＬ＿Ｃ＃ｉ）各々のアドレスデータ（図３０のＮＳＭＬ＿ＡＧＬ＿Ｃｎ＿ＤＳＴＡ）を含むノンシームレスアングル情報（ＮＳＭＬ＿ＡＧＬＩ）が記録され；前記ディスク状記録媒体（１０）の前記ビデオマネージャ（ＶＭＧ）にビデオマネージャ情報（図１２のＶＭＧＩ）が記録され、前記ビデオマネージャ情報（ＶＭＧＩ）にタイトルサーチポインタテーブル（図１６のＴＴ＿ＳＲＰＴ）が記録され、前記タイトルサーチポインタテーブル（ＴＴ＿ＳＲＰＴ）にタイトルサーチポインタ（図１８のＴＴ＿ＳＲＰ）が記録され、前記タイトルサーチポインタ（ＴＴ＿ＳＲＰ）にアングル数（ＡＧＬ＿Ｎｓ）が記録されている場合に、前記ディスク状記録媒体（図３の１０）から前記アングルセル（ＡＧＬ＿Ｃ＃ｉ）内のビデオデータ（図１１のＶＯＢＵ８５に対応）を選択的に再生するコンピュータ読み取り可能プログラムは、
前記アングル数（ＡＧＬ＿Ｎｓ）を調べ（図８９のＳＴ１６Ｃ）この数が複数あるときに（図９８のＳＴ３０イエス）前記アングルブロック（ＡＧＬ＿Ｃ＃ｉ）の存在を通知するアングルマーク（４０７）を点灯するステップ（ＳＴ３４）と、前記アングル数（ＡＧＬ＿Ｎｓ）が複数あるときに（図９８のＳＴ３０イエス）前記アングルセル（ＡＧＬ＿Ｃ＃ｉ）各々のアドレスデータ（図３０のＮＳＭＬ＿ＡＧＬ＿Ｃｎ＿ＤＳＴＡ）を参照して現在再生中のアングルセルとは別のアングルセルへノンシームレスに再生対象を切り替えるステップ（図１００のＳＴ６８）とを含む。
【００５８】
第２９の発明に係るコンピュータ読み取り可能プログラムは、中心側にリードインエリア（２７）を持ち、このリードインエリア（２７）の外側にビデオマネージャ（ＶＭＧ）を記録するエリア（図１０の７１）を持ち、このビデオマネージャ記録エリア（７１）の外側に１以上のビデオタイトルセット（ＶＴＳ＃ｎ）を記録するエリア（図１０の７２）を持ち、少なくとも１つのビデオタイトルセット記録エリア（７２）が複数のアングルセル（図３２または図３８のＡＧＬ＿Ｃ＃ｉ）からなるアングルブロックを含み、それぞれのアングルセル（ＡＧＬ＿Ｃ＃ｉ）がある撮影対象を種々なカメラアングルで撮影した異なるビデオデータ（ＡＧＬ＿Ｃ＃ｉ；図１１のセル８４に対応）を含むところのディスク状記録媒体（図３の１０）に対して利用される。
【００５９】
前記ディスク状記録媒体（１０）の前記ビデオタイトルセット（ＶＴＳ）に１以上のビデオオブジェクトセット（図１１のＶＯＢＳ）が記録され、前記ビデオオブジェクトセット（ＶＯＢＳ）に１以上のビデオオブジェクト（ＶＯＢ）が記録され、前記ビデオオブジェクト（ＶＯＢ）に前記アングルセル（ＡＧＬ＿Ｃ＃ｉ）を含めて１以上のセル（８４）が記録され、前記セル（８４）に１以上のビデオオブジェクトユニット（ＶＯＢＵ）が記録され、前記ビデオオブジェクトユニット（ＶＯＢＵ）各々の先頭にナビゲーションパック（８６）が記録され、前記ナビゲーションパック（８６）にデータサーチ情報（図２６のＤＳＩデータ）が記録され、前記データサーチ情報（図３４のＤＳＩ）に前記アングルセル（ＡＧＬ＿Ｃ＃ｉ）各々のアドレスデータ（図３６のＳＭＬ＿ＡＧＬ＿Ｃｎ＿ＤＳＴＡ）を含むシームレスアングル情報（ＳＭＬ＿ＡＧＬＩ）が記録され、前記ビデオタイトルセット（ＶＴＳ）に前記アングルセル（ＡＧＬ＿Ｃ＃ｉ）を含めて１以上のセル（８４）で構成されるプログラムチェーン（図１３のＰＧＣ）が記録され、前記プログラムチェーン（ＰＧＣ）にプログラムチェーン情報（ＰＧＣＩ）が記録され、前記プログラムチェーン情報（ＰＧＣＩ）にセル再生情報テーブル（図３９のＣ＿ＰＢＩＴ）が記録され、前記セル再生情報テーブル（Ｃ＿ＰＢＩＴ）に１以上のセル再生情報（図４０のＣ＿ＰＢＩｎ）が記録され、前記セル再生情報（Ｃ＿ＰＢＩ）各々にセルカテゴリー（図４１のＣ＿ＣＡＴ）が記録され、前記セルカテゴリー（Ｃ＿ＣＡＴ）に前記アングルブロックであるかどうかを示すセルブロックタイプ（図４２）およびシームレスアングル変更であるかどうかを示すシームレスアングル変更フラグ（図４２）が記録されている場合に、前記ディスク状記録媒体（図３の１０）から前記アングルセル（ＡＧＬ＿Ｃ＃ｉ）内のビデオデータ（図１１のＶＯＢＵ８５に対応）を選択的に再生するコンピュータ読み取り可能プログラムは、
前記アングル数（ＡＧＬ＿Ｎｓ）を調べ（図８９のＳＴ１６Ｃ）この数が複数あるときに（図９８のＳＴ３０イエス）前記アングルブロック（ＡＧＬ＿Ｃ＃ｉ）の存在を通知するアングルマーク（４０７）を点灯するステップ（ＳＴ３４）と、前記セルカテゴリー（Ｃ＿ＣＡＴ）の前記セルブロックタイプ（図４２）が現在アングルブロックであることを示している（バイナリ０１）ときに（図９９のＳＴ５０イエス）前記アングルマーク（４０７）を点滅させまたは変形させあるいは別の色で表示するステップ（ＳＴ５２）と、前記セルカテゴリー（Ｃ＿ＣＡＴ）の前記セルブロックタイプ（図４２）が現在アングルブロックであることを示しており（図９８のＳＴ３０イエス；図９９のＳＴ４６イエス）前記セルカテゴリー（Ｃ＿ＣＡＴ）の前記シームレスアングル変更フラグ（図４２）がシームレスアングル変更であることを示している（バイナリ１）ときに（図９９のＳＴ５０イエス）前記アングルセル（ＡＧＬ＿Ｃ＃ｉ）各々のアドレスデータ（図３６のＳＭＬ＿ＡＧＬ＿Ｃｎ＿ＤＳＴＡ）を参照して現在再生中のアングルセルとは別のアングルセルへシームレスに再生対象を切り替えるステップ（図１００のＳＴ６８）とを含む。
【００６０】
第３０の発明に係るマルチアングルブロック再生システム用操作コントローラは、前記アングルブロック（ＡＧＬ＿Ｃ＃ｉ）を含むプログラムソース（タイトル）が記録された前記記録媒体（１０）が前記再生システム（図１）にセットされたあと、前記プログラムソースの前記アングルブロック（ＡＧＬ＿Ｃ＃ｉ）部分が再生されるときあるいは再生されているときに、前記再生システムにアングル変更を指示する（図９９のＳＴ４０イエス）アングルキー（図５または図８の５ａｎｇ）を備えている。
【００６１】
第３１の発明に係るマルチアングル再生可能なビデオオンデマンドシステムでは、加入者の受信システム（１０００）が、アングルブロックの複数映像を切り替える指令を出すアングル切替指令手段（アングルキーを持つリモコン５またはアングルキーの機能を持つキーボード１０２４Ａ等）を備えている。
【００６２】
第３２の発明に係るビデオオンデマンドシステムにおいては、前記加入者の受信システム（１０００）が、所定プログラムの内容画像を表示するウインドウと前記アングル切替指令手段として機能する操作アイコンとこの操作アイコンにユーザ操作を伝える印となるマウスポインタとを表示するモニタ（６）と；このモニタ（６）に表示されたマウスポインタを移動させるとともにこのマウスポインタで指示される前記操作アイコンの位置に対応する命令を発生させるマウス（１０２６Ａ）とを備えている。
【００６３】
【発明の実施の形態】
以下、図面を参照して、この発明の一実施の形態に係るマルチアングルブロック再生システム（再生装置または再生方法を含む）を説明する。なお、重複説明を避けるために、複数の図面に渡り機能上共通する部分には共通の参照符号が用いられている。
【００６４】
図１は、この発明の一実施の形態に係る光ディス再生装置の構成を示すブロック図である。この光ディスク装置は、視覚上のユーザーインターフェイスを構成する部分としてキー操作／表示部４、リモートコントローラ５およびモニター部６を備え、聴覚上のユーザーインターフェイスを構成する部分としてスピーカー部８（ここでは２チャネルステレオペアを例示）を備えている。
【００６５】
光ディスク装置はさらに、リモートコントローラ部５からのユーザ操作情報を受信してシステムＣＰＵ部５０に通知するリモートコントローラ受信部４Ａ、光ディスク１０を回転駆動するディスクドライブ部３０、システムＣＰＵ部５０、システムＲＯＭ／ＲＡＭ部５２、システムプロッセッサ部５４、データＲＡＭ部５６、ビデオデコータ部５８、オーディオデコーダ部６０、副映像デコーダ部６２およびＤ／Ａおよびデータ再生部６４を備えている。
【００６６】
システムＣＰＵ部５０はマイクロコンピュータ（通称ＣＰＵまたはＭＰＵ）で構成される。図１の装置の動作時間の基準クロック（あるいは日付データ）は、時計回路５０Ａに基づき作り出すことができる。
【００６７】
システムプロッセッサ部５４は、システムタイムクロック（ＳＴＣ）５４Ａおよびレジスタ５４Ｂを含んでいる。同様に、ビデオデコータ部５８、オーディオデコーダ部６０および副映像デコーダ部６２は、システムタイムクロック（ＳＴＣ）５８Ａ、６０Ａおよび６２Ａを含んでいる。システムプロセッサ部５４はさらに、光ディスク１０から再生されたデータに含まれる種々なパケットの種別を判断して、そのパケット内のデータを対応する各デコーダ（５８〜６２）へ転送するパケット転送処理部２００を有している。
【００６８】
副映像デコーダ部６２にはさらに、システムプロセッサ部５４から供給される副映像データをデコードするデコーダ６２Ｂ、およびこのデコーダ６２Ｂによるデコード後の副映像データに対してハイライト処理を行うハイライト処理部６２Ｃが設けられている。
【００６９】
デコーダ６２Ｂは、所定の規則にしたがってランレングス圧縮された２ビット単位の画素データ（副映像データ）を、強調画素、パターン画素、背景画素等に応じて伸長するものである。
【００７０】
ハイライト処理部６２Ｃは、システムＣＰＵ部５０から供給されるハイライト情報（たとえばメニュー選択選択項目）が表示される矩形領域を示すＸ・Ｙ座標値、色コード、およびハイライト色／コントラスト値に応じて、ハイライト処理を行うものである。このハイライト処理は、モニタ部６を用いた視覚上のユーザーインターフェイスにおいて、ユーザが表示された特定のアイテムを容易に認知できるようにする手段として、利用できる。
【００７１】
データＲＡＭ部５６は、副映像メニュー、オーディオメニュー、アングルメニュー、チャプター（プログラム）メニューなどのスタートアドレスを格納するメニューテーブル５６Ａを含んでいる。これらのメニューの特定部分を強調するのに、上記ハイライト処理が利用される。
【００７２】
デコード後の副映像データの画素毎の色とコントラストがハイライト情報に応じて変更されてると、この変更後の副映像データはＤ／Ａおよび再生処理部６４内の画像合成部６４Ａに供給される。この画像合成部６４Ａにおいてデコード後の主映像データ（ビデオデータ）とハイライト処理後の副映像データ（字幕、メニューなど）が合成され、その合成画像がモニタ部６で表示されるようになる。
【００７３】
ユーザが図１のキー操作／表示部４（またはリモートコントローラ５）を操作することによって、光ディスク１０に記録されたデータの再生が開始される。
【００７４】
光ディスク１０に記録されたデータは、マルチアングルブロック（インターリーブ記録される）を含む映像データ（ＭＰＥＧ圧縮データ）の他に、字幕表示などに利用される副映像データ（ランレングス圧縮されたビットマップデータ）、複数言語の音声データ（ＭＰＥＧその他の方式による圧縮データ）および／または多チャンネルステレオオーディオデータ（量子化１６〜２４ビット、サンプリング４８〜９６ｋＨｚのリニアＰＣＭデータ）を含む。これらの映像／音声データは、再生装置から出力されるまでにアナログのビデオ信号およびオーディオ信号に変換される。モニタ部６は、出力されたビデオ信号によって対応する映像を表示し、スピーカ部８は、出力されたオーディオ信号によって対応する音声を発生するようになっている。
【００７５】
なお、図１において各ブロック要素間の実線の矢印はデータバスを示し、破線の矢印は制御バスを示している。
【００７６】
図１のディスクドライブ部３０は、図２に示すように、モータ駆動回路１１、スピンドルモータ１２、光学ヘッド３２（光ピックアップ）、フィードモータ３３、フォ―カス回路３６、フィードモータ駆動回路３７、トラッキング回路３８、ヘッドアンプ４０およびサーボ処理回路４４を具備している。
【００７７】
光ディスク１０は、モータ駆動回路１１によって駆動されるスピンドルモータ１２上に載置され、このスピンドルモータ１２によって所定の線速度で回転される。光ディスク１０の直下には、光ディスク１０のデータ記録面にレーザビームを照射する光学ヘッド３２が配置される。この光学ヘッド３２は、ガイド機構（図示せず）上に載置されている。
【００７８】
図１のシステムＣＰＵ部５０から制御信号（アクセス信号）がサーボ処理回路４４に供給されると、この制御信号に応答して、サーボ処理回路４４からヘッド移動信号がフィードモータ駆動回路３７に供給される。するとフィードモータ駆動回路３７はヘッド移動信号に対応した駆動信号をフィードモータ３３に供給する。フィードモータ３３は、フィードモータ駆動回路３７からの駆動信号にしたがって回動し、図示しないガイド機構に沿って、光学ヘッド３２を光ディスク１０の半径方向に移動させる。
【００７９】
光学ヘッド３２は、光ディスク１０に対向する対物レンズ３４を備えている。光ディスク１０から記録データを再生するときは、光学ヘッド３２から光ディスク１０のデータ記録面へ、対物レンズ３４を介してレーザビームが照射される。その際、光ディスク１０のデータ記録面（ピット）に対して光学ヘッド３２のフォーカシングが自動的に行われるように、対物レンズ３４はフォ―カス回路３６からの駆動信号にしたがってその光軸（フォーカシング方向）に沿って微動する。この対物レンズ３４はまた、トラッキング回路３８から供給された駆動信号にしたがって光ディスク１０の半径方向（トラッキング方向）に微動する。
【００８０】
このような対物レンズ３４の微動（フォーカシング方向およびトラッキング方向）によって、光学ヘッド３２からのレーザビームは、最小ビームスポットとなって光ディスク１０のデータ記録面上のスパイラルトラック（ピット列）上に形成される。こうして、光ディスク１０のデータ記録面上のトラックが光学ヘッド３２からの光ビームスポットで自動的に（たとえば線速度一定で）追跡されるようになる。
【００８１】
フィードモータ３３が駆動され、光ヘッド３２が光ディスク１０の半径方向に沿って移動され、光学ヘッド３２によって光ディスク１０のデータ記録層に形成された所定のセクタがアクセスされる。このアクセスの結果光ディスク１０から読み出された再生データは、光学ヘッド３２からヘッドアンプ４０に供給され、このヘッドアンプ４０で増幅され、ディスクドライブ部３０から出力される。
【００８２】
出力された再生データは、システム用ＲＯＭおよびＲＡＭ部５２に記録されたプログラムで制御されるシステムＣＰＵ部５０の管理下で、システムプロセッサ部５４によってデータＲＡＭ部５６に格納される。この格納された再生データは、システムプロセッサ部５４によって処理されてビデオデータ、オーディオデータおよび副映像データに分類され、ビデオデータ、オーディオデータおよび副映像データは、夫々ビデオデコーダ部５８、オーディオデコーダ部６０および副映像デコーダ部６２に出力されてデコードされる。
【００８３】
デコードされたビデオデータ、オーディオデータおよび副映像データは、Ｄ／Ａおよび再生処理回路６４でアナログのビデオ信号およびアナログのオーディオ信号に変換される。同時に、ビデオ信号および副映像信号はミキシング処理されてモニタ６に供給され、またオーディオ信号はスピーカ部８に供給される。その結果、ビデオ信号および副映像信号に対応する映像がモニタ部６に表示されるとともに、オーディオ信号に対応する音声がスピーカ部８から再生される。
【００８４】
図１に示す装置の光ディスク再生動作を簡単にまとめると、以下のようになる。
【００８５】
まず、キー操作／表示部４から再生指示が入力されると、システムＣＰＵ部５０は、光ディスクドライブ部３０に対して目的のアドレスとリード命令を送る。
【００８６】
光ディスクドライブ部３０は、送られてきたリード命令にしたがって光ディスク１０を回転駆動し、光ディスク１０の目的アドレスより記録データを読み込んで、システムプロセッサ部５０に送る。
【００８７】
システムプロセッサ部５０は、送られてきたデータをデータＲＡＭ部５６に一旦格納する。そして、格納したデータに付加されているヘッダ情報を基にデータの種別（ビデオ、オーディオ、副映像）を判断し、判断した種類に応じて、ビデオデコーダ部５８、オーディオデコーダ部６０および副映像デコーダ部６２へ、対応データをそれぞれ転送する。
【００８８】
各デコーダ部５８、６０および６２は、それぞれのデータフォーマットにしたがって、転送されてきたデータをデコードし、デコード結果の信号をＤ／Ａおよびデータ再生処理部６４へ送る。このＤ／Ａおよびデータ再生処理部６４から、モニタ部６へ適宜副映像情報（字幕など）がスーパーインポーズされた再生ビデオ信号が送られ、２ＣＨ（ないし８ＣＨ）のステレオスピーカ部８へ再生ビデオ信号に同期した音声信号（適宜効果音、環境音などを含む）が送られる。
【００８９】
なお、ビデオデコーダ部５８でデコードされたビデオ信号は、さらにパンスキャン信号変換回路（図示せず）およびレターボックス信号変換回路（図示せず）に送られる。これら２種類の信号変換回路から出力される変換後のビデオ信号およびビデオデコーダ部５８から直接出力された状態のダイレクト信号のうち、いずれかのビデオ信号がビデオ信号選択回路（図示せず）により選択されて、Ｄ／Ａおよびデータ再生処理部６４に転送される。
【００９０】
以上のようなパンスキャン信号変換回路、レターボックス信号変換回路およびビデオ信号選択回路は、図１のビデオデコーダ部５８の内部に設けられていてもよい。
【００９１】
図１の再生装置で再生される光ディスク１０には、種々の構造が考えられる。たとえば図３に示すような貼合せ構造を持つ高記録密度大容量の読み出し専用ディスクを、図１の再生装置で使用することができる。
【００９２】
図３に示されるように光ディスク１０は、一対の複合ディスク層（単層または２層）１８とこの複合ディスク層１８間に介挿された極薄（たとえば４０μｍ厚の紫外線硬化性樹脂）の接着層２０とから構成されている。各複合ディスク層１８は、透明基板（たとえば０.６ｍｍ厚のポリカーボネート）１４および記録層、すなわち光反射層１６（アルミニウム、アルミニウム合金、あるいは金などを蒸着またはスパッタリングして形成したもの）から構成されている。これら一対のディスク層１８は、光反射層１６が接着層２０の面上に接触するようにして貼り合わされ、１.２ｍｍ厚の高記録密度光ディスクとなる。
【００９３】
光ディスク１０には中心孔２２が設けられており、ディスク両面の中心孔２２の周囲には、この光ディスク１０をその回転時に押さえるためのクランピング領域２４が設けられている。中心孔２２には、光ディスク装置にディスク１０が装填された際に図２に示されたスピンドルモータ１２のスピンドルが挿入される。そして、ディスクが回転される間、光ディスク１０は、そのクランピング領域２４で図示しないディスククランパによりクランプされる。
【００９４】
光ディスク１０は、その両面のクランピング領域２４の周囲に、ビデオデータ、オーディオデータその他の情報を記録することができる情報領域２５を有している。
【００９５】
情報領域２５のうち、その外周領域にはリードアウト領域２６が設けられ、またクランピング領域２４に接するその内周領域にはリードイン領域２７が設けられている。そして、リードアウト領域２６とリードイン領域２７との間がデータ記録領域２８として定められている。
【００９６】
情報領域２５の記録層（光反射層）１６には、データ記録領域としての記録トラックがたとえばスパイラル状に連続して形成されている。その連続トラックは複数の物理セクタに分割され、これらのセクタには連続番号が付されている。このセクタを記録単位として、光ディスク１０に種々なデータが記録される。
【００９７】
情報記録領域２５のデータ記録領域２８は、実際のデータ記録領域であって、再生情報として、ビデオデータ（主映像データ）、副映像データおよびオーディオデータが、同様なピット列（光学的な状態変化をもたらす物理的形状）として記録されている。
【００９８】
読み出し専用の光ディスク１０では、透明基板１４にピット列が予めスタンパーで形成され、このピット列が形成された透明基板１４の面に反射層が蒸着またはスパッタリングにより形成され、その反射層が記録層１６として使用されることとなる。
【００９９】
なお、読み出し専用の光ディスク（ＤＶＤ−ＲＯＭ）１０では、通常、記録トラックとしてのグルーブは特に設けられず、透明基板１４の面に形成されたピット列がトラックとして機能するようになっている。（ただし記録・再生あるいは読み書きが可能なＤＶＤーＲＡＭでは、上記グルーブが設けられる。）
図１に示す光ディスク再生装置（ＤＶＤプレーヤ）において、ユーザ（視聴者）が装置本体のフロントパネルに設けられたキー操作／表示部４、あるいはリモートコントローラ部５（本体内のリモートコントローラ受信部４Ａと赤外線光通信により接続される遠隔操作装置）を操作することによって、光ディスク１０から記録データ、すなわち、主映像データ、副映像データおよび音声データが再生される。再生された記録データは、装置内でオーディオ（音声）信号およびビデオ信号に変換され、装置外のモニタ部６およびスピーカ部８に送られてビデオ映像および音声として再現される。
【０１００】
図１の実施形態に係るＤＶＤ再生装置は、ＤＶＤの再生動作に関して、下記機能を持つ操作キー（操作ボタン）の全てを、あるいは装置毎に必要とされる操作キーを、適宜備えている：
［電源キー（POWER）の機能］
＜１＞装置本体の交流電源回路の二次側をオン／オフする。
【０１０１】
＜２＞装置内部にディスクがセットされた状態で電源キーが押されたときは、ディスクの種類（ＤＶＤあるいはＣＤ）を判別して表示する。そのディスクが再生不能ディスクである場合はその旨を表示する。
【０１０２】
＜３＞装置内部にセットされたデスクがファーストプレイプログラムチェーン（オートスタートコード）を含む場合に電源キーが押されると、このプログラムチェーンの再生が自動的に開始される。
【０１０３】
＜４＞電源オンかつトレイオープン状態で電源キーが押されたときは、トレイクローズ後に電源オフとなる。
【０１０４】
［オープン／クローズキー（OPEN/CLOSE）の機能］
＜５＞ディスクトレイをオープンまたはクローズする。ディスク再生中にオープン／クローズキーが押されると、それまでの装置動作が終了し、ディスクトレイがオープンする。
【０１０５】
＜６＞電源オフかつトレイクローズ状態でオープン／クローズキーが押されると、電源がオンしディスクトレイがオープンする。
【０１０６】
＜７＞ディスクトレイオープン状態でオープン／クローズキーが押されると、ディスクトレイが装置本体に引き込まれる。このときトレイにディスクがセットされておれば、その管理情報が読み取られ、セットされたディスクの種類（ＤＶＤあるいはＣＤ）が表示される。そのディスクが再生不能ディスクである場合はその旨が表示される。
【０１０７】
＜８＞ディスクトレイオープン状態でオープン／クローズキーが押されると、ディスクトレイが装置本体に引き込まれる。このときトレイにディスクがセットされていなければ、キャラクタジェネレータから”ＮＯ  ＤＩＳＫ”という文字が発生され表示される。
【０１０８】
＜９＞オープン／クローズキーのオンにより装置本体に引き込まれたディスクがファーストプレイプログラムチェーン（オートスタートコード）を含む場合は、このプログラムチェーンの再生が自動的に開始される。
【０１０９】
［停止キー（STOP）の機能］
＜１０＞ディスク再生中に押されると、再生を停止させる。停止中に押されると、それまで再生していたタイトル番号（あるいはデフォルト設定のタイトル番号）がキャラクタジェネレータから発生され表示される。
【０１１０】
［再生キー（PLAY）の機能］
＜１１＞ディスクトレイにディスクがセットされている状態で押されると、その時点での設定条件（デフォルト設定、または視聴者が設定した画面のアスペクト比、音声言語、字幕言語等）でディスクの再生が開始する。
【０１１１】
＜１２＞ディスクトレイオープン状態でディスクをトレイ上にセットしてから再生キーを押した場合は、トレイを装置本体に引き込み、ディスク（ＤＶＤ）に記録されているデフォルトタイトル（またはタイトル制作者が指定したタイトル）から再生を開始する。ただしディスクがファーストプレイプログラムチェーン（オートスタートコード）を含む場合は、それを実行する。
【０１１２】
＜１３＞ディスクの記録情報で特に指定していない限り、タイトルが終わるまで再生すると、再生動作は終了する。
【０１１３】
＜１４＞メモリ設定画面表示中において設定画面にチャプターおよびタイトル番号が設定されている状態で押されると、設定されたチャプターおよびタイトル番号の所からメモリ再生を開始する。
【０１１４】
＜１５＞ランダムモードが設定されているときに押されると、トレイにセットされているディスクの内容をランダム再生する。
【０１１５】
＜１６＞再生中にディスクのセル再生モードがスチルになった場合は、それまでの再生動作が解除され静止画再生状態となる。セル再生モードでスチル再生の期間中は、スチルセルが最終セルになるまでは再生キーを無効とすることができる。
【０１１６】
［一時停止キー（PAUSE）の機能］
＜１７＞あるタイトル内のプログラムチェーン再生中に押されると、現再生中のプログラムチェーンのビデオフレームで静止画となる。この状態でさらに一時停止キーを押すと、次のフレームの静止画に切り替わる。以下同様に、一時停止キーを押す度に時間進行方向にフレームが切り替わり、このキーを押した回数分のコマ送りが行われる。
【０１１７】
＜１８＞上記静止画またはコマ送り再生中は、副映像は再生するが、音声は再生しないようにできる。
【０１１８】
＜１９＞この静止画／コマ送りは現再生中のプログラムチェーン内でのみ可能であり、タイトル内の最終フレームまでコマ送りされたあとは、このキー操作は無効となる。
【０１１９】
＜２０＞セル再生モードでスチルとなっている場合、スチルセルの最終セルでは、このキー操作は無効となる。
【０１２０】
＜２１＞このキー操作による静止画状態で再生キーを押すと、通常再生に戻る。
【０１２１】
［スキップキー（SKIP／右向き縦棒付２段三角マーク）の機能その１；１シーケンシャルプログラムチェーンタイトルの場合］
＜２２＞再生中に押されると、現再生中のタイトル内の次のチャプター（またはプログラム）をサーチしそれを再生する。次のチャプターがない場合は、このキー操作は無効となる。チャプターサーチ中は、表示部４のサーチ先チャプター番号を点滅させてサーチ中であることを視聴者に通知できる。
【０１２２】
＜２３＞停止中に押すと現チャプターの次のチャプターが選択される。ここで再生キーをオンすると、選択されたチャプターがサーチされ再生される。
【０１２３】
なお、停止中では、２つのタイトルに跨ったチャプター（またはプログラム）のスキップができる。たとえばタイトル１の最終チャプター番号が表示されているとき、さらにこのスキップキーを押すと、タイトル２の初めのチャプター番号が選択される。ここで再生キーをオンすると、選択されたチャプター（タイトル２のチャプター１）がサーチされ再生される。
【０１２４】
＜２４＞停止状態で所定時間以上押し続けられると、一定の速度でチャプター番号が１づつ繰り上がる（次のタイトルがあるときは現タイトルから次タイトルへ跨ったチャプター番号の連続変更を可能にできる）。押し続けているこのスキップキーを離したあと再生キーを押すと、そのときのタイトルのチャプターがサーチされ再生される。
【０１２５】
［スキップキー（SKIP／右向き縦棒付２段三角マーク）の機能その２；ランダムプログラムチェーンタイトルの場合］
＜２５＞再生中に押すと、現再生中のタイトル内のチャプターの次にランダム選択されたチャプター（またはプログラム）をサーチしそれを再生する。ただしランダム再生ループの回数が最後であってタイトル内に次のプログラムチェーンがない場合は、このキー操作は無効となる。
【０１２６】
＜２６＞静止画再生中に押された場合は、選択されたチャプター（またはプログラム）をサーチしその先頭で静止画再生となる。ただしセル再生モードでスチルとなっていた場合、選択されたチャプターをサーチしその先頭のスチルが再生される。
【０１２７】
＜２７＞メモリ設定画面で設定されているチャプター番号（プログラム番号）およびタイトル番号の選択（数字のインクリメントあるいはカーソルの前方移動等）に使用できる。
【０１２８】
＜２８＞メニューの頁送りに使用できる。
【０１２９】
［スキップキー（SKIP／左向き縦棒付２段三角マーク）の機能その１；１シーケンシャルプログラムチェーンタイトルの場合］
＜２９＞再生中に押されると、現再生中のチャプター（またはプログラム）の先頭をサーチしそれを再生する。さらに連続して押すとチャプター番号１までチャプター番号が１づつ繰り下がる。
【０１３０】
＜３０＞停止中に押すと現チャプターの１つ前のチャプターが選択される。ここで再生キーをオンすると、選択されたチャプターがサーチされ再生される。
【０１３１】
なお、停止中では、２つのタイトルに跨ったチャプター（またはプログラム）のスキップができる。たとえばタイトル３のチャプター番号１が表示されているとき、さらにこのスキップキーを押すと、タイトル２の最後のチャプター番号Ｘが選択される。ここで再生キーをオンすると、選択されたチャプター（タイトル２のチャプターＸ）がサーチされ再生される。
【０１３２】
このタイトルを跨ったチャプター繰り下がりスキップは、タイトル１のチャプター１になるまで実行できる。
【０１３３】
＜３１＞停止状態で所定時間以上押し続けられると、一定の速度でチャプター番号が１づつ繰り下がる（タイトル１のチャプター１になるまで）。押し続けているこのスキップキーを離したあと再生キーを押すと、そのときのタイトルのチャプターがサーチされ再生される。
【０１３４】
［スキップキー（SKIP／左向き縦棒付２段三角マーク）の機能その２；ランダムプログラムチェーンタイトルの場合］
＜３２＞再生中に押すと、現再生中のタイトル内のチャプター（またはプログラム）の先頭をサーチしそれを再生する。ただし、連続して押してもサーチ先は現再生中のチャプター（プログラム）の先頭となるようにできる。
【０１３５】
＜３３＞静止画再生中に押された場合は、現再生中のチャプター（またはプログラム）をの先頭サーチしそこで静止画再生となる。セル再生モードでスチルとなっていた場合、現再生中のチャプターをサーチしその先頭のスチルが再生される。
【０１３６】
＜３４＞メモリ設定画面で設定されているチャプター番号（プログラム番号）およびタイトル番号の選択（数字のデクリメントあるいはカーソルの後方移動等）に使用できる。
【０１３７】
＜３５＞メニューの頁戻しに使用できる。
【０１３８】
［メニューキー（MENU）の機能］
＜３６＞ディスクがトレイにセットされている場合は、ディスクに記録されている現在選択中のビデオタイトルセット内のルートメニューを再生表示する。ディスクがセットされていない場合はエラー（または警告）表示を行なう。
【０１３９】
＜３７＞現在選択中のビデオタイトルセット内にルートメニューがない場合は、エラー（または警告）表示を行なう。
【０１４０】
＜３８＞通常再生中にこのメニューキーを押してメニューを再生した後メニュー操作によってメニューから抜け出すと、メニュー再生前に再生していた箇所またはメニューで指定された箇所から再生が再開される。
【０１４１】
＜３９＞ルートメニュー表示中に押した場合は、ルートメニュー表示前の状態に戻る。
【０１４２】
［タイトルキー（TITLE）の機能］
＜４０＞ディスクがトレイにセットされており、かつディスクにタイトルメニューが記録されている場合は、タイトルメニューを表示する。ディスクがセットされていない場合は、エラー（または警告）表示を行なう。
【０１４３】
＜４１＞トレイにセットされたディスクにタイトルメニューが記録されてない場合は、ディスク再生中（あるいは停止中）に以下の動作ができる。
【０１４４】
すなわち、タイトルキーを押すと画面の一部（たとえば左上コーナー）にタイトル番号およびチャプター番号が表示される。後述するクリアキーが押されるかタイトルキーがもう一度押されるかその後のキー操作がないまま所定時間（たとえば３秒）が経過すると、画面からタイトル番号およびチャプター番号が消去される。
【０１４５】
画面にタイトル番号（たとえば「１」）およびチャプター番号（たとえば「１」）が表示されている状態でテンキーから所望のタイトル番号（たとえば「２」）が入力されると、上記の例でいえば、画面表示は「タイトル番号：２」および「チャプター番号：１」となる。この状態で再生キーを押すかあるいは所定時間（たとえば２秒）放置すると、タイトル２のチャプター１から再生が開始される。
【０１４６】
この場合、タイトルおよびチャプターのサーチ中は、表示部４のサーチ先タイトル番号およびチャプター番号を点滅させてサーチ中であることを視聴者に通知できる。
【０１４７】
＜４２＞通常再生中にタイトルキーを押してタイトルメニュー再生になった後、タイトルの選択が確定しないうちに再びタイトルキーを押したときは、タイトルメニュー再生前に再生していた箇所から再生を再開する。
【０１４８】
［セレクトキー／カーソルキー（上向き・下向きの三角マーク対）の機能］
＜４３＞ディスクメニュー（タイトルキーまたはメニューキーで呼び出すメニュー）内の項目選択、およびセットアップメニュー内の項目選択に使用する。
【０１４９】
＜４４＞オーディオストリーム、副映像ストリーム、またはアングルのいずれかの設定値表示中に押す場合において、このセレクトキーの上向き三角マークを押すと次のストリームあるいはアングルに切り替わり、下向き三角マークを押すと１つ前のストリームあるいはアングルに切り替わる。
【０１５０】
＜４５＞キャラクタジェネレータによるタイトル番号表示中に押す場合において、このセレクトキーの上向き三角マークを押すと次のタイトルに切り替わり、下向き三角マークを押すと１つ前のスタイトルに切り替わる。
【０１５１】
［セレクトキー／カーソルキー（左向き・右向きの三角マーク対）の機能］
＜４６＞ディスクメニュー（タイトルキーまたはメニューキーで呼び出すメニュー）内の項目選択、およびセットアップメニュー内の項目選択に使用する。たとえば上記セレクトキー／カーソルキーの上向きまたは下向き三角マークを押してある項目を選択した場合において、その項目がさらに幾つかの選択枝を含んでいるときに、その選択枝を選ぶのにこのセレクトキー／カーソルキーの左向きまたは右向き三角マークを使用できる。
【０１５２】
［確定キー（ENTER）の機能］
＜４７＞ディスクメニュー内あるいはセットアップメニュー内で選択された項目を確定するときに使用する。
【０１５３】
＜４８＞メモリ画面においてタイトル番号およびチャプター番号を確定するときにも使用できる。
【０１５４】
［リターンキー（RETURN）の機能］
＜４９＞タイトル制作者（ソフトウエアのプロバイダ）が予め設定したディスク上のアドレスへのサーチを行なうときに使用する。具体的には、メニューからの抜け出しあるいは再生開始（再開）点への戻り（リターン）動作を指示するときに押される。
【０１５５】
［オーディオキー（AUDIO）の機能その１；再生中の場合］
＜５０＞再生中にオーディオキーを押すと、（ディスクに収録されたオーディオストリーム情報を調べてから）キャラクタジェネレータを用いて、現再生中のオーディオストリームの言語名（オーディオストリームの種別が音楽等でなく言語であるとき）を再生画面上に所定時間（たとえば３秒）表示する。この表示中にさらにオーディオキーを押すと、次のオーディオストリーム番号の音声が再生されるようになる。このオーディオキー操作を繰り返すと、そのタイトルに記録されているオーディオストリームの音声（種々な言語）が順次サイクリックに再生される。
【０１５６】
＜５１＞オーディオストリーム設定値の画面表示中に前記セレクトキー／カーソルキー（上向き・下向きの三角マーク対）を押すことにより、現在設定されているオーディオストリームの次のオーディオストリームまたは１つ前のオーディオストリームに切り替えることができる。すると、切り替えられたオーディオストリームの内容が再生される。
【０１５７】
＜５２＞オーディオストリーム設定値の画面表示中にテンキーを押すと、テンキー入力した番号のオーディオストリームに切り替えることができる。すると、切り替えられたオーディオストリームの内容が再生される。
【０１５８】
＜５３＞オーディオストリーム設定値の画面表示中にクリアキーを押すと、オーディオストリームの設定値表示を画面から消去することができる。
【０１５９】
［オーディオキー（AUDIO）の機能その２；停止中（ブルーバック画面表示中）の場合］
＜５４＞停止中にオーディオキーを押すと、（ディスクに収録されたオーディオストリーム情報を調べてから）キャラクタジェネレータを用いて、現在選択されているタイトルに設定されているオーディオストリームの言語名（オーディオストリームの種別が言語のとき）をブルーバック画面上に所定時間（たとえば３秒）表示する。この表示中にさらにオーディオキーを押すと、次のオーディオストリーム番号が設定される。このオーディオキー操作を繰り返すと、そのタイトルに記録されているオーディオストリーム音声が順次サイクリックに設定・表示される。
【０１６０】
＜５５＞オーディオストリーム設定値のブルーバック画面表示中に前記セレクトキー／カーソルキー（上向き・下向きの三角マーク対）を押すと、現在設定されているオーディオストリームの次のオーディオストリームまたは１つ前のオーディオストリームに切り替わる。
【０１６１】
＜５６＞オーディオストリーム設定値のブルーバック画面表示中にテンキーを押すと、テンキー入力した番号のオーディオストリームに切り替わる。
【０１６２】
＜５７＞オーディオストリーム設定値のブルーバック画面表示中にクリアキーを押すと、オーディオストリームの設定値表示が画面から消去される。
【０１６３】
［サブタイトルキー（SUBTITLE）の機能その１；再生中の場合］
＜５８＞再生中に押すと、（ディスクに収録された副映像ストリーム情報を調べてから）キャラクタジェネレータを用いて、現再生中の副映像ストリームの言語名（副映像ストリームの種別が言語の場合）を再生画面上に所定時間（たとえば３秒）表示する。この表示中にさらにサブタイトルキーを押すと、次のストリーム番号の副映像が再生されるようになる。このサブタイトルキー操作を繰り返すと、そのタイトルに記録されている副映像ストリームが順次サイクリックに再生される。
【０１６４】
＜５９＞副映像ストリーム設定値の画面表示中に前記セレクトキー／カーソルキー（上向き・下向きの三角マーク対）を押すことにより、現在設定されている副映像ストリームの次の副映像ストリームまたは１つ前の副映像ストリームに切り替えることができる。すると、切り替えられた副映像ストリームの内容が再生される。
【０１６５】
＜６０＞副映像ストリーム設定値の画面表示中にテンキーを押すと、テンキー入力した番号の副映像ストリームに切り替えることができる。すると、切り替えられた副映像ストリームの内容が再生される。
【０１６６】
＜６１＞副映像ストリーム設定値の画面表示中にクリアキーを押すと、副映像ストリームの設定値表示を画面から消去することができる。
【０１６７】
［サブタイトルキー（SUBTITLE）の機能その２；停止中（ブルーバック画面表示中）の場合］
＜６２＞停止中にサブタイトルキーを押すと、（ディスクに収録された副映像ストリーム情報を調べてから）キャラクタジェネレータを用いて、現在選択されているタイトルに設定されている副映像ストリームの言語名（副映像ストリームの種別が言語のとき）をブルーバック画面上に所定時間（たとえば３秒）表示する。この表示中にさらにサブタイトルキーを押すと、次の副映像ストリーム番号が設定される。このサブタイトルキー操作を繰り返すと、そのタイトルに記録されている副映像ストリーム音声が順次サイクリックに設定・表示される。
【０１６８】
＜６３＞副映像ストリーム設定値のブルーバック画面表示中に前記セレクトキー／カーソルキー（上向き・下向きの三角マーク対）を押すと、現在設定されている副映像ストリームの次の副映像ストリームまたは１つ前の副映像ストリームに切り替わる。
【０１６９】
＜６４＞副映像ストリーム設定値のブルーバック画面表示中にテンキーを押すと、テンキー入力した番号の副映像ストリームに切り替わる。
【０１７０】
＜６５＞副映像ストリーム設定値のブルーバック画面表示中にクリアキーを押すと、副映像ストリームの設定値表示が画面から消去される。
【０１７１】
［サブタイトルオン・オフキー（SUBTITLE ON/OFF）の機能］
＜６６＞副映像（サブタイトル）の表示をオン・オフする。
【０１７２】
＜６７＞ビデオ再生中かつ副映像表示中（副映像表示オン設定状態）にサブタイトルオン・オフキーを押すと、副映像ストリーム番号設定値がオフされるとともに、その設定値がキャラクタジェネレータで所定時間（たとえば３秒）表示されたあと、副映像が画面から消去される。
【０１７３】
＜６８＞ビデオ再生中だが副映像が表示されていないとき（副映像表示オフ設定状態）にサブタイトルオン・オフキーを押すと、副映像ストリーム番号設定値がオンされるとともに、その設定値がキャラクタジェネレータで所定時間（たとえば３秒）表示されたあと、オンされた設定ストリーム番号の言語の副映像が再生される（再生中のディスクに副映像が記録されている場合）。
【０１７４】
＜６９＞ビデオ再生停止中にサブタイトルオン・オフキーを押したときは、副映像表示のオン・オフ設定のみ実行できる。
【０１７５】
＜７０＞副映像表示オフ設定状態において、再生しているオーディオストリームと同一言語コードの副映像ストリームに強制出画コマンドが含まれていたときは、このコマンドに対応する副映像を必ず再生し画面に出画させる。
【０１７６】
［アングルキー（ANGLE）の機能］
＜７１＞マルチアングル情報で構成されるアングルブロックを持つタイトルが選択されており、このアングルブロック（アングル区間）が再生されているときに押すと、現再生中のアングル番号がキャラクタジェネレータにより所定時間（たとえば５秒）表示される。このアングル番号表示期間中にもう一度アングルキーを押すと、次のアングル番号のセルの同一時刻地点がサーチされそこから再生が開始される。
【０１７７】
たとえば、あるバッターのホームランシーンがマルチアングルブロックのアングル番号１（センター側からピッチャーの背中を見るカメラアングル）で再生されており、そのアングルブロックセルの再生開始時刻（ｔ＝０）から５秒後（ｔ＝５）にバットがボールにミートし、さらに３秒後（ｔ＝８）に打球がライトスタンドに突き刺さるとする。このホームランシーンを別のカメラアングルで見たいと思った視聴者がアングルキーを押して（ｔ＝５）アングル番号２を押すと、そのアングルブロックセルの再生開始時刻地点（ｔ＝５）がサーチされ、そこからアングル２（たとえば１塁内野スタンド側からグランド全体を見るカメラアングル）でのホームランシーンの再生が再開されるようになる。
【０１７８】
上記アングル番号表示期間中にさらにアングルキーを押すと、記録されているアングル番号が順次サイクリックに切り替わり、選択後のアングルの再生が（上記例では時点ｔ＝５から）再開される。
【０１７９】
＜７２＞キャラクタジェネレータでアングル番号が画面表示されているときは、テンキー操作により所望のアングル番号をダイレクトに選択することもできる（再生中のアングルブロックに存在しないアングル番号がテンキー入力されたときは、そのキー入力は無効）。あるいは、前記セレクトキー／カーソルキー（上向き・下向きの三角マーク対）によりアングル番号を昇降させることもできる。
【０１８０】
＜７３＞マルチアングルブロックのセル内で静止画再生中にアングル切り替えが行われたときも、同様な再生時点サーチが行われ、サーチされた別アングルの静止画が再生される。
【０１８１】
たとえば、ある自動車の静止画がアングル番号１（正面から見るカメラアングル）で再生されていたとする。この自動車を別のカメラアングルで見たいと思った視聴者がアングルキーを押してアングル番号２を押すと、アングル番号２のアングルブロックセルの再生開始時刻地点（ｔ＝０）がサーチされ、そこからアングル２（たとえば右側面から見るカメラアングル）での静止画が再生される。
【０１８２】
上記アングル番号表示期間中にさらにアングルキーを押すと、記録されているアングル番号が順次サイクリックに切り替わり、選択後のアングルの静止画が再生される。
【０１８３】
＜７４＞マルチアングルブロック以外のセル再生中にアングルキー操作をおこなってもアングル設定（アングル番号切替）は受け付けないようにできる。アングル設定（アングル番号切替）は再生中のタイトルにマルチアングルブロックセルが存在する場合に限り受け付ける。
【０１８４】
＜７５＞選択されたタイトルにマルチアングルブロックセルが存在する場合は、停止中であっても、アングル設定（アングル番号切替）を受け付けるようにできる。
【０１８５】
［早送り（FWD）キー／早戻し（REV）キー（左向き・右向きの二重三角マーク）の機能］
＜７６＞動画再生中または静止画再生中に早送りキーまたは早戻しキー押すと、通常再生時より早く（たとえば通常再生時の約２倍）早送りまたは早戻し再生が行われる。（動画では動きが倍速になり、静止画ではそのコマ送り的な切替周期が半分に短縮される。）さらに押し続けると、通常再生時よりさらに早く（たとえば通常再生時の約８倍）早送りまたは早戻し再生が行われる。（動画では動きが８倍速になり、静止画ではそのコマ送り的な切替周期が１／８に短縮される。）
＜７７＞再生キーを押すと、早送り再生または早戻し再生は解除され、通常速度の再生に戻る。
【０１８６】
＜７８＞上記早送りキーまたは早戻しキーによる早送りまたは早戻し再生は、そのキー操作をした時点で再生中のプログラムチェーン内でのみ行われる。そのプログラムチェーンの最後まで早送りされ、あるいはそのプログラムチェーンの先頭まで早戻しがなされた後は、そこで一時停止状態となる。
【０１８７】
＜７９＞上記早送りキーまたは早戻しキーによる早送りまたは早戻し再生中は、音声（オーディオストリーム）およびサブタイトル（副映像ストリーム）の再生は自動的に禁止できる。
【０１８８】
なお、音声については再生ピッチを早送り速度に対応して変更しながら再生するようにしてもよい。動画がたとえばマラソン競技の記録映画であり、サブタイトルが競技スタートからの時間経過の表示に使われているときは、早送りまたは早戻し再生時にサブタイトルを再生するようにしてもよい。
【０１８９】
＜８０＞上記早送りキーまたは早戻しキーによる早送りまたは早戻し再生中にセル再生モードがスチルになった場合は、早送りまたは早戻し動作は解除され、静止画再生に入る。セル再生モードがスチルになっているときに早送りキー（または早戻しキー）を押すことにより、たとえば１秒あたり約１画面の切り替えレートで連続コマ送り（または連続コマ戻し）動作に入ることができる。このとき早送りキー（または早戻しキー）をさらに押し続けると、たとえば約４画面／秒のレートで連続コマ送り（または連続コマ戻し）動作に入ることができる。さらにもう一度押すと、約１画面／秒のレートの連続コマ送り（または連続コマ戻し）動作に戻るようにできる。この連続コマ送り（または連続コマ戻し）動作中にセル再生モードから外れたら、約２倍速の早送り（または早戻し）再生が行われるようにできる。
【０１９０】
［表示キー（DISPLAY）の機能］
＜８１＞停止中あるいは再生中においてこのキーを押すと、そのときの各種キー操作内容に対応した表示が（装置本体のキー操作・表示部４および／またはモニタ部６の画面上にで）行われる。
【０１９１】
［テンキー（[0]〜[9]＆[+10]）の機能］
＜８２＞通常再生中においては、現再生タイトル内のチャプター番号の指定に使用できる。テンキー入力確定（前記確定キー操作）と同時に指定された番号のチャプターへのサーチ動作に入る（このサーチは後述するタイトル番号キーTによっても可能とすることができる）。存在しないチャプター番号は受け付けない。
【０１９２】
＜８３＞停止中においては、選択されているタイトル内のチャプター番号の指定に使用できる。テンキー入力確定と同時に指定された番号のチャプターへのサーチ動作に入る（このサーチはタイトル番号キーTによっても可能）。存在しないチャプター番号は受け付けない。
【０１９３】
＜８４＞マルチアングルブロックを含んだタイトルを再生中（アングルセル再生中）であって、かつアングル番号表示中のときは、テンキー入力されたアングル番号がダイレクトに選択される。ただし存在しないアングル番号の入力は受け付けない。
【０１９４】
＜８５＞ディスクメニュー表示中において、各ディスクメニュー画面中の項目に番号が付されている場合はテンキー入力した番号に対応した項目が選択され実行される。ただし存在しない項目番号の入力は受け付けない。
【０１９５】
＜８６＞セットアップメニューからパレンタルロックの設定を行なう場合において、暗証番号の入力にテンキーを使用できる。
【０１９６】
［クリアキー（CLEAR）の機能］
＜８７＞タイトル番号あるいはチャプター番号のキー入力の取り消しに使用される。
【０１９７】
＜８８＞パレンタルレベル変更のための暗証番号入力の取り消しに使用される。
【０１９８】
＜８９＞後述するリピートモードの解除に使用される。
【０１９９】
＜９０＞後述するメモリ設定画面操作時の入力番号の取り消しに使用される。
【０２００】
＜９１＞後述するメモリ再生モードの解除に使用される。
【０２０１】
＜９２＞後述するランダム再生モードの解除に使用される。
【０２０２】
＜９３＞タイトル、音声（オーディオストリーム）、サブタイトル（副映像ストリーム）、アングルそれぞれの番号表示の取り消しに使用される。
【０２０３】
［リピートキー（REPEAT）の機能］
＜９４＞チャプターまたはタイトルのリピート設定に用いる（ただし１シーケンシャルプログラムチェーンのタイトルのみ）。
【０２０４】
＜９５＞このキーを押す毎に、「チャプターリピート」→「タイトルリピート」→「リピートオフ」→「チャプターリピート」といったように、リピートモードが順次サイクリックに切り替えられる。
【０２０５】
＜９６＞後述するＡ−Ｂリピート動作中にリピートキーを押すと、Ａ−Ｂリピート動作を解除し、チャプターリピートに移るようにできる。
【０２０６】
＜９７＞早送りキー、早戻しキー、あるいはスキップキーの操作によりリピート区間を外れると、リピート動作は解除される。
【０２０７】
＜９８＞リピート区間内にマルチアングルブロックがある場合、アングルチェンジは可能とする（リピートモード内でも前記アングルキーが機能する）。
【０２０８】
［Ａ−Ｂリピートキー（A-B REPEAT）の機能］
＜９９＞２点間リピート動作の始点と終点を設定するのに用いる（ただし１シーケンシャルプログラムチェーンのタイトルのみ）。
【０２０９】
＜１００＞１回目にこのキーを押すことで始点（Ａ）が設定され、２回目に押すことで終点（Ｂ）が設定される。終点の設定完了と同時に設定された始点がサーチされ、以降ＡーＢ間が繰り返し再生される。
【０２１０】
＜１０１＞Ａ−Ｂ間リピートは前記クリアキー操作で解除できる。
【０２１１】
＜１０２＞Ａ−Ｂ間リピート動作中にＡ−Ｂ間以外のタイトルまたはチャプターの再生に変更されたとき、または前記リピートキーが押されたときに、Ａ−Ｂ間リピートが解除されるようにできる。
【０２１２】
＜１０３＞早送りキー、早戻しキー、あるいはスキップキーの操作によりＡ−Ｂリピート区間を外れると、Ａ−Ｂ間リピート動作は解除される。
【０２１３】
＜１０４＞リピート終点（Ｂ）の設定前にクリアキー、早送りキー、早戻しキー、あるいはスキップキーを押すことにより、Ａ−Ｂ間リピート動作を解除することができる。
【０２１４】
＜１０５＞Ａ−Ｂ間リピート再生中に終点（Ｂ）に達する前にタイトルが終了した場合は、Ａ−Ｂ間リピート動作は解除される。
【０２１５】
＜１０６＞マルチアングルブロック区間内では、Ａ−Ｂ間リピートの始点（Ａ）の設定を無効とすることができる。（マルチアングルブロック区間の先頭をＡ−Ｂ間リピートの始点とすることはできる。たとえばあるマルチアングルブロックのアングル番号１のカメラアングルシーンを、その案ブルブロック内においてＡ−Ｂ間リピートさせることはできる。）
＜１０７＞Ａ−Ｂ間リピート再生中にマルチアングルブロックが来た場合は、Ａ−Ｂ間リピート動作を解除できる。
【０２１６】
＜１０８＞Ａ−Ｂ間リピートキーにより設定された始点（Ａ）および終点（Ｂ）は、設定直後の対応する画像データ（グループオブピクチャー）の先頭（スタートアドレス）を指すようになる。
【０２１７】
［メモリキー（MEMORY）の機能］
＜１０９＞トレイが閉じられていてディスクがセットされている場合にこのキーを押すこと、メモリ設定画面が表示される。メモリ設定画面表示中にこのキーを押した場合は、メモリ設定画面表示前の状態に戻る。
【０２１８】
＜１１０＞メモリ設定方法は、メモリ設定画面表示中にメモリ再生させたいタイトルおよびチャプターの番号を前記テンキーおよび後述するタイトル番号（Ｔ）キーにより順次入力して行くことにより行なう。
【０２１９】
＜１１１＞前記セレクトキー／カーソルキーで表示画面中のカーソルを移動させ、カーソル位置のメモリ番号で上記メモリ設定入力を行なうと、そのメモリ番号以降のメモリ番号で設定されていたタイトル・チャプター番号は、１つづつ後ろのメモリ番号にずれる。
【０２２０】
たとえば、メモリ番号１およびメモリ番号２で既に「タイトル１・チャプター３」および「タイトル２・チャプター１」が設定されており、メモリ番号３以降は設定無しであったとする。ここでメモリ番号１にカーソルを合わせ、「タイトル２・チャプター５」を設定したとすると、それまでメモリ番号１およびメモリ番号２に設定されていた内容はメモリ番号２およびメモリ番号３にシフトする。その結果、メモリ番号１、２および３の設定内容は、それぞれ、「タイトル２・チャプター５」、「タイトル１・チャプター３」および「タイトル２・チャプター１」となる。
【０２２１】
＜１１２＞前記セレクトキー／カーソルキーで表示画面中のカーソルを移動させ、カーソル位置のメモリ番号で前記クリアキー操作を行なうと、そのメモリ番号で設定されていた内容はクリアされ、そのメモリ番号以降のメモリ番号で設定されていた内容が１つ前のメモリ番号に繰り上がる。
【０２２２】
たとえば、メモリ番号１、メモリ番号２およびメモリ番号３に、それぞれ、「タイトル２・チャプター５」、「タイトル１・チャプター３」および「タイトル２・チャプター１」が設定されており、メモリ番号４以降は設定無しであったとする。ここでメモリ番号２にカーソルを合わせ、クリアキー操作を行なうと、それまでメモリ番号２に設定されていた内容「タイトル１・チャプター３」がクリアされ、それまでメモリ番号３に設定されていた内容がメモリ番号２にシフトし、それまでメモリ番号４に設定されていた内容（無設定）がメモリ番号３にシフトする。その結果、メモリ番号１、２および３の設定内容は、それぞれ、「タイトル２・チャプター５」、「タイトル２・チャプター１」および「無設定」となる。
【０２２３】
なお、メモリ設定の数（メモリ番号の上限）に制限を付ける必然性は必ずしも無いが、実際のソフトウエアにおける必要性および再生装置側の物理的なメモリ容量の問題から、メモリ設定の最大数は、たとえば３０程度に選ばれる。（１枚のディスクに９９タイトル記録されているとしても、一般視聴者の立場からいえば、メモリ設定の最大数は必ずしも９９必要とするわけではない。一方業務用の再生装置では９９のタイトルそれぞれの中の複数チャプターにメモリ設定する要求が出る可能性があり、その場合はメモリ設定の最大数を９９９以上にしてもよい。）
＜１１３＞メモリ設定画面表示中に前記再生キーを押すと、メモリ設定登録した順番でメモリ再生が開始される。
【０２２４】
たとえば、メモリ番号１、メモリ番号２およびメモリ番号３に、それぞれ、「タイトル２・チャプター５」、「タイトル１・チャプター３」および「タイトル２・チャプター１」が設定されており、メモリ番号４以降は無設定であり、その状態でメモリ設定画面表示中に再生キーが押されると、メモリ再生は次のように行われる。すなわち、最初に「タイトル２・チャプター５」が再生され、次に「タイトル１・チャプター３」が再生され、最後に「タイトル２・チャプター１」が再生される。「タイトル２・チャプター１」の再生が終了すると、再生は停止する。
【０２２５】
＜１１４＞メモリ再生中に前記クリアキーを押すことによりメモリ再生モードを解除してそのまま通常再生に移行させることができる。
【０２２６】
＜１１５＞メモリ設定画面で設定した内容は以下の方法によりクリアすることができる。
【０２２７】
（イ）メモリ設定画面表示中に、設定されているタイトル番号・チャプター番号の全てをクリアキーにより消去する。
【０２２８】
（ロ）トレイを開けてディスクを装置外に排出した場合。（ただし、業務用再生装置では、装置内部に不揮発性内部メモリを設け、ディスクを排出しても、メモリ設定を、そのディスクを特定するコードとともに保存しておくようにしてもよい。）
［ランダムキー（RANDOM）の機能］
＜１１６＞選択されているタイトルが１シーケンシャルプログラムチェーンである場合、そのタイトル内でのチャプターのランダム再生を行なう。
【０２２９】
＜１１７＞再生中にこのキーを押すと、現在再生しているチャプターの次のチャプターからランダム再生に入る。（たとえばチャプター１〜９を含むタイトルのチャプター２を再生中にランダムキーが押されると、チャプター３の再生に入るときにランダム再生となり、たとえばチャプター５、３、７、１、９のようにランダムに各チャプターが再生される。
【０２３０】
＜１１８＞停止中にこのキーを押すと、次に前記再生キーを押してディスク再生を始めたときからランダム再生に入る。
【０２３１】
＜１１９＞選択されているタイトル内の全てのチャプターのランダム再生が終了した後は、再生停止となる。このランダム再生中において、通常は同じチャプター番号の重複再生は行わず、あくまで再生順序をランダム化するだけとする。しかし、重複再生を含むランダム再生を可能としてもよいし、電源がオフされあるいは停止キーが押されない限りランダム再生を無限ループで繰り返すようにしてもよい。
【０２３２】
＜１２０＞ランダム再生中に前記クリアキーを押すことによりメモリ再生モードを解除してそのまま通常再生に移行させることができる。
【０２３３】
＜１２１＞ランダム再生中にランダムキーを押すとランダム再生モードが解除される。
【０２３４】
［スローキー（SLOW）の機能］
＜１２２＞再生中にスローキーを押すと、正方向にたとえば１／２スピードのスロー再生となり、同時にキャラクタジェネレータを用いて再生中のビデオ映像上に「１／２」またはこれに対応する数字・記号等を表示する。
【０２３５】
＜１２３＞続いてこのキーを押すと、正方向にたとえば１／８スピードのスロー再生となる。さらに押すと、１／１６→１／８→１／２→１／８→１／１６…のように周期的にスロー再生速度が切り換えられ、再生中のビデオ映像上のスロー表示も対応して変化する。
【０２３６】
＜１２４＞再生動作が一時停止中（前記一時停止キー操作による）にスローキーが押されると、たとえば１／１６スロースピード再生となる。その後のスローキーの効き方は上記と同じ。
【０２３７】
＜１２５＞スロー再生中に前記再生キーを押すと、通常再生に移る。
【０２３８】
＜１２６＞スロー再生中にタイトル変更が行われたときは、スロー再生モードは解除され、通常再生に移る。
【０２３９】
＜１２７＞セル再生モードでスチル再生中はスローキー操作は無効とする。
【０２４０】
＜１２８＞スロー再生中は、通常は音声を再生しないが、再生速度に応じてオーディオデータのピッチを変更して再生してもよい。
【０２４１】
［ラストプレイキー（LAST PLAY）の機能］
＜１２９＞ディスク再生中に前記停止キーまたは電源キーのオフにより（停電を含む）再生が中断されたあとこのラストプレイキーを押すと、中断した位置または中断位置より少し前の位置から再生を開始する。
【０２４２】
＜１３０＞停止後ディスクトレイをオープンした場合は再生中断位置のメモリをクリアしてラストプレイキーを無効にできる。再生中断位置のメモリをクリアせず再生装置内のメモリに保存しておけば、ディスクをトレイから出し入れした後でも、ラストプレイキーを押すことにより中断した位置または中断位置より少し前の位置から再生が再開されるようにできる。
【０２４３】
＜１３１＞そのディスクにファーストプレイプログラムチェーン（オートスタート）が存在する場合において、電源オフにより再生が中断されたときは、このラストプレイキーは無効とする。（つまり、ファーストプレイプログラムチェーンから再生が始まる。
【０２４４】
＜１３２＞ランダムプログラムチェーンの再生中に再生中断した場合は、ランダム再生のループ回数を再生装置内部で記憶してあれば、ラストプレイキーを押すことにより中断した位置または中断位置より少し前の位置から再生が再開されるようにできる。
【０２４５】
［セットアップキー（SETUP）の機能］
＜１３３＞再生装置の各種設定（画面サイズ／アスペクト比の設定、アングルマークの設定、パレンタルロックの設定、所望の音声言語種類の設定、所望の字幕言語種類の設定、所望のメニュー言語種類の設定など）を行なうためのセットアップメニューを呼び出すキーで、再生停止中のみ有効とする。
【０２４６】
＜１３４＞セットアップメニュー表示中にこのセットアップキーを押すと、セットアップメニューの表示がオフされ、再生停止状態（ブルーバック画面）となる。
【０２４７】
［タイトル番号キー（T）の機能］
＜１３５＞サーチ動作あるいはメモリ再生動作を行なうためのタイトル番号・チャプター番号の指定時において、このキーを押す前にテンキー入力された数字がタイトル番号として設定され、このキーを押した後にテンキー入力された数字がチャプター番号として設定される。
【０２４８】
＜１３６＞前記ランダムキーを押す前にこのタイトル番号キーを押すと、チャプターのランダム再生ではなくタイトルのランダム再生となる。たとえばトレイにセットされたディスクにタイトル１、２、３、４、５が記録されており、タイトル番号キーをおしてからランダムキーを押すと（停止中ならさらに再生キーを押すと）、たとえばタイトル２、５、１、４、３の順でタイトル単位のランダム再生が開始される。
【０２４９】
キー操作／表示部４が設けられた再生装置のフロントパネルには、上述した各種キーのうち、必要最小限のものが設けられている。
【０２５０】
たとえば図４に示すように、再生装置のフロントパネルには、電源（パワー）キー４ａ、２チャネル分のマイク入力端子４ｂ、再生（プレイ）キー４ｃ、一時停止（ポーズ）キー４ｄ、停止（ストップ）キー４ｅ、チャプター／プログラムのスキップキー４ｆ、ディスク１０の取込／取外を指示するオープン／クローズキー４ｇ、表示器４ｈ、光ディスク１０の挿入／取出口（ディスクトレイ）４ｉ等が設けられている。
【０２５１】
リモートコントローラ部５は、上述した各種キーのうち主要なものが設けられている。たとえば図５に示すように、リモートコントローラ部５には、電源キー５ａ、数字キー（テンキー）５ｔ、再生キー５ｃ、一時停止キー５ｄ、停止キー５ｅ、チャプター／トラック単位（あるいはプログラム単位）で再生部分をスキップさせるスキップキー５ｆ、オープン／クローズキー５ｇ、早送り・後戻り（ＦＷＤ・ＲＥＶ）キー５ｊ、所望のリピート範囲を設定しその範囲でのリピート再生を指示するリピートキー５ｋ、ユーザ／視聴者による種々な設定状態を図１のメモリ（５２のＲＡＭ部）に記憶させるメモリキー５ｍ、メニュー画面表示を指示するメニューキー５ｎ、タイトルメニューの画面表示を指示するタイトルキー５ｐ、サブタイトルメニュー（たとえば副映像ストリームの字幕言語の種別を選択するもの）の画面表示を指示するサブタイトルキー５ｓｂｔ、再生時の音声種類を選択するオーディオキー５ａｕｄ、メニュー画面表示時の項目を選択する際にカーソルを上下（あるいは上下左右）に移動させるセレクトキー（カーソルキー）５ｑ等が設けられている。
【０２５２】
このリモートコントローラ部５にはさらに、アングルキー５ａｎｇおよびアングルマークオン・オフキー５ａｍが設けられている。具体例は後述するが、光ディスク１０には、たとえば同一のホームランシーン（あるいはある曲を演奏中のオーケストラ）を種々なカメラアングルから撮影した複数のビデオデータ（マルチアングルブロック）を格納できるようになっている。アングルマークオン・オフキー５ａｍがオンとなっているときにこのマルチアングルブロックが再生されると、表示部４中またはモニタ部６の画面の一部にアングルマーク（たとえばカメラの形および／またはカメラアングルの方向に対応した３次元立体矢印）が表示される。
【０２５３】
上記アングルマーク（カメラ型インジケータ）の表示はマルチアングルブロック再生中であることを視聴者に知らしめるという点で非常に有効である。しかし、同一ソフト（ディスク１０）を何度も再生し、すでにどの部分がマルチアングルブロックであるかを知っている視聴者にとっては、アングルマークの点滅によるアングルブロックの表示状態は、煩わしく感じられるかもしれない。そのような場合は、アングルマークオン・オフキー５ａｍによりアングルマークをオフ（消灯）すればよい。
【０２５４】
このマルチアングルブロック再生時にアングルキー５ａｎｇを押すことにより、たとえば同一ホームランシーンのカメラアングルを順次切り替えて再生できるようになる。その際、カメラアングルの変更に対応して音声内容が切り替わっても良い。たとえば、１塁側内野席から見たホームランシーンでは１塁側にセットしたステレオ収録マイクからのオーディオチャネルが選択され、バットに当たった瞬間の打球音は左側スピーカ８から再生される。センター側外野席から見たホームランシーンではセンター側外野側にセットしたステレオ収録マイクからのオーディオチャネルが選択され、打球音は左右スピーカ８の中央から再生される。
【０２５５】
このオーディオチャネルの切替はオーディオキー５ａｕｄによりマニュアルで行うこともできるが、アングル選択に対応してオーディオチャネルが自動選択されるようにしてもよい。たとえば、アングルキー５ａｎｇによりｉ番目のアングルが選択されると、このアングルに対応したｊ番目のオーディオチャネルが連動して自動選択されるようにしてもよい。このアングルとオーディオチャネルとの対応関係は予めテーブルデータとして再生装置あるいはリモートコントローラ部５の内蔵メモリに記憶しておくことができる。
【０２５６】
なお、図５のリモートコントローラ部５には、そこに設けられた各種キーによる操作結果に対応した視覚情報を表示する液晶パネル５ｚを設けることができる。このパネル５ｚをある程度の表示解像度および表示面積を持った２次元ディスプレイパネルで構成する場合は、このパネル面上に、リモートコントローラ部５の各種キー操作に対応して選択された、タイトル番号、チャプター番号、サブタイトル（副映像ストリーム）番号、オーディオストリーム番号、メニュー種別、メニュー選択項目内容（デフォルト設定される言語種類、パレンタル設定など）の他に、マルチアングルブロックのブロック番号（あるいはカメラアングルを示す種々な図形＝アングルマーク）その他を表示できる。
【０２５７】
図６は、図１の再生装置（ＤＶＤプレーヤ）のフロントパネルの他例を示している。このフロントパネルには、図４の各操作キーに対応する電源ボタン４ａ、再生ボタン４ｃ、一時停止ボタン４ｄ、停止ボタン４ｅ、オープン／クローズボタン４ｇ、ディスクトレイ４ｉ、スキップボタン４ｊ、表示窓４ｗが設けられている。
【０２５８】
図７は、図６の表示窓４ｗにおける表示内容を例示している。すなわち、ディスクトレイ４ｉにセットされた光ディスク１０がＣＤの場合、そのリードイン領域に記録されたテーブルオブコンテンツ（ＴＯＣ）が読み取られ、セットされたディスク１０が音楽ＣＤであることを示すＣＤ表示部４０１が点灯する。一方、ディスクトレイ４ｉにセットされた光ディスク１０がＤＶＤの場合、そのリードイン領域に続いて記録された管理情報が読み取られ、セットされたディスク１０がＤＶＤであることを示すＤＶＤ表示部４０２が点灯する。
【０２５９】
ディスクトレイ４ｉにＤＶＤディスク１０がセットされると、これから再生されるプログラムのタイトル番号がタイトル番号表示部４０３に表示され、そのタイトル番号のタイトルにおいてこれから再生されるチャプター／トラックの番号がチャプター／トラック番号表示部４０４に表示される。同時に、そのタイトルの全再生時間あるいは残り再生時間が、全再生時間表示／再生残り時間表示部４０５に表示される。
【０２６０】
そのあと再生ボタン４ｃが押されると、走行表示マーク４０６が点灯して、表示部４０３および４０４に表示されたタイトルのチャプターから、再生が開始される。
【０２６１】
再生中にマルチアングルブロックのある所に差し掛かると、アングルマーク表示部４０７が点灯しあるいは点滅しあるいは変色する。具体的に例示すれば、アングルブロックを持つタイトルが選択されており、かつアングルブロック以外を現在再生中であれば、マーク４０７を単純点灯させる。アングルブロック記録区間の再生に入ったらマーク４０７を点滅させることにより、視聴者に種々なアングルの再生が可能になったことを視覚的に通知することができる。あるいは、アングルブロック以外を再生中は緑色のバックライトでマーク４０７を単純点灯させ、アングルブロック再生中は赤色のバックライトでマーク４０７を点滅させてもよい。
【０２６２】
このとき、図５のリモートコントローラ部５のアングルマークオン／オフキー５ａｍがオンとなっていれば、マルチアングルブロック再生中にそのことを示すマークあるいはサイン（アイコン）が、モニタ部６の所定部分にも表示される。アングルマークオン／オフキー５ａｍがオフされているときは、アングルマーク表示部４０７は点灯、点滅、変色あるいは変形するが、アングルマークはモニタ部６の表示画面からは消去される。
【０２６３】
なお、モニタ画面上にアングルマーク４０７を表示させるときは、これをカメラ型のアイコンとし、アングルブロックに差し掛かったときにアイコンを変形させるあるいはアイコンをアニメートさせるようにしてもよい。このようなアングルマークアイコンは、副映像のビットマップ表示領域を利用して画面出力することができる。具体的には、副映像の字幕表示領域の字幕文字先頭部分にアングルマークアイコンを出力させることができ、アングルブロック再生中にこのアイコンを回転させることができる。
【０２６４】
アングルマーク表示部４０７が点灯しあるいは点滅しあるいは変色しあるいは変形すると、視聴者はマルチアングル再生が可能なことを知ることができる。そのときリモートコントローラ部５のアングルキー５ａｎｇが押されると、１回押される毎にアングル番号＃１、＃２、＃３、…＃１のように循環して再生シーンのカメラアングルが変化する（最大９アングルまで記録され得る）。
【０２６５】
たとえばアングル番号＃１であるバッターがホームランを打つシーンがバックネット側のカメラアングルで再生されていた場合に視聴者がアングルキー５ａｎｇを１回押すと、１塁内野席側のカメラアングルに再生シーンが切り替わり、さらに１回押すと外野ライトスタンド側のカメラアングルに再生シーンが切り替わる。
【０２６６】
また、図５のリモートコントローラ部５のリピートキー５ｋにより、ピッチャーが上記バッターにボールを投げる時点Ａと、ホームランの打球がライトスタンドに突き刺さる時点Ｂとを視聴者がマークし、リピート再生を指示すると、ピッチャーがボールを投げてからホームランボールがライトスタンドに入るまでのホームランシーンを、視聴者が望むカメラアングルで、何度でも反復再生できる。このようなリピート再生はチャプタ−／トラック単位で実行することも、タイトル単位で実行することもできる。（音楽ソフトにおいて１タイトルが１曲に対応しているときは、タイトル単位のリピート再生もできた方がよい。）
再生時点単位（ＡーＢリピート）、チャプタ−／トラック単位、あるいはタイトル単位でリピート再生がリモートコントローラ部５のリピートキー５ｋにより指示されると、図７のリピート再生表示部の対応部分（たとえばＡーＢ）が点灯あるいは点滅し、現在リピート再生状態にあることが視聴者に通知される。
【０２６７】
他方、たとえば光ディスク１０が１０曲の映像付音楽小品を記録したものであり、視聴者によりランダム再生が指示されると、図７のランダム再生表示４０９が点灯あるいは点滅し、１０曲の音楽小品が順不同で再生されるようになる。（ランダム再生の指示は、図８のリモートコントローラのボタン５ｒｍにより行うことができる。）
上記音楽作品を記録したＤＶＤを再生するにあたり、視聴者が再生曲順をテンキー５ｔで指定し、それをメモリキー５ｍで装置のメモリ（５２）に記憶させ、しかる後に再生ボタン５ｃがオンされると、図７のメモリ再生表示４１０が点灯あるいは点滅し、視聴者が特定した複数の音楽小品がメモリに記憶された順序で再生されるようになる。
【０２６８】
図８は、リモートコントローラ部５の他例を示す。図８のリモートコントローラ部５は、図５のリモートコントローラ部５の各種キー／ボタンの他に、以下の操作キー／ボタンが追加されている。
【０２６９】
すなわち、図８のリモートコントローラ部５をＤＶＤプレーヤのみならずテレビジョン、ケーブルテレビジョン、およびビデオカセットデッキの操作に共通使用する場合において、リモートコントローラ操作対象を選択するリモコン切換スイッチ５ｘが設けられている。さらに、スイッチ５ｘがＤＶＤモードを選択している場合において、ＤＶＤプレーヤの各種選択項目（アスペクト比、パレンタルロックのレベル、音声言語、字幕言語、ディスクメニュー言語、オンスクリーン言語など）をリモートコントローラ部５でセットアップするときにオンするセットアップボタン５ｙ、各種動作情報（タイトル番号、チャプター番号、合計再生時間、種々な再生モードなど）をモニタ部６に表示させるときにオンする表示ボタン５ｕもある。
【０２７０】
さらに、各タイトル中のサブタイトル（特定言語の字幕など）を視聴者が選択したいときに押されるサブタイトルオン／オフボタン５ｖもある。サブタイトルが記録されているディスク１０を再生している間にこのボタン５ｖを押してからサブタイトルボタン５ｓｂｔを押すことにより、視聴者は所望のサブタイトルを選択することができる。
【０２７１】
図９は、３種類のカメラアングル情報を含むマルチアングルブロックを再生中に、図５または図８のリモートコントローラ部５のアングルボタン５ａｎｇが押された場合、モニタ部６における対応表示画面がどのように変化するかを説明する図である。
【０２７２】
図９の画面（Ａ）に示すように、最初はデフォルトアングル（たとえばアングル１）が再生されている。（図中の太い矢印はカメラアングルを示している。）視聴者は、アングル変更が可能なことを、図７の表示窓４ｗにおけるアングルマーク４０７の点滅によって知ることができる。
【０２７３】
アングル変更が可能なことを知った視聴者がアングルボタン５ａｎｇを一度押すと、モニタ表示は図９の画面（Ｂ）に示すように変化する。カメラアングルは元々アングル１であったから表示中のビデオ映像のカメラアングルは変化しない。しかし、アングルボタン５ａｎｇによってアングル切り替えが指令されたことは、画面（Ｂ）の右上肩のカメラマークにより、視聴者に通知される。また現在のアングル番号は画面（Ｂ）の左上肩のキャラクタ「ＡＮＧＬＥ：１」により、視聴者に通知される。
【０２７４】
その状態で所定時間（たとえば１５秒）放置されると、画面（Ｂ）のカメラマークとキャラクタ「ＡＮＧＬＥ：１」の表示は消えて、画面（Ａ）の状態に戻る。
【０２７５】
画面（Ｂ）の状態でさらにアングルボタン５ａｎｇが押されると、カメラアングルがアングル２に変更される。すると、モニタ部６の表示は図９の画面（Ｃ）に切り替わる。このとき、画面（Ｃ）の右上肩のカメラマークはそのままであるが、現在のアングル番号は画面（Ｃ）の左上肩のキャラクタ「ＡＮＧＬＥ：２」により、視聴者に通知される。
【０２７６】
画面（Ｃ）の状態でさらにアングルボタン５ａｎｇが押されると、カメラアングルがアングル３に変更される。すると、モニタ部６の表示は図９の画面（Ｄ）に切り替わる。このとき、画面（Ｄ）の右上肩のカメラマークはそのままであるが、現在のアングル番号は画面（Ｄ）の左上肩のキャラクタ「ＡＮＧＬＥ：３」により、視聴者に通知される。
【０２７７】
以上はアングルボタン５ａｎｇによるアングル切り替え操作であるが、アングル番号表示中ではテンキーにより所望のアングルをダイレクトに選択することもできる。
【０２７８】
たとえば、図９の画面（Ｂ）のアングル１再生中にテンキーで「２」を選択すると画面（Ｃ）のアングル２に切り替わり、画面（Ｂ）のアングル１再生中にテンキーで「３」を選択すると画面（Ｄ）のアングル３に直接切り替わる。
【０２７９】
また、図９の画面（Ｃ）のアングル１再生中にテンキーで「１」を選択すると画面（Ｂ）のアングル１に切り替わり、画面（Ｃ）のアングル２再生中にテンキーで「３」を選択すると画面（Ｄ）のアングル３に切り替わる。
【０２８０】
同様に、図９の画面（Ｄ）のアングル３再生中にテンキーで「１」を選択すると画面（Ｂ）のアングル１へダイレクトに切り替わり、画面（Ｄ）のアングル３再生中にテンキーで「２」を選択すると画面（Ｃ）のアングル２に切り替わる。
【０２８１】
なお、図９では画面右上肩のカメラマークの図形を変化させていないが、太い矢印で示したカメラアングルに対応させてカメラマーク図形のレンズの方向を変化させてもよい。
【０２８２】
図３の光ディスク１０に形成されたデータ記録領域２８は、図１０に示すようなボリュームおよびファイル構造を有している。この構造の論理フォーマットは、たとえば標準規格の１つであるＩＳＯ９６６０およびユニバーサルディスクフォーマット（ＵＤＦ）ブリッジに準拠して定められている。
【０２８３】
リードイン領域２７からリードアウト領域２６までの間のデータ記録領域２８はボリューム空間として割り当てられ、このボリューム空間は特定規格（デジタルビデオディスクまたはデジタルバーサタイルディスク；略してＤＶＤの規格）のアプリケーションのための空間およびこの特定規格のアプリケーション以外のための空間を含むことができる。
【０２８４】
データ記録領域２８のボリューム空間は、多数のセクタに物理的に分割され、それらの物理的セクタには連続番号が付されている。このボリューム空間（データ記録領域２８）に記録されるデータの論理アドレスは、ＩＳＯ９６６０およびＵＤＦブリッジで定められるように論理セクタ番号（Logical Sector Number；ＬＳＮ）を意味している。ここでの論理セクタサイズは物理セクタサイズと同様に２０４８バイト（あるいは２ｋバイト）としてある。論理セクタ番号（ＬＳＮ）は、物理セクタ番号の昇順に対応して連続番号が付加されている。
【０２８５】
図１０に示すように、データ記録領域２８のボリューム空間は階層構造を有している。ボリュームおよびファイル構造領域７０、ビデオマネージャー７１、１以上のビデオタイトルセット７２および他の記録領域７３を有している。これら領域は、論理セクタの境界上で区分されている。ここで、１論理セクタは２０４８バイトと定義され、１論理ブロックも２０４８バイトと定義される。したがって、１論理セクタは１論理ブロックと対等に定義される。
【０２８６】
ファイル構造領域７０は、ＩＳＯ９６６０およびＵＤＦブリッジに定められる管理領域に相当する。この領域７０の記述に基づいて、ビデオマネージャー（ＶＭＧ）７１の内容が図１のシステムＲＯＭ／ＲＡＭ部５２に格納される。
【０２８７】
ビデオマネージャー（ＶＭＧ）７１には、ビデオタイトルセット（ＶＴＳ＃１〜＃ｎ）７２を管理する情報（後述するビデオマネージャ情報ＶＭＧＩ、ビデオマネージャメニュー用ビデオオブジェクトセットＶＭＧＭ＿ＶＯＢＳ、ビデオマネージャ情報バックアップファイルＶＭＧＩ＿ＢＵＰ）が記述されている。
【０２８８】
各ビデオタイトルセット（ＶＴＳ）７２には、ＭＰＥＧ等の所定規格により圧縮されたビデオデータ（後述するＶパック）、所定規格により圧縮されあるいは非圧縮のオーディオデータ（後述するＡパック）およびランレングス圧縮された副映像データ（後述するＳＰパック；１画素が複数ビットで定義されたビットマップデータを含む）とともに、これらのデータを再生するための情報（後述するナビゲーションパック；再生制御情報／プレゼンテーション制御情報ＰＣＩやデータサーチ情報ＤＳＩを含む）が格納されている。
【０２８９】
このビデオタイトルセット７２も、ビデオマネージャー７１と同様に、複数のファイル７４Ｂで構成されている。各ファイル７４Ｂは、制御データとしてのビデオタイトルセット情報（ＶＴＳＩ）、ビデオタイトルセットメニュー用オブジェクトセット（ＶＴＳＭ＿ＶＯＢＳ）、ビデオタイトルセットタイトル用ビデオオブジェクトセット（ＶＴＳＴＴ＿ＶＯＢＳ；最大９ファイル）、ビデオタイトルセット情報のバックアップ（ＶＴＳＩ＿ＢＵＰ）を含んでいる。
【０２９０】
ここでは、ビデオタイトルセット（ＶＴＳ＃１〜＃ｎ）７２の数は最大９９個に制限され、また、各ビデオタイトルセット７２を構成するファイル７４Ｂ（ファイル＃ｊ〜ファイル＃ｊ＋９）の数は３〜１２個に定められているとする。これらのファイル７４Ａおよび７４Ｂは、論理セクタの境界で、同様に区分されている。
【０２９１】
他の記録領域７３には、上述したビデオタイトルセット７２で利用可能な情報、あるいはビデオタイトルセットとは関係ない他の情報を記録することができる。この他の記録領域７３は必須ではなく、使用しないなら削除されてもよい。
【０２９２】
図１０の各ビデオタイトルセット７２は、複数のビデオオブジェクトセット（ＶＯＢＳ）を含んでいる。後に説明するが、ビデオタイトルセット（ＶＴＳ）７２中のビデオオブジェクトセット（ＶＯＢＳ）には、ビデオタイトルセットメニュー用ビデオオブジェクトセット（ＶＴＳＭ＿ＶＯＢＳ）、および１以上のビデオタイトルセットのタイトルのためのビデオオブジェクトセット（ＶＴＳＴＴ＿ＶＯＢＳ）があり、いずれのビデオオブジェクトセットもその用途が異なるのみで同様の構造を有している。
【０２９３】
次に各ビデオオブジェクトセット（ＶＯＢＳ）の構造について説明する。
【０２９４】
図１１に示すように、ビデオオブジェクトセット（ＶＯＢＳ）８２は、１以上のビデオオブジェクト（ＶＯＢ）８３の集合として定義される。ビデオオブジェクトセット（ＶＯＢＳ）８２中のビデオオブジェクト（ＶＯＢ）８３は同一用途に用いられる。
【０２９５】
メニュー用のビデオオブジェクトセット（ＶＯＢＳ）８２は、通常、１つのビデオオブジェクト（ＶＯＢ）８３で構成され、そこには複数のメニュー画面表示用データが格納される。これに対して、タイトルセット用のビデオオブジェクトセット（ＶＴＳＴＴ＿ＶＯＢＳ）８２は、通常、複数のビデオオブジェクト（ＶＯＢ）８３で構成される。
【０２９６】
ここで、タイトルセット用ビデオオブジェクトセット（ＶＴＳＴＴ＿ＶＯＢＳ）８２を構成するビデオオブジェクト（ＶＯＢ）８３は、前述したボクシングのビデオを例にとれば、ボクサーＸの各試合の映像データに相当する。この場合、ビデオオブジェクト（ＶＯＢ）８３を指定することによって、たとえばワールドチャンピオンに挑戦する第３戦をビデオで再現することができる。
【０２９７】
また、メニュー用ビデオオブジェクトセット（ＶＴＳＭ＿ＶＯＢＳ）を構成するビデオオブジェクト（ＶＯＢ）８３には、そのボクサーＸの試合のメニューデータが格納され、そのメニューの表示にしたがって、特定の試合、たとえば、ワールドチャンピオンに挑戦する第１１戦を指定することができる。
【０２９８】
なお、通常の１ストーリ映画では、１つのビデオオブジェクト（ＶＯＢ）８３で１つのビデオオブジェクトセット（ＶＯＢＳ）８２を構成することができる。この場合、１本のビデオストリームが１ビデオオブジェクト（ＶＯＢ）８３で完結することとなる。
【０２９９】
また、複数ストーリのアニメーション集、あるいは、オムニバス形式の映画では、１ビデオオブジェクトセット（ＶＯＢＳ）８２中に各ストーリに対応して複数のビデオストリームを設けることができる。この場合は、各ビデオストリームが対応するビデオオブジェクト（ＶＯＢ）８３に格納されることになる。その際、各ビデオストリームに関連したオーディオストリームおよび副映像ストリームも各ビデオオブジェクト（ＶＯＢ）８３中で完結する。
【０３００】
ビデオオブジェクト（ＶＯＢ）８３には、識別番号（ＩＤＮ＃ｉ；ｉ＝０〜ｉ）が付され、この識別番号によって対応ビデオオブジェクト（ＶＯＢ）８３を特定することができる。ビデオオブジェクト（ＶＯＢ）８３は、１または複数のセル８４から構成される。通常のビデオストリームは複数のセルで構成されるが、メニュー用のビデオストリームは１つのセル８４で構成される場合もある。
【０３０１】
各セルには、ビデオオブジェクト（ＶＯＢ）８３の場合と同様に識別番号（Ｃ＿ＩＤＮ＃ｊ）が付され、このセル識別番号（Ｃ＿ＩＤＮ＃ｊ；ｊ＝０〜ｊ）によって対応セルを特定することができる。
【０３０２】
ここで、上記アングル変更とは、被写体映像を見る角度（カメラアングル）を変えることを意味する。ボクシングの例でいえば、同一のノックアウトシーン（同一イベントあるいは関連イベント）をチャンピオン側から見たシーン、挑戦者側から見たシーン、ジャッジの側から見たシーン等様々な角度からのシーンを見ることができることを意味する。
【０３０３】
アングル変更がなされるケースとしては、視聴者の好みに応じてアングル選択ができる場合（たとえば図７のアングルマークが点滅している場合）と、ストーリーの流れの中で自動的に同一シーンがアングルを変えて繰り返される場合（ソフトウエア制作者／プロバイダがそのようにストーリを構成した場合）がある。
【０３０４】
また、アングルを選定する場合としては、次のものがある。すなわち、同一シーンの始めに戻ってアングルが変わる時間的に不連続なノンシームレス再生の場合（たとえばボクサーがカウンターパンチを入れる瞬間のシーンでカメラアングルが別アングルに変り再びカウンターが打ち出され始めるシーンが再生される場合）と、そのシーンに続くシーンでアングルが変わる時間的に連続したシームレス再生の場合（たとえばボクサーがカウンターを入れそのパンチが入った瞬間にカメラアングルが別アングルに変りカウンターを食らった相手が吹っ飛ぶシーンが時間的に連続して再生される場合）とがある。
【０３０５】
図１１に示すように、各セル８４は１以上のビデオオブジェクトユニット（ＶＯＢＵ）８５により構成される。そして、各ビデオオブジェクトユニット８５は、ナビゲーションパック（ＮＶパック）８６を先頭とする、ビデオパック（Ｖパック）８８、副映像パック（ＳＰパック）９０、およびオーディオパック（Ａパック）９１の集合体（パック列）として構成されている。すなわち、ビデオオブジェクトユニット（ＶＯＢＵ）８５は、あるナビゲーションパック８６から次のナビゲーションパック８６の直前まで記録される全パックの集まりとして定義される。
【０３０６】
このナビゲーションパック８６は、いずれのアングル変更（ノンシームレス再生およびシームレス再生）も実現できるように、ビデオオブジェクトユニット（ＶＯＢＵ）８５中に組み込まれている。
【０３０７】
上記ビデオオブジェクトユニット（ＶＯＢＵ）８５の再生時間は、ビデオオブジェクトユニット（ＶＯＢＵ）８５中に含まれる１以上の映像グループ（グループオブピクチャー；略してＧＯＰ）で構成されるビデオデータの再生時間に相当し、その再生時間は０．４秒〜１.０秒の範囲内に定められる。１ＧＯＰは、ＭＰＥＧ規格では通常０．５秒であって、その間に１５枚程度の画像を再生するように圧縮された画面データである。
【０３０８】
ビデオオブジェクトユニット（ＶＯＢＵ）８５がビデオデータを含む場合には、ビデオパック（Ｖパック）８８、副映像パック（ＳＰパック）９０およびオーディオパック（Ａパック）９１から構成されるＧＯＰ（ＭＰＥＧ規格準拠）が配列されてビデオデータストリームが構成される。しかし、このＧＯＰの数とは無関係に、ＧＯＰの再生時間を基準にしてビデオオブジェクト（ＶＯＢ）８３が定められ、その先頭には、図１１に示すように常にナビゲーションパック（ＮＶパック）８６が配列される。
【０３０９】
なお、オーディオおよび／または副映像データのみの再生データにあってもビデオオブジェクトユニット（ＶＯＢＵ）８５を１単位として再生データが構成される。たとえば、ナビゲーションパック（ＮＶパック）８６を先頭としてオーディオパック（Ａパック）９１のみでビデオオブジェクトユニット（ＶＯＢＵ）８５が構成されいる場合、ビデオデータのビデオオブジェクト（ＶＯＢ）８３の場合と同様に、そのオーディオデータが属するビデオオブジェクトユニット（ＶＯＢＵ）８５の再生時間内に再生されるべきオーディオパック（Ａパック）９１がそのビデオオブジェクトユニット（ＶＯＢＵ）８５に格納される。
【０３１０】
図１０のビデオマネージャー（ＶＭＧ）７１は、ファイル＃０から始まる複数のファイル７４Ａで構成されている。このビデオマネージャー７１は、各ファイルに対応して、図１２に示すような３つの項目を含んでいる。
【０３１１】
すなわち、図１２において、ビデオマネージャー（ＶＭＧ）７１は、ビデオマネージャー情報（ＶＭＧＩ）７５と、ビデオマネージャーメニュー用オブジェクトセット（ＶＭＧＭ＿ＶＯＢＳ）７６と、ビデオマネージャー情報のバックアップ（ＶＭＧＩ＿ＢＵＰ）７７を含んでいる。
【０３１２】
ここで、ビデオマネージャー情報（ＶＭＧＩ）７５およびビデオマネージャー情報のバックアップ（ＶＭＧＩ＿ＢＵＰ）７７は必須の項目とし、ビデオマネージャー情報メニュー（ＶＭＧＭ）を表示するためのビデオオブジェクトセット（ＶＭＧＭ＿ＶＯＢＳ）７６はオプションとすることができる。
【０３１３】
ビデオマネージャー情報メニュー用ビデオオブジェクトセット（ＶＭＧＭ＿ＶＯＢＳ）７６には、光ディスク１０に記録されたビデオデータ、オーディオデータおよび副映像データに関するメニュー情報（ビデオマネージャー７１が管理する）が格納されている。
【０３１４】
このビデオマネージャー情報メニュー用ビデオオブジェクトセット（ＶＭＧＭ＿ＶＯＢＳ）７６によって、再生しようとする光ディスクのボリューム名、ボリューム名表示に伴う音声および副映像の説明を表示できるとともに、選択可能な項目を副映像で表示できる。
【０３１５】
たとえば、ビデオマネージャー情報メニュー用ビデオオブジェクトセット（ＶＭＧＭ＿ＶＯＢＳ）７６によって、これから再生しようとする光ディスクがあるボクサーＸのワールドチャンピオンに至るまでの試合を格納したビデオを含む旨を表示できるようになる。すなわち、ボクサーＸの栄光の歴史等のボリューム名とともにボクサーＸのファイティングポーズがビデオデータで再生され、かつ彼のテーマソングが（もしあれば）音声出力され、さらに副映像で彼の経歴・戦歴の年表等が表示される。
【０３１６】
また、ＶＭＧＭ用ビデオオブジェクトセット（ＶＭＧＭ＿ＶＯＢＳ）７６により表示される選択項目として、試合のナレーションを英語、日本語、仏語、独語等のいずれの言語で再生するかの問い合わせとともに、副映像で所定言語の字幕を表示するか否か、あるいは選択可能な複数言語字幕のいずれを選択するかの問い合わせが、たとえばメニュー形式で、出力される。このＶＭＧＭ用ビデオオブジェクトセット（ＶＭＧＭ＿ＶＯＢＳ）７６による表示から、視聴者は、たとえば音声は英語、副映像字幕は日本語を選択することができる。こうして、ボクサーＸの試合のビデオを鑑賞する準備が整うこととなる。
【０３１７】
図１２に示すように、ビデオマネージャ（ＶＭＧ）７１の先頭に配置されたビデオマネージャー情報（ＶＭＧＩ）７５には、ビデオマネージャー情報管理テーブル（ＶＭＧＩ＿ＭＡＴ；必須）７５１、タイトルサーチポインタテーブル（ＴＴ＿ＳＲＰＴ；必須）７５２、ビデオマネージャメニューのプログラムチェーン情報ユニットテーブル（ＶＭＧＭ＿ＰＧＣＩ＿ＵＴ；ＶＭＧＭ＿ＶＯＢＳが存在するときは必須）７５３、パレンタル管理情報テーブル（ＰＴＬ＿ＭＡＩＴ；オプション）７５４、ビデオタイトルセット属性テーブル（ＶＴＳ＿ＡＴＲＴ；必須）７５５、テキストデータマネージャ（ＴＸＴＤＴ＿ＭＧ；オプション）７５６、ビデオマネージャメニューセルアドレステーブル（ＶＭＧＭ＿Ｃ＿ＡＤＴ；ＶＭＧＭ＿ＶＯＢＳが存在するときは必須）７５７、およびビデオマネージャメニュービデオオブジェクトユニットアドレスマップ（ＶＭＧＭ＿ＶＯＢＵ＿ＡＤＭＡＰ；ＶＭＧＭ＿ＶＯＢＳが存在するときは必須）７５８が、この順番で記述されている。
【０３１８】
ビデオマネージャ情報７５内の上記テーブル・マップ等（７５１〜７５８）は、図１０の各ビデオタイトルセット７２を再生するときに用いられる情報を含むもので、これらは論理セクタの境界と一致するように光ディスク１０に記録される。
【０３１９】
図１２において、必須扱いのビデオマネージャ情報管理テーブル（ＶＭＧＩ＿ＭＡＴ）７５１には、ビデオマネージャー７１のサイズ、ビデオマネージャー７１中の各情報のスタートアドレス、ビデオマネージャヤーメニュー用のビデオオブジェクトセット（ＶＭＧＭ＿ＶＯＢＳ）７６に関する属性情報等が記述されている。
【０３２０】
また、必須扱いのタイトルサーチポインターテーブル（ＴＴ＿ＳＲＰＴ）７５２には、図１のキー操作・表示部４から入力されたタイトル番号あるいは図８のリモートコントローラ部５によるタイトル番号選択に応じて選定可能な、光ディスク１０中のボリュームに含まれるビデオタイトルのエントリープログラムチェーン（ＥＰＧＣ）が記載されている。
【０３２１】
ここで、プログラムチェーン（ＰＧＣ）とは、図１３に示すように、あるタイトルのストーリーを再現するプログラム８９の集合である。プログラムチェーン（ＰＧＣ）には、図１４に示すように、エントリープログラムチェーン（Ｅｎｔｒｙ  ＰＧＣ）およびエントリープログラムチェーン（Ｅｎｔｒｙ  ＰＧＣ＃１）に続く１以上のプログラムチェーン（ＰＧＣ＃２、ＰＧＣ＃３、ＰＧＣ＃４、…）がある。
【０３２２】
図１４の上段に示すように、１つだけのシーケンシャルプログラムチェーンからなるタイトル（あるいは１つだけのランダムプログラムチェーンからなるタイトル）では、プログラムチェーンはエントリープログラムチェーン（ＥｎｔｒｙＰＧＣ）だけで構成される。エントリープログラムチェーンは、あるタイトルを再生するときに最初に再生されるプログラムチェーンとなる。
【０３２３】
ここで、１シーケンシャルプログラムチェーンタイトルは、ループ再生、ランダム再生あるいはシャッフル再生を伴わない単一のプログラムチェーンで構成される。一方、１ランダムプログラムチェーンタイトルは、ループ再生、ランダム再生あるいはシャッフル再生を伴なう単一のプログラムチェーンで構成される。
【０３２４】
２以上のシーケンシャルプログラムチェーンを含むマルチプログラムチェーンタイトルでは、図１４の下段に示すように、エントリープログラムチェーン（Ｅｎｔｒｙ  ＰＧＣ＃１）に続いて１以上のプログラムチェーン（ＰＧＣ＃２、ＰＧＣ＃３、ＰＧＣ＃４、…）を種々に配置て構成される。マルチプログラムチェーンタイトルには、複数プログラムチェーンを用いることにより、たとえばマルチストーリー展開の可能なドラマを記録することができる。
【０３２５】
なお、図９を参照して前述したマルチアングル再生は、図１４のいずれのプログラムチェーン内においても可能となっている。（各プログラムチェーン内部にマルチアングル再生可能なアングルブロックを挿入するかどうかは、ソフトウエアのプロバイダが決める。）
図１３に例示したタイトル構成において、セルＩＤ（＃１〜）８４の集合で１つのプログラム８９が形成され、プログラム（＃１〜）８９の集合で１つのプログラムチェーン８７が形成され、プログラムチェーン（＃１〜）８７の集合で１つのタイトルが形成される。
【０３２６】
エントリプログラムチェーンを含む図１３に示すような複数のプログラムチェーン（＃１〜＃ｋ）８７を連続再生することによって、ある１タイトルの映画が完結される。視聴者がプログラムチェーン８７内のプログラム８９を指定すれば、その映画の特定のシーン（プログラム８９の内容）からその映画を鑑賞できるようになる。
【０３２７】
図１３の構成（プロバイダが制作したソフトウエアの構成）を図１１の構成（光ディスクに記録されるデータの構成）に対応させると、プログラムチェーン（ＰＧＣ）がビデオオブジェクトセット（ＶＯＢＳ）に対応し、プログラムがビデオオブジェクト（ＶＯＢ）に対応するが、それらはイコールではない。
【０３２８】
上記プログラムチェーンの情報（ＰＧＣＩ）については、シームレスアングル変更フラグに関連して後述する。
【０３２９】
図１２のビデオマネージャ情報管理テーブル（ＶＭＧＩ＿ＭＡＴ）７５１には、図１５に示すように、ビデオマネージャー識別子（ＶＭＧ＿ＩＤ）；ビデオマネージャのエンドアドレス（ＶＭＧ＿ＥＡ）；ビデオマネージャ情報のエンドアドレス（ＶＭＧＩ＿ＥＡ）；該当光ディスク（ＤＶＤ）１０が採用する規格のバージョン番号（ＶＥＲＮ）；ビデオマネージャのカテゴリー（ＶＭＧ＿ＣＡＴ）；ボリューム設定識別子（ＶＬＭＳ＿ＩＤ）；ビデオタイトルセット数（ＶＴＳ＿Ｎｓ）；プロバイダ（ディスクに記録されるソフトウエアの制作・販売元）の識別子（ＰＶＲ＿ＩＤ）；ビデオマネージャ情報管理テーブルのエンドアドレス（ＶＭＧＩ＿ＭＡＴ＿ＥＡ）；ファーストプレイプログラムチェーン情報のスタートアドレス（ＦＰ＿ＰＧＣＩ＿ＳＡ）；ビデオマネージャメニューのビデオオブジェクトセットのスタートアドレス（ＶＭＧＭ＿ＶＯＢＳ＿ＳＡ）；タイトルサーチポインタテーブルのスタートアドレス（ＴＴ＿ＳＲＰＴ＿ＳＡ）；ビデオマネージャメニューのプログラムチェーン情報のユニットテーブルのスタートアドレス（ＶＭＧＭ＿ＰＧＣＩ＿ＵＴ＿ＳＡ）；パレンタル管理情報テーブルのスタートアドレス（ＰＴＬ＿ＭＡＩＴ＿ＳＡ）；ビデオタイトルセット属性テーブルのスタートアドレス（ＶＴＳ＿ＡＴＲＴ＿ＳＡ）；テキストデータマネージャのスタートアドレス（ＴＸＴＤＴ＿ＭＧ＿ＳＡ）；ビデオマネージャメニューセルアドレステーブルのスタートアドレス（ＶＭＧＭ＿Ｃ＿ＡＤＴ＿ＳＡ）；ビデオマネージャメニュービデオオブジェクトユニットアドレスマップのスタートアドレス（ＶＭＧＭ＿ＶＯＢＵ＿ＡＤＭＡＰ＿ＳＡ）；ビデオマネージャメニューに示されるビデオ属性（ＶＭＧＭ＿Ｖ＿ＡＲＴ）；ビデオマネージャメニューに示されるオーディオストリーム数（ＶＭＧＭ＿ＡＳＴ＿Ｎｓ）；ビデオマネージャメニューに示されるオーディオストリーム属性（ＶＭＧＭ＿ＡＳＴ＿ＡＴＲ）；ビデオマネージャメニューに示される副映像ストリーム数（ＶＭＧＭ＿ＳＰＳＴ＿Ｎｓ）；ビデオマネージャメニューに示される副映像ストリーム属性（ＶＭＧＭ＿ＳＰＳＴ＿ＡＴＲ）；およびファーストプレイプログラムチェーン情報（ＦＰ＿ＰＧＣＩ）が記載されている。
【０３３０】
なお、ビデオマネージャ情報管理テーブル（ＶＭＧＩ＿ＭＡＴ）７５１のビデオマネージャのカテゴリー（ＶＭＧ＿ＣＡＴ）には、ビデオマネージャおよびビデオタイトルセットのビデオコピーフラグおよびオーディオコピーフラグが記載される。これらのフラグの内容によって、ビデオおよび音声のコピーの可否がそれぞれ個別に決定される。
【０３３１】
ビデオマネージャ情報管理テーブル（ＶＭＧＩ＿ＭＡＴ）７５１の終了アドレス（ＶＭＧＩ＿ＭＡＴ＿ＥＡ）やタイトルサーチポインタ（ＴＴ＿ＳＲＰＴ）７５２のスタートアドレス（ＴＴ＿ＳＲＰＴ＿ＳＡ）等のアドレスは、このテーブル（ＶＭＧＩ＿ＭＡＴ）７５１が格納された先頭論理ブロックからの相対的な論理ブロック数で記載されている。
【０３３２】
ここで、図１２の説明に戻る。ビデオマネージャー（ＶＭＧ）７１内のビデオタイトルセット属性テーブル（ＶＴＳ＿ＡＴＲＴ）７５５には、ビデオタイトルセット属性情報テーブル（ＶＴＳ＿ＡＴＲＴＩ）と、各ビデオタイトルセット用のビデオタイトルセット属性サーチポインタ（ＶＴＳ＿ＡＴＲ＿ＳＲＰ）と、各ビデオタイトルセット用のビデオタイトルセット属性（ＶＴＳ＿ＡＴＲ）とが含まれる。
【０３３３】
上記ビデオタイトルセット属性情報テーブル（ＶＴＳ＿ＡＴＲＴＩ）には、ビデオタイトルセット（ＶＴＳ）７２の数（最大９９タイトル）、ビデオタイトルセット属性テーブルのエンドアドレス等が記述される。
【０３３４】
上記ビデオタイトルセット属性サーチポインタ（ＶＴＳ＿ＡＴＲ＿ＳＲＰ）には、ビデオタイトルセット属性（ＶＴＳ＿ＡＴＲ）のスタートアドレス等が記述される。
【０３３５】
上記ビデオタイトルセット属性（ＶＴＳ＿ＡＴＲ）には、ビデオタイトルセット属性（ＶＴＳ＿ＡＴＲ）のエンドアドレス、ビデオタイトルセットのカテゴリー、ビデオタイトルセット属性情報等が記述される。
【０３３６】
上記ビデオタイトルセット属性情報としては、ビデオデータの圧縮方式その他のビデオ属性；圧縮の有無、圧縮方式、チャネル数その他のオーディオストリーム属性；副映像を用いた字幕あるいはメニューの表示形式等に関する副映像の属性等が記載される。
【０３３７】
タイトルサーチポインターテーブル（ＴＴ＿ＳＲＰＴ）７５２には、図１６に示すように、始めにタイトルサーチポインターテーブル情報（ＴＴ＿ＳＲＰＴＩ）７５２Ａが記載され、続いて番号＃１から＃ｎ（ｎ≦９９）までのタイトルサーチポインタ（ＴＴ＿ＳＲＰ）７５２Ｂが、ボリューム内のタイトル数だけ連続的に記載されている。このボリューム内に１タイトルのビデオタイトルセット７２しか格納されていない場合には、テーブル（ＴＴ＿ＳＲＰＴ）７５２には、１つのタイトルサーチポインタ（ＴＴ＿ＳＲＰ＃１）７５２Ｂ１しか記載されない。
【０３３８】
タイトルサーチポインターテーブル情報（ＴＴ＿ＳＲＰＴＩ）７５２Ａには、図１７に示すように、タイトルサーチポインタ７５２Ｂの数（ＴＴ＿Ｎｓ）およびタイトルサーチポインターテーブル（ＴＴ＿ＳＲＰＴ）７５２の終了アドレス（ＴＴ＿ＳＲＰＴ＿ＥＡ）が記載されている。このアドレス（ＴＴ＿ＳＲＰＴ＿ＥＡ）は、このタイトルサーチポインタテーブル（ＴＴ＿ＳＲＰＴ）７５２の先頭バイトからの相対的なバイト数で記載される。
【０３３９】
また、図１８に示すように、各タイトルサーチポインタ（ＴＴ＿ＳＲＰ）７５２Ｂには、タイトルの再生タイプ（ＴＴ＿ＰＢ＿ＴＹ）と、アングル数（ＡＧＬ＿Ｎｓ）と、パートオブタイトル数（ＰＴＴ＿Ｎｓ）と、該当タイトルのパレンタル識別子フィールド（ＴＴ＿ＰＴＬ＿ＩＤ＿ＦＬＤ）と、ビデオタイトルセット番号（ＶＴＳＮ）と、ビデオタイトルセットのタイトル数（ＶＴＳ＿ＴＴＮ）と、ビデオタイトルセットのスタートアドレス（ＶＴＳ＿ＳＡ）とが記載されている。
【０３４０】
タイトルの再生タイプ（ＴＴ＿ＰＢ＿ＴＹ）には、１ビットのタイトルタイプのフラグ（ＴＴ＿ＴＹ）と、リンク／ジャンプ／コール等の指令の有無を示す複数ビット構成の再生タイプ（ＴＴ＿ＰＢ＿ＴＹ＃１、＃２、…）が記述される。
【０３４１】
タイトルタイプのフラグ（ＴＴ＿ＴＹ）が０ｂ（バイナリ０）のときは、該当タイトルが１シーケンシャルプログラムチェーンのタイトルであることが示され、フラグ（ＴＴ＿ＴＹ）が１ｂのときは、該当タイトルが１ランダムプログラムチェーンのタイトルあるいはマルチプログラムチェーンのタイトルであることが示される。また、各再生タイプビット（ＴＴ＿ＰＢ＿ＴＹ＃１、＃２、…）によって、そのビット内容が０ｂのときはセルコマンドあるいはボタンコマンドにリンク／ジャンプ／コール等の指令がないことが示され、そのビット内容が１ｂのときはセルコマンドあるいはボタンコマンドにリンク／ジャンプ／コール等の指令が存在することが示される。
【０３４２】
アングル数（ＡＧＬ＿Ｎｓ）には、該当タイトル内のアングルブロック内のアングル数（＃１〜＃９）が記述される。
【０３４３】
パートオブタイトル数（ＰＴＴ＿Ｎｓ）には、タイトル内の部分タイトル（たとえば複数のチャプターに分割されたタイトル）の番号（たとえばチャプター番号）が記述される。
【０３４４】
タイトルのパレンタル識別子フィールド（ＴＴ＿ＰＴＬ＿ＩＤ＿ＦＬＤ）には、該当タイトルのパレンタルＩＤフィールドが記述される。このパレンタルＩＤフィールドの記述内容に基づいて、該当タイトルの所定部分（１カ所若しくは複数箇所）の再生を所定の禁止レベルで制限できる。
【０３４５】
ビデオタイトルセット番号（ＶＴＳＮ）には、該当タイトルが含まれるビデオタイトルセットを示すビデオタイトルセット番号（＃１〜＃９９）が記述される。
【０３４６】
ビデオタイトルセットのタイトル数（ＶＴＳ＿ＴＴＮ）には、ビデオタイトルセットのタイトル番号が記述される。このタイトル数（ＶＴＳ＿ＴＴＮ）は、ビデオタイトルセット番号（ＶＴＳＮ）で示されるビデオタイトルセットのパートオブタイトルサーチポインタテーブル（ＶＴＳ＿ＰＴＴ＿ＳＲＰＴ）内の対応タイトルユニット（ＴＴＵ）にアクセスするために用いられる。
【０３４７】
ビデオタイトルセットスタートアドレス（ＶＴＳ＿ＳＡ）には、ビデオタイトルセット番号（ＶＴＳＮ）で示されるビデオタイトルセット（ＶＴＳ）のスタートアドレスが記述される。
【０３４８】
上述したタイトルサーチポインタ（ＴＴ＿ＳＲＰ）７５２Ｂの内容によって、これから再生されるビデオタイトルセット（ＶＴＳ）７２が特定されるとともに、そのビデオタイトルセット７２の光ディスク１０上での格納位置が特定される。その際、ビデオタイトルセット７２のスタートアドレス（ＶＴＳ＿ＳＡ）は、ビデオタイトルセット番号（ＶＴＳＮ）で指定されたタイトルセットに対する論理ブロック数で記載される。
【０３４９】
図１２のビデオマネージャー（ＶＭＧ）７１内に設けられたビデオマネージャーメニューＰＧＣＩユニットテーブル（ＶＭＧＭ＿ＰＧＣＩ＿ＵＴ）７５３には、ビデオマネージャーメニュー用のビデオオブジェクトセット（ＶＭＧＭ＿ＶＯＢＳ）７６に関する情報が記載される。このテーブル（ＶＭＧＭ＿ＰＧＣＩ＿ＵＴ）７５３は、ビデオマネージャーメニュー用のビデオオブジェクトセット（ＶＭＧＭ＿ＶＯＢＳ）７６にビデオマネージャーメニュー（ＶＭＧＭ）が存在する際には必須のテーブルとなる。
【０３５０】
ビデオマネージャーメニューＰＧＣＩユニットテーブル（ＶＭＧＭ＿ＰＧＣＩ＿ＵＴ）７５３は、ビデオマネージャーメニュー用のビデオオブジェクトセット（ＶＭＧＭ＿ＶＯＢＳ）７６が設けられる場合には必須項目であり、各言語毎に設けられたビデオマネージャーメニュー（ＶＭＧＭ）を再現するためのプログラムチェーンについての情報が記述されている。
【０３５１】
このビデオマネージャーメニューＰＧＣＩユニットテーブル（ＶＭＧＭ＿ＰＧＣＩ＿ＵＴ）７５３を参照することによって、ビデオマネージャメニュー用ビデオオブジェクトセット（ＶＭＧＭ＿ＶＯＢＳ）７６中の指定された言語のプログラムチェーンを獲得して、指定言語のメニューを表示出力できるようになる。
【０３５２】
図１９に示すように、ビデオマネージャーメニューＰＧＣＩユニットテーブル（ＶＭＧＭ＿ＰＧＣＩ＿ＵＴ）７５３は、ビデオマネージャーメニューＰＧＣＩユニットテーブル情報（ＶＭＧＭ＿ＰＧＣＩ＿ＵＴＩ）７５３Ａと、ｎ個のビデオマネージャーメニュー言語ユニットサーチポインタ（ＶＭＧＭ＿ＬＵ＿ＳＲＰ）７５３Ｂと、ｎ個のビデオマネージャーメニュー言語ユニット（ＶＭＧＭ＿ＬＵ）７５３Ｃとから構成されている。
【０３５３】
ビデオマネージャーメニューＰＧＣＩユニットテーブル情報（ＶＭＧＭ＿ＰＧＣＩ＿ＵＴＩ）７５３Ａには、図２０に示すように、ビデオマネージャメニュー言語ユニットの番号（ＶＭＧＭ＿ＬＵ＿Ｎｓ）およびビデオマネージャーメニューＰＧＣＩユニットテーブル（ＶＭＧＭ＿ＰＧＣＩ＿ＵＴ）７５３のエンドアドレス（ＶＭＧＭ＿ＰＧＣＩ＿ＵＴ＿ＥＡ）が記述される。
【０３５４】
ビデオマネージャーメニュー言語ユニットサーチポインタ（ＶＭＧＭ＿ＬＵ＿ＳＲＰ）７５３Ｂには、図２１に示すように、ビデオマネージャメニュー言語コード（ＶＭＧＭ＿ＬＣＤ）、ビデオマネージャメニューの存在を示す情報（ＶＭＧＭ＿ＥＸＳＴ）、およびビデオマネージャーメニュー言語ユニット（ＶＭＧＭ＿ＬＵ）７５３Ｃのスタートアドレス（ＶＭＧＭ＿ＬＵ＿ＳＡ）が記述される。この記述は、番号＃１から＃ｎまでのビデオマネージャーメニュー（ＶＭＧＭ）に対応した順序で行われる。
【０３５５】
ビデオマネージャーメニュー言語ユニット（ＶＭＧＭ＿ＬＵ）７５３Ｃには、図２２に示すように、ビデオマネージャーメニュー言語ユニット情報（ＶＭＧＭ＿ＬＵＩ）７５３ＣＡと、番号＃１から＃ｎまでのビデオマネージャメニュー用プログラムチェーンサーチポインタ（ＶＭＧＭ＿ＰＧＣＩ＿ＳＲＰ＃ｎ）７５３ＣＢと、ビデオマネージャメニュー用プログラムチェーン情報（ＶＭＧＭ＿ＰＧＣＩ）７５３ＣＣとが記述される。
【０３５６】
ビデオマネージャーメニュー言語ユニット情報（ＶＭＧＭ＿ＬＵＩ）７５３ＣＡには、図２３に示すように、ビデオマネージャメニュー用プログラムチェーンサーチポインタの番号（ＶＭＧＭ＿ＰＧＣＩ＿ＳＲＰ＿Ｎｓ）およびビデオマネージャメニュー言語ユニットのエンドアドレス（ＶＭＧＭ＿ＬＵ＿ＥＡ）が記述される。
【０３５７】
ビデオマネージャメニュー用プログラムチェーンサーチポインタ（ＶＭＧＭ＿ＰＧＣＩ＿ＳＲＰ＃ｎ）７５３ＣＢには、図２４に示すように、ビデオマネージャメニュー用プログラムチェーンのカテゴリー（ＶＭＧＭ＿ＰＧＣ＿ＣＡＴ）およびビデオマネージャメニュー用プログラムチェーン情報のスタートアドレス（ＶＭＧＭ＿ＰＧＣＩ＿ＳＡ）が記述される。
【０３５８】
ビデオマネージャメニュー用プログラムチェーンのカテゴリー（ＶＭＧＭ＿ＰＧＣ＿ＣＡＴ）は、図２５に示すように３２ビット（４バイト）で構成されている。このカテゴリー（ＶＭＧＭ＿ＰＧＣ＿ＣＡＴ）において、最初の８ビットはパレンタルＩＤフィールド（ＰＴＬ＿ＩＤ＿ＦＬＤ）の下位ビットに割り当てられ、次の８ビットはパレンタルＩＤフィールド（ＰＴＬ＿ＩＤ＿ＦＬＤ）の上位ビットに割り当てられ、次の４ビットは予約領域とされ、次の２ビットでブロックタイプが指定され、次の２ビットでブロックモードが指定され、次の４ビットでメニューＩＤが指定され、次の３ビットは予約領域とされ、最後の１ビット（３２ビット目）でエントリータイプが指定される。
【０３５９】
エントリータイプビットは、該当プログラムチェーン（ＰＧＣ）がエントリーされるか否かを示すフラグであり、その内容がたとえば０ｂ（バイナリ０）ならエントリープログラムチェーンではないことが示され、それが１ｂならエントリープログラムチェーンであることが示される。
【０３６０】
メニューＩＤには、該当プログラムチェーンがメニューデータであるかどうか、またメニューデータであればどのようなメニューを指定するのかが、記述される。
【０３６１】
すなわち、前記エントリータイプが０ｂであればメニューＩＤには００００ｂがエンターされる。このエントリータイプが１ｂであれば、メニューＩＤには、タイトルメニューを示す００１０ｂがエンターされるか、その他の用途（タイトルメニュー以外のメニュー指定など）に用いられる４ビットバイナリデータ（００００ｂおよび００１０ｂ以外）がエンターされる。
【０３６２】
ブロックモードの内容が００ｂのときは該当ブロック内のプログラムチェーン（ＰＧＣ）ではないことが示され、それが０１ｂのときは該当ブロック内の最初のプログラムチェーンであることが示され、それが１０ｂのときは該当ブロック中のプログラムチェーンであることが示され、それが１１ｂであれば該当ブロック内の最後のプログラムチェーンであることが示される。
【０３６３】
ブロックタイプの内容が００ｂのときは、該当ブロックの一部ではないことが示され、それが０１ｂのときはパレンタルブロック（特定条件下でのみ再生が許される情報を含むブロック）であることが示される。１０ｂおよび１１ｂは他目的のために予約されている。
【０３６４】
パレンタルＩＤフィールドは、該当プログラムチェーン内の特定情報の再生が許可されるか否かを判定するフラグ列を格納する部分であり、たとえばパレンタルＩＤフィールドの上位ビットとそれに対応する下位ビットの内容が一致したときにのみ、再生が許可されるようになっている。
【０３６５】
図２４のビデオマネージャメニュー用プログラムチェーン情報のスタートアドレス（ＶＭＧＭ＿ＰＧＣＩ＿ＳＡ）は、ビデオマネージャメニューの言語ユニット（ＶＭＧＭ＿ＬＵ）の最初のバイトからの相対ブロック数でもって、ビデオマネージャメニューのプログラムチェーン情報（ＶＭＧＭ＿ＰＧＣＩ）のスタートアドレスを記述したものである。
【０３６６】
なお、図１２のビデオマネージャ情報（ＶＭＧＩ）７５にビデオマネージャーメニューＰＧＣＩユニットテーブル（ＶＭＧＭ＿ＰＧＣＩ＿ＵＴ）７５３がない場合には、そのスタートアドレスには“００００００００ｈ”が記載される。
【０３６７】
図１１に示したように、光ディスク１０の記録データ階層構造の下層には、各ビデオオブジェクトユニット（ＶＯＢＵ）８５毎に、その先頭にナビゲーションパック（ＮＶパック）８６が設けられている。このナビゲーションパック８６は、たとえば以下のように構成される。
【０３６８】
すなわち、図２６に示すように、このナビゲーションパック８６は、１４バイトのパックヘッダ１１０、２４バイトのシステムヘッダ１１１および２つのパケット（１１６、１１７）を含む２０１０バイトのナビゲーションデータで構成される。このナビゲーションデータを構成する２つのパケットとは、再生制御情報（プレゼンテーション制御情報；ＰＣＩ）パケット（ＰＣＩ＿ＰＫＴ）１１６およびデータサーチ情報（ＤＳＩ）パケット（ＤＳＩ＿ＰＫＴ）１１７である。
【０３６９】
ＰＣＩパケット１１６は、６バイトのパケットヘッダ１１２Ａ、１バイトのサブストリーム識別子１１２Ｂ、および９７９バイトのＰＣＩデータ１１３で構成される。サブストリーム識別子１１２Ｂの８ビットコード「００００００００」によりＰＣＩデータ１１３のデータストリームが指定される。
【０３７０】
また、ＤＳＩパケット１１７は、６バイトのパケットヘッダ１１４Ａ、１バイトのサブストリーム識別子１１４Ｂ、および１０１７バイトのＤＳＩデータ１１５で構成される。サブストリーム識別子１１４Ｂの８ビットコード「０００００００１」によりＤＳＩデータ１１５のデータストリームが指定される。
【０３７１】
このように構成されたナビゲーションパック８６の１パックデータ長は、光ディスク１０上の１論理セクタに相当する２０４８バイト（略して２ｋバイト）となる。
【０３７２】
このナビゲーションパック８６は、図２７に例示するビデオオブジェクトユニット（ＶＯＢＵ＃ｎ）８５または対応するグループオブピクチャー（ＧＯＰ）中の最初のデータが含まれるビデオパック（図１１でいえば下段左から２番目のＶパック８８）の直前に配置されている。ビデオオブジェクトユニット（ＶＯＢＵ８５）がビデオパックを含まない場合は、ナビゲーションパック８６は、対応ＧＯＰの最初のオーディオパック（Ａパック）または副映像パック（ＳＰパック）を含むオブジェクトユニットの先頭に配置される。
【０３７３】
このようにビデオオブジェクトユニット（ＶＯＢＵ８５）がビデオパックを含まない場合であっても、ビデオオブジェクトユニットがビデオパックを含んでいる場合と同様に、ビデオオブジェクトユニットの再生時間は、ビデオが再生される単位を基準に定められる。
【０３７４】
ここで、グループオブピクチャー（ＧＯＰ）とは、ＭＰＥＧの規格に従って圧縮された連続する複数画面のデータ列である。この圧縮データを伸張すると連続した複数フレームの画像データが得られ、この画像データによって動画を再生することができる。
【０３７５】
パックヘッダ１１０およびシステムヘッダ１１１は、ＭＰＥＧ２のシステムレーヤで定義される。すなわちパックヘッダ１１０には、パック開始コード、システムクロックリファレンス（ＳＣＲ）および多重化レートの情報が格納され、システムヘッダ１１１には、ビットレート、ストリームＩＤが記載される。同様に、ＰＣＩパケット１１６のパケットヘッダ１１２ＡおよびＤＳＩパケット１１７のパケットヘッダ１１４Ａには、ＭＰＥＧ２のシステムレーヤに定められているように、パケット開始コード、パケット長およびストリームＩＤが格納されている。
【０３７６】
図２６のナビゲーションパック８６に格納されるＰＣＩパケット１１６およびＤＳＩパケット１１７の階層構造を図１１に当てはめると、以下のようになる（階層レベルはスラッシュで区切っている）。
【０３７７】
VOBS/VOB/CELL/VOBU/NV-PACK/PCI&DSI
上記階層構造の最下層にあるＰＣＩパケット１１６に後述するノンシームレス再生のためのアングル情報（図３０のＮＳＭＬ＿ＡＧＬＩ）が格納され、同じく最下層にあるＤＳＩパケット１１７に後述するシームレス再生のためのアングル情報（図３６のＳＭＬ＿ＡＧＬＩ）が格納されるようになっている。この実施の形態においてマルチアングル再生を行なう場合は、上記階層構造中のＰＣＩパケット１１６またはＤＳＩパケット１１７から必要なアングル情報を取り出すことになる。
【０３７８】
図２６に示すように、各ビデオオブジェクトユニット（ＶＯＢＵ＃ｎ〜）の先頭に配置されたナビゲーションパック（ＮＶ＿ＰＣＫ＃ｎ）８６は、ＰＣＩパケット（ＰＣＩ＿ＰＫＴ＃ｎ）１１６およびＤＳＩパケット（ＤＳＩ＿ＰＫＴ＃ｎ）１１７を含んでいる。
【０３７９】
ＰＣＩパケット１１６は、図２７に示すように、ビデオオブジェクトユニット（ＶＯＢＵ＃ｎ）８５内のビデオデータの再生状態に同期して表示内容（プレゼンテーション内容）を変更するためのナビゲーションデータであるＰＣＩデータ（ＰＣＩｎ）１１３を含む。
【０３８０】
このＰＣＩデータ１１３は、図２８に示すように、６０バイトのＰＣＩ一般情報（ＰＣＩ＿ＧＩ）と、３６バイトのノンシームレス再生用アングル情報（ＮＳＭＬ＿ＡＧＬＩ）と、６９４バイトのハイライト情報（ＨＬＩ）と、１８９バイトの記録情報（ＲＥＣＩ）を含んでいる。
【０３８１】
この記録情報ＲＥＣＩは、ビデオオブジェクトユニットＶＯＢＵ内に記録されるビデオデータ、オーディオデータおよび副映像データに対する、国際標準記録コード（ＩＳＲＣ）であり、このＩＳＲＣは国際標準規格であるＩＳＯ３９０１に準拠したものである。
【０３８２】
図２９に示すように、ＰＣＩ一般情報（ＰＣＩ＿ＧＩ）には、ナビゲーションパックの論理ブロック番号（ＮＶ＿ＰＣＫ＿ＬＢＮ）と、ビデオオブジェクトユニット（ＶＯＢＵ）のカテゴリー（ＶＯＢＵ＿ＣＡＴ）と；ビデオオブジェクトユニット（ＶＯＢＵ）のユーザ操作制御（ＶＯＢＵ＿ＵＯＰ＿ＣＴＬ）と、ビデオオブジェクトユニット（ＶＯＢＵ）の表示開始時間（ＶＯＢＵ＿Ｓ＿ＰＴＭ）と、ビデオオブジェクトユニット（ＶＯＢＵ）の表示終了時間（ＶＯＢＵ＿Ｅ＿ＰＴＭ）と、ビデオオブジェクトユニット（ＶＯＢＵ）内のシーケンス末尾の表示終了時間（ＶＯＢＵ＿ＳＥ＿ＰＴＭ）と、セル経過時間（Ｃ＿ＥＬＴＭ）と、予約領域とが記載される。
【０３８３】
ここで、上記論理ブロック番号（ＮＶ＿ＰＣＫ＿ＬＢＮ）は、再生制御情報（ＰＣＩ）が含まれるナビゲーションパックのアドレス（記録位置）を、そのＰＣＩが含まれたビデオオブジェクトセット（ＶＯＢＳ）の最初の論理ブロックからの相対ブロック数で示したものである。
【０３８４】
上記カテゴリー（ＶＯＢＵ＿ＣＡＴ）は、再生制御情報（ＰＣＩ）が含まれるビデオオブジェクトユニット（ＶＯＢＵ）内のビデオおよび副映像に対応するアナログ信号のコピープロテクトの内容を記載したものである。
【０３８５】
上記ユーザ操作制御（ＶＯＢＵ＿ＵＯＰ＿ＣＴＬ）は、再生制御情報（ＰＣＩ）が含まれるビデオオブジェクトユニット（ＶＯＢＵ）の表示（プレゼンテーション）期間中に禁止されるユーザ操作を記載したものである。
【０３８６】
上記表示開始時間（ＶＯＢＵ＿Ｓ＿ＰＴＭ）は、再生制御情報（ＰＣＩ）が含まれるビデオオブジェクトユニット（ＶＯＢＵ）の表示（プレゼンテーション）開始時間を記載したものである。より具体的にいうと、このＶＯＢＵ＿Ｓ＿ＰＴＭは、ビデオオブジェクトユニット（ＶＯＢＵ）内の最初のＧＯＰの表示順序における最初の映像（最初のピクチャー）の表示開始時間を指す。
【０３８７】
上記表示終了時間（ＶＯＢＵ＿Ｅ＿ＰＴＭ）は、再生制御情報（ＰＣＩ）が含まれるビデオオブジェクトユニット（ＶＯＢＵ）の表示（プレゼンテーション）終了時間を記載したものである。より具体的にいうと、ビデオオブジェクトユニット（ＶＯＢＵ）内のビデオデータが連続しているときは、このＶＯＢＵ＿Ｅ＿ＰＴＭは、ビデオオブジェクトユニット（ＶＯＢＵ）内の最後のＧＯＰの表示順序における最後の映像（最後のピクチャー）の表示終了時間を指す。
【０３８８】
一方、ビデオオブジェクトユニット（ＶＯＢＵ）内にビデオデータが存在しないとき、あるいはそのビデオオブジェクトユニット（ＶＯＢＵ）の再生が停止されたときは、このＶＯＢＵ＿Ｅ＿ＰＴＭは、フィールド間隔（ＮＴＳＣビデオでは１／６０秒）の時間グリッドにアラインされた仮想的なビデオデータの終了時間を指すようになる。
【０３８９】
上記表示終了時間（ＶＯＢＵ＿ＳＥ＿ＰＴＭ）は、再生制御情報（ＰＣＩ）が含まれるビデオオブジェクトユニット（ＶＯＢＵ）内のビデオデータのシーケンスエンドコードによる、表示（プレゼンテーション）終了時間を記載したものである。より具体的にいうと、ビデオオブジェクトユニット（ＶＯＢＵ）内のシーケンスエンドコードが含まれるところの、表示順序の最後の映像（最後のピクチャー）の表示終了時間を指す。ビデオオブジェクトユニット（ＶＯＢＵ）内にシーケンスエンドコード付の映像（ピクチャー）が存在しないときは、ＶＯＢＵ＿ＳＥ＿ＰＴＭに００００００００ｈ（ｈはヘキサデシマルの意）がエンターされる。
【０３９０】
上記セル経過時間（Ｃ＿ＥＬＴＭ）は、再生制御情報（ＰＣＩ）が含まれるセルの表示順序における最初のビデオフレームから、このＰＣＩが含まれるビデオオブジェクトユニット（ＶＯＢＵ）の表示順序における最初のビデオフレームまでの相対的な表示（プレゼンテーション）時間を、ＢＣＤ形式の時間、分、秒およびフレームで記述したものである。ビデオオブジェクトユニット（ＶＯＢＵ）内にビデオデータがないときは、前記仮想的なビデオデータの最初のビデオフレームが、上記ビデオフレームとして使用される。
【０３９１】
図３０は、図２８のアングル情報（ＮＳＭＬ＿ＡＧＬＩ）が書き込まれたテーブルの内容を示す。図３０に示すように、アングル情報（ＮＳＭＬ＿ＡＧＬＩ）には、アングルブロックを構成するマルチアングルの数＃ｎだけ、飛び先のアングルセル（切替先アングルを構成するセル；ＡＧＬ＿Ｃ＃ｎ）のスタートアドレス（ＮＳＭＬ＿ＡＧＬ＿Ｃ＃ｎ＿ＤＳＴＡ）が記載される。
【０３９２】
このスタートアドレス（ＮＳＭＬ＿ＡＧＬ＿Ｃ＃ｎ＿ＤＳＴＡ）は、再生制御情報（ＰＣＩ）が含まれるナビゲーションパックの論理ブロックからの相対論理ブロック数によって、飛び先アングルセル（ＡＧＬ＿Ｃ＃ｎ）内のビデオオブジェクトユニット（ＶＯＢＵ）のスタートアドレスを記述したもので、図３１に示すような３２ビット（４バイト）構成を持っている。
【０３９３】
すなわち、最初の１バイトでアングルセル（ＡＧＬ＿Ｃ＃ｎ）の下位８ビットが構成され、続く２バイトでアングルセル（ＡＧＬ＿Ｃ＃ｎ）の中間８＋８ビットが構成され、続く７ビットでアングルセル（ＡＧＬ＿Ｃ＃ｎ）の上位７ビットが構成され、最後の１ビット（３２ビット目）はアングルセルのロケーションフラグ（ＡＧＬ＿Ｃ location）として用いられるようになっている。
【０３９４】
アングルセルのロケーションフラグ（ＡＧＬ＿Ｃ location）は、該当再生制御情報（ＰＣＩ）が含まれるナビゲーションパック（ＮＶ＿ＰＣＫ）の前に飛び先が配置されているかどうかを記述するものである。すなわち、フラグ（ＡＧＬ＿Ｃ location）が０ｂ（バイナリ０）であれば飛び先がナビゲーションパックの後であることが示され、それが１ｂであれば飛び先がナビゲーションパックの前あるいはナビゲーションパックそのものであることが示される。
【０３９５】
上記飛び先セルのビデオオブジェクトユニット（ＶＯＢＵ）の再生（プレゼンテーション）開始時間は、上記再生制御情報（ＰＣＩ）が含まれるＶＯＢＵの再生開始と同時刻（図３２のｔ２０）か、その直前ＶＯＢＵの開始時間（図３２のｔ１０）に選ばれる。
【０３９６】
なお、後述するが、図２６のＤＳＩデータ１１５を用いたアングル変更シームレス再生では、飛び先セルのビデオオブジェクトユニット（ＶＯＢＵ）の再生（プレゼンテーション）開始時間は、アングル変更が行われた（ｔ７０）直後のインターリーブドユニット中の先頭ＶＯＢＵの再生時間（図３８のｔ８０）に選ばれる。
【０３９７】
ＰＣＩデータ１１３によって制御されるアングルセル（ＡＧＬ＿Ｃ＃ｉ；ｉ＝１〜ｎ）は、図３２に示すように、ビデオオブジェクトユニット（ＶＯＢＵ）８５の単位（再生時間で０.４〜１秒相当）で変更することができる。図３２では、再生順序にしたがってビデオオブジェクトユニット（ＶＯＢＵ）８５に連続番号＃ｎが付されている。
【０３９８】
アングルブロック中のアングルセル（ＡＧＬ＿Ｃ＃ｉ；ｉ＝１〜ｎ）は、再生時間の流れの中では並列に配置される。また、アングルブロック以外のセルとの関係では、アングルブロックのセルは再生時間の流れの中で前後のセルと直列に配置される。
【０３９９】
ここで、あるアングルセル（ＡＧＬ＿Ｃ＃ｉ）の再生番号＃ｎ（たとえばｎ＝２）に対応する他のアングルセル（ＡＧＬ＿Ｃ＃1あるいはＡＧＬ＿Ｃ＃９）８４のビデオオブジェクトユニット（ＶＯＢＵ＃ｎ；ｎ＝１または２）８５には、再生番号＃２のビデオオブジェクトユニット（ＶＯＢＵ＃２）８５と同一時刻（ｔ２０）の別アングルデータ（ＶＯＢＵ＃２）あるいは最も近いそれ以前（ｔ１０）の別アングルデータ（ＶＯＢＵ＃１）が格納されている。
【０４００】
たとえば、あるアングルセル（ＡＧＬ＿Ｃ＃ｉ）８４において、ピッチヤーおよびバッターの入った全景によって投球／打撃の一連の動作が映し出されるビデオデータとして、ビデオオブジェクトユニットＶＯＢＵ８５が連続配列されているとする。また、他のアングルセル（ＡＧＬ＿Ｃ＃１）８４には打撃フォームを鑑賞するためにバッターのみが画面に映し出されるビデオデータとしてビデオオブジェクトユニットＶＯＢＵ８５が連続配列され、さらに他のアングルセル（ＡＧＬ＿Ｃ＃９）８４にはピッチャーの表情のみが画面に映し出されるビデオデータとしてビデオオブジェクトユニットＶＯＢＵ８５が連続して配列されていると仮定する。
【０４０１】
始めアングルセル＃ｉ（ＡＧＬ＿Ｃ＃ｉ）のビデオを視聴中、バッターがボールを打った瞬間に、視聴者が再生アングルをアングルセル＃１に変更したとする。すなわち、バッターが打った瞬間に再生アングルがバッターのみが映し出されるカメラアングルに変更されたとする。すると、ボールを打った後の画面からではなく、たとえばバットスイング開始直前からの画面にアングル変更される（ＶＯＢＵ１個分以内の０.４〜１秒ほど時間の流れが逆戻る）。
【０４０２】
また、アングルセル＃ｉ（ＡＧＬ＿Ｃ＃ｉ）のビデオ視聴中、バッターがボールを打った瞬間にアングルセル＃９に変更されると、すなわちピッチャーがボールを打たれた瞬間に再生アングルがピッチヤーのみのカメラアングルに変更されると、打たれた瞬間のピッチヤーの表情が画面に表示され、ピッチヤーの心理的な変化を鑑賞することができる。
【０４０３】
このようなアングルセルのスタートアドレス（ＮＳＭＬ＿ＡＧＬ＿Ｃ＃ｎ＿ＤＳＴＡ）の記述によって、具体的には、次のようなアングル変更（ストーリー展開上での時間の流れが逆戻る不連続なノンシームレス再生）も実現できる。
【０４０４】
ここでは、野球の試合でピッチヤーＡが投球してからバッターＢが打ち、その打球がホームランとなるまでの一連の場面を想定したアングル変更を説明する。
【０４０５】
図３２において、各アングルセル（ＡＧＬ＿Ｃ＃ｉ；Ｉ＝１〜９）はバッターＢがピッチャーＡの投球をホームランする同一イベントあるいは関連イベントを、種々なカメラアングルで撮影したビデオ情報を含んでいるとする。たとえば、アングルセルＡＧＬ＿Ｃ＃１は１塁側内野席に設置されたカメラからのビデオ情報を含み、アングルセルＡＧＬ＿Ｃ＃ｉ（たとえばｉ＝５）はバックネット裏に設置されたカメラからのビデオ情報を含み、アングルセルＡＧＬ＿Ｃ＃９はセンターからピッチャーＢの背中越しにバッターＡを捕らえるように設置されたカメラからのビデオ情報を含んでいるとする。
【０４０６】
図１の再生装置で上記アングルセル（ＡＧＬ＿Ｃ＃ｉ；ｉ＝５）を含む光ディスク１０を観賞中の視聴者が、図７のアングルマーク４０７の点滅により現在アングル変更が可能なことを知り、図８のリモートコントローラ部５のアングルボタン５ａｎｇおよび番号ボタン（テンキー）５ｔを用いて、再生アングルを＃５から＃９に切り替えたとする。（アングルボタン５ａｎｇが押された瞬間（図３２の時間ｔ３０）に再生中の画像がフリーズされ、そこで一時停止する。）
そのあと視聴者がアングルボタン５ａｎｇを押してアングル変更再生に入ると、図１のシステムＣＰＵ部５０は、図３０のアングル情報テーブル（ＮＳＭＬ＿ＡＧＬＩ）を参照して、セル番号＃９の飛び先アドレスを獲得する（ここではＶＯＢＵ＃２のスタートアドレス）。そして光ディスク１０に記録されたアングル＃９のビデオ情報（ＶＯＢＵ＃２以降）を時間ｔ２０から再生する。（それまでフリーズしていたアングル＃５の画面がアングル＃９の画面に切り替わり、動画再生に入る。）
いま図３２のＶＯＢＵ＃２以降がバッターＢのバットがボールにミートした瞬間以降のビデオデータであるとすると、バックネット裏からのカメラアングル（＃５）でボールがミートされた瞬間の映像は、センターからのカメラアングル（＃９）でボールがミートされた瞬間の映像に切り替わり、そこからボールがスタンドに飛び込んでくるまでのシーンが再生される。
【０４０７】
一方、視聴者が図８のリモートコントローラ部５のアングルボタン５ａｎｇおよび番号ボタン（テンキー）５ｔを用いて、再生アングルを＃５から＃１に切り替えたとする。
【０４０８】
そのあと視聴者がアングルボタン５ａｎｇを押してアングル変更再生に入ると（図３２の時間ｔ３０）、図１のシステムＣＰＵ部５０は、図３０のアングル情報テーブル（ＮＳＭＬ＿ＡＧＬＩ）を参照して、セル番号＃１の飛び先アドレスを獲得する（ここではＶＯＢＵ＃２のスタートアドレス）。ここでの飛び先アドレスを＃２とするかその他とするかは、光ディスク１０のプロバイダ（ソフトウエア制作者）が図３０の表の中にどのアドレスを書き込むかによって決まる。そして光ディスク１０に記録されたアングル＃１のビデオ情報（ＶＯＢＵ＃２以降）を時間ｔ２０から再生する。
【０４０９】
図３２のＶＯＢＵ＃１以降が、ピッチャーＡがバッターＢへボールを投げる直前からの映像であるとすると、バックネット裏からのカメラアングル（＃５）でボールがミートされた瞬間の映像は、１塁内野スタンドからのカメラアングル（＃１）でピッチャーがホームランボールを投げる直前の映像に切り替わる。すると、視聴者は、画面右側からピッチャーＡがボールを投げ、画面左側のバッターＢがそのボールを打ち、打球が画面右側のライトスタンドに突き刺さるまでのシーンを見ることができる。
【０４１０】
なお、図３０の表のＮＳＭＬ＿ＡＧＬ＿Ｃ１＿ＤＳＴＡにアングルＡＧＬ＿Ｃ＃１のＶＯＢＵ＃１より以前のセルアドレスを書き込んで置けば、アングル＃ｉからアングル＃１への切り替えに伴い時間ｔ１０以前から始まる別アングル再生も可能となる。（この場合は１秒以上時間が逆戻ったノンシームレスアングル変更ができる。）
アングル変更に伴い大幅に時間を逆戻らせたいときは、ＶＯＢＵ単位のアングル変更に、より大きな時間単位のサーチ動作を組合せても良い。たとえば、図１１のビデオオブジェクト（ＶＯＢ＿ＩＤＮ２）８３中のあるアングルセル（＃５）を再生中にアングル切替操作を行い、ビデオオブジェクト（ＶＯＢ＿ＩＤＮ１）中の別アングルセル（＃９）のカメラアングルから再生を開始することは、（そのような要求があれば）可能である。
【０４１１】
いずれにせよ、図３２の例では、アングル切り替えに伴い再生時間（ストーリー展開上の時間の流れ）が前に逆戻ることから、時間的に不連続なノンシームレス再生となる。
【０４１２】
図２６に示したＤＳＩパケット１１７は、図３３に示すように、ビデオオブジェクトユニット（ＶＯＢＵ＃ｎ）８５をサーチするためのナビゲーションデータであるＤＳＩデータ（ＤＳＩｎ）１１５を含む。
【０４１３】
ＤＳＩデータ１１５は、図３４に示すように、３２バイトのＤＳＩ一般情報（ＤＳＩ＿ＧＩ）と、１４８バイトのシームレス再生情報と、５４バイトのシームレス再生用アングル情報（ＳＭＬ＿ＡＧＬＩ）と、１６８バイトのビデオオブジェクトユニット用サーチ情報（ＶＯＢＵ＿ＳＲＩ）と、１４４バイトの同期再生情報（ＳＹＮＣＩ）とを含んでいる。
【０４１４】
ＤＳＩ一般情報（ＤＳＩ＿ＧＩ）には、図３５に示すように、ＤＳＩデータ１１５全体に関する情報が記述されている。すなわち、ＤＳＩ一般情報（ＤＳＩ＿ＧＩ）には、初めにナビゲーションパック８６のシステム時刻基準参照値（ＮＶ＿ＰＣＫ＿ＳＣＲ）が記載されている（ＳＣＲはシステムクロックリファレンスの略）。
【０４１５】
このシステム時刻基準参照値（ＮＶ＿ＰＣＫ＿ＳＣＲ）は、図１の各部に組み込まれているシステムタイムクロック（ＳＴＣ）にロードされる。このＳＴＣを基準にして、図１の再生装置において、ビデオパック、オーディオパックおよび副映像パックがそれぞれビデオ、オーディオおよび副映像デコーダ部５８、６０、６２でデコードされ、デコードされた映像および音声がモニタ部６およびスピーカ部８で再生される。
【０４１６】
次に、ＤＳＩ一般情報（ＤＳＩ＿ＧＩ）には、ＤＳＩパケット１１７が含まれるビデオオブジェクトセット８２の論理ブロックの先頭からの相対論理ブロック数（ＲＬＢＮ）でもってこのＤＳＩパケットが含まれるナビゲーションパック８６のアドレス（スタートアドレス）を記述した、ナビゲーションパック論理ブロック数（ＮＶ＿ＰＣＫ＿ＬＢＮ）が記載される。
【０４１７】
さらに、ＤＳＩ一般情報（ＤＳＩ＿ＧＩ）には、ＤＳＩパケット１１７が含まれるビデオオブジェクトユニット８５の先頭論理ブロックからの相対論理ブロック数（ＲＬＢＮ）でもってこのビデオオブジェクトユニット８５内の最終パックのアドレスを記述した、ビデオオブジェクトユニットエンドアドレス（ＶＯＢＵ＿ＥＡ）が記載される。
【０４１８】
さらに、ＤＳＩ一般情報（ＤＳＩ＿ＧＩ）には、ＤＳＩパケット１１７が記録されたビデオオブジェクトユニット８５の先頭論理ブロックからの相対ブロック数（ＲＬＢＮ）でもって、このＤＳＩパケットの後に来る最初のエンコーデッドリファレンスピクチャー（最初のＩピクチャー）の最終データが記録されているビデオパケット８８のアドレスを記述した、ビデオオブジェクトユニット第１リファレンスピクチャーエンドアドレス（ＶＯＢＵ＿１ＳＴＲＥＦ＿ＥＡ）が記載される。もしこのビデオオブジェクトユニット８５がＩピクチャーを含まない（あるいはビデオデータを含まない）ときは、このＶＯＢＵ＿１ＳＴＲＥＦ＿ＥＡには００００００００ｈが書き込まれる。
【０４１９】
さらに、ＤＳＩ一般情報（ＤＳＩ＿ＧＩ）には、ＤＳＩパケット１１７が記録されたビデオオブジェクトユニット８５の先頭論理ブロックからの相対ブロック数（ＲＬＢＮ）でもって、このＤＳＩパケットの後に来る２番目のエンコーデッドリファレンスピクチャー（ＩピクチャーまたはＰピクチャー；通常は最初のＰピクチャー）の最終データが記録されているビデオパケット８８のアドレスを記述した、ビデオオブジェクトユニット第２リファレンスピクチャーエンドアドレス（ＶＯＢＵ＿２ＮＤＲＥＦ＿ＥＡ）が記載される。もしこのビデオオブジェクトユニット８５が第２リファレンスピクチャーを含まないときは、このＶＯＢＵ＿２ＮＤＲＥＦ＿ＥＡには００００００００ｈが書き込まれる。
【０４２０】
さらに、ＤＳＩ一般情報（ＤＳＩ＿ＧＩ）には、ＤＳＩパケット１１７が記録されたビデオオブジェクトユニット８５の先頭論理ブロックからの相対ブロック数（ＲＬＢＮ）でもって、このＤＳＩパケットの後に来る３番目のエンコーデッドリファレンスピクチャー（ＩピクチャーまたはＰピクチャー；通常は２番目のＰピクチャー）の最終データが記録されているビデオパケット８８のアドレスを記述した、ビデオオブジェクトユニット第３リファレンスピクチャーエンドアドレス（ＶＯＢＵ＿３ＲＤＲＥＦ＿ＥＡ）が記載される。もしこのビデオオブジェクトユニット８５が第３リファレンスピクチャーを含まないときは、このＶＯＢＵ＿３ＲＤＲＥＦ＿ＥＡには００００００００ｈが書き込まれる。
【０４２１】
なお、ビデオオブジェクトユニット（ＶＯＢＵ）は、通常、いくつかのグループオブピクチャー（ＧＯＰ）を含んでいる。この場合、上記第２および第３リファレンスピクチャーは、第１リファレンスピクチャーの属するグループオブピクチャー（ＧＯＰ）以外のＧＯＰに属するものであってもよい。その際、上記エンドアドレス（ＶＯＢＵ＿２ＮＤＲＥＦ＿ＥＡおよびＶＯＢＵ＿３ＲＤＲＥＦ＿ＥＡ）は、グループオブピクチャー（ＧＯＰ）の境界を跨って算出される。
【０４２２】
さらに、ＤＳＩ一般情報（ＤＳＩ＿ＧＩ）には、ＤＳＩパケット１１７が含まれるビデオオブジェクト８３の識別番号（ＶＯＢＵ＿ＶＯＢ＿ＩＤＮ）が記載される。
【０４２３】
さらに、ＤＳＩ一般情報（ＤＳＩ＿ＧＩ）には、ＤＳＩパケット１１７が含まれるセル８４の識別番号（ＶＯＢＵ＿Ｃ＿ＩＤＮ）が記載される。
【０４２４】
さらに、ＤＳＩ一般情報（ＤＳＩ＿ＧＩ）には、図２９の再生制御情報一般情報（ＰＣＩ＿ＧＩ）のテーブル内のセル経過時間（Ｃ＿ＥＬＴＭ）と同一内容のセル経過時間（Ｃ＿ＥＬＴＭ）が記載される。
【０４２５】
図３６のシームレス再生用アングル情報（ＳＭＬ＿ＡＧＬＩ）には、ＰＣＩデータ１１３のノンシームレス再生用アングル情報（ＮＳＭＬ＿ＡＧＬＩ）と同様な、飛び先アングルセルのアドレスが記載されている。
【０４２６】
図３６に示すように、アングル情報（ＳＭＬ＿ＡＧＬＩ）には、選択可能なアングルの数だけ、飛び先のアングルセル（ＡＧＬ＿Ｃ＃ｎ）のスタートアドレスおよびセルサイズを示すシームレスアングルセル飛び先（ＳＭＬ＿ＡＧＬ＿Ｃｎ＿ＤＳＴＡ）が記載される。このＳＭＬ＿ＡＧＬ＿Ｃｎ＿ＤＳＴＡは、図３７に示すように、４８ビット（６バイト）で構成されている。
【０４２７】
すなわち、最初の２バイト（下位１６ビット）でアングルセル（ＡＧＬ＿Ｃ＃ｎ）の飛び先インターリーブドユニット（ＩＬＶＵ）のサイズが示され、続く３１ビットでアングルセル（ＡＧＬ＿Ｃ＃ｎ）の飛び先アドレスが示され、最後の１ビット（４８ビット目）でアングルセルのロケーションフラグ（ＡＧＬ＿Ｃ location）が示されるようになっている。
【０４２８】
ここでのロケーションフラグ（ＡＧＬ＿Ｃ location）は、該当データサーチ情報（ＤＳＩ）が含まれるナビゲーションパック（ＮＶ＿ＰＣＫ）の前に飛び先が配置されているかどうかを記述するものである。すなわち、フラグ（ＡＧＬ＿Ｃ location）が０ｂ（バイナリ０）であれば飛び先がナビゲーションパックの後であることが示される。それが１ｂの場合の取り扱いはとくに決まっていない。
【０４２９】
このシームレス再生用アングル情報（ＳＭＬ＿ＡＧＬＩ）は、アングル変更がシームレスに行われるときにのみ（つまりシームレスアングル変更フラグが立っているときにのみ）有効な情報である。（このシームレスアングル変更フラグが立っていないときはアングル変更がノンシームレスに行われ、その場合はノンシームレス再生用アングル情報（ＮＳＭＬ＿ＡＧＬＩ）が有効となる。）
上記飛び先のアングルセル（ＡＧＬ＿Ｃ＃ｎ）のスタートアドレスは、ＤＳＩデータ１１５が含まれたあるアングルセルのインターリーブドユニット（ＩＬＵ＃ｎー１）の再生完了時に、そのあと引き続いて再生されるべきアングルセル（ＡＧＬ＿Ｃ＃ｎ）のインターリーブドユニット（ＩＬＵ＃ｎ）のスタートアドレスを、このＤＳＩデータ１１５が含まれるナビゲーションパック８６の論理ブロックからの相対論理ブロック数（ＲＬＢＮ）でもって、記述したものである。
【０４３０】
ここで、インターリーブドユニット（ＩＬＵ＃ｎ）とは、プログラム内容の観点からみれば各々連続した複数のアングルセル（ＡＧＬ＿Ｃ＃ｎ）を、物理的には光ディスク１０上で互い違いに（細切れに）インターリーブ記録する際の記録単位である。
【０４３１】
このインターリーブドユニット（ＩＬＵ＃ｎ）を図１１のビデオオブジェクトユニット（ＶＯＢＵ）８５に対応させてみると、複数アングルセルそれぞれの１以上のＶＯＢＵ（より細かく言えばＶＯＢＵを構成するビデオパックの集合）が光ディスク１０のトラック上でインターリーブ記録されることになる。（ちなみに、各インターリーブドユニットは１以上のＶＯＢＵで構成されるようになっている。）
図３８の図解を例にとると、アングルセル（ＡＧＬ＿Ｃ＃１）ないしアングルセル（ＡＧＬ＿Ｃ＃９）のインターリーブドユニット（ＩＬＵ＃１）が物理的に順番に（光ディスク１０の記録トラック上に）配置され、その後にアングルセル（ＡＧＬ＿Ｃ＃１）ないしアングルセル（ＡＧＬ＿Ｃ＃９）のインターリーブドユニット（ＩＬＵ＃２）が物理的に順番に配置される。以下同様に、ＡＧＬ＿Ｃ＃１〜＃９のＩＬＵ＃３が配置され、その後にＡＧＬ＿Ｃ＃１〜＃９のＩＬＵ＃４が配置されて行く（各ＩＬＵ＃は１以上のＶＯＢＵで構成されている）。
【０４３２】
アングルブロック中のアングルセル（ＡＧＬ＿Ｃ＃ｉ；ｉ＝１〜ｎ）は、再生時間の流れの中では並列に配置される。また、アングルブロック以外のセルとの関係では、アングルブロックのセルは再生時間の流れの中で前後のセルと直列に配置される。
【０４３３】
以上のように、各アングルセル（＃１〜＃９）の情報（複数ＶＯＢＵ）がインターリーブドユニットＩＬＵ＃１、＃２、＃３、…の形で細切れにインターリーブ記録された部分をインターリーブドブロックと呼ぶ。そして、各アングルセルＡＧＬ＿Ｃ＃１〜ＡＧＬ＿Ｃ＃９のインターリーブドユニットＩＬＵは、たとえば同じバッターのホームランシーンのような同一イベントあるいは関連イベントを種々なカメラアングルで捕らえた映像情報を、再生時間が０.４〜１秒のビデオオブジェクトユニット（ＶＯＢＵ）を単位として含んでいる。
【０４３４】
図３６に示したシームレス再生アングル情報（ＳＭＬ＿ＡＧＬＩ）に基づくアングルの変更が上記インターリーブドブロックの再生中に行われる場合には、たとえば次のような動作が行われる。
【０４３５】
すなわち、図３８に示すように、ＤＳＩデータ１１５が記録された現在再生中のアングルセル（ＡＧＬ＿Ｃ＃ｉ）のインターリーブドユニット（ＩＬＵ＃２）の再生時間（ｔ６０〜ｔ８０）の直後に続く飛び先アングルセル（ＡＧＬ＿Ｃ＃１または＃９）のインターリーブドユニット（ＩＬＵ＃３）に、図２の光ヘッド３２のトレース先が飛ぶ。
【０４３６】
図３８の例では、アングル切り替えに伴い再生時間がセル切替直後の時間へ飛ぶことから、時間的に連続したシームレス再生となる。
【０４３７】
なお、上記アングル変更が行われないときは、インターリーブドブロック中のアングルセル（ＡＧＬ＿Ｃ＃ｉ）を再生している間、光ヘッド３２は、そのアングルセル（ＡＧＬ＿Ｃ＃ｉ）だけのインターリーブドユニットＩＬＵ＃１、＃２、＃３、…を、（ＡＧＬ＿Ｃ＃ｉ以外のＩＬＵ＃１、＃２、＃３、…は飛ばして）飛び飛びにトレースする。
【０４３８】
前述したＰＣＩのアングル情報（ＮＳＭＬ＿ＡＧＬＩ）を用いた場合はビデオオブジェクトユニット（ＶＯＢＵ）単位（０.４〜１秒）で時間的に逆戻るアングル変更がなされたが、ＤＳＩのアングル情報（ＳＭＬ＿ＡＧＬＩ）を用いた場合には、インターリーブ記録されたセル単位（ＶＯＢＵ単位以上の時間間隔）でアングルが変更され、時間的に連続して（逆戻らないで）別アングルのシーンに変更される。
【０４３９】
すなわち、再生制御情報（ＰＣＩ）のアングル情報（ＮＳＭＬ＿ＡＧＬＩ）が時間的に不連続（ノンシームレス）なアングル変更を記述しているのに対して、データサーチ情報（ＤＳＩ）のアングル情報（ＳＭＬ＿ＡＧＬＩ）には、時間的に連続（シームレス）するアングル変更を記述している。
【０４４０】
ここで、野球のゲームシーンを例として、シームレスアングル変更をより具体的に説明する。ここで、アングルセルＡＧＬ＿Ｃ＃ｉは、ピッチャーＡが投球しその球をバッターＢが打ちその打球がホームランとなるシーンを内野席から連続撮影したビデオデータのストリームであり、アングルセルＡＧＬ＿Ｃ＃１は同じ場面を外野席から撮影したビデオデータストリームであるとする。また、アングルセルＡＧＬ＿Ｃ＃９は、同じ場面についてバッターＢが属するチームの様子を撮影したビデオデータストリームであるとする。
【０４４１】
いま、アングルセルＡＧＬ＿Ｃ＃ｉを鑑賞している視聴者が、バッターＢがボールを打った瞬間にアングルセルＡＧＬ＿Ｃ＃１（外野席からのシーン）に変更すると（図３８の時間ｔ７０）、バッターＢの打撃直後から時間的に連続して、外野に（視聴者側に）打球が飛んでくる画面に切り替わる。（切替途中で画面をフリーズさせない。）
また、始めにアングルセルＡＧＬ＿Ｃ＃ｉを鑑賞していて打球がホームランとなった瞬間にアングルセルＡＧＬ＿Ｃ＃９に変更すると、バッターＢの属するチームの様子が映し出されるアングルに切り替わる。すると、ホームランで大騒ぎとなったチームの様子および監督の表情が画面に表示される。
【０４４２】
このようにＰＣＩデータ１１３のアングル情報（ＮＳＭＬ＿ＡＧＬＩ）およびＤＳＩデータ１１５のアングル情報（ＳＭＬ＿ＡＧＬＩ）を適宜使い分けることにより、視聴者にとって感覚上明らかに異なるマルチアングルシーンの再現が可能になる。
【０４４３】
プログラムチェーン（ＰＧＣ）には、ファーストプレイＰＧＣ（ＦＰ＿ＰＧＣ）、ビデオマネージャメニューＰＧＣ（ＶＭＧＭ＿ＰＧＣ）、ビデオタイトルセットメニューＰＧＣ（ＶＴＳＭ＿ＰＧＣ）およびタイトルＰＧＣ（ＴＴ＿ＰＧＣ）の４種類がある。
【０４４４】
これらのプログラムチェーン（ＰＧＣ）は、通常はプログラムチェーン情報（ＰＧＣＩ）と１以上のビデオオブジェクト（ＶＯＢ；それぞれ１以上のセルを含む）とで構成されるが、ビデオオブジェクトなしでプログラムチェーン情報（ＰＧＣＩ）だけのプログラムチェーン（ＰＧＣ）もあり得る。プログラムチェーン情報（ＰＧＣＩ）だけのプログラムチェーン（ＰＧＣ）は、再生条件を決定し再生を他のプログラムチェーンに移管するときに使用される。
【０４４５】
プログラムチェーン情報（ＰＧＣＩ）の数は、ＰＧＣＩサーチポインタの記載順に１から割り当てられる。プログラムチェーン（ＰＧＣ）の数はプログラムチェーン情報（ＰＧＣＩ）の数と同じになる。プログラムチェーンがブロック構造をとる場合でも、ブロック内のプログラムチェーン（ＰＧＣ）数はＰＧＣＩサーチポインタの連続数と一致する。
【０４４６】
プログラムチェーン情報（ＰＧＣＩ）は、図３９に示すような構造を持つ。すなわち、プログラムチェーン情報（ＰＧＣＩ）は、プログラムチェーン一般情報（ＰＧＣ＿ＧＩ；必須）、プログラムチェーンコマンドテーブル（ＰＧＣ＿ＣＭＤＴ；オプション）、プログラムチェーンプログラムマップ（ＰＧＣ＿ＰＧＭＡＰ；次のＣ＿ＰＢＩＴが存在するときは必須）、セル再生情報テーブル（Ｃ＿ＰＢＩＴ；オプション）、およびセル位置情報テーブル（Ｃ＿ＰＯＳＩＴ；前記Ｃ＿ＰＢＩＴが存在するときは必須）によって構成されている。
【０４４７】
セル再生情報テーブル（Ｃ＿ＰＢＩＴ）は、図４０に示すように、最大２５５個のセル再生情報（Ｃ＿ＰＢＩｎ；＃ｎ＝＃１〜＃２５５）を含んでいる。
【０４４８】
各セル再生情報（Ｃ＿ＰＢＩ）は、図４１に示すように、セルカテゴリー（Ｃ＿ＣＡＴ；４バイト）、セル再生時間（Ｃ＿ＰＢＴＭ；４バイト）、セル内の最初のビデオオブジェクトユニット（ＶＯＢＵ）のスタートアドレス（Ｃ＿ＦＶＯＢＵ＿ＳＡ；４バイト）、セル内の最初のインターリーブドユニット（ＩＬＶＵ）のエンドアドレス（Ｃ＿ＦＩＬＶＵ＿ＥＡ；４バイト）、セル内の最終ビデオオブジェクトユニット（ＶＯＢＵ）のスタートアドレス（Ｃ＿ＬＶＯＢＵ＿ＳＡ；４バイト）、およびセル内の最終ビデオオブジェクトユニット（ＶＯＢＵ）のエンドアドレス（Ｃ＿ＬＶＯＢＵ＿ＥＡ；４バイト）を含んでいる。
【０４４９】
セルカテゴリー（Ｃ＿ＣＡＴ）は、図４２に示すように、下位８ビット（ｂ０〜ｂ７）でセルコマンド数を示し、次の８ビット（ｂ８〜ｂ１５）でセルスチル時間を示し、次の５ビット（ｂ１６〜ｂ２０）でセルタイプ（たとえばカラオケか）を示し、次の１ビット（ｂ２１）でアクセス制限フラグを示し、次の１ビット（ｂ２２）でセル再生モード（たとえば動画かスチルか）を示し、予約ビットを飛んで次の１ビット（ｂ２４）でシームレスアングル変更フラグを示し、次の１ビット（ｂ２５）でシステムタイムクロックＳＴＣの不連続フラグ（ＳＴＣをリセットするかどうか）を示し、次の１ビット（ｂ２６）でインターリーブ配置フラグ（Ｃ＿ＰＢＩで指定されたセルが連続ブロック中のものであるのかインターリーブドブロック中のものであるのか）を示し、次の１ビット（ｂ２７）でシームレス再生フラグ（Ｃ＿ＰＢＩで指定されたセルがシームレス再生されるべきかどうか）を示し、次の２ビット（ｂ２８〜ｂ２９）でセルブロックタイプ（たとえばアングルブロックかどうか）を示し、最後の２ビット（ｂ３０〜ｂ３１）でセルブロックモード（たとえばブロック内の最初のセルかどうか）を示すようになっている。
【０４５０】
ここで、セルブロックモードが００ｂ（ｂはバイナリの意）のときはブロック内セルではないことを示し、それが０１ｂのときはブロック内の最初のセルであることを示し、それが１０ｂのときはブロック中のセルであることを示し、それが１１ｂのときはブロック内の最後のセルであることを示す。
【０４５１】
また、セルブロックタイプが００ｂのときは該当ブロックの一部ではないことを示し、それが０１ｂのときは該当ブロックがアングルブロック（マルチアングルのセルを含むブロック）であることを示す。
【０４５２】
マルチアングルセルを含むタイトル（図１８のＴＴ＿ＳＲＰ中のＡＧＬ＿Ｎｓが２以上）再生中でこのセルブロックタイプが０１ｂでないときは、たとえば図７のアングルマーク４０７は点灯されたままとされる。
【０４５３】
一方、このセルブロックタイプ＝０１ｂを再生中に検知すれば、現在アングルブロック再生中であることを、図７のアングルマーク４０７の点滅（または点灯色の変更、あるいはアングルマークの形の変更）により、視聴者に通知できる。これにより、視聴者は現在再生中の映像に関して別アングルの画像再生が可能なことを知ることができる。
【０４５４】
また、インターリーブ配置フラグが０ｂのときは該当セルが連続ブロック中（複数ＶＯＢＵが連続記録されている）のものであることを示し、インターリーブ配置フラグが１ｂのときは該当セルがインターリーブドブロック（各々が１以上のＶＯＢＵを含むＩＬＶＵがインターリーブ記録されている）中のものであることを示す。
【０４５５】
また、シームレスアングル変更フラグが立っている（＝１ｂ）ときは該当セルがシームレス再生の対象であることを示し、このフラグが立っていない（＝０ｂ）ときは該当セルがノンシームレス再生の対象であることを示す。
【０４５６】
すなわち、インターリーブ配置フラグ＝１ｂでシームレスアングル変更フラグ＝０ｂときはノンシームレスアングル変更可能状態となり、インターリーブ配置フラグ＝１ｂでシームレスアングル変更フラグ＝１ｂのときはシームレスアングル変更可能状態となる。
【０４５７】
なお、アクセス時間の極めて早いメディアドライブシステム（ビデオの１フレーム期間以内に所望のアングルブロックの先頭にアクセスできるシステム；光ディスクドライブシステムに必ずしも限定しない）が使用されるならば、インターリーブ配置フラグ＝０ｂ、すなわちインターリーブ記録されていないＶＯＢＵの集合（別々のアングルセル）の間で、スムースなアングル変更を実現できる。
【０４５８】
比較的アクセス速度の遅い光ディスク１０が記録メディアとして用いられる場合は、そのディスクの記録トラック１周分をインターリーブドブロック１個分の記録に割り当てておくとよい。そうすれば、隣接インターリーブドブロック間のジャンプ（アングル変更）時に光ヘッドのトレース先はディスクの半径方向に１トラック分だけ微動すればよいので、タイムラグの殆どないトラックジャンプ（図３８のようなシームレスアングル変更に適する）が可能になる。
【０４５９】
一方、１ビデオオブジェクトユニット（ＶＯＢＵ）分のトラックジャンプをすると、最大、ディスクの１回転分のタイムラグが生じ得る。したがって、ＶＯＢＵ単位のジャンプを伴うアングル変更は、図３２のようなノンシームレスアングル変更に適している。
【０４６０】
ここで、シームレスアングル変更フラグの内容は、通常は、プロバイダ（光ディスク１０に記録される各タイトルのプログラム内容を制作するソフトウエア制作者）により予め決定される。つまり、シームレスアングル変更フラグの内容を予め決めておくことにより、図３２のノンシームレスアングル変更にするか図３８のシームレスアングル変更にするかをプロバイダが一義的に決めてしまうことができる。しかし、光ディスクから該当タイトルセットのセルデータを読み取った後に、読み取りデータ中のシームレスアングル変更フラグの内容を視聴者（図１の再生装置のユーザ）が任意に変更できるように再生装置のハードウエアを構成することは、可能である。
【０４６１】
また、セル再生モードが０ｂのときはセル内で連続再生することを示し、それが１ｂのときはセル内に存在するそれぞれのＶＯＢＵでスチル再生することを示す。
【０４６２】
また、アクセス制限フラグが０ｂのときは再生が許可され、それが１ｂのときは再生が禁止される（このフラグは、たとえば１ブロック内の全セルに対して同じ内容に設定される）。
【０４６３】
また、セルタイプは、たとえば該当セルがカラオケ用に作成されている場合に、その５ビットの内容によって、以下のものを示すことができる。
【０４６４】
すなわち、０００００ｂならセルタイプの指定がなされず、００００１ｂならカラオケのタイトル画像が指定され、０００１０ｂならカラオケのイントロが指定され、０００１１ｂならクライマックス（錆）以外の歌唱部分が指定され、００１００ｂなら第１のクライマックスの歌唱部分が指定され、００１０１ｂなら第２のクライマックスの歌唱部分が指定され、００１１０ｂなら男性ボーカルの歌唱部分が指定され、００１１１ｂなら女性ボーカルの歌唱部分が指定され、０１０００ｂなら男女混声ボーカルの歌唱部分が指定され、０１００１ｂなら間奏曲（楽器だけの演奏）部分が指定され、０１０１０ｂなら間奏曲のフェードインが指定され、０１０１１ｂなら間奏曲のフェードアウトが指定され、０１１００ｂなら第１のエンディング演奏部分が指定され、０１１０１ｂなら第２のエンディング演奏部分が指定される。残りの５ビットコードの内容はその他の用途に使用できる。
【０４６５】
なお、アングル変更は、カラオケの背景ビデオのアングル変更にも適用できる。（たとえばガイドボーカルを歌う歌手の全身映像、顔のアップ映像、口元のアップ映像などを、カラオケ音楽の流れに沿ってシームレスに、あるいは少し前に逆戻りしてノンシームレスに、さらには所望小節間のリピート再生中に、視聴者が望むままにアングル変更できる。）
また、図４２のセルスチル時間の８ビット内容が００００００００ｂのときは、スチルでないことが指定され、それが１１１１１１１１ｂのときは時限なしのスチルが指定され、それが０００００００１ｂ〜１１１１１１１０ｂのときは、この内容で指定された十進数（１〜２５４）を秒数表示した長さのスチル表示が指定される。
【０４６６】
またセルコマンド数は、該当セルの再生終了時に実行されるべきコマンド数を示す。
【０４６７】
図４２中のシームレス再生フラグおよびシステムタイムクロックＳＴＣ不連続フラグは、セル再生状態に応じて、図４３に示すような内容をとる。
【０４６８】
すなわち、直前のセル（先行セル）がアングルブロック内のセルであり現在のセルが単独のセルであれば、シームレス再生フラグおよびＳＴＣ不連続フラグはそれぞれ”１”および”１”となる。
【０４６９】
直前のセルが単独セルであり現在のセルがアングルブロック内のセルである場合も、シームレス再生フラグおよびＳＴＣ不連続フラグはそれぞれ”１”および”１”となる。（つまり、アングルブロックと通常ブロックが切り替えられるため不連続フラグに”１”が立つ。）
直前のセルが存在せず現在のセルがアングルブロック内のセルである場合は、シームレス再生フラグおよびＳＴＣ不連続フラグはそれぞれ”０”および”１”となる。
【０４７０】
一方、直前のセルも現在のセルもアングルブロック内のセルであれば、シームレス再生フラグおよびＳＴＣ不連続フラグはそれぞれ”１”および”０”となる。（つまり、アングルブロックがそのまま切り替えられないため不連続フラグが立たず、この不連続フラグは”０”になる。）
ここで、一旦、説明対象を変え、ビデオタイトルセットＶＴＳの構成を説明する。図１０のビデオタイトルセット（ＶＴＳ）７２は、最大１０個のファイル（＃ｊ〜＃ｊ＋９）７４Ｂで構成されている。このビデオタイトルセット７２は、各ファイルに対応して、図４４に示すような４つの項目を含んでいる。
【０４７１】
すなわち、図４４において、ビデオタイトルセット（ＶＴＳ）７２は、ビデオタイトルセット情報（ＶＴＳＩ）９４と、ビデオタイトルセットメニュー用ビデオオブジェクトセット（ＶＴＳＭ＿ＶＯＢＳ）９５と、ビデオタイトルセットタイトル用ビデオオブジェクトセット（ＶＴＳＴＴ＿ＶＯＢＳ）９６と、ビデオタイトルセット情報のバックアップ（ＶＴＳＩ＿ＢＵＰ）９７とを含んでいる。
【０４７２】
ここで、ビデオタイトルセット情報（ＶＴＳＩ）９４、ビデオタイトルセットタイトル用ビデオオブジェクトセット（ＶＴＳＴＴ＿ＶＯＢＳ）９６およびビデオタイトルセット情報のバックアップ（ＶＴＳＩ＿ＢＵＰ）９７は必須の項目とし、ビデオタイトルセットメニュー用ビデオオブジェクトセット（ＶＴＳＭ＿ＶＯＢＳ）９５はオプションとすることができる。
【０４７３】
図４４に示すように、ビデオタイトルセット（ＶＴＳ）７２の先頭に配置されたビデオタイトルセット情報（ＶＴＳＩ）９４には、ビデオタイトルセット情報管理テーブル（ＶＴＳＩ＿ＭＡＴ；必須）９４１と、ビデオタイトルセットのパートオブタイトル（たとえばプログラムのチャプター）用のタイトルサーチポインタテーブル（ＶＴＳ＿ＰＴＴ＿ＳＲＰＴ；必須）９４２と、ビデオタイトルセットのプログラムチェーン情報テーブル（ＶＴＳ＿ＰＧＣＩＴ；必須）９４３と、ビデオタイトルセットメニュー用のプログラムチェーン情報ユニットテーブル（ＶＴＳＭ＿ＰＧＣＩ＿ＵＴ；ＶＴＳＭ＿ＶＯＢＳが存在するときは必須）９４４と、ビデオタイトルセットタイムマップテーブル（ＶＴＳ＿ＴＭＡＰＴ；オプション）９４５と、ビデオタイトルセットメニュー用のセルアドレステーブル（ＶＴＳＭ＿Ｃ＿ＡＤＴ；ＶＴＳＭ＿ＶＯＢＳが存在するときは必須）９４６と、ビデオタイトルセットメニュー用のビデオオブジェクトユニットアドレスマップ（ＶＴＳＭ＿ＶＯＢＵ＿ＡＤＭＡＰ；ＶＴＳＭ＿ＶＯＢＳが存在するときは必須）９４７と、ビデオタイトルセットセルアドレステーブル（ＶＴＳ＿Ｃ＿ＡＤＴ；必須）９４８と、ビデオタイトルセット用のビデオオブジェクトユニットアドレスマップ（ＶＴＳ＿ＶＯＢＵ＿ＡＤＭＡＰ；必須）９４９とが、この順番で記述されている。
【０４７４】
図４４のビデオタイトルセット情報管理テーブル（ＶＴＳＩ＿ＭＡＴ）９４１には、図４５に示すように、ビデオタイトルセット識別子（ＶＴＳ＿ＩＤ）と、ビデオタイトルセットのエンドアドレス（ＶＴＳ＿ＥＡ）と、ビデオタイトルセット情報のエンドアドレス（ＶＴＳＩ＿ＥＡ）と、該当光ディスク（ＤＶＤ）１０が採用する規格のバージョン番号（ＶＥＲＮ）と、ビデオタイトルセットのカテゴリー（ＶＴＳ＿ＣＡＴ）と、ビデオタイトルセット情報管理テーブルのエンドアドレス（ＶＴＳＩ＿ＭＡＴ＿ＥＡ）と、ビデオタイトルセットメニューのビデオオブジェクトセットのスタートアドレス（ＶＴＳＭ＿ＶＯＢＳ＿ＳＡ）と、ビデオタイトルセットタイトルのビデオオブジェクトセットのスタートアドレス（ＶＴＳＴＴ＿ＶＯＢＳ＿ＳＡ）と、ビデオタイトルセットのパートオブタイトルサーチポインタテーブルのスタートアドレス（ＶＴＳ＿ＰＴＴ＿ＳＲＰＴ＿ＳＡ）と、ビデオタイトルセットのプログラムチェーン情報テーブルのスタートアドレス（ＶＴＳ＿ＰＧＣＩＴ＿ＳＡ）と、ビデオタイトルセットメニューのプログラムチェーン情報のユニットテーブルのスタートアドレス（ＶＴＳＭ＿ＰＧＣＩ＿ＵＴ＿ＳＡ）と、ビデオタイトルセットのタイムマップテーブルのスタートアドレス（ＶＴＳ＿ＴＭＡＰＴ＿ＳＡ）と、ビデオタイトルセットメニューのセルアドレステーブルのスタートアドレス（ＶＴＳＭ＿Ｃ＿ＡＤＴ＿ＳＡ）と、ビデオタイトルセットメニューのビデオオブジェクトユニットのアドレスマップのスタートアドレス（ＶＴＳＭ＿ＶＯＢＵ＿ＡＤＭＡＰ＿ＳＡ）と、ビデオタイトルセットのセルアドレステーブルのスタートアドレス（ＶＴＳ＿Ｃ＿ＡＤＴ＿ＳＡ）と、ビデオタイトルセットのビデオオブジェクトユニットのアドレスマップのスタートアドレス（ＶＴＳ＿ＶＯＢＵ＿ＡＤＭＡＰ＿ＳＡ）と、ビデオタイトルセットメニューのビデオ属性（ＶＴＳＭ＿Ｖ＿ＡＲＴ）と、ビデオタイトルセットメニューのオーディオストリーム数（ＶＴＳＭ＿ＡＳＴ＿Ｎｓ）と、ビデオタイトルセットメニューのオーディオストリーム属性（ＶＴＳＭ＿ＡＳＴ＿ＡＴＲ）と、ビデオタイトルセットメニューの副映像ストリーム数（ＶＴＳＭ＿ＳＰＳＴ＿Ｎｓ）と、ビデオタイトルセットメニューの副映像ストリーム属性（ＶＴＳＭ＿ＳＰＳＴ＿ＡＴＲ）と、ビデオタイトルセットのビデオ属性（ＶＴＳ＿Ｖ＿ＡＲＴ）と、ビデオタイトルセットのオーディオストリーム数（ＶＴＳ＿ＡＳＴ＿Ｎｓ）と、ビデオタイトルセットのオーディオストリーム属性テーブル（ＶＴＳ＿ＡＳＴ＿ＡＴＲＴ）と、ビデオタイトルセットの副映像ストリーム数（ＶＴＳ＿ＳＰＳＴ＿Ｎｓ）と、ビデオタイトルセットの副映像ストリーム属性テーブル（ＶＴＳ＿ＳＰＳＴ＿ＡＴＲＴ）と、およびビデオタイトルセットのマルチチャネルオーディオストリーム属性テーブル（ＶＴＳ＿ＭＵ＿ＡＳＴ＿ＡＴＲＴ）が記載されている。
【０４７５】
なお、上記の各テーブルは、光ディスク１０に記録されるデータの論理ブロックの境界に揃えられるようになっている。
【０４７６】
図４４のビデオタイトルセットのパートオブタイトル用のタイトルサーチポインタテーブル（ＶＴＳ＿ＰＴＴ＿ＳＲＰＴ）９４２には、図４６に示すように、パートオブタイトル用サーチポインタテーブル情報（ＰＴＴ＿ＳＲＰＴＩ）９４２Ａと、タイトルユニット＃１からタイトルユニット＃ｎまでのサーチポインタ（ＴＴＵ＿ＳＲＰ＃１〜ＴＴＵ＿ＳＲＰ＃ｎ）９４２Ｂと、タイトルユニット＃１〜＃ｎ各々に対するパートオブタイトルサーチポインタ（ＰＴＴ＿ＳＲＰ＃１〜ＰＴＴ＿ＳＲＰ＃ｍ、または総称してＰＴＴ＿ＳＲＰｓ；ｓは複数を示す）９４２Ｃとが含まれている。
【０４７７】
ここで、パートオブタイトル（ＰＴＴ）は、対応タイトル内のエントリーポイントを指す。このパートオブタイトル（ＰＴＴ）にはパートオブタイトルサーチポインタ（ＰＴＴ＿ＳＲＰ）が割り当てられており、ここでプログラムチェーン数（ＰＧＣＮ）およびプログラム数（ＰＧＮ）が記述される。このパートオブタイトルサーチポインタ（ＰＴＴ＿ＳＲＰ）は対応プログラムの頭に配置される。
【０４７８】
パートオブタイトル数（ＰＴＴＮ）は各タイトル毎に付与される。このパートオブタイトル数に対応して、１以上のパートオブタイトルサーチポインタ（ＰＴＴ＿ＳＲＰ）が、１からパートオブタイトルの数まで、昇順で記述される。各タイトル毎に設けられたこのようなパートオブタイトルサーチポインタ（ＰＴＴ＿ＳＲＰ）の集合が、タイトルユニット（ＴＴＵ；図４６ではＴＴＵ＃１〜ＴＴＵ＃ｎ）を構成している。たとえば各タイトルの１番目のパートオブタイトル（ＰＴＴＮ＃１）はエントリープログラムチェーンのプログラム番号ＰＧＮ＃１に対応する。
【０４７９】
なお、該当タイトルが１シーケンシャルプログラムチェーンで構成されたタイトルである場合は、パートオブタイトル数（ＰＴＴＮ）はそのタイトルの全てのプログラムに再生順に割り当てられる。
【０４８０】
プログラムチェーンブロックに対して定義された複数のパートオブタイトル（ＰＴＴ）は、そのブロックの最初のプログラムチェーンに割り当てられる。
【０４８１】
このプログラムチェーンブロック内の他のプログラムチェーン（ＰＧＣ）に対する複数パートオブタイトル（ＰＴＴ）は、最初のプログラムチェーンのパートオブタイトルを定義するのに用いたものと同じプログラム番号（ＰＧＮ）によって定義される。
【０４８２】
パートオブタイトル用サーチポインタテーブル情報（ＰＴＴ＿ＳＲＰＴＩ）９４２Ａは、図４７に示すように、ビデオタイトルセット内のタイトルユニットの数（ＶＴＳ＿ＴＴＵ＿Ｎｓ）およびビデオタイトルセットのパートオブタイトルのサーチポインタテーブルのエンドアドレス（ＶＴＳ＿ＰＴＴ＿ＳＲＰＴ＿ＥＡ）を含んでいる。
【０４８３】
ここで、タイトルユニットの数（ＶＴＳ＿ＴＴＵ＿Ｎｓ）は、ビデオタイトルセット（ＶＴＳ）内のタイトル数と同じであり、最大９９まで可能となっている。また、エンドアドレス（ＶＴＳ＿ＰＴＴ＿ＳＲＰＴ＿ＥＡ）は、該当パートオブタイトルサーチポインタテーブル（ＶＴＳ＿ＰＴＴ＿ＳＲＰＴ）の最初のバイトからの相対ブロック数で記述されている。
【０４８４】
各サーチポインタ（ＴＴＵ＿ＳＲＰ＃１〜ＴＴＵ＿ＳＲＰ＃ｎ）９４２Ｂは、図４８に示すように、タイトルユニット（ＴＴＵ）のスタートアドレス（ＴＴＵ＿ＳＡ）を含んでいる。このＴＴＵ＿ＳＡは、該当パートオブタイトルサーチポインタテーブル（ＶＴＳ＿ＰＴＴ＿ＳＲＰＴ）の最初のバイトからの相対ブロック数で記述されている。
【０４８５】
各パートオブタイトルサーチポインタ（ＰＴＴ＿ＳＲＰ）９４２Ｃは、図４９に示すように、プログラムチェーン番号（ＰＧＣＮ）およびプログラム番号（ＰＧＮ）を含んでいる。
【０４８６】
このＰＧＣＮは選択されるプログラムチェーンに割り当てられる連続番号を記述したものである。あるブロックの複数プログラムチェーン（ＰＧＣ）についていえば、プログラムチェーン番号（ＰＧＣＮ）はそのブロックの最初のプログラムチェーン（ＰＧＣ）にセットされる。
【０４８７】
また、プログラム番号（ＰＧＮ）は選択されたプログラムチェーン（ＰＧＣ）内のプログラム番号を記述したものである。そのプログラムチェーン（ＰＧＣ）がビデオオブジェクト（ＶＯＢ）を含まないときは、このプログラム番号（ＰＧＮ）には”０”が記述される。
【０４８８】
図４４のビデオタイトルセットのプログラムチェーン情報テーブル（ＶＴＳ＿ＰＧＣＩＴ）９４３には、図５０に示すように、ビデオタイトルセットプログラムチェーン情報テーブル情報（ＶＴＳ＿ＰＧＣＩＴＩ）９４３Ａと、ビデオタイトルセットプログラムチェーン情報サーチポインタ（ＶＴＳ＿ＰＧＣＩ＿ＳＲＰ＃１〜ＶＴＳ＿ＰＧＣＩ＿ＳＲＰ＃ｎ）９４３Ｂと、ビデオタイトルセットプログラムチェーン情報（ＶＴＳ＿ＰＧＣＩ）９４３Ｃとが含まれている。（プログラムチェーン情報ＰＧＣＩについては図３９を参照して説明済み。）
なお、複数設けられたビデオタイトルセットプログラムチェーン情報（ＶＴＳ＿ＰＧＣＩ）９４３Ｃの順序は、複数のビデオタイトルセットプログラムチェーン情報サーチポインタ（ＶＴＳ＿ＰＧＣＩ＿ＳＲＰ＃１〜ＶＴＳ＿ＰＧＣＩ＿ＳＲＰ＃ｎ）９４３Ｂの順序と無関係に設定されている。したがって、たとえば同一のプログラムチェーン情報（ＶＴＳ＿ＰＧＣＩ）を１以上のプログラムチェーン情報サーチポインタ（ＶＴＳ＿ＰＧＣＩ＿ＳＲＰ）で指し示すことが可能となっている。
【０４８９】
ビデオタイトルセットプログラムチェーン情報テーブル情報（ＶＴＳ＿ＰＧＣＩＴＩ）９４３Ａは、図５１に示すように、ビデオタイトルセットプログラムチェーン情報サーチポインタの数（ＶＴＳ＿ＰＧＣＩ＿ＳＲＰ＿Ｎｓ）およびビデオタイトルセットプログラムチェーン情報テーブルのエンドアドレス（ＶＴＳ＿ＰＧＣＩＴ＿ＥＡ）を含んでいる。このエンドアドレス（ＶＴＳ＿ＰＧＣＩＴ＿ＥＡ）は、ビデオタイトルセットプログラムチェーン情報テーブル（ＶＴＳ＿ＰＧＣＩＴ）の最初のバイトからの相対ブロック数で記述される。
【０４９０】
各ビデオタイトルセットプログラムチェーン情報サーチポインタ（ＶＴＳ＿ＰＧＣＩ＿ＳＲＰ）９４３Ｂは、図５２に示すように、ビデオタイトルセットプログラムチェーンのカテゴリー（ＶＴＳ＿ＰＧＣ＿ＣＡＴ）およびビデオタイトルセットプログラムチェーン情報のスタートアドレス（ＶＴＳ＿ＰＧＣＩ＿ＳＡ）を含んでいる。
【０４９１】
ここで、ビデオタイトルセットプログラムチェーンのカテゴリー（ＶＴＳ＿ＰＧＣ＿ＣＡＴ）は、図５３に示すように、３２ビット（４バイト）で構成されている。
【０４９２】
図５３において、ＶＴＳ＿ＰＧＣ＿ＣＡＴの下位８ビットはパレンタル識別フィールドの下位ビットに割り当て、次の８ビットはパレンタル識別フィールドの上位ビットに割り当て、次の４ビットは予約フィールドとしてとっておき、次の２ビットでブロックタイプを指定し、次の２ビットでブロックモードを指定し、次の７ビットでビデオタイトルセットのタイトル数値（ＶＴＳ＿ＴＴＮ）を記述し、最後の１ビット（３２ビット目）でエントリータイプを指定するようにしてある。
【０４９３】
すなわち、４バイト（３２ビット）の上位ビットから数えて最初のエントリータイプが１ｂ（バイナリの１）なら該当プログラムチェーン（ＰＧＣ）がエントリーＰＧＣであることが示され、それが０ｂなら該当プログラムチェーンがエントリーＰＧＣ以外のプログラムチェーンであることが示される。続くタイトル数値（ＶＴＳ＿ＴＴＮ）で、該当ビデオタイトルセットのタイトル数（最大９９）が示される。続く２ビットのブロックモードが００ｂなら該当ブロック内のプログラムチェーンではないことが示され、それが０１ｂなら該当ブロック内の最初のプログラムチェーンであることが示され、それが１０ｂなら該当ブロック中のプログラムチェーンであることが示され、それが１１ｂなら該当ブロック内の最後のプログラムチェーンであることが示される。続く２ビットのブロックタイプが００ｂならそれが該当ブロックの一部ではないことが示され、それが０１ｂならパレンタルブロック（再生が特定の条件下でのみ許されるブロック）であることが示される。その後の８＋８ビットは、パレンタルブロックの再生条件を判定するための情報（フラグビット列）が記載される領域である。
【０４９４】
また、ビデオタイトルセットプログラムチェーン情報のスタートアドレス（ＶＴＳ＿ＰＧＣＩ＿ＳＡ）は、ビデオタイトルセットプログラムチェーン情報テーブルの最初のバイトからの相対ブロック数で記述される。
【０４９５】
図４４のビデオタイトルセットメニュー用のプログラムチェーン情報ユニットテーブル（ＶＴＳＭ＿ＰＧＣＩ＿ＵＴ）９４４には、図５４に示すように、ビデオタイトルセットメニュー用プログラムチェーン情報ユニットテーブル情報（ＶＴＳＭ＿ＰＧＣＩ＿ＵＴＩ）９４４Ａと、ビデオタイトルセットメニュー用言語ユニットサーチポインタ（ＶＴＳＭ＿ＬＵ＿ＳＲＰ＃１〜ＶＴＳＭ＿ＬＵ＿ＳＲＰ＃ｎ）９４４Ｂと、ビデオタイトルセットメニュー言語ユニット（ＶＴＳＭ＿ＬＵ＃１〜ＶＴＳＭ＿ＬＵ＃ｎ）９４４Ｃとが含まれている。
【０４９６】
ここで、ビデオタイトルセットメニュー用プログラムチェーン情報ユニットテーブル情報（ＶＴＳＭ＿ＰＧＣＩ＿ＵＴＩ）９４４Ａには、図５５に示すように、ビデオタイトルセットメニュー用言語ユニットの数（ＶＴＳＭ＿ＬＵ＿Ｎｓ）およびビデオタイトルセットメニュー用プログラムチェーン情報ユニットテーブルのエンドアドレス（ＶＴＳＭ＿ＰＧＣＩ＿ＵＴ＿ＥＡ）が含まれている。このエンドアドレス（ＶＴＳＭ＿ＰＧＣＩ＿ＵＴ＿ＥＡ）は、ビデオタイトルセットメニュー用プログラムチェーン情報ユニットテーブル（ＶＴＳＭ＿ＰＧＣＩ＿ＵＴ）の最初のバイトからの相対ブロック数で記述される。
【０４９７】
ビデオタイトルセットメニュー用言語ユニットサーチポインタ（ＶＴＳＭ＿ＬＵ＿ＳＲＰ）９４４Ｂには、図５６に示すように、ビデオタイトルセットメニュー用言語コード（ＶＴＳＭ＿ＬＣＤ）、ビデオタイトルセットメニューの存在を示す情報（ＶＴＳＭ＿ＥＸＳＴ）、およびビデオタイトルセットメニュー用言語ユニットのスタートアドレス（ＶＴＳＭ＿ＬＵ＿ＳＡ）が含まれている。
【０４９８】
言語コード（ＶＴＳＭ＿ＬＣＤ）はビデオタイトルセットメニュー用言語ユニットの言語コードを記述したもので、このテーブル内では１つの言語が１回だけ現れる。スタートアドレス（ＶＴＳＭ＿ＬＵ＿ＳＡ）は、ビデオタイトルセットメニュー用言語ユニット（ＶＴＳＭ＿ＬＵ）のスタートアドレスを、ビデオタイトルセットメニュー用プログラムチェーン情報ユニットテーブル（ＶＴＳＭ＿ＰＧＣＩ＿ＵＴ）の最初のバイトからの相対ブロック数で記述したものである。
【０４９９】
ビデオタイトルセットメニュー言語ユニット（ＶＴＳＭ＿ＬＵ）９４４Ｃには、図５７に示すように、ビデオタイトルセットメニュー用言語ユニット情報（ＶＴＳＭ＿ＬＵＩ）９４４ＣＡと、ビデオタイトルセットメニュー用プログラムチェーン情報サーチポインタ（ＶＴＳＭ＿ＰＧＣＩ＿ＳＲＰ＃１〜ＶＴＳＭ＿ＰＧＣＩ＿ＳＲＰ＃ｎ）９４４ＣＢと、ビデオタイトルセットメニュー用プログラムチェーン情報（ＶＴＳＭ＿ＰＧＣＩ）９４４ＣＣとが含まれている。（プログラムチェーン情報ＰＧＣＩについては図３９を参照して説明済み。）
なお、複数設けられたビデオタイトルセットメニュー用プログラムチェーン情報（ＶＴＳＭ＿ＰＧＣＩ）９４４ＣＣの順序は、複数のビデオタイトルセットメニュー用プログラムチェーン情報サーチポインタ（ＶＴＳＭ＿ＰＧＣＩ＿ＳＲＰ＃１〜ＶＴＳＭ＿ＰＧＣＩ＿ＳＲＰ＃ｎ）９４４ＣＢの順序と無関係に設定されている。したがって、たとえば同一のビデオタイトルセットメニュー用プログラムチェーン情報（ＶＴＳＭ＿ＰＧＣＩ）を１以上のビデオタイトルセットメニュー用プログラムチェーン情報サーチポインタ（ＶＴＳＭ＿ＰＧＣＩ＿ＳＲＰ）で指し示すことが可能となっている。
【０５００】
ビデオタイトルセットメニュー用言語ユニット情報（ＶＴＳＭ＿ＬＵＩ）９４４ＣＡは、図５８に示すように、ビデオタイトルセットメニュー用プログラムチェーン情報サーチポインタの数（ＶＴＳＭ＿ＰＧＣＩ＿ＳＲＰ＿Ｎｓ）およびビデオタイトルセットメニュー用言語ユニットのエンドアドレス（ＶＴＳＭ＿ＬＵ＿ＥＡ）を含んでいる。
【０５０１】
ここで、サーチポインタ数（ＶＴＳＭ＿ＰＧＣＩ＿ＳＲＰ＿Ｎｓ）は、ビデオタイトルセットメニュー用プログラムチェーン（ＶＴＳＭ＿ＰＧＣ）の数を記述したものである。また、エンドアドレス（ＶＴＳＭ＿ＬＵ＿ＥＡ）は、ビデオタイトルセットメニュー用言語ユニット（ＶＴＳＭ＿ＬＵ）の最初のバイトからの相対ブロック数で言語ユニット（ＶＴＳＭ＿ＬＵ）のエンドアドレスを記述したものである。
【０５０２】
ビデオタイトルセットメニュー用プログラムチェーン情報サーチポインタ（ＶＴＳＭ＿ＰＧＣＩ＿ＳＲＰ＃１〜ＶＴＳＭ＿ＰＧＣＩ＿ＳＲＰ＃ｎ）９４４ＣＢは、図５９に示すように、ビデオタイトルセットメニュー用プログラムチェーンのカテゴリー（ＶＴＳＭ＿ＰＧＣ＿ＣＡＴ）およびビデオタイトルセットメニュー用プログラムチェーン情報のスタートアドレス（ＶＴＳＭ＿ＰＧＣＩ＿ＳＡ）を含んでいる。
【０５０３】
ここで、ビデオタイトルセットメニュー用プログラムチェーンのカテゴリー（ＶＴＳＭ＿ＰＧＣ＿ＣＡＴ）は、図６０に示すように、３２ビット（４バイト）で構成されている。
【０５０４】
図６０において、ＶＴＳＭ＿ＰＧＣ＿ＣＡＴの下位８ビットはパレンタル識別フィールドの下位ビットに割り当て、次の８ビットはパレンタル識別フィールドの上位ビットに割り当て、次の４ビットは予約フィールドとしてとっておき、次の２ビットでブロックタイプを指定し、次の２ビットでブロックモードを指定し、次の４ビットでメニュー識別子（メニューＩＤ）を記述し、次の３ビットは予約フィールドとしてとっておき、最後の１ビット（３２ビット目）でエントリータイプを指定するようにしてある。
【０５０５】
まず、４バイト（３２ビット）の上位ビットから数えて最初のエントリータイプが１ｂ（バイナリの１）なら該当プログラムチェーン（ＰＧＣ）がエントリーＰＧＣであることが示され、それが０ｂなら該当プログラムチェーンがエントリーＰＧＣ以外のプログラムチェーンであることが示される。
【０５０６】
その後の４ビットメニュー識別子（メニューＩＤ）の内容は、次のように決定される。上記エントリータイプが０ｂならメニューＩＤには００００ｂがエンターされ、上記エントリータイプが１ｂのときはメニューＩＤには以下のバイナリコードがエンターされる。
【０５０７】
すなわち、ルートメニューなら００１１ｂがエンターされ、副映像メニューなら０１００ｂがエンターされ、オーディオメニューなら０１０１ｂがエンターされ、アングルメニューなら０１１０ｂがエンターされ、パートオブタイトル（チャプターなど）メニューなら０１１１ｂがエンターされる。これら以外のメニュー識別子（メニューＩＤ）の４ビットバイナリコードは、その他の用途に予約されている。
【０５０８】
上記メニュー識別子（メニューＩＤ）に続く２ビットのブロックモードが００ｂなら該当ブロック内のプログラムチェーンではないことが示され、それが０１ｂなら該当ブロック内の最初のプログラムチェーンであることが示され、それが１０ｂなら該当ブロック中のプログラムチェーンであることが示され、それが１１ｂなら該当ブロック内の最後のプログラムチェーンであることが示される。続く２ビットのブロックタイプが００ｂならそれが該当ブロックの一部ではないことが示され、それが０１ｂならパレンタルブロック（再生が特定の条件下でのみ許されるブロック）であることが示される。その後の８＋８ビットは、パレンタルブロックの再生条件を判定するための情報（フラグビット列）が記載される領域である。
【０５０９】
また、スタートアドレス（ＶＴＳＭ＿ＰＧＣＩ＿ＳＡ）は、ビデオタイトルセットメニュー用プログラムチェーン情報（ＶＴＳＭ＿ＰＧＣＩ）のスタートアドレスを、ビデオタイトルセットメニュー言語ユニット（ＶＴＳＭ＿ＬＵ）の最初のバイトからの相対ブロック数で記述したものである。
【０５１０】
図６１は、システムメニューとユーザ操作機能との対応を説明する概念図である。図１の再生装置で使用されるメニュー（モニタ部６の画面上に適宜ポップアップされるもの）には、大別して、タイトルメニュー、ビデオタイトルセットメニュー、およびオプションメニューがある。そのうち、ビデオタイトルセットメニューにおける各メニューの呼び出しは、図６０のメニューＩＤの内容に基づいて行われる。
【０５１１】
すなわち、最初にメニューコールがあると、メニューＩＤ＝００１１ｂのルートメニュー用プログラムチェーンが呼び出される。その後、オーディオメニューを表示するときはメニューＩＤ＝０１０１ｂのオーディオメニュー用プログラムチェーンが呼び出され、副映像メニューを表示するときはメニューＩＤ＝０１００ｂの副映像メニュー用プログラムチェーンが呼び出され、アングルメニューを表示するときはメニューＩＤ＝０１１０ｂのアングルメニュー用プログラムチェーンが呼び出され、パートオブタイトル（チャプター）メニューを表示するときはメニューＩＤ＝０１１１ｂのパートオブタイトルメニュー用プログラムチェーンが呼び出される。
【０５１２】
後述するが、図１の再生装置のユーザ（視聴者）がアングル変更をするときは、必要に応じて、メニューＩＤ＝０１１０ｂのアングルメニュー用プログラムチェーンが呼び出され、アングルメニューがモニタ部６に表示される。（アングルメニューをモニタ部６へ出さずにアングル変更する場合もある。）
図４４のビデオタイトルセットタイムマップテーブル（ＶＴＳ＿ＴＭＡＰＴ）９４５は、該当ビデオタイトルセットの各プログラムチェーンの記録位置を、それぞれの限定された再生時間で記述した情報を含んでいる。
【０５１３】
すなわち、このタイムマップテーブル（ＶＴＳ＿ＴＭＡＰＴ）９４５には、図６２に示すように、ビデオタイトルセットタイムマップテーブル情報（ＶＴＳ＿ＴＭＡＰＴＩ）９４５Ａと、ビデオタイトルセットタイムマップサーチポインタ（ＶＴＳ＿ＴＭＡＰ＿ＳＲＴ＃１〜ＶＴＳ＿ＴＭＡＰ＿ＳＲＴ＃ｎ）９４５Ｂと、ビデオタイトルセットタイムマップ（ＶＴＳ＿ＴＭＡＰ＃１〜ＶＴＳ＿ＴＭＡＰ＃ｎ）９４５Ｃとが含まれている。
【０５１４】
ビデオタイトルセットが何らかの１シーケンシャルプログラムチェーンタイトルを含んでいるときは、そのタイトル内でタイムサーチあるいはタイムプレイが許容されているか否かに拘わらず、ビデオタイトルセットタイムマップ（ＶＴＳ＿ＴＭＡＰ）は必ず記載される。
【０５１５】
ビデオタイトルセットタイムマップ（ＶＴＳ＿ＴＭＡＰ）は１以上あり、その数はビデオタイトルセットプログラムチェーン情報サーチポインタ（ＶＴＳ＿ＰＧＣＩ＿ＳＲＰ）と同じに設定される。したがって、あるプログラムチェーンブロックが複数のプログラムチェーンで構成されるときは、ブロック内の全プログラムチェーンに対してビデオタイトルセットタイムマップ（ＶＴＳ＿ＴＭＡＰ）が記載されることになる。
【０５１６】
なお、各ビデオタイトルセットタイムマップ（ＶＴＳ＿ＴＭＡＰ）は、該当ビデオタイトルセット内の複数ビデオタイトルセットプログラムチェーン情報サーチポインタ（ＶＴＳ＿ＰＧＣＩ＿ＳＲＰ）と同様な順序で記載される。
【０５１７】
図６２のビデオタイトルセットタイムマップテーブル情報（ＶＴＳ＿ＴＭＡＰＴＩ）９４５Ａは、図６３に示すように、ビデオタイトルセットタイムマップの数（ＶＴＳ＿ＴＭＡＰ＿Ｎｓ）およびビデオタイトルセットタイムマップテーブルのエンドアドレス（ＶＴＳ＿ＴＭＡＰＴ＿ＥＡ）を含んでいる。
【０５１８】
ここで、ビデオタイトルセットタイムマップ数（ＶＴＳ＿ＴＭＡＰ＿Ｎｓ）は、ビデオタイトルセットタイムマップテーブル（ＶＴＳ＿ＴＭＡＰＴ）内のビデオタイトルセットタイムマップ（ＶＴＳ＿ＴＭＡＰ）の数を記述したものである。このマップ数（ＶＴＳ＿ＴＭＡＰ＿Ｎｓ）は、該当ビデオタイトルセット内のビデオタイトルセットプログラムチェーン情報サーチポインタ（ＶＴＳ＿ＰＧＣＩ＿ＳＲＰ）の数と同じに設定される。また、ビデオタイトルセットタイムマップテーブルのエンドアドレス（ＶＴＳ＿ＴＭＡＰＴ＿ＥＡ）は、ビデオタイトルセットタイムマップテーブル（ＶＴＳ＿ＴＭＡＰＴ）の最初のバイトからの相対ブロック数によってこのタイムマップテーブル（ＶＴＳ＿ＴＭＡＰＴ）のエンドアドレスを記述したものである。
【０５１９】
ビデオタイトルセットタイムマップサーチポインタ（ＶＴＳ＿ＴＭＡＰ＿ＳＲＴ＃１〜ＶＴＳ＿ＴＭＡＰ＿ＳＲＴ＃ｎ）９４５Ｂは、図６４に示すように、ビデオタイトルセットタイムマップのスタートアドレス（ＶＴＳ＿ＴＭＡＰ＿ＳＡ）を含んでいる。このスタートアドレス（ＶＴＳ＿ＴＭＡＰ＿ＳＡ）は、ビデオタイトルセットタイムマップテーブル（ＶＴＳ＿ＴＭＡＰＴ）の最初のバイトからの相対ブロック数でもって、対応するビデオタイトルセットタイムマップ（ＶＴＳ＿ＴＭＡＰ）のスタートアドレスを記述したものである。
【０５２０】
ビデオタイトルセットタイムマップ（ＶＴＳ＿ＴＭＡＰ＃１〜ＶＴＳ＿ＴＭＡＰ＃ｎ）９４５Ｃは、図６５に示すように、時間単位を秒で表したタイムユニット（ＴＭＵ）と、マップのエントリー数（ＭＡＰ＿ＥＮ＿Ｎｓ）と、マップエントリーテーブル（ＭＡＰ＿ＥＮＴ）とを含んでいる。
【０５２１】
ここで、タイムユニット（ＴＭＵ）は各マップエントリー（ＭＡＰ＿ＥＮ）の時間間隔を秒単位で記述したものである。各マップエントリー（ＭＡＰ＿ＥＮ）はタイムユニット（ＴＭＵ）の値で限定された時間でもってそれぞれのタイムマップの記録位置を記述したものである。マップエントリー（ＭＡＰ＿ＥＮ）は、プログラムチェーン（ＰＧＣ）上の各タイムユニット（ＴＭＵ）に対して連続しているプログラムチェーンの開始部分からセットされる。
【０５２２】
このプログラムチェーン（ＰＧＣ）内にアングルブロックが含まれているときは、アングル番号＃１に対する（１以上の）マップエントリー（ＭＡＰ＿ＥＮ）だけが記載される。また、プログラムチェーンコマンドテーブル（ＰＧＣ＿ＣＭＤＴ；図３９）のセルコマンド、プログラムチェーン情報内セルカテゴリー（Ｃ＿ＣＡＴ；図４２）中のセル再生モード、あるいはこのセルカテゴリー（Ｃ＿ＣＡＴ）中のセルスチル時間がどうであるかに拘わらず、上記マップエントリー（ＭＡＰ＿ＥＮ）は、このプログラムチェーン（ＰＧＣ）がシーケンシャルに再生されるものとして、セットされる。
【０５２３】
もしタイムユニット（ＴＭＵ）にゼロが記載されていたときは、マップエントリー数（ＭＡＰ＿ＥＮ＿Ｎｓ）がゼロということである。この場合は、マップエントリーテーブル（ＭＡＰ＿ＥＮＴ）の内容は無しとなる。
【０５２４】
もし、上記プログラムチェーン（ＰＧＣ）の属するタイトルが１シーケンシャルプログラムチェーンタイトルであり、このプログラムチェーン（ＰＧＣ）が、タイムサーチあるいはタイムプレイなどのユーザー操作によりアクセス可能なものである場合は、タイムユニット（ＴＭＵ）はゼロ以外の値をとる。
【０５２５】
図６５のマップエントリー数（ＭＡＰ＿ＥＮ＿Ｎｓ）は、ビデオタイトルセットタイムマップ（ＶＴＳ＿ＴＭＡＰ）中のマップエントリー（ＭＡＰ＿ＥＮ）の数（０〜２０４８の間）を記述したものである。タイムユニット（ＴＭＵ）がゼロなら、マップエントリー数（ＭＡＰ＿ＥＮ＿Ｎｓ）もゼロになる。
【０５２６】
また、プログラムチェーン（ＰＧＣ）内の最初のマップエントリーアドレス（ＭＡＰ＿ＥＮＡ）は、このプログラムチェーン（ＰＧＣ）の最初からの１タイムユニット（ＴＭＵ）に配属される。このマップエントリーアドレス（ＭＡＰ＿ＥＮＡ）はマップエントリーの数だけあり、その合計バイト数はマップエントリー数Ｘ４バイトとなる。
【０５２７】
各マップエントリー（ＭＡＰ＿ＥＮ）は、図６６に示すように、４バイト（３２ビット）で構成されている。最初の１バイトでＭＡＰ＿ＥＮＡの下位８ビットが構成され、続く２バイトでＭＡＰ＿ＥＮＡの中間８＋８ビットが構成され、続く７ビットでＭＡＰ＿ＥＮＡの上位７ビットが構成され、最後の１ビット（３２ビット目）は不連続フラグとして用いられるようになっている。
【０５２８】
この不連続フラグが０ｂ（バイナリの０）なら、現在のマップエントリーアドレス（ＭＡＰ＿ＥＮＡ）と次のマップエントリーアドレス（ＭＡＰ＿ＥＮＡ）とがともに同一セルに属することが示される。また、この連続フラグが１ｂのときは、現在のマップエントリーアドレス（ＭＡＰ＿ＥＮＡ）と次のマップエントリーアドレス（ＭＡＰ＿ＥＮＡ）とが異なるセルに属するか、現在のマップエントリーアドレス（ＭＡＰ＿ＥＮＡ）がそのプログラムチェーン（ＰＧＣ）の最後のマップエントリーアドレス（ＭＡＰ＿ＥＮＡ）であることが示される。
【０５２９】
図６６のマップエントリーアドレス（ＭＡＰ＿ＥＮＡ）は、このアドレス（ＭＡＰ＿ＥＮＡ）が配置されたビデオオブジェクトユニット（ＶＯＢＵ）の先頭アドレスを、該当ビデオタイトルセット（ＶＴＳ）中のビデオタイトルセットタイトル用ビデオオブジェクトセット（ＶＴＳＴＴ＿ＶＯＢＳ）の最初の論理ブロックからの相対ブロック数でもって、記述したものである。
【０５３０】
図４４のビデオタイトルセットメニュー用のセルアドレステーブル（ＶＴＳＭ＿Ｃ＿ＡＤＴ）９４６には、図６７に示すように、ビデオタイトルセットメニュー用セルアドレステーブル情報（ＶＴＳＭ＿Ｃ＿ＡＤＴＩ）９４６Ａと、ビデオタイトルセットメニュー用セルピース情報（ＶＴＳＭ＿ＣＰＩ＃１〜ＶＴＳＭ＿ＣＰＩ＃ｎ）９４６Ｂとが含まれている。
【０５３１】
ビデオタイトルセットメニュー用セルアドレステーブル情報（ＶＴＳＭ＿Ｃ＿ＡＤＴＩ）９４６Ａは、図６８に示すように、ビデオタイトルセットメニュー用ビデオオブジェクトセット（ＶＴＳＭ＿ＶＯＢＳ）内のビデオオブジェクト（ＶＯＢ）の数（ＶＴＳＭ＿ＶＯＢ＿Ｎｓ）およびビデオタイトルセットメニュー用セルアドレステーブル（ＶＴＳＭ＿Ｃ＿ＡＤＴ）のエンドアドレス（ＶＴＳＭ＿Ｃ＿ＡＤＴ＿ＥＡ）を含んでいる。
【０５３２】
ここで、ビデオタイトルセットメニュー用ビデオオブジェクト数（ＶＴＳＭ＿ＶＯＢ＿Ｎｓ）は、該当ビデオタイトルセット中のビデオタイトルセットメニュー用ビデオオブジェクトセット（ＶＴＳＭ＿ＶＯＢＳ）内のビデオオブジェクト（ＶＯＢ）数を記述したものである。また、ビデオタイトルセットメニュー用セルアドレステーブルのエンドアドレス（ＶＴＳＭ＿Ｃ＿ＡＤＴ＿ＥＡ）は、ビデオタイトルセットメニュー用セルアドレステーブル（ＶＴＳＭ＿Ｃ＿ＡＤＴ）の最初のバイトからの相対ブロック数でもって、このセルアドレステーブル（ＶＴＳＭ＿Ｃ＿ＡＤＴ）のエンドアドレスを記述したものである。
【０５３３】
ビデオタイトルセットメニュー用セルピース情報（ＶＴＳＭ＿ＣＰＩ＃１〜ＶＴＳＭ＿ＣＰＩ＃ｎ）９４６Ｂは、図６９に示すように、セルピースに対するビデオオブジェクト識別子（ＶＯＢ＿ＩＤ）の数値（ＶＴＳＭ＿ＶＯＢ＿ＩＤＮ）と、セルピースに対するセル識別子（Ｃｅｌｌ＿ＩＤ）の数値（ＶＴＳＭ＿Ｃ＿ＩＤＮ）と、ビデオタイトルセットメニューのセルピース（ＶＴＳＭ＿ＣＰ）のスタートアドレス（ＶＴＳＭ＿ＣＰ＿ＳＡ）と、ビデオタイトルセットメニューのセルピース（ＶＴＳＭ＿ＣＰ）のエンドアドレス（ＶＴＳＭ＿ＣＰ＿ＥＡ）とを含んでいる。
【０５３４】
ここで、ビデオオブジェクト識別子の数値（ＶＴＳＭ＿ＶＯＢ＿ＩＤＮ）は、セルピース（ＣＰ）が属するビデオオブジェクト（ＶＯＢ）のビデオオブジェクト識別子（ＶＯＢ＿ＩＤ）の番号を記述したものである。セル識別子の数値（ＶＴＳＭ＿Ｃ＿ＩＤＮ）は、セルピース（ＣＰ）が属するセルの識別子（Ｃｅｌｌ＿ＩＤ）の番号を記述したものである。セルピースのスタートアドレス（ＶＴＳＭ＿ＣＰ＿ＳＡ）は、セルピースの最初のナビゲーションパック（ＮＶ＿ＰＣＫ）のスタートアドレスを、該当ビデオタイトルセット内のビデオタイトルセットメニュー用ビデオオブジェクトセット（ＶＴＳＭ＿ＶＯＢＳ）の最初の論理ブロックからの相対ブロック番号でもって、記述したものである。そして、セルピースのエンドアドレス（ＶＴＳＭ＿ＣＰ＿ＥＡ）は、セルピースの最後の論理ブロックのエンドアドレスを、該当ビデオタイトルセット内のビデオタイトルセットメニュー用ビデオオブジェクトセット（ＶＴＳＭ＿ＶＯＢＳ）の最初の論理ブロックからの相対ブロック番号でもって、記述したものである。
【０５３５】
図４４のビデオタイトルセットメニュー用のビデオオブジェクトユニットアドレスマップ（ＶＴＳＭ＿ＶＯＢＵ＿ＡＤＭＡＰ）９４７には、図７０に示すように、ビデオタイトルセットメニュー用ビデオオブジェクトユニットのアドレスマップ情報（ＶＴＳＭ＿ＶＯＢＵ＿ＡＤＭＡＰＩ）９４７Ａおよびビデオタイトルセットメニュー用ビデオオブジェクトユニットのアドレス（ＶＴＳＭ＿ＶＯＢＵ＿ＡＤ＃１〜ＶＴＳＭ＿ＶＯＢＵ＿ＡＤ＃ｎ）９４７Ｂが含まれている。
【０５３６】
ここで、アドレスマップ（ＶＴＳＭ＿ＶＯＢＵ＿ＡＤＭＡＰ）９４７上では、ビデオタイトルセットメニュー用ビデオオブジェクトセット（ＶＴＳＭ＿ＶＯＢＳ）内の全てのビデオオブジェクトユニット（ＶＯＢＵ）のスタートアドレスは、それらの論理ブロック番号の昇順で、記述される。
【０５３７】
ビデオタイトルセットメニュー用ビデオオブジェクトユニットのアドレスマップ情報（ＶＴＳＭ＿ＶＯＢＵ＿ＡＤＭＡＰＩ）９４７Ａは、図７１に示すように、ビデオタイトルセットメニュー用ビデオオブジェクトユニットのアドレスマップ（ＶＴＳＭ＿ＶＯＢＵ＿ＡＤＭＡＰ）のエンドアドレス（ＶＴＳＭ＿ＶＯＢＵ＿ＡＤＭＡＰ＿ＥＡ）を含んでいる。
【０５３８】
このＶＴＳＭ＿ＶＯＢＵ＿ＡＤＭＡＰ＿ＥＡは、ビデオタイトルセットメニュー用ビデオオブジェクトユニットのアドレスマップ（ＶＴＳＭ＿ＶＯＢＵ＿ＡＤＭＡＰ）の最初のバイトからの相対ブロック数でもって、このアドレスマップ（ＶＴＳＭ＿ＶＯＢＵ＿ＡＤＭＡＰ）のエンドアドレスを記述したものである。
【０５３９】
ビデオタイトルセットメニュー用ビデオオブジェクトユニットのアドレス（ＶＴＳＭ＿ＶＯＢＵ＿ＡＤ＃ｎ）９４７Ｂは、図７２に示すように、ビデオオブジェクトユニット（ＶＯＢＵ＃ｎ）に対するビデオタイトルセットメニュー用ビデオオブジェクトユニット（ＶＴＳＭ＿ＶＯＢＵ）のスタートアドレス（ＶＴＳＭ＿ＶＯＢＵ＿ＳＡ＃ｎ）を含んでいる。
【０５４０】
このＶＴＳＭ＿ＶＯＢＵ＿ＳＡ＃ｎは、該当ビデオタイトルセット内のビデオタイトルセットメニュー用ビデオオブジェクトセット（ＶＴＳＭ＿ＶＯＢＳ）の最初の論理ブロックからの相対論理ブロック数でもって、ｎ番目のビデオオブジェクトユニット（ＶＯＢＵ＃ｎ）のスタートアドレスを記述したものである。
【０５４１】
図４４のビデオタイトルセットセルアドレステーブル（ＶＴＳ＿Ｃ＿ＡＤＴ）９４８には、図７３に示すように、ビデオタイトルセットセルアドレステーブル情報（ＶＴＳ＿Ｃ＿ＡＤＴＩ）９４８Ａおよびビデオタイトルセットセルピース情報（ＶＴＳ＿ＣＰＩ＃１〜ＶＴＳ＿ＣＰＩ＃ｎ）９４８Ｂが含まれている。
【０５４２】
このセルアドレステーブル（ＶＴＳ＿Ｃ＿ＡＤＴ）９４８において、ビデオタイトルセットタイトルのビデオオブジェクトセット（ＶＴＳＴＴ＿ＶＯＢＳ）内の全てのセルおよび全てのインターリーブドユニットのスタートアドレスおよびエンドアドレスが記述される。
【０５４３】
セルがインターリーブドブロック内に配置されたビデオオブジェクトに属するものであるときは、セルピースは１つのインターリーブドユニット（ＩＬＶＵ）として定義される。セルの境界が１つのインターリーブドユニット（ＩＬＶＵ）内にあるときは、セルピースはインターリーブドユニット内の各セルによって定義される。
【０５４４】
各セルピースのビデオタイトルセットセルピース情報（ＶＴＳ＿ＣＰＩ）は、最初にビデオオブジェクト識別子番号（ＶＯＢ＿ＩＤＮ）、２番目にセル識別子番号（Ｃ＿ＩＤＮ）、３番目にセル内のセルピースの再生順序の順で記載される。
【０５４５】
ここでのビデオオブジェクト識別子番号（ＶＯＢ＿ＩＤＮ）およびセル識別子番号（Ｃ＿ＩＤＮ）は、セルピースが属するセルに対して与えられるようになっている。
【０５４６】
ビデオタイトルセットセルアドレステーブル情報（ＶＴＳ＿Ｃ＿ＡＤＴＩ）９４８Ａは、図７４に示すように、ビデオタイトルセットタイトルのビデオオブジェクトセット内ビデオオブジェクト数を示すビデオタイトルセットビデオオブジェクト数（ＶＴＳ＿ＶＯＢ＿Ｎｓ）、およびビデオタイトルセットセルアドレステーブルのエンドアドレスを示すビデオタイトルセットセルアドレスエンドアドレス（ＶＴＳ＿Ｃ＿ＡＤＴ＿ＥＡ）を含んでいる。
【０５４７】
ここで、ビデオタイトルセットビデオオブジェクト数（ＶＴＳ＿ＶＯＢ＿Ｎｓ）は、該当ビデオタイトルセット中のビデオタイトルセットタイトルのビデオオブジェクトセット（ＶＴＳＴＴ＿ＶＯＢＳ）の数を記述したものである。
【０５４８】
また、ビデオタイトルセットセルアドレスエンドアドレス（ＶＴＳ＿Ｃ＿ＡＤＴ＿ＥＡ）は、ビデオタイトルセットセルアドレス（ＶＴＳ＿Ｃ＿ＡＤＴ）の最初のバイトからの相対論理ブロック数でもって、このセルアドレス（ＶＴＳ＿Ｃ＿ＡＤＴ）のエンドアドレスを記述したものである。
【０５４９】
ビデオタイトルセットセルピース情報（ＶＴＳ＿ＣＰＩ）９４８Ｂは、図７５に示すように、セルピースに対するビデオタイトルセットのビデオオブジェクト識別子番号（ＶＴＳ＿ＶＯＢ＿ＩＤＮ）と、セルピースに対するビデオタイトルセットのセル識別子番号（ＶＴＳ＿Ｃ＿ＩＤＮ）と、ビデオタイトルセットのセルピースのスタートアドレス（ＶＴＳ＿ＣＰ＿ＳＡ）と、ビデオタイトルセットのセルピースのエンドアドレス（ＶＴＳ＿ＣＰ＿ＥＡ）とを含んでいる。
【０５５０】
ここで、ビデオオブジェクト識別子番号（ＶＴＳ＿ＶＯＢ＿ＩＤＮ）は、セルピースが属するビデオタイトルセットのビデオオブジェクトの識別番号を記述したものである。
【０５５１】
また、セル識別子番号（ＶＴＳ＿Ｃ＿ＩＤＮ）は、セルピースが属するビデオタイトルセットのセルの識別番号を記述したものである。
【０５５２】
また、セルピースのスタートアドレス（ＶＴＳ＿ＣＰ＿ＳＡ）は、該当ビデオタイトルセット内のビデオタイトルセットタイトルのビデオオブジェクトの最初の論理ブロックからの相対論理ブロック数でもって、セルピースの最初のナビゲーションパックのスタートアドレスを記述したものである。
【０５５３】
また、セルピースのエンドアドレス（ＶＴＳ＿ＣＰ＿ＥＡ）は、該当ビデオタイトルセット内のビデオタイトルセットタイトルのビデオオブジェクトの最初の論理ブロックからの相対論理ブロック数でもって、セルピースの最後の論理ブロックのエンドアドレスを記述したものである。
【０５５４】
図４４のビデオタイトルセット用のビデオオブジェクトユニットアドレスマップ（ＶＴＳ＿ＶＯＢＵ＿ＡＤＭＡＰ）９４９には、図７６に示すように、ビデオタイトルセットのビデオオブジェクトユニットのアドレスマップ情報（ＶＴＳ＿ＶＯＢＵ＿ＡＤＭＡＰＩ）９４９Ａおよびビデオタイトルセットのビデオオブジェクトユニットのアドレス（ＶＴＳ＿ＶＯＢＵ＿ＡＤ＃１〜ＶＴＳ＿ＶＯＢＵ＿ＡＤ＃ｎ）９４９Ｂが含まれている。
【０５５５】
このアドレスマップ（ＶＴＳ＿ＶＯＢＵ＿ＡＤＭＡＰ）９４９において、ビデオタイトルセットタイトルのビデオオブジェクトセット（ＶＴＳＴＴ＿ＶＯＢＳ）内の全てのビデオオブジェクトユニットのスタートアドレスが、それらの論理ブロック番号の昇順で、記述される。
【０５５６】
ビデオタイトルセットのビデオオブジェクトユニットのアドレスマップ情報（ＶＴＳ＿ＶＯＢＵ＿ＡＤＭＡＰＩ）９４９Ａは、図７７に示すように、ビデオタイトルセットのビデオオブジェクトユニットのアドレスマップのエンドアドレス（ＶＴＳ＿ＶＯＢＵ＿ＡＤＭＡＰ＿ＥＡ）を含んでいる。
【０５５７】
このＶＴＳ＿ＶＯＢＵ＿ＡＤＭＡＰ＿ＥＡは、ビデオタイトルセットのビデオオブジェクトユニットのアドレスマップ（ＶＴＳ＿ＶＯＢＵ＿ＡＤＭＡＰ）のエンドアドレスを、このＶＴＳ＿ＶＯＢＵ＿ＡＤＭＡＰの最初のバイトからの相対ブロック数でもって記述したものである。
【０５５８】
ビデオタイトルセットのビデオオブジェクトユニットのアドレス（ＶＴＳ＿ＶＯＢＵ＿ＡＤ＃ｎ）９４９Ｂは、図７８に示すように、ｎ番目のビデオオブジェクトユニット（ＶＯＢＵ＃ｎ）に対するビデオタイトルセットのビデオオブジェクトユニットのスタートアドレス（ＶＴＳ＿ＶＯＢＵ＿ＳＡ＃ｎ）を記述したものである。
【０５５９】
このＶＴＳ＿ＶＯＢＵ＿ＡＤ＃ｎは、該当ビデオタイトルセット内のビデオタイトルセットタイトルのビデオオブジェクトセットの最初の論理ブロックからの相対論理ブロック数でもって、ｎ番目のビデオオブジェクトユニット（ＶＯＢＵ＃ｎ）のスタートアドレスを記述したものである。
【０５６０】
次に、図１の装置におけるメニューの再生処理について説明する。
【０５６１】
図１の光ディスク再生装置において、電源が投入後に光ディスク１０がセットされると、システムＣＰＵ部５０はシステム用ＲＯＭおよびＲＡＭ部５２から初期動作プログラムを読み出し、ディスクドライブ部３０を作動させる。すると、ディスクドライブ部３０は、光ディスク１０のリードイン領域２７から読出動作を開始する。この読出動作によって、リードイン領域２７に続くボリュームおよびファイル構造領域７０（図１０）の情報が読み出される。この領域７０のボリュームおよびファイル構造は、所定の規格（ＩＳＯー９６６０等）に準拠して規定されている。
【０５６２】
図１のシステムＣＰＵ部５０は、ディスクドライブ部３０にセットされた光ディスク１０の所定位置に記録されているボリュームおよびファイル構造領域７０を読み出すために、ディスクドライブ部３０にリード命令を与え、ボリュームおよびファイル構造領域７０の内容を読み出し、システムプロセッサ部５４を介して、データＲＡＭ部５６に一旦格納する。
【０５６３】
続いて、システムＣＰＵ部５０は、データＲＡＭ部５６に格納されたパステーブルおよびディレクトリレコード（光ディスク１０から読み取ったもの）を用いて、データＲＡＭ部５６に格納されたデータから、ディスク１０上の各ファイルの記録位置、記録容量、サイズ等の情報およびその他管理に必要な情報（管理情報）を抜き出し、抜き出した情報をシステム用ＲＯＭ＆ＲＡＭ部５２の所定の場所に転送し、そこに保存する。
【０５６４】
次に、システムＣＰＵ部５０は、システム用ＲＯＭ＆ＲＡＭ部５２から各ファイルの記録位置および記録容量等の情報を参照して、ファイル番号０番から始まる複数ファイルからなるビデオマネージャー７１（図１２）を獲得する。
【０５６５】
すなわち、システムＣＰＵ部５０は、システム用ＲＯＭおよびＲＡＭ部５２から獲得した各ファイルの記録位置および記録容量等の情報を参照してディスクドライブ部３０に対してリード命令を与え、ルートディレクトリ上に存在するビデオマネージャー７１を構成する複数ファイルの位置およびサイズを獲得し、このビデオマネージャー７１を読み出す。こうして読み出されたビデオマネージャ７１は、システムプロセッサ部５４を介してデータＲＡＭ部５６に転送され、データＲＡＭ部５６内の所定の場所に格納される。
【０５６６】
この後、システムＣＰＵ部５０は、図７９および図８０のフローチャートに示すようなメニュー処理を行なう。
【０５６７】
すなわち、図７９に示すように、システムＣＰＵ部５０は、データＲＡＭ部５６内に格納されたビデオマネージャー７１から図１２に示すような構造のビデオマネージャ情報（ＶＭＧＩ）７５を獲得し、ビデオマネージャ情報（ＶＭＧＩ）７５内の第２番目のタイトルサーチポインタテーブル（ＴＴ＿ＳＲＰＴ）７５２をサーチする（ステップＳＴ１００）。
【０５６８】
システムＣＰＵ部５０は、図１６に示すような構造のタイトルサーチポインタテーブル（ＴＴ＿ＳＲＰＴ）７５２内のタイトルサーチポインターテーブルの情報（ＴＴ＿ＳＲＰＴＩ）７５２Ａを獲得し、そこに記載されているタイトルサーチポインタの数（ＴＴ＿Ｎｓ；図１７）により、光ディスク１０内の総タイトル数を得る（ステップＳＴ１０２）。
【０５６９】
また、システムＣＰＵ部５０は、タイトルサーチポインタテーブル（ＴＴ＿ＳＲＰＴ）７５２内の各タイトルサーチポインタ（ＴＴ＿ＳＲＰ＃）７５２Ｂを取り出して、各タイトル毎に、タイトル再生タイプ（ＴＴ＿ＰＢ＿ＴＹ）、アングル数（ＡＧＬ＿Ｎｓ）、パートオブタイトル数（またはチャプター数／プログラム数）（ＰＴＴ＿Ｎｓ）、パレンタルＩＤフィールド（ＴＴ＿ＰＴＬ＿ＩＤ＿ＦＬＤ）、ビデオタイトルセット番号（ＶＴＳＮ）、ビデオタイトルセットタイトル番号（ＶＴＳ＿ＴＴＮ）、およびビデオタイトルセットのスタートアドレス（ＶＴＳ＿ＳＡ）を得る（ステップＳＴ１０４）。
【０５７０】
すなわち、ステップＳＴ１０４において、システムＣＰＵ部５０は、「ＶＭＧ／ＶＭＧＩ／ＴＴ＿ＳＲＰＴ／ＴＴ＿ＳＲＰ／ＡＧＬ−Ｎｓ」という階層の最下層にあるアングル数（ＡＧＬ＿Ｎｓ）の情報を獲得する。
【０５７１】
また、システムＣＰＵ部５０は、各タイトルサーチポインタ（ＴＴ＿ＳＲＰ）７５２Ｂに記載されているビデオタイトルセット７２のスタートアドレス（ＶＴＳ＿ＳＡ）を用いて、各ビデオタイトルセット７２の第１番目のテーブルであるビデオタイトルセット情報（ＶＴＳＩ）９４から、ビデオタイトルセットパートオブタイトルポインタテーブル（ＶＴＳ＿ＰＴＴ＿ＳＲＰＴ）９４２をサーチする（ステップＳＴ１０６）。
【０５７２】
システムＣＰＵ部５０は、各ビデオタイトルセット７２毎のビデオタイトルセット情報管理テーブル（ＶＴＳＩ＿ＭＡＴ）９４１に記載されているオーディオストリーム数（ＶＴＳ＿ＡＳＴ＿Ｎｓ；図４５）により各タイトル毎のオーディオストリーム数を得、副映像ストリームの数（ＶＴＳ＿ＳＰＳＴ＿Ｎｓ；図４５）により各タイトル毎の副映像ストリームの数を得る（ステップＳＴ１０８）。
【０５７３】
また、システムＣＰＵ部５０は、各ビデオタイトルセット７２毎のビデオタイトルセット情報管理テーブル（ＶＴＳＩ＿ＭＡＴ）９４１のオーディオストリーム属性テーブル（ＶＴＳ＿ＡＳＴ＿ＡＴＲＴ；図４５）に記載されているオーディオストリーム毎のオーディオの言語コードにより、各タイトルのオーディオストリーム毎の使用言語を得る（ステップＳＴ１１０）。
【０５７４】
また、システムＣＰＵ部５０は、各ビデオタイトルセット７２毎のビデオタイトルセット情報管理テーブル（ＶＴＳＩ＿ＭＡＴ）９４１の副映像ストリーム属性テーブル（ＶＴＳ＿ＳＰＳＴ＿ＡＴＲＴ；図４５）に記載されている副映像ストリーム毎の副映像の言語コードにより、各タイトルの副映像ストリーム毎の使用言語を得る（ステップＳＴ１１２）。
【０５７５】
また、システムＣＰＵ部５０は、ビデオマネージャー７１のビデオマネージャー情報（ＶＭＧＭＩ）７５内の第３番目のテーブルであるビデオマネージャーメニュープログラムチェーン情報ユニットテーブル（ＶＭＧＭ＿ＰＧＣＩ＿ＵＴ；図１２）７５３をサーチする（ステップＳＴ１１４）。
【０５７６】
このサーチによって、再生装置に設定されている言語と同一の言語コードが記述されているビデオマネージャーメニュー言語ユニットサーチポインタ（ＶＭＧＭ＿ＬＵ＿ＳＲＰ；図１９）７５３Ｂがサーチされる（ステップＳＴ１１６）。
【０５７７】
同一の言語コードが記述されているビデオマネージャーメニュープログラムチェーン情報ユニットサーチポインタ（ＶＭＧＭ＿ＬＵ＿ＳＲＰ）７５３Ｂをサーチした際に、システムＣＰＵ部５０は、そのポインタ（ＶＭＧＭ＿ＬＵ＿ＳＲＰ）７５３Ｂに対応するビデオマネージャーメニュー言語ユニット（ＶＭＧＭ＿ＬＵ）７５３Ｃ内のビデオマネージャーメニュープログラムチェーン情報サーチポインタ（ＶＭＧＭ＿ＰＧＣＩ＿ＳＲＰ；図２４）７５３ＣＢの各ビデオマネージャーメニューのプログラムチェーンのカテゴリー（ＶＭＧＭ＿ＰＧＣ＿ＣＡＴ；図２４）毎に記載されているメニューＩＤ（図２５）をサーチする（ステップＳＴ１１８）。
【０５７８】
ここで、図７９のノード（１）から図８０のノード（１）へ移る。図７９のステップＳＴ１１８におけるサーチの結果から、システムＣＰＵ部５０は、メインメニューとしてのルートメニュー（図６１）が存在しているか否かを判断するとともに、タイトルメニュー（図６１）が存在しているか否かも判断する（ステップＳＴ１２０）。
【０５７９】
ルートメニューが存在している場合、システムＣＰＵ部５０は、そのルートメニューのメニューＩＤ（図６１では００１１ｂ）が記載されているビデオマネージャーメニュープログラムチェーン情報サーチポインタ（ＶＭＧＭ＿ＰＧＣＩ＿ＳＲＰ；図２２）７５３ＣＢの１つを取り出す。そして、そこに記載されているビデオマネージャメニュー用プログラムチェーン情報のスタートアドレス（ＶＭＧＭ＿ＰＧＣＩ＿ＳＡ；図２４）から、対応するビデオマネージャメニュープログラムチェーン情報（ＶＭＧＭ＿ＰＧＣＩ；図２２）７５３ＣＣの内容を読み出す。そして、システムＣＰＵ部５０は、このビデオマネージャメニュープログラムチェーン情報（ＶＭＧＭ＿ＰＧＣＩ）７５３ＣＣに記載されているセルの先頭ビデオオブジェクトユニット（ＶＯＢＵ；図１１）８５のスタートアドレス（Ｃ＿ＦＶＯＢＵ＿ＳＡ；図４１）を、ルートメニューのスタートアドレスとして、図１のデータＲＡＭ部５６内のメニューテーブル５６Ａに記憶する（ステップＳＴ１２２）。
【０５８０】
一方、タイトルメニューが存在している場合は、システムＣＰＵ部５０は、そのタイトルメニューのメニューＩＤが記載されているビデオマネージャーメニュープログラムチェーン情報サーチポインタ（ＶＭＧＭ＿ＰＧＣＩ＿ＳＲＰ；図２２）７５３ＣＢの１つを取り出す。そして、そこに記載されているビデオマネージャメニュー用プログラムチェーン情報のスタートアドレス（ＶＭＧＭ＿ＰＧＣＩ＿ＳＡ；図２４）から、対応するビデオマネージャメニュープログラムチェーン情報（ＶＭＧＭ＿ＰＧＣＩ；図２２）７５３ＣＣの内容を読み出す。そして、システムＣＰＵ部５０は、このビデオマネージャメニュープログラムチェーン情報（ＶＭＧＭ＿ＰＧＣＩ）７５３ＣＣに記載されているプログラムチェーンの先頭ビデオオブジェクトユニット（ＶＯＢＵ；図１１）８５のスタートアドレス（Ｃ＿ＦＶＯＢＵ＿ＳＡ；図４１）を、タイトルメニューのスタートアドレスとして、図１のデータＲＡＭ部５６内のメニューテーブル５６Ａに記憶する（ステップＳＴ１２４）。
【０５８１】
次に、システムＣＰＵ部５０は、各ビデオタイトルセット７２（図１０のＶＴＳ＃１〜ＶＴＳ＃ｎ）毎の第１番目のテーブルであるビデオタイトルセット情報（ＶＴＳＩ；図４４）９４内のビデオタイトルセットメニュー用プログラムチェーン情報ユニットテーブル（ＶＴＳＭ＿ＰＧＣＩ＿ＵＴ；図４４）９４４をサーチする（ステップＳＴ１２６）。
【０５８２】
その結果、図１の再生装置に設定されている言語と同一の言語コードが記述されているビデオタイトルセットメニュー用言語ユニットサーチポインタ（ＶＴＳＭ＿ＬＵ＿ＳＲＰ；図５４）９４４Ｂがサーチされる（ステップＳＴ１２８）。
【０５８３】
同一の言語コードが記述されているビデオタイトルセットメニュー用言語ユニットサーチポインタ（ＶＴＳＭ＿ＬＵ＿ＳＲＰ）９４４Ｂがサーチされた際に、システムＣＰＵ部５０は、そのポインタ（ＶＴＳＭ＿ＬＵ＿ＳＲＰ；図５４）９４４Ｂに対応するビデオタイトルセットメニュー用言語ユニット（ＶＴＳＭ＿ＬＵ；図５４）９４４Ｃ内のビデオタイトルセットメニュー用プログラムチェーン情報サーチポインタ（ＶＴＳＭ＿ＰＧＣＩ＿ＳＲＰ；図５９）９４４ＣＢから、各ビデオタイトルセットメニュー用プログラムチェーンのカテゴリー（ＶＴＳＭ＿ＰＧＣ＿ＣＡＴ）毎に記載されているメニューＩＤ（図６０）をサーチする（ステップＳＴ１３０）。
【０５８４】
このサーチにより副映像メニュー、オーディオメニュー、アングルメニューおよびチャプター（プログラム）メニューが存在しているか否かが判断されるとともに、タイトルメニューが存在しているか否かも判断される（ステップＳＴ１３２）。
【０５８５】
それらのメニューが存在している場合（ステップＳＴ１３２イエス）、システムＣＰＵ部５０は、そのメニューＩＤ（図６０）が記載されているビデオタイトルセットメニュー用プログラムチェーン情報サーチポインタ（ＶＴＳＭ＿ＰＧＣＩ＿ＳＲＰ；図５７）９４４ＣＢの１つを取り出す。そして、そこに記載されているビデオタイトルセットメニュー用プログラムチェーン情報のスタートアドレス（ＶＴＳＭ＿ＰＧＣＩ＿ＳＡ；図５９）から、対応するビデオタイトルセットメニュー用プログラムチェーン情報（ＶＴＳＭ＿ＰＧＣＩ；図５７）９４４ＣＣの内容を読出す。そして、このビデオタイトルセットメニュー用プログラムチェーン情報（ＶＴＳＭ＿ＰＧＣＩ）９４４ＣＣに記載されているセルの先頭ビデオオブジェクトユニット（ＶＯＢＵ；図１１）８５のスタートアドレス（Ｃ＿ＦＶＯＢＵ＿ＳＡ；図４１）を、対応するメニューのスタートアドレスとして、図１のデータＲＡＭ部５６内のメニューテーブル５６Ａに記憶する（ステップＳＴ１３４）。
【０５８６】
なお、ステップＳＴ１３２においてメニューが存在していないと判定されたときは（ステップＳＴ１３２ノー）、ステップＳＴ１３４はスキップされる。
【０５８７】
以上のようにして、各ビデオタイトルセット７２毎の副映像メニュー、オーディオメニュー、アングルメニュー、パートオブタイトル（チャプターあるいはプログラム）メニューのスタートアドレスが、図１のデータＲＡＭ部５６内に設けられたメニューテーブル５６Ａに記憶される。
【０５８８】
その結果、メニューテーブル５６Ａには、図８１に示すように、図１の再生装置に設定されている言語に対応した各メニューの対応スタートアドレスが記憶される。
【０５８９】
その後、視聴者（図１の再生装置のユーザー）が、たとえば図８のリモートコントローラ部５のメニューキー５ｎをオンすると、システムＣＰＵ部５０は、図８１に示すような内容のメニューテーブル５６Ａを検索して、ルートメニューが存在しているか否かを判断する。
【０５９０】
その結果、ルートメニューが存在していると判断された場合、システムＣＰＵ部５０は、ルートメニューに対応して記憶されている先頭ビデオオブジェクトユニット（ＶＯＢＵ）８５のスタートアドレス（Ｃ＿ＦＶＯＢＵ＿ＳＡ；図４１）を、メニューテーブル５６Ａから読み出す。そして、読み出したアドレスに対応するルートメニューのデータを、ビデオマネージャーメニュー用ビデオオブジェクトセット（ＶＭＧＭ＿ＶＯＢＳ；図１２）７６に対するディスク１０上の記録領域から読み出す。この読み出されたデータは、システムプロセッサ部５４を介して、データＲＡＭ部５６に一旦格納される。
【０５９１】
データＲＡＭ部５６に格納されたルートメニューを含むデータ（図１１のセル８４）は、再生時間情報を基にしてビデオデコーダ部５８、オーディオデコーダ部６０および副映像デコーダ部６２に振り分けられてそれぞれデコードされ、その後、再生処理部６４でＤ／Ａ変換および所定の信号処理を受ける。Ｄ／Ａ変換後のビデオデータ（主映像および副映像）はモニタ部６に送られ、そこで、図８２に示すようなルートメニュー（メインメニュー）画面が再生される。これと同時に、Ｄ／Ａ変換後のオーディオデータはスピーカ部８に送られ、そこから所定の音声（メニューの案内など）が適宜再生される。
【０５９２】
また、視聴者によりリモートコントローラ部５のタイトルキー５ｐ（図８）がオンされ、あるいは上記ルートメニューが再生されている状態でタイトル番号に対応するテンキー５ｔ（図８）がオンされると、若しくは再生キー５ｃ（図８）のオンにより通常再生が開始されると、システムＣＰＵ部５０は、タイトルメニューの再生を行なうものと判断し、タイトルメニューが存在しているか否かを判断する。
【０５９３】
タイトルメニューが存在していると判断された場合は、システムＣＰＵ部５０は、メニューテーブル５６Ａ（図８１）中のタイトルメニューに対応して記憶されている先頭ビデオオブジェクトユニット（ＶＯＢＵ）８５のスタートアドレス（Ｃ＿ＦＶＯＢＵ＿ＳＡ；図４１）を読み出す。そして、このアドレスに対応するタイトルメニューのデータが、ビデオマネージャーメニュー用ビデオオブジェクトセット（ＶＭＧＭ＿ＶＯＢＳ）７６に対するディスク１０上の記録領域から読み出される。この読み出されたデータは、システムプロセッサ部５４を介して、データＲＡＭ部５６に一旦格納される。
【０５９４】
データＲＡＭ部５６に格納されたタイトルメニューを含むデータ（セル８４）は、再生時間情報を基にビデオデコーダ部５８、オーディオデコーダ部６０および副映像デコーダ部６２に与えられてデコードされ、Ｄ／Ａおよび再生処理部６４で信号変換されてモニタ部６に送られる。その結果、モニタ部６に、図８３の（ａ）に示すようなタイトルメニューの画像が再現されるとともに、スピーカ部８から対応する音声が適宜再生される。
【０５９５】
また、図８２のルートメニュー（メインメニュー）が再生されている状態でチャプター切替操作を行なうスキップキー５ｆ（図８）がオンされると、あるいは通常再生おいてタイトルが選択されたあとに、システムＣＰＵ部５０は、現在選択されているタイトルに対応するチャプターメニュー（パートオブタイトルメニュー）の再生処理に入り、チャプターメニューが存在しているか否かを判断する。
【０５９６】
この判断の結果、チャプターメニューが存在していると判断された場合、メニューテーブル５６Ａ（図８１）のチャプターメニューに対応して記憶されている先頭ビデオオブジェクトユニット（ＶＯＢＵ）８５のスタートアドレス（Ｃ＿ＦＶＯＢＵ＿ＳＡ；図４１）が読み出される。そして、このアドレスに対応するチャプターメニューのデータが、ビデオタイトルセットメニュー用ビデオオブジェクトセット（ＶＴＳＭ＿ＶＯＢＳ）９５に対するディスク１０上の記録領域から読み出される。こうして読み出されたデータは、システムプロセッサ部５４を介して、データＲＡＭ部５６に一旦格納される。
【０５９７】
データＲＡＭ部５６に格納されたチャプターメニューを含むデータ（セル８４）は、再生時間情報を基にビデオデコーダ部５８、オーディオデコーダ部６０および副映像デコーダ部６２に与えられてデコードされ、Ｄ／Ａおよび再生処理部６４で信号変換されてモニタ部６に送られる。その結果、モニタ部６に、図８３の（ｂ）に示すようなチャプターメニュー（パートオブタイトルメニュー）の画像が再現されるとともに、スピーカ部８から対応する音声が適宜再生される。
【０５９８】
また、ルートメニューが再生されている状態でオーディオキー５ａｕｄ（図８）がオンされ、あるいは通常再生によりタイトルが選択されたあとに、システムＣＰＵ部５０は、現在選択されているタイトルに対応するオーディオメニューの再生処理に入り、オーディオメニューが存在しているか否かを判断する。
【０５９９】
この判断の結果、オーディオメニューが存在していると判断された場合、メニューテーブル５６Ａ（図８１）のオーディオメニューに対応して記憶されている先頭ビデオオブジェクトユニット（ＶＯＢＵ）８５のスタートアドレス（Ｃ＿ＦＶＯＢＵ＿ＳＡ；図４１）が読み出される。そして、このアドレスに対応するオーディオメニューのデータが、ビデオタイトルセットメニュー用ビデオオブジェクトセット（ＶＴＳＭ＿ＶＯＢＳ）９５に対するディスク１０上の記録領域から読み出される。こうして読み出されたデータは、システムプロセッサ部５４を介して、データＲＡＭ部５６に一旦格納される。
【０６００】
データＲＡＭ部５６に格納されたオーディオメニューを含むデータ（セル８４）は、再生時間情報を基にビデオデコーダ部５８、オーディオデコーダ部６０および副映像デコーダ部６２に与えられてデコードされ、Ｄ／Ａおよび再生処理部６４で信号変換されてモニタ部６に送られる。その結果、図８３の（ｃ）に示すようなオーディオメニューの画像が再現されるとともに、スピーカ部８から対応する音声が適宜再生される。
【０６０１】
また、ルートメニューが再生されている状態で、副映像に対応するサブタイトルキー５ｓｂｔ（図８）がオンされ、あるいは通常再生によりタイトルが選択されたあとに、システムＣＰＵ部５０は、現在選択されているタイトルに対応する副映像メニュー（サブタイトルメニュー）の再生処理に入り、副映像メニューが存在しているか否かを判断する。
【０６０２】
この判断の結果、副映像メニューが存在していると判断された場合、メニューテーブル５６Ａ（図８１）の副映像メニューに対応して記憶されている先頭ビデオオブジェクトユニット（ＶＯＢＵ）８５のスタートアドレス（Ｃ＿ＦＶＯＢＵ＿ＳＡ；図４１）が読み出される。そして、このアドレスに対応する副映像メニューのデータが、ビデオタイトルセットメニュー用ビデオオブジェクトセット（ＶＴＳＭ＿ＶＯＢＳ）９５に対するディスク１０上の記録領域から読み出される。こうして読み出されたデータは、システムプロセッサ部５４を介して、データＲＡＭ部５６に一旦格納される。
【０６０３】
データＲＡＭ部５６に格納された副映像メニュー（サブタイトルメニュー）を含むデータ（セル８４）は、再生時間情報を基にビデオデコーダ部５８、オーディオデコーダ部６０および副映像デコーダ部６２に与えられてデコードされ、Ｄ／Ａおよび再生処理部６４で信号変換されてモニタ部６に送られる。その結果、図８３の（ｄ）に示すような副映像メニュー（サブタイトルメニュー）の画像が再現されるとともに、スピーカ部８から対応する音声が適宜再生される。
【０６０４】
また、ルートメニューが再生されている状態で、アングルキー５ａｎｇ（図５または図８）がオンされ、あるいは通常再生によりタイトルが選択されたあとに、システムＣＰＵ部５０は、現在選択されているタイトルに対応するアングルメニューの再生処理に入り、アングルメニューが存在しているか否かを判断する。
【０６０５】
この判断の結果、アングルメニューが存在していると判断された場合、メニューテーブル５６Ａ（図８１）のアングルメニューに対応して記憶されている先頭ビデオオブジェクトユニット（ＶＯＢＵ）８５のスタートアドレス（Ｃ＿ＦＶＯＢＵ＿ＳＡ；図４１）が読み出される。そして、このアドレスに対応するアングルメニューのデータが、ビデオタイトルセットメニュー用ビデオオブジェクトセット（ＶＴＳＭ＿ＶＯＢＳ）９５に対するディスク１０上の記録領域から読み出される。こうして読み出されたデータは、システムプロセッサ部５４を介して、データＲＡＭ部５６に一旦格納される。
【０６０６】
データＲＡＭ部５６に格納されたアングルメニューを含むデータ（セル８４）は、再生時間情報を基にビデオデコーダ部５８、オーディオデコーダ部６０および副映像デコーダ部６２に与えられてデコードされ、Ｄ／Ａおよび再生処理部６４で信号変換されてモニタ部６に送られる。その結果、図８３の（ｅ）に示すようなアングルメニューの画像が再現される。（このアングルメニューと同時に、図９に示すようなカメラアングルを図解したアングルマークをモニタ部６で表示してもよい。）
なお、図８３の（ｅ）では単純化のため左右中央のカメラアングルだけを例示しているが、カメラアングルの種類は他にも色々ある。たとえばボクサーＡおよびＢのボクシングの試合において、第１のカメラアングルをリング外の試合中継アナウンサー位置からのカメラアングルとし、第２のカメラアングルをリング内のレフリーの視点で捕らえたカメラアングルとし、第３のカメラアングルをボクサーＡの視点で捕らえたカメラアングルとし、第４のカメラアングルをボクサーＢの視点で捕らえたカメラアングルとすることも可能である。
【０６０７】
つまり、この発明では、「カメラアングル」を、物理的な「撮影方向」のみならず、プログラム内容（あるドラマの複数出演者それぞれの立場から見るとビデオ映像がどのように写るか等）に応じた種々な「視点」も含んだ概念で、捕らえている。
【０６０８】
なお、図８２および図８３に例示するようなメニューの使用言語は、視聴者（図１の再生装置のユーザー）が変更できる（図８２、図８３では日本語がメニュー言語として使用されている）。すなわち、デフォルトメニュー言語として日本語が指定されていると、視聴者がなにもしなければ日本語メニューが表示される。ここで、図８３の（ｆ）に示すようなメニュー言語画面から視聴者がたとえば「英語」を選択すると、このメニューを閉じた後に現れる図８２、図８３に示すようなメニューは、英語によって表示されるようになる。
【０６０９】
上記アングルメニューの再現とともに、スピーカ部８からは、対応する音声が適宜再生される。（たとえば、メニュー選択可能な内容の案内を音声データ化したものをＲＯＭ部５２に格納しておき、このデータを適宜ＲＯＭ部５２から読み出し、システムＣＰＵ部５０において、音声合成ソフトウエアによりメニュー選択可能な内容の案内の音声を作り出すことができる。このような音声合成は、周知技術で実現できるので、その内容の説明は省略する。）
システムＣＰＵ部５０は、以上のようにして獲得した各メニューのデータをデータＲＡＭ部５６内のメニューテーブル５６Ａに格納しておくようにしたので、このテーブルを適宜参照することにより、必要なメニューの表示を素早く行うことができる。
【０６１０】
なお、システムＣＰＵ部５０は、ビデオマネージャー情報管理テーブル（ＶＭＧＩ＿ＭＡＴ；図１５）７５１に記述された、ビデオマネージャーメニュー用のビデオ、オーディオ、副映像それぞれのストリーム数および属性情報を獲得する。そして、獲得した属性情報を基に、ビデオデコーダ部５８、オーディオデコーダ部６０および副映像デコーダ部６２それぞれにビデオマネージャーメニュー再生のために必要なパラメータを設定している。
【０６１１】
次に、再生制御情報（ＰＣＩ）およびデータサーチ情報（ＤＳＩ）を含むナビゲーションパック８６（図２６）を利用したビデオデータの再生（図３２のノンシームレスアングル変更および図３８のシームレスアングル変更を含む）について、説明を行なう。
【０６１２】
図８４のフローチャートにおいて、ビデオデータの通常再生が開始される場合には、再生スタートの後に、ビデオマネージャー情報（ＶＭＧＩ）７５が図１のシステムＣＰＵ部５０によってサーチされて、システムＲＯＭ／ＲＡＭ部５２に格納される（ステップＳＴ１３６）。
【０６１３】
このビデオマネージャー情報（ＶＭＧＩ）７５に基づいてビデオタイトルセット（ＶＴＳ）７２のビデオタイトルセット情報（ＶＴＳＩ）９４がＲＡＭ部５２読み込まれ、またビデオオブジェクトセット（ＶＴＳＭ＿ＶＯＢＳ）９５を利用してビデオタイトルセットメニューがモニタ部６に表示される。
【０６１４】
視聴者（図１の再生装置のユーザー）は、このメニュー表示の内容に基づいて、これから再生しようとするタイトルセット７２および再生条件（音声言語、字幕言語、再生画面のアスペクト比等）を決定する（ステップＳＴ１３８）。
【０６１５】
こうして決定されたタイトルセット７２がキー操作／表示部４またはリモートコントローラ部５の操作によって選択されると、選択されたタイトルセット７２中のプログラムチェーン情報テーブル（ＶＴＳ＿ＰＧＣＩＴ；図４４）９４３から、セル再生情報テーブル（Ｃ＿ＰＢＩＴ；図３９）のデータ（Ｃ＿ＰＢＩ＃１〜Ｃ＿ＰＢＩ＃ｎ；図４０）がシステムＣＰＵ部５０によって読み込まれ、これがシステムＲＯＭ／ＲＡＭ部５２に格納される（ステップＳＴ１４０）。
【０６１６】
次に、視聴者が、図８３の（ａ）〜（ｅ）各メニューを見ながら、キー操作／表示部４あるいはリモートコントローラ部５を介して、種々な再生条件（所望のチャプター、所望の音声言語、所望の字幕言語、所望のカメラアングル等）を入力する。すると、システムＣＰＵ部５０は、入力された再生条件に基づいて、これから再生を開始するチャプターに対応するプログラムチェーン番号（図１３のＰＧＣ＃ｋ；図１４のＰＧＣ＃１、ＰＧＣ＃２、ＰＧＣ＃３、…）、オーディオストリーム番号、副映像（字幕／サブタイトル）ストリーム番号、およびアングル番号（図３２または図３８のＡＧＬ＿Ｃ＃ｉ）を決定する（ステップＳＴ１４２）。
【０６１７】
これにより、これから再生するタイトルとして、たとえばニューヨーク・マンハッタンのある市街風景が選択され、その市街風景に関する仏語音声のナレーションの下に英語の副映像字幕を映し出すことが決定される。また、アングルとしては、ナレーションを話すリポータをその歩行方向の右側から捕らえたカメラアングルに決定される。
【０６１８】
なお、視聴者がステップＳＴ１３８の決定操作をスキップしたときは、図１の再生装置は、装置メーカーあるいはディスク１０に記録されるプログラムを作成したプロバイダが予め設定したデフォルト設定を採用するようになっている。デフォルト設定が採用されると、たとえば、光ディスク１０に記録された最初のタイトルセットの最初のチャプターから、英語音声（オーディオストリーム＃１）、日本語字幕（副映像ストリーム＃１）、画面アスペクト比９：１６（再生装置デフォルト）および出演者自身の目で見た視野のカメラアングル（アングル番号＃１）で、ビデオ再生が開始される。
【０６１９】
こうして決定された副映像ストリーム番号およびオーディオストリーム番号は、システムプロセッサ部５４のレジスタ５４Ｂに設定される。同時に、システムプロセッサ部５４、ビデオデコーダ部５８、オーディオデコーダ部６０および副映像デコーダ部６２それぞれのシステムタイムクロック（ＳＴＣ）５４Ａ、５８Ａ、６０Ａおよび６２Ａに、再生スタート時間が設定される。また、再生対象映像情報を含むセル８４（図１１）中の最初のＶＯＢＵ８５の、スタートアドレスおよびプログラムチェーン番号（セル番号）がシステム用ＲＯＭ／ＲＡＭ部５２に格納される（ステップＳＴ１４４）。
【０６２０】
以上のようにしてビデオタイトルセットの読込準備が整うと、システムＣＰＵ部５０からディスクドライブ部３０へリードコマンドが与えられる。すると、ディスクドライブ部３０によって、上述したスタートアドレスを基に、光ディスク１０上の対応記録エリアがシークされる。このリードコマンドによって、指定されたプログラムチェーン（ＰＧＣ）のセルデータ（具体的には図１１最下部のパック列）が光ディスク１０から次々と読み出され、システムＣＰＵ部５０およびシステム処理部５４を介してデータＲＡＭ部５６に送られる（ステップＳＴ１４６）。
【０６２１】
こうして送られたセルデータすなわち１以上のビデオオブジェクトユニット８５（図１１のナビゲーションパック８６を先頭とする複数パック）は、先頭のナビゲーションパック８６から順にデータＲＡＭ部５６に格納される。
【０６２２】
データＲＡＭ部５６に格納された種々なパックデータ（ビデオパック８８、副映像パック９０、オーディオパック９１）は、その後、図１のビデオデコーダ部５８、オーディオデコーダ部６０および副映像デコーダ部６２に分配され、それぞれのデコーダでデコードされて、Ｄ／Ａおよびデータ再生部６４に送られる。その結果、光ディスク１０から取り出したビデオパック８８および副映像パック９０の情報を含む映像信号がモニタ部６に送られ、同時に、光ディスク１０から取り出したオーディオパック９１の情報を含む音声信号がスピーカ部８に送られる。すると、所定言語の字幕（副映像）および所定言語の音声を伴った映像の表示が開始される（ステップＳＴ１４７）。
【０６２３】
このような映像および音声の再生中において、ドライブ部３０から再生終了の割り込みがあったか否かがチェックされる（ステップＳＴ１４８）。
【０６２４】
ドライブ部３０から再生終了割込があった場合は（ステップＳＴ１４８イエス）、後述する再生終了処理（ノード１２）へジャンプする。
【０６２５】
一方、ドライブ部３０からの再生終了割込がない場合には（ステップＳＴ１４８ノー）、次のナビゲーションパック８６の転送を待つ（ステップＳＴ１５０）。
【０６２６】
ナビゲーションパック８６の転送がない間は、上記映像および音声の再生が継続される（ステップＳＴ１４７、ステップＳＴ１４８ノー、ステップＳＴ１５０ノー）。
【０６２７】
次のナビゲーションパック８６が転送されてくると（ステップＳＴ１５０イエス）、転送されてきたナビゲーションパック８６の論理ブロック番号（ＮＶ＿ＰＣＫ＿ＬＢＮ；図２９または図３５）が、現在の論理ブロック番号（ＮＯＷＬＢＮ）としてシステムＲＯＭ／ＲＡＭ部５２に格納される。同時に、転送されてきたナビゲーションパック８６を含むビデオオブジェクトユニット８５（再生中のプログラムチェーンを構成するセル８４の一部）の最終アドレスの論理ブロック番号（ＥＮＤＬＢＮ）が、システムＲＯＭ／ＲＡＭ部５２に格納される（ステップＳＴ１５２）。
【０６２８】
上記ナビゲーションパック８６の転送終了後、それが該当セル８４内の最終のナビゲーションパック８６か否かがチェックされる（ステップＳＴ１５４）。
【０６２９】
このチェックは、セル再生情報テーブル（Ｃ＿ＰＢＩｎ；図４０）内のセル内最終ビデオオブジェクトユニットのスタートアドレス（Ｃ＿ＬＶＯＢＵ＿ＳＡ；図４１）と、現在のナビゲーションパック８６のアドレス（ＮＯＷＬＢＮとなっているＮＶ＿ＰＣＫ＿ＬＢＮ；図２９または図３５）を比較することによって行われる（具体的には、上記ＮＯＷＬＢＮとＥＮＤＬＢＮとを比較する）。このナビゲーションパック８６が該当セル８４内の最終ナビゲーションパックでない場合は（ステップＳＴ１５４ノー）、ステップＳＴ１４７の再生処理に戻る。
【０６３０】
ナビゲーションパック８６が該当セル８４内の最終ナビゲーションパックである場合には（ステップＳＴ１５４イエス）、次の処理に移る。
【０６３１】
すなわち、光ディスク１０からの映像および音声の再生中において、キー操作／表示部４あるいはリモートコントローラ部５からのユーザー割り込み（たとえばアングル変更要求）があるか否かがチェックされる（ステップＳＴ１５６）。
【０６３２】
このユーザー割り込み（アングル変更要求）あった場合には（ステップＳＴ１５６イエス）、この割り込み操作に対応するデータ（アングル番号など）がシステムＲＯＭ／ＲＡＭ部５２に格納され、後述するアングル変更処理（ノード６）へジャンプする。
【０６３３】
上記アングルの変更がない場合は（ステップＳＴ１５６ノー）、現在再生中のセル８４が、そのセルの属するプログラムチェーン（ＰＧＣ）の最終セルであるか否かチェックされる（ステップＳＴ１５８）。
【０６３４】
このチェックは、現在再生中のセル８４がセル再生情報テーブル（Ｃ＿ＰＢＩＴ；図４０）の最終セル（＃ｎ）であるか否かによって判断される。具体的には、該当プログラムチェーン（ＰＧＣ）を構成するセルの経過時間（Ｃ＿ＥＬＴＭ；図２９）または再生されたセルの識別番号（ＶＯＢＵ＿Ｃ＿ＩＤＮ；図３５）によって、最終セル（＃ｎ）であるか否かがチェックされる。
【０６３５】
現在再生中のセル８４がプログラムチェーン（ＰＧＣ）の最終セルでない場合には（ステップＳＴ１５８ノー）、ステップＳＴ１４７の再生処理に戻る。
【０６３６】
ここで、図１の再生装置の動作説明を、図８４のノード（２）から図８５のノード（２）へ移す。
【０６３７】
特別な場合（ストーリー展開が色々変わるインタラクティブなドラマなど）を除き、通常、プログラムチェーンはその番号順（昇順）に再生される。このことから、再生が終了したプログラムチェーンの番号に１を加えることによって、次に再生すべきプログラムチェーン番号が自動的に設定される（ステップＳＴ１６０）。
【０６３８】
すなわち、セル８４がプログラムチェーン（ＰＧＣ）の最終セルである場合は（ステップＳＴ１５８イエス）、そのプログラムチェーンが終了したものとして、再生対象プログラムチェーンを指定するインデックス（ＮＯＷＰＧＣ）が１つインクリメントされ、次のプログラムチェーン（ＰＧＣ）が指定される（ステップＳＴ１６０）。図１４のマルチＰＧＣタイトルを例に取ると、たとえばエントリーＰＧＣ＃１の再生終了後、次の再生対象がＰＧＣ＃２に切り替わる。
【０６３９】
その後、インクリメントされた新たなプログラムチェーン番号のプログラムチェーンが再生中の光ディスク１０に記録されているか否かがチェックされる（ステップＳＴ１６２）。
【０６４０】
次に再生すべきプログラムチェーンがない場合は（ステップＳＴ１６２ノー）、後述する再生終了処理（ノード１２）へジャンプする。
【０６４１】
次に再生すべきプログラムチェーンがある場合は（ステップＳＴ１６２イエス）、インクリメントされたプログラムチェーンのセル再生情報テーブル（Ｃ＿ＰＢＩＴ；図３９）がサーチされ、その内容（たとえばＣ＿ＰＢＩ＃２；図４０）から、そのセル中の最初のビデオオブジェクトユニットのスタートアドレス（Ｃ＿ＦＶＯＢＵ＿ＳＡ；図４１）が現在の論理ブロック番号（ＮＯＷＬＢＮ）として獲得される（ステップＳＴ１６４）。
【０６４２】
こうして獲得した論理ブロック番号（ＮＯＷＬＢＮ）が、前記ステップＳＴ１５２でシステムＲＯＭ／ＲＡＭ部５２に格納しておいたビデオオブジェクトユニット８５（再生中のプログラムチェーンを構成するセル８４の一部）の最終アドレスの論理ブロック番号（ＥＮＤＬＢＮ）の次の番号（ＥＮＤＬＢＮ＋１）であるか否かが、チェックされる（ステップＳＴ１６６）。
【０６４３】
獲得した論理ブロック番号（ＮＯＷＬＢＮ）が最終アドレス論理ブロック番号の次番号（ＥＮＤＬＢＮ＋１）であれば（ステップＳＴ１６６イエス）、ノード（５）を介して、図８４の再生処理（ステップＳＴ１４７）に戻る。
【０６４４】
獲得した論理ブロック番号（ＮＯＷＬＢＮ）が最終アドレス論理ブロック番号の次番号（ＥＮＤＬＢＮ＋１）でなければ（ステップＳＴ１６６ノー）、セルアドレスが連続しないことになる。
【０６４５】
この場合、システムＣＰＵ部５０は、現在再生中のビデオオブジェクトユニット８５の終了アドレスを指定するリード終了アドレスコマンドを発し、指定したアドレスで、ディスクドライブ部３０の読出動作を一時的に中止させる（ステップＳＴ１６８）。
【０６４６】
その後、再びシステムＣＰＵ部５０からディスクドライブ部３０にリードコマンドおよびスタートアドレスが与えられると（ステップＳＴ１７０）、図８４のステップＳＴ１４７の再生処理に戻り（ノード５）、新たなナビゲーションパック８６のシークが開始される。
【０６４７】
図８４において再生終了の場合（ステップＳＴ１４８イエス）、あるいは図８５において次に再生されるプログラムチェーンがない場合は（ステップＳＴ１６２ノー）、図８６のノード１２に処理が移る。
【０６４８】
まず、ナビゲーションパック８６のＰＣＩデータ１１３（図２８）に含まれるＰＣＩ一般情報（ＰＣＩ−ＧＩ）が参照され、そこに記載されるビデオオブジェクトユニットの表示終了時間（ＶＯＢＵ＿Ｅ＿ＰＴＭ；図２９）が参照される（ステップＳＴ１７２）。
【０６４９】
この表示終了時間（ＶＯＢＵ＿Ｅ＿ＰＴＭ）と図１のシステムタイムクロック（ＳＴＣ）の内容（システム時刻基準参照値ＮＶ＿ＰＣＫ＿ＳＣＲ；図３５）とが一致すると（ステップＳＴ１７２イエス）、モニタ部６における画面表示が中止（たとえば再生中のビデオが消滅し、必要な文字情報を適宜含んだブルーバック画面に変わる）される（ステップＳＴ１７４）。
【０６５０】
その後データ転送中止コマンドがシステムＣＰＵ部５０からディスクドライブ部３０に送られる（ステップＳＴ１７６）。すると、ディスクドライブ部３０からのデータ転送が中止され、再生動作は終了する。
【０６５１】
ここで、図１の再生装置の動作説明を、図８４のノード（６）から図８７のノード（６）へ移す。
【０６５２】
再生処理中においてキー操作／表示部４あるいはリモートコントローラ部５からアングル変更の入力があると（ステップＳＴ１５６イエス）、アングル情報（図３０のノンシームレスアングル情報ＮＳＭＬ＿ＡＧＬＩまたは図３６のシームレスアングル情報ＳＭＬ＿ＡＧＬＩ）があるか否かがチェックされる（ステップＳＴ１７８）。
【０６５３】
すなわち、ステップＳＴ１７８において、現在再生中のプログラムチェーン中にノンシームレスアングル情報ＮＳＭＬ＿ＡＧＬＩ（図３０）があるか、シームレスアングル情報ＳＭＬ＿ＡＧＬＩ（図３６）があるか、あるいはこれらのアングル情報がないかが、システムＣＰＵ部５０によって調べられる。
【０６５４】
ここで、ノンシームレスアングル情報ＮＳＭＬ＿ＡＧＬＩ（図３０）は、ＶＯＢＳ／ＶＯＢ／ＣＥＬＬ／ＶＯＢＵ／ＮＶ−ＰＡＣＫ／ＰＣＩという階層の最下層にあるＰＣＩパケット１１６（図２７）に格納されており、シームレスアングル情報ＳＭＬ＿ＡＧＬＩ（図３６）は、ＶＯＢＳ／ＶＯＢ／ＣＥＬＬ／ＶＯＢＵ／ＮＶ−ＰＡＣＫ／ＤＳＩという階層の最下層にあるＤＳＩパケット１１７（図３３）に格納されている。
【０６５５】
ここでアングル変更の対象となるアングルがない（つまり図３０のＮＳＭＬ＿ＡＧＬＩにアングル変更後の飛び先アドレスＮＳＭＬ＿ＡＧＬ＿Ｃｎ＿ＤＳＴＡが記述されていないか、図３６のＳＭＬ＿ＡＧＬＩにアングル変更後の飛び先アドレスＳＭＬ＿ＡＧＬ＿Ｃｎ＿ＤＳＴＡが記述されていない）場合には（ステップＳＴ１７８ノー）、アングルデータがない旨が、キー操作／表示部４（図１）、リモートコントローラの液晶表示部５ｚ（図５）および／またはモニタ部６（図１）に、表示される（ステップＳＴ１８０）。
【０６５６】
なお、「アングルデータがない」場合は、図７のアングルマーク４０７は点灯も点滅もしていない。
【０６５７】
上記「アングルデータがない旨」の表示が済むと、ノード（７）を介して、図８４の最終セルチェックステップＳＴ１５８へ飛ぶ。
【０６５８】
アングル変更の対象となるアングルがある（つまり図３０のＮＳＭＬ＿ＡＧＬＩにアングル変更後の飛び先アドレスＮＳＭＬ＿ＡＧＬ＿Ｃｎ＿ＤＳＴＡが記述されているか、図３６のＳＭＬ＿ＡＧＬＩにアングル変更後の飛び先アドレスＳＭＬ＿ＡＧＬ＿Ｃｎ＿ＤＳＴＡが記述されている）場合には（ステップＳＴ１７８イエス）、図７のアングルマーク４０７が点滅（もしくはアングル変更が可能なことを示す色でアングルマーク４０７が点灯）する。
【０６５９】
このアングルマークの点滅（または特定色での点灯）によりアングル変更が可能であることを知った視聴者（図１の再生装置のユーザー）は、キー操作／表示部４あるいはリモートコントローラ部５を介して、所望のアングル番号を指定できる（ステップＳＴ１８２）。
【０６６０】
ここで、ＰＣＩデータ１１３のアングル情報（ＮＳＭＬ＿ＡＧＬＩ）またはＤＳＩデータ１１５のアングル情報（ＳＭＬ＿ＡＧＬＩ）のいずれかを利用するアングル変更が指定される。但し、一方のアングル情報しかない場合には、その選択は、一方（ＮＳＭＬ＿ＡＧＬＩまたはＳＭＬ＿ＡＧＬＩ）に限られることとなる。
【０６６１】
ＮＳＭＬ＿ＡＧＬＩおよびＳＭＬ＿ＡＧＬＩのうちどちらのアングル情報が選択されるのかは、図４２のシームレスアングル変更フラグがどんな内容のものであるかによる。
【０６６２】
たとえば、現在再生中のアングル番号＃Ｘから別のアングル番号＃Ｙが指定された場合において、アングル番号＃Ｙの飛び先アングルセル番号のプログラム上の再生時間が現在のプログラム再生時間より逆戻るとき（図３２）は、シームレスアングル変更フラグの内容は０ｂで、ノンシームレスアングル変更となり、図３０のアングル情報（ＮＳＭＬ＿ＡＧＬＩ）が選択される。
【０６６３】
一方、アングル番号＃Ｙの飛び先アングルセル番号のプログラム上の再生時間が現在のプログラム再生時間より先行するとき（図３８）は、シームレスアングル変更フラグの内容は１ｂで、シームレスアングル変更となり、図３６のアングル情報（ＳＭＬ＿ＡＧＬＩ）が選択される。
【０６６４】
変更後のアングル番号が（視聴者により）指定されると、指定されたアングル番号に相当するアングルセルの飛び先アドレス（図３０のＮＳＭＬ＿ＡＧＬ＿Ｃｎ＿ＤＳＴＡ；または図３６のＳＭＬ＿ＡＮＬ＿Ｃｎ＿ＤＳＴＡ）が、図３０のノンシームレスアングル情報（ＮＳＭＬ＿ＡＧＬＩ）または、図３６のシームレスアングル情報（ＳＭＬ＿ＡＧＬＩ）から、獲得される。
【０６６５】
こうして獲得されたセルアドレスに基づいて、そのアドレスをシークするための論理ブロック番号（ＮＯＷＬＢＮ）が設定され、この論理ブロック番号により、飛び先アングルセルがサーチされる（ステップＳＴ１８４）。
【０６６６】
ここで、ＰＣＩを利用したノンシームレスアングル変更の際には、アングル変更動作に伴って再生音および再生映像が不連続に急変するので、システムＣＰＵ部５０は、ビデオおよびオーディオデータの再生に対してミュート処理を施すとともに、副映像の再生に対してはポーズ処理を施す。
【０６６７】
これらの処理に伴い、図１の再生装置各部のシステムタイムクロック（ＳＴＣ）は停止され、ビデオデコーダ部５８内のバッファ、オーディオデコーダ部６０内のバッファ、および副映像デコーダ部６２内のバッファがクリアーされて、変更後のアングルデータの受け入れが可能な状態となる（ステップＳＴ１８６）。
【０６６８】
次に、システムＣＰＵ部５０は、データ転送停止コマンドをディスクドライブ部３０に送って、一時的にディスクドライブ部３０に読み出し動作を中止させる（ステップＳＴ１８８）。
【０６６９】
その後、システムＣＰＵ部５０からディスクドライブ部３０にリードコマンドが与えられると、シークすべき論理ブロック番号すなわち飛び先アングルセルのスタートアドレスがサーチされて、変更後のアングルセルのデータ転送が開始される。読み出された新アングルのセルデータは、システムＣＰＵ部５０およびシステム処理部５４を介してデータＲＡＭ部５６に送られる（ステップＳＴ１９０）。
【０６７０】
このような変更後のアングルセルの映像および音声を再生している（ステップＳＴ１９１）間に、ドライブ部３０から再生終了の割り込みがあったか否かがチェックされる（ステップＳＴ１９２）。
【０６７１】
ドライブ部３０から再生終了割込があった場合は（ステップＳＴ１９２イエス）、図８６の再生終了処理（ノード１２）へジャンプする。
【０６７２】
一方、ドライブ部３０からの再生終了割込がない場合には（ステップＳＴ１９２ノー）、次のナビゲーションパック８６の転送を待つ（ステップＳＴ１９４）。次のナビゲーションパック８６の転送がない間は（ステップＳＴ１９４ノー）、変更後のアングルセルの映像および音声の再生が継続される（ステップＳＴ１９１、ステップＳＴ１９２ノー、ステップＳＴ１９４ノー）。
【０６７３】
次のナビゲーションパック８６が転送されてくると（ステップＳＴ１９４イエス）、所定の同期データがビデオデコーダ部５８、オーディオデコーダ部６０および副映像デコーダ部６２にそれぞれセットされ、ナビゲーションパック８６のＤＳＩ一般情報（ＤＳＩ＿ＧＩ；図３５）に記載されたナビゲーションパックのシステムクロックリファレンス（ＮＶ＿ＰＣＫ＿ＳＣＲ）が参照されて、図１の各システムタイムクロック（ＳＴＣ）がセットされる（ステップＳＴ１９６）。
【０６７４】
その後、ステップＳＴ１８６で設定されたビデオ／オーディオのミュート状態および副映像のポーズ状態が解除され、システムタイムクロック（ＳＴＣ）の動作がスタートする（ステップＳＴ１９８）。
【０６７５】
その後、図８４のノード（９）にジャンプして、通常再生と同様にステップＳＴ１４７〜ＳＴ１５８の処理が実行される。
【０６７６】
図８８は、図１の再生装置に光ディスク１０がセットされたあと、この装置が再生スタンバイになるまでの処理を説明するフローチャートである。
【０６７７】
視聴者が、たとえば図６のオープン／クローズボタン４ｇを押すと、ディスクトレイ４ｉが開く。視聴者が再生しようとする光ディスク１０をトレイ４ｉの所定部分に載置し、再びオープン／クローズボタン４ｇを押すと、トレイ４ｉが装置本体に引き込まれる（ステップＳＴ１０）。
【０６７８】
図３に示すような構成を持つ光ディスク１０が図１の再生装置本体（外観は図６）に引き込まれ、再生が（オートスタートまたは再生ボタン操作により）開始されると、まず、リードイン領域２７に書き込まれている情報が読み出される（ステップＳＴ１２）。
【０６７９】
ここで、ディスクトレイ４ｉにセットされた光ディスク１０がコンパクトディスク（ＣＤ）の場合はそのリードイン領域に記録されたテーブルオブコンテンツ（ＴＯＣ）が読み取られ、セットされたディスク１０が音楽ＣＤであることを示すＣＤ表示部４０１（図７）が点灯する。
【０６８０】
一方、ディスクトレイ４ｉにセットされた光ディスク１０がデジタルビデオディスク／デジタルバーサタイルディスク（ＤＶＤ）の場合は、そのリードイン領域２７に続いて記録されたボリュームおよびファイル構造領域７０（図１０）が読み取られ、セットされたディスク１０がＤＶＤであることを示すＤＶＤ表示部４０２（図７）が点灯する。
【０６８１】
ディスクトレイ４ｉにセットされた光ディスク１０がＤＶＤの場合は、ボリュームおよびファイル構造領域７０（ＩＳＯ９６６０およびＵＤＦブリッジに定められる管理領域に相当）から、そこに記録されたボリュームデータが読み込まれる（ステップＳＴ１４）。
【０６８２】
読み込んだボリュームデータの記述に基づいて、ビデオマネージャーＶＭＧ７１（図１０）の内容がシステムＲＯＭ／ＲＡＭ部５２（図１）に格納される。このビデオマネージャー７１には、ビデオタイトルセット（ＶＴＳ＃１〜＃ｎ）７２を管理する情報（ビデオマネージャ情報ＶＭＧＩ等）が記述されている。このビデオマネージャ情報ＶＭＧＩが読み込まれる（ステップＳＴ１６）。
【０６８３】
このビデオマネージャ情報ＶＭＧＩが読み込みが済むと、図１の再生装置は、セットされた光ディスク（ＤＶＤ）１０の再生スタンバイ状態になる（ステップＳＴ１８）。
【０６８４】
図８９は、図８８のビデオマネージャ情報読込ステップＳＴ１６における処理内容を示す。
【０６８５】
すなわち、まずビデオマネージャ情報管理テーブルＶＭＧＩ＿ＭＡＴ７５１（図１２）が図１のシステムＲＡＭ部５２に読み込まれる（ステップＳＴ１６Ａ）。
【０６８６】
同様に、タイトルサーチポインタテーブルＴＴ＿ＳＲＰＴ７５２（図１６）がシステムＲＡＭ部５２に読み込まれる（ステップＳＴ１６Ｂ）。
【０６８７】
読み込んだタイトルサーチポインタテーブルＴＴ＿ＳＲＰＴ７５２から、セットされたＤＶＤディスク１０内の各タイトル毎のアングル数ＡＧＬ＿Ｎｓ（図１８、図９６）がチェックされる（ステップＳＴ１６Ｃ）。
【０６８８】
各タイトル毎の上記アングル数ＡＧＬ＿Ｎｓが２以上であるかどうかによって、該当タイトルがマルチアングル再生可能なアングルブロックを含むかどうか判定できる（ＡＧＬ＿Ｎｓが１であるタイトルはアングルブロックを含まない）。
【０６８９】
各タイトル毎のアングル数ＡＧＬ＿Ｎｓ判定後、ビデオマネージャメニュー用ビデオオブジェクトセットＶＭＧＭ＿ＶＯＢＳ７６（図１２）が図１のシステムＲＡＭ部５２に読み込まれる（ステップＳＴ１６Ｄ）。
【０６９０】
その結果、選択可能なタイトル番号および選択可能なアングル数の表示を含むメニュー（図８２）が図１のモニタ部６に出力され、図８８の再生スタンバイステップＳＴ１８に戻る。
【０６９１】
タイトル再生が開始される前に、図９０の前処理が実行される。すなわち、視聴者が所望のタイトル番号（たとえば＃１）を選択し、たとえば図８の再生ボタン５ｃを押すと、指定されたタイトル番号（＃１）に対応したビデオタイトルセット情報ＶＴＳＩ（図４４）が図１のシステムＲＡＭ部５２に読み込まれる（ステップＳＴ２０）。
【０６９２】
図９１は、図９０のビデオタイトルセット情報読込ステップＳＴ２０における処理内容を示す。
【０６９３】
すなわち、まずビデオタイトルセット情報管理テーブルＶＴＳＩ＿ＭＡＴ９４１（図４４）が、システムＲＡＭ部５２に読み込まれる（ステップＳＴ２０Ａ）。
【０６９４】
続いて、ビデオタイトルセットのパートオブタイトルのサーチポインタテーブルＶＴＳ＿ＰＴＴ＿ＳＲＰＴ９４２（図４４）がシステムＲＡＭ部５２に読み込まれる（ステップＳＴ２０Ｂ）。
【０６９５】
次に、各ビデオタイトルセットのプログラムチェーン情報テーブルＶＴＳ＿ＰＧＣＩＴ９４３（図４４）がシステムＲＡＭ部５２に読み込まれる（ステップＳＴ２０Ｃ）。この読み込みは、セットされたディスク１０に記録された全てのビデオタイトルセット（最大９９個）に対して行われる。
【０６９６】
全てのビデオタイトルセットに対するプログラムチェーン情報テーブルＶＴＳ＿ＰＧＣＩＴ９４３の読み込みが終了すると、各ビデオタイトルセットのビデオオブジェクトユニットのアドレス管理テーブルＶＴＳ＿ＶＯＢＵ＿ＡＤＭＡＴ９４９（図４４）がシステムＲＡＭ部５２に読み込まれる（ステップＳＴ２０Ｄ）。その後、図９０のビデオタイトルセット情報ＶＴＳＩの読込ステップＳＴ２０の終了状態に戻る。
【０６９７】
図９２は、図９１のプログラムチェーン情報テーブル読込ステップＳＴ２０Ｃにおける処理内容を示す。
【０６９８】
すなわち、該当ビデオタイトルセットのプログラムチェーン情報サーチポインタＶＴＳ＿ＰＧＣＩ＿ＳＲＰ９４３Ｂ（図５０）がシステムＲＡＭ部５２に読み込まれる（ステップＳＴ２００）。
【０６９９】
読み込まれたサーチポインタＶＴＳ＿ＰＧＣＩ＿ＳＲＰ９４３Ｂには、対応するビデオタイトルセットプログラムチェーン情報のスタートアドレスＶＴＳ＿ＰＧＣＩ＿ＳＡ（図５２）が記述されている。このスタートアドレスＶＴＳ＿ＰＧＣＩ＿ＳＡに基づいて、該当ビデオタイトルセットのプログラムチェーン情報ＶＴＳ＿ＰＧＣＩ９４３ＢがシステムＲＡＭ部５２に読み込まれる（ステップＳＴ２１０）。その後、図９１のアドレス管理テーブルの読込ステップＳＴ２０Ｄに戻る。
【０７００】
図９３は、図９２のプログラムチェーン情報読込ステップＳＴ２１０における処理内容を示す。
【０７０１】
すなわち、プログラムチェーンの一般情報ＰＧＣ＿ＧＩ（図３９）がシステムＲＡＭ部５２に読み込まれ（ステップＳＴ２１００）、続いてプログラムチェーンのコマンドテーブルＰＧＣ＿ＣＭＤＴ（図３９）がシステムＲＡＭ部５２に読み込まれ（ステップＳＴ２２００）、続いてプログラムチェーンのプログラムマップＰＧＣ＿ＰＧＭＡＰ（図３９）がシステムＲＡＭ部５２に読み込まれ（ステップＳＴ２３００）、続いてセル再生情報テーブルＣ＿ＰＢＩＴ（図３９）がシステムＲＡＭ部５２に読み込まれ（ステップＳＴ２４００）、最後にセル位置情報テーブルＣ＿ＰＯＳＩＴ（図３９）がシステムＲＡＭ部５２に読み込まれて（ステップＳＴ２５００）、図９２のプログラムチェーン情報読込ステップＳＴ２１０における処理が終了する。
【０７０２】
図９４は、図９３のセル再生情報テーブル読込ステップＳＴ２４００における処理内容を示す。
【０７０３】
すなわち、セル再生情報Ｃ＿ＰＢＩから、セルカテゴリーＣ＿ＣＡＴ（図４１）がシステムＲＡＭ部５２に読み込まれ（ステップＳＴ２４１０）、続いてセル再生時間Ｃ＿ＰＢＴＭ（図４１）がシステムＲＡＭ部５２に読み込まれて（ステップＳＴ２４２０）、図９３のセル位置情報テーブル読込ステップＳＴ２５００に戻る。
【０７０４】
図９５は、図９４のセルカテゴリーテーブル読込ステップＳＴ２４１０における処理内容を示す。
【０７０５】
すなわち、まずセルカテゴリーＣ＿ＣＡＴ（図４１）内のセルブロックモード（図４２）がシステムＲＡＭ部５２に読み込まれる（ステップＳＴ２４１２）。続いて、ビデオタイトルセット毎に、対応するセルカテゴリーＣ＿ＣＡＴに記述されたセルブロックタイプ（図４２）がシステムＲＡＭ部５２に読み込まれる（ステップＳＴ２４１４）。こうして読み込まれたセルブロックタイプ（図４２）の内容がたとえば０１ｂ（ｂはバイナリの意）であれば、該当セルはアングルブロックのセルであることが示される。
【０７０６】
各ビデオタイトルセットの再生中にこのセルブロックタイプ＝０１ｂがシステムＣＰＵ部５０によって検知されると、たとえば図７のアングルマーク４０７が点滅され、視聴者に「アングル変更が可能ですよ」という通知がなされる。
【０７０７】
なお、図８８〜図８９の処理により、各タイトル毎に、パートオブタイトル数（チャプター数）およびアングル数の一覧表（図９６）がシステムＲＡＭ部５２（図１）に記憶される。この記憶状態は、再生装置にセットされた光ディスク１０が交換され別のディスクがセットされるまで維持される。
【０７０８】
また、図９０〜図９５の処理により、それぞれのタイトル中の各チャプターの該当セル毎に、セルブロックモード（たとえばブロック内のセルの位置を指定）、セルブロックタイプ（アングルブロックかどうかを指定）、そのセルの開始アドレスおよび終了アドレスなどの一覧表（図９７）が、システムＲＡＭ部５２（図１）に記憶される。この記憶状態も、再生装置にセットされた光ディスク１０が交換され別のディスクがセットされるまで維持される。
【０７０９】
なお、図４２を参照して説明したセルブロックモードの内容（２ビットバイナリコード）を図９７の内容に当てはめると、セルブロックモードのＮＯＴが００ｂに該当し、ＦＩＲＳＴが０１ｂに該当し、ＭＩＤＤＬＥが１０ｂに該当し、ＬＡＳＴが１１ｂに該当する。
【０７１０】
また、図４２を参照して説明したセルブロックタイプの内容（２ビットバイナリコード）を図９７の内容に当てはめると、セルブロックタイプのＮＯＴ＊が００ｂに該当し、ＡＮＧＬＥが０１ｂに該当する。
【０７１１】
図９８は、光ディスク１０に記録されたあるタイトルの再生時における、アングル変更処理を説明するフローチャートである。
【０７１２】
ＤＶＤディスク１０が図１の再生装置にセットされると、図９６（ＲＡＭ部５２の記憶内容）から、ディスク１０に記録された各タイトル毎のアングル数が判明する（図８９のステップＳＴ１６Ｃ参照）。ここで、視聴者が再生対象としてタイトル＃２を選択すると、そのタイトルはチャプター数が４つでマルチアングル再生可能なアングルブロック（ここでは３種類のアングル）を含むことが判る。タイトル＃２が選択されると、図１のシステムＣＰＵ部５０はアングルブロックを含むタイトルがこれから再生されることを認知する。
【０７１３】
アングル数が複数であるマルチアングルを含むタイトル＃２が選択され（図９８のステップＳＴ３０イエス）、アングルマークオン／オフキー５ａｍがオンされておれば（ステップＳＴ３２イエス）、図９の（Ｂ）〜（Ｄ）に示すようなカメラ型アングルマークが点灯状態となり、アングル方向を示す矢印とともに、たとえば図５のリモートコントローラ部５の液晶表示部５ｚおよびモニタ部６の片隅に表示される（ステップＳＴ３４）。
【０７１４】
ここで、図９のアングル方向を示す矢印は、表示しなくても良い（カメラマークの有無だけでもマルチアングル再生可能なタイトルかどうかを認知できる）。なお、カメラマークおよびアングル方向矢印は、副映像のビットマップ領域を利用して表示することもできる。
【０７１５】
マルチアングルを含まない（つまりアングル数が１の）タイトル＃１が選択され（ステップＳＴ３０ノー）、あるいはマルチアングルを含むタイトル＃２の再生中であってもアングルマークオン／オフキー５ａｍがオフされておれば（ステップＳＴ３２ノー）、アングルマークは消灯される（ステップＳＴ３６）。その後の処理は、たとえば図８４のステップＳＴ１４７以降と同様でよい。
【０７１６】
ここで、モニタ部６でのアングルマーク（カメラマーク）の表示はアングルマークオン／オフキー５ａｍの操作によりオン／オフ（点灯／消灯）できるが、マルチアングルを含むタイトルが再生対象として選択されると、再生装置本体あるいはリモートコントローラ部の表示部５ｚにおいては、アングルマーク（カメラマーク）が常時表示されるようにしておく。
【０７１７】
ＤＶＤディスク１０が図１の再生装置にセットされたあと、たとえば図５のリモートコントローラ部５のアングルキー５ａｎｇがオンされると（図９９のステップＳＴ４０イエス）、アングル番号表示状態がチェックされる（ステップＳＴ４２）。
【０７１８】
たとえば図９の（Ｂ）の左上に例示するようにアングル番号（ＡＮＧＬＥ：１）が表示中であれば（ステップＳＴ４２イエス）、アングルキー５ａｎｇのオンに応答して、次のアングル（図９の（Ｃ）のＡＮＧＬＥ：２）に切り替える処理が行われる（ステップＳＴ４４）。
【０７１９】
図９の（Ａ）に例示するようにアングル番号の表示中がなければ（ステップＳＴ４２ノー）、図９６の一覧表を参照することにより、現在再生中のタイトル（たとえば＃２）がマルチアングルを含むタイトルであるかどうかがチェックされる（ステップＳＴ４６）。
【０７２０】
現在再生中のタイトルがマルチアングルを含むタイトル（＃２）のときは（ステップＳＴ４６イエス）、ステップＳＴ４０でリモートコントローラ部５のアングルキー５ａｎｇがオンされているならば（ステップＳＴ４０イエス）、アングル番号が表示される（ステップＳＴ４８）。
【０７２１】
さらに、マルチアングルを含むタイトル（＃２）の再生中に、アングルブロックを含むセル（図９７の例ではチャプター＃３のセル＃３〜＃５）に差し掛かると（ステップＳＴ５０イエス）、アングルマーク（カメラマーク）４０７を点滅させ、あるいは変形させ、若しくは表示色を別の色に変える（たとえばグリーンのカメラマークを赤あるいはオレンジのカメラマークに変色させる）（ステップＳＴ５２）。このようなアングルマーク４０７の目立った変化により、視聴者は、現在アングル変更が可能な状態にあることを知ることができる。その後の処理は、たとえば図８４のステップＳＴ１４７以降と同様でよい。
【０７２２】
なお、ステップＳＴ５２においてアングルマーク４０７を視覚的に変化させるだけでなく、「現在アングル変更が可能な状態にあること」を視聴者に通知するためにアラーム音あるいは音声合成した案内を、図１のスピーカ部８から出力してもよい。
【０７２３】
ＤＶＤディスク１０が図１の再生装置にセットされたあと、たとえば図５のリモートコントローラ部５のアングルキー５ａｎｇがオンされると（図１００のステップＳＴ４０イエス）、アングルブロック再生中であるかどうかがチェックされる（ステップＳＴ６０）。
【０７２４】
アングルブロック再生中であれば（ステップＳＴ６０イエス）、現在アングルチェンジモードにあるかがチェックされる（ステップＳＴ６４）。具体的には、アングルキー５ａｎｇが押された後の、以下に例示する所定状態がチェックされる。
【０７２５】
マルチアングル情報で構成されるアングルブロックを持つタイトルが選択されており、このアングルブロック（アングル区間）が再生されているとき（ステップＳＴ６０イエス）にアングルキー５ａｎｇが押されと（ステップＳＴ６４イエス）、現再生中のアングル番号がキャラクタジェネレータ（図示せず）から所定時間（たとえば５秒；この間がアングルチェンジモードの所定状態となる）出力され、それがモニタ部６の片隅（図９では左上隅）に表示される。
【０７２６】
このアングル番号表示期間中にもう一度アングルキーが押されると、次のアングル番号のセルの対応時刻地点（図３２のｔ２０、または図３６のｔ８０）がサーチされ、そこから再生が開始される（ステップＳＴ６８）。
【０７２７】
なお、アングルキー５ａｎｇが押された時点（ステップＳＴ４０イエス）でアングルブロック再生中でなければ（ステップＳＴ６０ノー）、アングル変更ができない旨の警告内容を含むエラーメッセージが、モニタ部６に出力される（ステップＳＴ６２）。
【０７２８】
また、アングルブロック再生中（ステップＳＴ６０イエス）でも、アングルキー５ａｎｇが押されてから（ステップＳＴ４０イエス）たとえば５秒間以上何らのユーザー操作がなく、アングルチェンジモードがキャンセルされているときは（ステップＳＴ６４ノー）、モニタ部６（図１）、リモートコントローラ部５の液晶表示部５ｚ（図５）、および／または装置本体の表示窓４ｗ（図７）に、現在の再生アングル番号（図９の（Ｂ）を例にとればアングル番号１）が表示される（ステップＳＴ６６）。
【０７２９】
ＤＶＤディスク１０が図１の再生装置にセットされたあと、たとえば図５のリモートコントローラ部５のテンキー５ｔのいずれかが押されると（図１０１のステップＳＴ４１イエス）、アングルブロック再生中であるかどうかがチェックされる（ステップＳＴ６０）。
【０７３０】
アングルブロック再生中であれば（ステップＳＴ６０イエス）、現在アングルチェンジモードにあるかがチェックされる（ステップＳＴ６４）。具体的には、アングルキー５ａｎｇが押された後の、前記所定状態（アングルキー５ａｎｇが押された後の５秒間のユーザー操作待ち状態）がチェックされる。
【０７３１】
この所定状態（アングルチェンジモードがアクティブ）でに図５のテンキー５ｔのいずれか（たとえば２）がオンされておれば（ステップＳＴ６４イエス）、テンキー入力されたアングル番号（＃２）が現在再生中のタイトルにあるかどうかチェックされる（ステップＳＴ７２）。このチェックは、図９６に示すような内容の一覧表を参照することで行われる。
【０７３２】
いま、タイトル＃２のチャプター＃４のアングル＃１を再生中であれば、図９６の例ではアングル数が３あるので、テンキー入力された新たなアングル番号＃２は存在する（ステップＳＴ７２イエス）。
【０７３３】
この場合は、入力されたアングル番号＃２のセルの対応時刻地点（図３２のｔ２０、または図３６のｔ８０）がサーチされそこから再生が開始される（ステップＳＴ７６）。
【０７３４】
なお、所定状態（アングルチェンジモードがアクティブ）において、テンキー５ｔのいずれかが押された時点（ステップＳＴ４０イエス）でアングルブロック再生中でなければ（ステップＳＴ６０ノー）、テンキー入力された番号のチャプター（パートオブタイトル）がサーチされる（ステップＳＴ７０）。
【０７３５】
また、アングルブロック再生中（ステップＳＴ６０イエス）であっても、アングルキー５ａｎｇが押されてから（ステップＳＴ４０イエス）たとえば５秒間以上何らのユーザー操作がなく、アングルチェンジモードがキャンセルされているときは（ステップＳＴ６４ノー）、やはりテンキー入力された番号のチャプター（パートオブタイトル）がサーチされる（ステップＳＴ７０）。
【０７３６】
所定状態（アングルチェンジモードがアクティブ）において、テンキー入力されたアングル番号が現在再生中のディスク１０に存在しない（図９６の一覧表にない）ときは（ステップＳＴ７２ノー）、アングル変更ができない旨の警告内容を含むエラーメッセージが、モニタ部６に出力される（ステップＳＴ７４）。
【０７３７】
なお、アングル切替操作によって選択したタイトル番号、チャプター番号、アングル番号等を視聴者に通知する方法は、視覚的な表示のみに限定されない。たとえば音声合成の手法を用いて、選択された対応番号の音声を、スピーカ部８から出力するようにしても良い。
【０７３８】
図１０２は、図１の再生装置（ＤＶＤプレーヤ）と同等の機能をパーソナルコンピュータに持たせる場合のシステム構成を説明するブロック図である。図１０２のパーソナルコンピュータ１０００は、専用ハードウエアで構成してもよいが、一般的な構成の汎用パーソナルコンピュータで構成することもできる。
【０７３９】
すなわち、パーソナルコンピュータ１０００の内部バス１００２には、メインＣＰＵ１００４、基本入出力システムＲＯＭ（ＢＩＯＳ・ＲＯＭ）１００８、メインメモリ１０１０、ビデオメモリ１０１２、フロッピーディスクドライブ（ＦＤＤ）１０２２、キーボードＩ／Ｏデバイス１０２４、マウスＩ／Ｏデバイス１０２６、通信Ｉ／Ｏデバイス１０２８などが接続されている。メインＣＰＵ１００４には、専用の高速バスを介してキャッシュメモリ１００６が直結されている。
【０７４０】
パーソナルコンピュータ１０００の内部バス１００２には複数の汎用バススロット（図示せず）が設けられている。これらのスロットに、スカジインターフェイス（ＳＣＳＩボード）１０１４、ＤＶＤ処理ボード１０３０、ビデオＩ／Ｏデバイス（ビデオカード）１０３２、オーディオＩ／Ｏデバイス（オーディオカード）１０３４などがインサートされている。
【０７４１】
ＳＣＳＩタイプのボード１０１４にはＳＣＳＩハードディスクドライブ（ＨＤＤ）１０１８およびＳＣＳＩタイプのＤＶＤＲＯＭドライブ（またはＲＯＭ／ＲＡＭコンパチブルドライブ）１０２０が接続される（ＤＶＤドライブ１０２０はＣＤＲＯＭとコンパチブルでもよい）。
【０７４２】
ビデオカード１０３２には高解像度のビットマップディスプレイ（アナログＲＧＢタイプ）６が接続され、オーディオカード１０３４には２チャネルステレオペアのスピーカ８が接続される（カード１０３４がパワーアンプを内蔵していないときは、スピーカ８にパワーアンプを内蔵させるか、カード１０３４とスピーカ８との間に図示しないステレオアンプを挿入することになる）。
【０７４３】
図１０２のＤＶＤ処理ボード１０３０は、図１のデバイス５０〜６４に相当するハードウエアが組み込まれている。図１のディスクドライブ３０は図１０２のＤＶＤＲＯＭ／ＲＡＭドライブ１０２０に対応する。図１０２のメモリ１０１０または１０１２の記憶エリアの一部を、必要に応じて、図１のＲＯＭ・ＲＡＭ５２またはＲＡＭ５６の一部として利用することは可能である。
【０７４４】
図１のキー操作部４の機能は、図１０２のキーボードＩ／Ｏデバイス１０２４に接続されるキーボートに割り当てることができる。また、図１のリモートコントローラ５の機能は、図１０２のキーボードＩ／Ｏデバイス１０２４に接続されるキーボートまたはマウスＩ／Ｏデバイス１０２６に接続されるマウスあるいは通信Ｉ／Ｏデバイス１０２８に接続される外部コントローラ（図示せず）に割り当てることができる。
【０７４５】
図１０３は、図１０２のパーソナルコンピュータ１０００が仮想ＤＶＤプレーヤとして機能する場合において、そのモニタ６のビットマップディスプレイ上に表示されるＤＶＤプログラムコンテンツ（映像）および操作パネルアイコンを例示している。
【０７４６】
すなわち、モニタスクリーンの上方にＤＶＤビデオ映像を表示するＤＶＤウインドウ６Ａを出力させる。このＤＶＤウインドウ６Ａに、フルカラー（好ましくは２４ビットＲＧＢ、簡易表示なら８〜１６ビットＲＧＢ）の動画、スチル画またはメニュー画面が表示される。
【０７４７】
また、モニタスクリーンの下方（またはＤＶＤウインドウ表示に使用されない余白エリア）に、図７に例示するような表示窓４ｗ（ＤＶＤ動作表示パネル）に対応する操作パネルアイコン６Ｂが表示される。
【０７４８】
この操作パネルアイコン６Ｂの代わりに、あるいはこの操作パネルアイコン６Ｂとともに、図８に例示するような構成のＤＶＤ操作リモートコントローラ５のアイコン６Ｃを表示することもできる。
【０７４９】
モニタ６のスクリーン上の余白エリアに表示された操作パネルアイコン６Ｂおよび／またはリモートコントローラアイコン６Ｃは、コードレスマウス１０２６Ａにより操作できるようになっている。このマウス１０２６Ａを用いることにより、パーソナルコンピュータ１０００のユーザ（ＤＶＤビデオの視聴者）は、赤外線光信号を介して赤外線受信器１０２６Ｂに所望の操作指令を出すことができる。
【０７５０】
たとえば、ユーザが手元のテーブル（図示せず）上でマウス１０２６Ａを動かすと、その２次元平面上のマウスの動きに対応した２相パルスが赤外線光信号となって受信器１０２６Ｂに送られる。すると、図１０２のＣＰＵ１００４はマウス１０２６Ａからの２相パルスに対応してモニタ６上のマウスポインタ６Ｄの表示位置を移動させる。
【０７５１】
マウスポインタ６ＤがたとえばＤＶＤ操作パネルアイコン６Ｂのチャプタースキップキーアイコン上にあるときにユーザがマウス１０２６Ａのマウスボタンをクリックすると、チャプタースキップが行われる。すると、ＤＶＤウインドウ６Ａの表示内容が、たとえばチャプター「１」（再生中のビデオタイトルセット「１」のパートオブタイトル「１ー１」）の画面からチャプター「２」（再生中のビデオタイトルセット「１」のパートオブタイトル「１ー２」）の画面に切り替えられる。
【０７５２】
アングル変更も同様に行うことができる。いま、ＤＶＤ操作パネルアイコン６Ｂとともにリモートコントローラアイコン６Ｃがモニタスクリーンの余白に表示されており、ＤＶＤ操作パネルアイコン６Ｂのアングルマーク表示４０７がアングルブロック再生中であることを示す表示（たとえばカメラアイコンの点滅）になっているとする。その場合に、ユーザがマウスポインタ６Ｄをアングルボタン５ａｎｇ上に移動させてからマウスボタンをクリックすると、ＤＶＤウインドウ６Ａの表示内容が、たとえばアングル「１」の画面からアングル「２」の画面に切り替えられる。
【０７５３】
以上の動作例説明は、ＤＶＤディスク１０がＤＶＤドライブ１０２０にインサートされている場合のみならず、ＤＶＤプログラムを外部から受信している場合にも適用できる。
【０７５４】
たとえば、ＤＶＤビデオオンデマンドシステムの加入者であるパーソナルコンピュータ１０００のユーザがキーボード１０２４Ａを用いてプロバイダにアクセスし、自分のＩＤと希望のＤＶＤプログラムをプロバイダに通知したとする。この通知はモデム１０２８Ａおよび電話回線Ｌ１０を介して行われる。加入者（ユーザ）からの要求を受けたプロバイダは、加入者のＩＤを確認後、デジタル回線Ｌ２０を介して、要求されたＤＶＤプログラムを、デコード前のデジタル信号の形で、その加入者へ転送する。（要求されたＤＶＤプログラムが有料の場合は、その加入者の銀行口座から所定の料金を引き落とす処理がプロバイダ側のコンピュータにより実行される。要求されたＤＶＤプログラムがコマーシャル付で無料の場合は、コマーシャルが必ず再生されるような形で、要求されたＤＶＤプログラムがその加入者へ転送される。）
図１０２または図１０３のＤＶＤドライブ付パーソナルコンピュータ１０００を仮想ＤＶＤプレーヤとして機能させるには、ＤＶＤ処理ボード１０３０中のシステムＣＰＵ５０が図１０２のメインＣＰＵ１００４の制御下に置かれるようにするとともに、仮想DVDプレーヤの操作環境（ユーザインターフェイス）をモニタ６上に形成するソフトウエア（メインＣＰＵ１００４上で走る）が必要になる。
【０７５５】
このソフトウエアの基本部分は、ＤＶＤデジタルデータをＤＶＤディスク１０から取り出す場合でもデジタル回線Ｌ２０を介してプロバイダからもらう場合でも変わらない。両者の主な違いは、ＤＶＤディスク１０またはＤＶＤコンテンツソースからＤＶＤ処理ボード１０３０までのデータ伝送経路中に、通信回線（Ｌ１０、Ｌ２０）が介在するか否かである。以下では、ＤＶＤコンテンツがＤＶＤディスク１０から取り出される場合を想定して、説明を行なうことにする。
【０７５６】
ＤＶＤディスク１０は、図３および図１０に示すように、その中心側にリードインエリア２７を持ち、このリードインエリア２７の外側にビデオマネージャ記録エリア７１を持ち、このビデオマネージャ記録エリア７１の外側に１以上のビデオタイトルセットＶＴＳ＃ｎを記録するエリア７２を持つ。少なくとも１つのビデオタイトルセット記録エリア７２は複数のアングルセルＡＧＬ＿Ｃ＃ｉ（図３２または図３８）からなるアングルブロックを含み、それぞれのアングルセルＡＧＬ＿Ｃ＃ｉがある撮影対象を種々なカメラアングルで撮影した異なるビデオデータ（図１１のセル８４に対応）を含む。
【０７５７】
ＤＶＤディスク１０のビデオマネージャＶＭＧにはビデオマネージャ情報ＶＭＧＩ（図１２）が記録され、ビデオマネージャ情報ＶＭＧＩにタイトルサーチポインタテーブルＴＴ＿ＳＲＰＴ（図１６）が記録され、タイトルサーチポインタテーブルＴＴ＿ＳＲＰＴにタイトルサーチポインタＴＴ＿ＳＲＰ（図１８）が記録され、タイトルサーチポインタＴＴ＿ＳＲＰにアングル数ＡＧＬ＿Ｎｓが記録されている。
【０７５８】
この場合に、ＤＶＤディスク１０から、アングルセルＡＧＬ＿Ｃ＃ｉ内のビデオデータ（図１１のＶＯＢＵ８５に対応）を選択的に再生するコンピュータリーダブルプログラムが、ＤＶＤドライブ付パーソナルコンピュータ１０００をマルチアングル再生可能な仮想ＤＶＤプレーヤとして機能させるプログラム（ソフトウエア）の一部を構成する。
【０７５９】
このプログラムは、アングル数ＡＧＬ＿Ｎｓを調べ（図８９のＳＴ１６Ｃ）、この数が複数あるときに（図９８のＳＴ３０イエス）、アングルセルＡＧＬ＿Ｃ＃ｉの存在を通知するアングルマーク４０７を点灯させるステップ（ＳＴ３４）を含んでコンパイルされる。
【０７６０】
あるいは、上記プログラムは、アングル数ＡＧＬ＿Ｎｓを調べ（図８９のＳＴ１６Ｃ）この数が複数あるときに（図９８のＳＴ３０イエス）アングルセルＡＧＬ＿Ｃ＃ｉの存在を通知するアングルマーク４０７を点灯させるステップ（ＳＴ３４）とともに、アングル数ＡＧＬ＿Ｎｓが１つのときは（図９８のＳＴ３０ノー）アングルマーク４０７を消灯させるステップ（ＳＴ３６）を含んでコンパイルされる。
【０７６１】
あるいは、上記プログラムは、アングル数ＡＧＬ＿Ｎｓを調べ（図８９のＳＴ１６Ｃ）この数が複数あるときに（図９８のＳＴ３０イエス）アングルセルＡＧＬ＿Ｃ＃ｉの存在を通知するアングルマーク４０７を点灯させるステップ（ＳＴ３４）と、アングル数ＡＧＬ＿Ｎｓが１つのときは（図９８のＳＴ３０ノー）アングルマーク４０７を消灯させるステップ（ＳＴ３６）と、アングル数ＡＧＬ＿Ｎｓが複数あるときでも（ＳＴ３０イエス）アングルマーク４０７を任意に消灯させるステップ（ＳＴ３２ノー、ＳＴ３６）とを含んでコンパイルされる。
【０７６２】
あるいは、上記プログラムは、アングル数ＡＧＬ＿Ｎｓを調べ（図８９のＳＴ１６Ｃ）この数が複数あるときに（図９８のＳＴ３０イエス）アングルセルＡＧＬ＿Ｃ＃ｉの存在を通知するアングルマーク４０７を点灯させるステップ（ＳＴ３４）と、アングル数ＡＧＬ＿Ｎｓが複数あるときに（図９８のＳＴ３０イエス）アングルセルＡＧＬ＿Ｃ＃ｉ各々のアドレスデータ（図３０のＮＳＭＬ＿ＡＧＬ＿Ｃｎ＿ＤＳＴＡ）を参照して現在再生中のアングルセルとは別のアングルセルへ再生時間軸上で逆戻ってノンシームレスに再生対象を切り替えるステップ（図１００のＳＴ６８）とを含んでコンパイルされる。
【０７６３】
あるいは、上記プログラムは、上記プログラムは、アングル数ＡＧＬ＿Ｎｓを調べ（図８９のＳＴ１６Ｃ）この数が複数あるときに（図９８のＳＴ３０イエス）アングルセルＡＧＬ＿Ｃ＃ｉの存在を通知するアングルマーク４０７を点灯させるステップ（ＳＴ３４）と、セルカテゴリーＣ＿ＣＡＴのセルブロックタイプ（図４２）が現在アングルブロックであることを示している（バイナリ０１）ときに（図９９のＳＴ５０イエス）、アングルマーク４０７を点滅させまたは変形させあるいは別の色で表示するステップ（ＳＴ５２）と、セルカテゴリーＣ＿ＣＡＴのセルブロックタイプ（図４２）が現在アングルブロックであることを示しており（図９８のＳＴ３０イエス；図９９のＳＴ４６イエス）かつセルカテゴリーＣ＿ＣＡＴのシームレスアングル変更フラグ（図４２）がシームレスアングル変更であることを示している（バイナリ１）ときに（図９９のＳＴ５０イエス）、アングルセルＡＧＬ＿Ｃ＃ｉ各々のアドレスデータ（図３６のＳＭＬ＿ＡＧＬ＿Ｃｎ＿ＤＳＴＡ）を参照して、現在再生中のアングルセルとは別のアングルセルへ、再生時間軸上で逆戻らずにシームレスに再生対象を切り替えるステップ（図１００のＳＴ６８）とを含んでコンパイルされる。
【０７６４】
図１０４は、図１の再生装置の主要部（または図１０２の仮想ＤＶＤプレーヤ）で構成される加入者端末がＤＶＤソフトウエアのプロバイダに回線接続されるＤＶＤオンデマンドサービスシステムを説明するブロック図である。
【０７６５】
図１０４は、個々の加入者がＤＶＤ受信器（専用機またはパソコン＋ＤＶＤボード＋仮想ＤＶＤ化ソフト）を持ち、加入者のＤＶＤ受信器がデジタル回線を介して配信センタに結合される場合を例示している。
【０７６６】
プロバイダの配信センタ２０００は、個々の加入者を識別するＩＤコードと個々の加入者の登録銀行口座をデータベース２００８として持ち、複数の加入者それぞれへ要求されたＤＶＤプログラムを自動的に配信するコンピュータ制御のデジタル信号送信部を備えている。
【０７６７】
配信センタ２０００には、ＤＶＤプログラムソースとして、多数のＤＶＤディスクが装着されたＤＶＤオートチェンジャ２００２とともに、大容量ディスクアレイあるいはテープカートリッジバンクで構成されるデータベース２００４が、接続されている。また、配信センタ２０００には、有料ＤＶＤプログラムが不正視聴される恐れがあるときは、必要に応じてＤＶＤプログラムにスクランブルをかけることができるように、スクランブルエンコーダ２００６も設けられている。（加入者への有料ＤＶＤプログラム配信が衛星放送などで行われるときは、このスクランブルが必要になる。）
なお、上記不正視聴および放送されたＤＶＤプログラムの不正コピーを防止するために、配信されるＤＶＤデジタル信号に電子透かしを織り込んでおいても良い。
【０７６８】
配信センタ２０００は、個々の加入者の受信装置（専用受信器または図１０３に例示するようなパーソナルコンピュータ１０００）と、通信回線を介して接続されている。この通信回線は、配信センタ２０００が加入者から送信要求等を受ける際に使用する電話回線（アナログまたはデジタル）Ｌ１０と、加入者へ要求されたＤＶＤプログラムコンテンツをデジタル送信するデジタル回線（光ケーブルまたは同軸ケーブル）Ｌ２０とで、構成できる。
【０７６９】
個々の加入者の受信装置は、たとえば図１０２に示すような構成のパーソナルコンピュータ１０００、通信アダプタ（モデム）１０２８Ａ、アングルキー付キーボード１０２４Ａ、コードレスマウス（リモートコントローラとして機能）１０２６Ａ、ＤＶＤビデオウインドウを表示するモニタ６等で構成されている。
【０７７０】
加入者があるプログラムを見たいと思ったとき、加入者はプロバイダ２０００のコンピュータに電話回線Ｌ１０を介してアクセスし、自分のモニタ６に、現在視聴可能なＤＶＤプログラムのリストを出力させる。めぼしいプログラムが見つかると、加入者はそのプログラムのタイトルボックスまたはアイコンをマウスで選択してクリックする。すると、そのプログラムの内容紹介、視聴料金等とともに、デモンストレーション映像が、適宜、モニタ６に出力される。
【０７７１】
このデモンストレーションをみた加入者がそのプログラムを全て見ると決心すれば、加入者は選択されたそのプログラムのタイトルボックスまたはアイコンをマウスでダブルクリックする。すると、モニタ６上に、「このプログラムを料金￥？で視聴するのに間違いはありませんね？」といった内容の警告表示が、イエス・ノーの指示ボックスとともに出力される。
【０７７２】
イエスのボックスがデフォルトで選択された状態にあるときに、加入者がキーボード１０２４Ａのリターンキーまたはエンターキーをヒットするか、マウスでイエスボックスをダブルクリックすると、そのプログラムは間違いなく選択されたことになる。
【０７７３】
すると、加入者のＩＤコードとともに加入者が選択したプログラムのコード（プログラム番号）が、電話回線Ｌ１０を介してプロバイダ２０００のコンピュータへ自動的に転送される。
【０７７４】
プロバイダ２０００のコンピュータは、転送されてきたＩＤコードを元に加入者のデータベース２００８を検索し、その加入者の銀行口座から所定の料金を引き落とす。この引き落としが完了すると、プロバイダ２０００のコンピュータは、要求されたプログラムに相当するＤＶＤディスクをオートチェンジャ２００２で再生し、その再生出力（デコード前のシリアルデジタル信号）を、デジタル回線Ｌ２０を介して、加入者の通信アダプタ（モデム）１０２８Ａへ送信する。
【０７７５】
プロバイダの配信センタ２０００から加入者のパーソナルコンピュータ１０００へ送信されるデジタル信号の中身は、ＤＶＤ再生信号そのものであるから、マルチアングルに関係した情報（たとえば図１８のＡＧＬ＿Ｎｓ、図３０のＮＳＭＬ＿ＡＧＬＩ、図３６のＳＭＬ＿ＡＧＬＩ、図４２のＣ＿ＣＡＴ）もＤＶＤビデオ信号とともに加入者へ送られている。
【０７７６】
したがって、たとえば図１８のＡＧＬ＿Ｎｓが「２」以上であり、図４２のＣ＿ＣＡＴ内のセルブロックタイプが「０１ｂ」（＝アングルブロック）であり、図４２のＣ＿ＣＡＴ内のシームレスアングル変更フラグが「１ｂ」（＝シームレスアングル変更）であれば、加入者は、図１０３のウインドウ６Ａで再生中のビデオのカメラアングルをシームレスに切替再生できることを、モニタ６上のアングルマーク４０７の点滅表示により知ることができる。この場合、たとえば図１０３のリモートコントローラアイコン６Ｃのアングルボタン（図８の５ａｎｇ相当）をマウスでクリックすることにより、シームレスアングル切替再生を実行できる。
【０７７７】
なお、図１０３または図１０４のパーソナルコンピュータ１０００を仮想ＤＶＤプレーヤとして機能させているときは、そのキーボード１０２４Ａのファンクションキー（図示せず）に、再生開始、再生停止、ポーズ（スチル再生）、早送り、早戻し、スロー送り再生、スロー戻し再生、チャプタースキップ（送りと戻り）、メニューコール、メニュー選択確定、アングル変更、等を割り当てることができる。
【０７７８】
また、メニュー操作を行なう際に用いるカーソル機能は、キーボード１０２４Ａのカーソルキー（図示せず）に割り当てることができる。さらに、タイトル番号等をダイレクトに指定する機能は、キーボード１０２４Ａのテンキー（図示せず）に割り当てることができる。
【０７７９】
その他、ＤＶＤ再生時に可能なユーザ操作は全て、キーボードのどれかのキーに割り当てることができる（複数キーを同時オンするキーコンビネーションによる操作も含む）。
【０７８０】
【発明の効果】
この発明に係るマルチアングルブロック再生システム（再生装置または再生方法を含む）では、
（１）マルチアングルブロック再生中であることを視聴者（再生装置のユーザー）に知らしめるための統一されたインジケータ（カメラ型のアングルマークまたはカメラ型のアイコン；一種のユーザーインターフェイス）が、再生装置の表示パネル（またはビデオモニタ画面あるいはリモートコントローラの表示部）に表示されること；
（２）マルチアングルブロック再生中にテンキー入力その他の方法によって任意のアングルが選択可能なモードにあることが、上記インジケータ（アングルマーク）の特徴変化（色を変える、点滅させる、形を変える等）によって視聴者に通知されること；
（３）マルチアングルブロック再生中であることをすでに知っている視聴者が上記インジケータの表示を煩わしいと判断した場合には、このインジケータの表示をオフできること；
等の少なくとも一部が、マルチアングル再生に関するユーザーインターフェイスとして利用されている。
【０７８１】
こうすることによって、マルチアングルブロックの記録された光ディスク１０を再生した場合に、そのディスク（またはディスク中のタイトル）にマルチアングルブロックが記録されているかどうか、また今現在再生中のビデオがマルチアングルブロック内のものであるか（つまりアングルの変更が可能な部分かどうか）を、ユーザ（視聴者）が容易に認識できるようになる。
【図面の簡単な説明】
【図１】この発明の一実施の形態に係る光ディスク再生装置の構成を説明するブロック図。
【図２】図１のディスクドライブ部３０の内部構成を説明する図。
【図３】図１の再生装置で再生される光ディスク（デジタルビデオディスクあるいはデジタルバーサタイルディスクＤＶＤ）の構造を説明する斜視図。
【図４】図１の再生装置の外観の一例を示す図。
【図５】図１の再生装置に用いられるリモートコントローラ部５の一例を説明する図。
【図６】図１の再生装置の外観の他例を示す図。
【図７】図６の再生装置に設けられた表示窓４ｗにおいて、アングルマーク（カメラマーク）４０７がどのように表示されるかを説明する図。
【図８】図１の再生装置に用いられるリモートコントローラ部５の他例を説明する図。
【図９】図１の再生装置において、マルチアングル再生可能なアングルブロックを含むタイトル再生中におけるアングル切替を説明する図。
【図１０】図３の光ディスク（ＤＶＤ）に記録される情報の論理構造を説明する図。
【図１１】図１０の各ビデオタイトルセットＶＴＳ７２に記録されるデータの階層構造を説明する図。
【図１２】図１０のビデオマネージャＶＭＧ７１の論理構造を説明する図。
【図１３】図１１のセル８４を多数含む複数プログラムの集合で形成されたプログラムチェーンＰＧＣの構成を説明する図。
【図１４】図１３のプログラムチェーンが１個だけで１シーケンシャルＰＧＣタイトルが形成される場合と、このプログラムチェーンが複数集まってマルチＰＧＣタイトルが形成される場合とを説明する図。
【図１５】図１２のビデオマネージャ情報管理テーブルＶＭＧＩ＿ＭＡＴ７５１の内容を説明する図。
【図１６】図１２のタイトルサーチポインタテーブルＴＴ＿ＳＲＰＴ７５２の内容を説明する図。
【図１７】図１６のタイトルサーチポインタテーブル情報ＴＴ＿ＳＲＰＴＩ７５２Ａの内容を説明する図。
【図１８】図１６に示した各タイトル＃ｎ用のタイトルサーチポインタＴＴ＿ＳＲＰ７５２Ｂの内容を説明する図。
【図１９】図１２のビデオマネージャメニュー用プログラムチェーン情報ユニットテーブルＶＭＧＭ＿ＰＧＣＩ＿ＵＴ７５３の内容を説明する図。
【図２０】図１９のビデオマネージャメニュー用プログラムチェーン情報ユニットテーブル情報ＶＭＧＭ＿ＰＧＣＩ＿ＵＴＩ７５３Ａの内容を説明する図。
【図２１】図１９のビデオマネージャメニュー用言語ユニットのサーチポインタＶＭＧＭ＿ＬＵ＿ＳＲＰ７５３Ｂの内容を説明する図。
【図２２】図１９のビデオマネージャメニュー用プログラムチェーン情報ユニットＶＭＧＭ＿ＬＵ７５３Ｃの内容を説明する図。
【図２３】図２２のビデオマネージャメニュー用言語ユニット情報ＶＭＧＭ＿ＬＵＩ７５３ＣＡの内容を説明する図。
【図２４】図２２のビデオマネージャメニュー用プログラムチェーン情報サーチポインタＶＭＧＭ＿ＰＧＣＩ＿ＳＲＰ７５３ＣＢの内容を説明する図。
【図２５】図２４のビデオマネージャメニュー用プログラムチェーン情報サーチポインタ７５３ＣＢに含まれるビデオマネージャメニュー用プログラムチェーンカテゴリーＶＭＧＭ＿ＰＧＣ＿ＣＡＴの内容を説明する図。
【図２６】図１１のナビゲーションパック８６の内容を説明する図。
【図２７】図２６のナビゲーションパック８６中の再生制御情報パケットＰＣＩ＿ＰＫＴ１１６に含まれる再生制御情報ＰＣＩのデータ１１３とビデオオブジェクトユニットＶＯＢＵ８５との対応を説明する図。
【図２８】図２７の再生制御情報ＰＣＩデータ１１３の内容を説明する図。
【図２９】図２８の再生制御情報ＰＣＩデータに含まれるＰＣＩ一般情報の内容を説明する図。
【図３０】図２８の再生制御情報ＰＣＩデータに含まれるノンシームレスアングル情報ＮＳＭＬ＿ＡＧＬＩの内容を説明する図。
【図３１】図３０のノンシームレスアングル情報ＮＳＭＬ＿ＡＧＬＩに含まれるアングル変更後の新アングルセルの飛び先アドレスＮＳＭＬ＿ＡＧＬ＿Ｃ＃ｎ＿ＤＳＴＡの内容を説明する図。
【図３２】図３０のノンシームレスアングル情報ＮＳＭＬ＿ＡＧＬＩを用いたノンシームレスアングル変更がどのように行われるかを説明する図。
【図３３】図２６のナビゲーションパック８６中のデータサーチ情報パケットＤＳＩ＿ＰＫＴ１１７に含まれるデータサーチ情報ＤＳＩのデータ１１５とビデオオブジェクトユニットＶＯＢＵ８５との対応を説明する図。
【図３４】図３３のデータサーチ情報ＤＳＩデータ１１５の内容を説明する図。
【図３５】図３４のデータサーチ情報ＤＳＩデータに含まれるＤＳＩ一般情報の内容を説明する図。
【図３６】図３４のデータサーチ情報ＤＳＩデータに含まれるシームレスアングル情報ＳＭＬ＿ＡＧＬＩの内容を説明する図。
【図３７】図３６のシームレスアングル情報ＳＭＬ＿ＡＧＬＩに含まれるアングル変更後の新アングルセルの飛び先アドレスＳＭＬ＿ＡＧＬ＿Ｃ＃ｎ＿ＤＳＴＡの内容を説明する図。
【図３８】図３６のシームレスアングル情報ＳＭＬ＿ＡＧＬＩを用いたシームレスアングル変更がどのように行われるかを説明する図。
【図３９】図１３のプログラムチェーン８７におけるプログラムチェーン情報ＰＧＣＩの構造を説明する図。
【図４０】図３９のプログラムチェーン情報ＰＧＣＩに含まれるセル再生情報テーブルＣ＿ＰＢＩＴの内容を説明する図。
【図４１】図４０のセル再生情報テーブルＣ＿ＰＢＩＴに含まれる各セル再生情報Ｃ＿ＰＢＩの内容を説明する図。
【図４２】図４１のセル再生情報Ｃ＿ＰＢＩに含まれるセルカテゴリーＣ＿ＣＡＴの内容を説明する図。
【図４３】アングルブロック中でのシームレスアングル変更時における、前後のセルとシームレス再生フラグとシステムタイムクロックＳＴＣフラグとの対応関係を説明する図。
【図４４】図１０のビデオタイトルセットＶＴＳ７２の論理構造を説明する図。
【図４５】図４４のビデオタイトルセット情報管理テーブルＶＴＳＩ＿ＭＡＴ９４１の内容を説明する図。
【図４６】図４４のビデオタイトルセットパートオブタイトルサーチポインタテーブルＶＴＳ＿ＰＴＴ＿ＳＲＰＴ９４２の内容を説明する図。
【図４７】図４６のパートオブタイトルサーチポインタテーブル情報ＰＴＴ＿ＳＲＰＴＩ９４２Ａの内容を説明する図。
【図４８】図４６に示した各タイトルユニット＃ｎ用のサーチポインタＴＴＵ＿ＳＲＰ９４２Ｂの内容を説明する図。
【図４９】図４６のパートオブタイトル用サーチポインタＰＴＴ＿ＳＲＰ９４２Ｃの内容を説明する図。
【図５０】図４４のビデオタイトルセット用プログラムチェーン情報テーブルＶＴＳ＿ＰＧＣＩＴ９４３の内容を説明する図。
【図５１】図５０のビデオタイトルセット用プログラムチェーン情報ＶＴＳ＿ＰＧＣＩ９４３Ａの内容を説明する図。
【図５２】図５０のビデオタイトルセット用プログラムチェーン情報サーチポインタＶＴＳ＿ＰＧＣＩ＿ＳＲＰ９４３Ｂの内容を説明する図。
【図５３】図５２のプログラムチェーン情報サーチポインタＶＴＳ＿ＰＧＣＩ＿ＳＲＰ９４３Ｂに含まれるビデオタイトルセット用プログラムチェーンカテゴリーＶＴＳ＿ＰＧＣ＿ＣＡＴの内容を説明する図。
【図５４】図４４のビデオタイトルセットメニュー用プログラムチェーン情報ユニットテーブルＶＴＳＭ＿ＰＧＣＩ＿ＵＴ９４４の内容を説明する図。
【図５５】図５４のビデオタイトルセットメニュー用プログラムチェーン情報ユニットテーブル情報ＶＴＳＭ＿ＰＧＣＩ＿ＵＴＩ９４４Ａの内容を説明する図。
【図５６】図５４のビデオタイトルセットメニュー用言語ユニットサーチポインタ９４４Ｂの内容を説明する図。
【図５７】図５４のビデオタイトルセットメニュー用言語ユニット９４４Ｃの内容を説明する図。
【図５８】図５７のビデオタイトルセットメニュー用言語ユニット情報ＶＴＳＭ＿ＬＵＩ９４４ＣＡの内容を説明する図。
【図５９】図５７のビデオタイトルセットメニュー用プログラムチェーン情報サーチポインタＶＴＳＭ＿ＰＧＣＩ＿ＳＲＰ９４４ＣＢの内容を説明する図。
【図６０】図５９のプログラムチェーン情報サーチポインタＶＴＳＭ＿ＰＧＣＩ＿ＳＲＰ９４４ＣＢに含まれるビデオタイトルセットメニュー用プログラムチェーンカテゴリーＶＴＳＭ＿ＰＧＣ＿ＣＡＴの内容を説明する図。
【図６１】図１の再生装置で使用されるメニューの階層構造を説明する図。
【図６２】図４４のビデオタイトルセット用タイムマップテーブルＶＴＳ＿ＴＭＡＰＴ９４５の内容を説明する図。
【図６３】図６２のビデオタイトルセット用タイムマップテーブル情報ＶＴＳ＿ＴＭＡＰＴＩ９４５Ａの内容を説明する図。
【図６４】図６２のビデオタイトルセット用タイムマップサーチポインタＶＴＳ＿ＴＭＡＰ＿ＳＲＰ９４５Ｂの内容を説明する図。
【図６５】図６２のビデオタイトルセット用タイムマップＶＴＳ＿ＴＭＡＰ９４５Ｃの内容を説明する図。
【図６６】図６５のビデオタイトルセット用タイムマップＶＴＳ＿ＴＭＡＰ９４５Ｃに含まれるマップエントリーアドレスＭＡＰ＿ＥＮＡの内容を説明する図。
【図６７】図４４のビデオタイトルセットメニュー用セルアドレステーブルＶＴＳＭ＿Ｃ＿ＡＤＴ９４６の内容を説明する図。
【図６８】図６７のビデオタイトルセットメニュー用セルアドレステーブル情報ＶＴＳＭ＿Ｃ＿ＡＤＴＩ９４６Ａの内容を説明する図。
【図６９】図６７のビデオタイトルセットメニュー用セルピース情報ＶＴＳＭ＿ＣＰＩ９４６Ｂの内容を説明する図。
【図７０】図４４のビデオタイトルセットメニュー用ビデオオブジェクトユニットアドレスマップＶＴＳＭ＿ＶＯＢＵ＿ＡＤＭＡＰ９４７の内容を説明する図。
【図７１】図７０のビデオタイトルセットメニュー用ビデオオブジェクトユニットアドレスマップ情報ＶＴＳＭ＿ＶＯＢＵ＿ＡＤＭＡＰＩ９４７Ａの内容を説明する図。
【図７２】図７０の各ビデオタイトルセットメニュー用ビデオオブジェクトユニットアドレスＶＴＳＭ＿ＶＯＢＵ＿ＡＤ＃ｎ９４７Ｂの内容を説明する図。
【図７３】図４４のビデオタイトルセット用セルアドレステーブルＶＴＳ＿Ｃ＿ＡＤＴ９４８の内容を説明する図。
【図７４】図７３のビデオタイトルセット用セルアドレステーブル情報ＶＴＳ＿Ｃ＿ＡＤＴＩ９４８Ａの内容を説明する図。
【図７５】図７３のビデオタイトルセット用セルピース情報ＶＴＳ＿ＣＰＩ９４８Ｂの内容を説明する図。
【図７６】図４４のビデオタイトルセット用ビデオオブジェクトユニットのアドレスマップＶＴＳ＿ＶＯＢＵ＿ＡＤＭＡＰ９４９の内容を説明する図。
【図７７】図７６のビデオタイトルセット用ビデオオブジェクトユニットのアドレスマップ情報ＶＴＳ＿ＶＯＢＵ＿ＡＤＭＡＰＩ９４９Ａの内容を説明する図。
【図７８】図７６の各ビデオタイトルセット用ビデオオブジェクトユニットのアドレスＶＴＳ＿ＶＯＢＵ＿ＡＤ＃ｎ９４９Ｂの内容を説明する図。
【図７９】図１の再生装置におけるメニュー処理の前半を説明するフローチャート図。
【図８０】図１の再生装置におけるメニュー処理の後半を説明するフローチャート図。
【図８１】図７９および図８０のメニュー処理後に図１のメニューテーブル５６Ａに格納されたメニュー情報の内容を説明する図。
【図８２】図８１のメニューテーブルを参照して図１の再生装置のモニタ部６に出力されるメインメニュー（ルートメニュー）の表示例を説明する図。
【図８３】図８１のメニューテーブルを参照して図１の再生装置のモニタ部６に出力される各種メニューの表示例を説明する図。
【図８４】図１の再生装置におけるアングル変更処理の前半を説明するフローチャート図。
【図８５】図１の再生装置におけるアングル変更処理の中半を説明するフローチャート図。
【図８６】図１の再生装置におけるアングル変更処理の後半を説明するフローチャート図。
【図８７】図８４のアングル変更処理において、アングル変更に係わる各種処理（アングルマークの点滅、アングル番号変更など）を説明するフローチャート図。
【図８８】図１の再生装置に図３の光ディスク（ＤＶＤ）１０をセットした後の装置動作（ディスク挿入処理）を説明するフローチャート図。
【図８９】図８８の処理フローにおけるビデオマネージャ情報ＶＭＧＩ読込処理ＳＴ１６の内容を説明するフローチャート図。
【図９０】図１の再生装置に図３の光ディスク（ＤＶＤ）１０をセットした後の装置動作（タイトル再生開始前処理）を説明するフローチャート図。
【図９１】図９０の処理フローにおけるビデオタイトルセット情報ＶＴＳＩ読込処理ＳＴ２０の内容を説明するフローチャート図。
【図９２】図９１の処理フローにおけるプログラムチェーン情報テーブルＶＴＳ＿ＰＧＣＩＴ読込処理ＳＴ２０Ｃの内容を説明するフローチャート図。
【図９３】図９２の処理フローにおけるプログラムチェーン情報ＶＴＳ＿ＰＧＣＩ読込処理ＳＴ２１０の内容を説明するフローチャート図。
【図９４】図９３の処理フローにおけるセル再生情報テーブルＣ＿ＰＢＩＴ読込処理ＳＴ２４００の内容を説明するフローチャート図。
【図９５】図９４の処理フローにおけるセルカテゴリーテーブルＣ＿ＣＡＴ読込処理ＳＴ２４１０の内容を説明するフローチャート図。
【図９６】図３の光ディスク（ＤＶＤ）１０の記録内容の一例（タイトル番号毎のチャプター数、アングル数など）を説明する図。
【図９７】図３の光ディスク（ＤＶＤ）１０の記録内容の他例（セル番号／チャプター番号毎のセルブロックモード、セルブロックタイプなど）を説明する図。
【図９８】図１の再生装置にセットされた光ディスク１０中のタイトル再生時における装置動作（アングルマーク表示処理）を説明するフローチャート図。
【図９９】図１の再生装置に光ディスク（ＤＶＤ）１０がセットされた後のキー操作（装置本体またはリモートコントローラのキー操作）に応答した装置動作の一例（アングル処理１）を説明するフローチャート図。
【図１００】図１の再生装置に光ディスク（ＤＶＤ）１０がセットされた後のキー操作に応答した装置動作の他例（アングル処理２）を説明するフローチャート図。
【図１０１】図１の再生装置に光ディスク（ＤＶＤ）１０がセットされた後のキー操作に応答した装置動作のさらに他の例（アングル処理３）を説明するフローチャート図。
【図１０２】図１の再生装置と同等の機能（仮想ＤＶＤプレーヤとしての機能）をパーソナルコンピュータに持たせる場合のシステム構成を説明するブロック図。
【図１０３】図１０２のパーソナルコンピュータが仮想ＤＶＤプレーヤとして機能する場合において、パーソナルコンピュータのビットマップディスプレイに表示されるＤＶＤプログラムコンテンツ（映像）および操作パネルアイコンを例示する図。
【図１０４】図１の再生装置の主要部（または図１０２の仮想ＤＶＤプレーヤ）で構成される加入者端末がＤＶＤソフトウエアのプロバイダに回線接続されるＤＶＤオンデマンドサービスシステムを説明するブロック図。
【符号の説明】
４…キー操作／表示部；４Ａ…リモートコントローラ受信部；５…リモートコントローラ部；６…モニタ部；８…スピーカ部；１０…光ディスク（ＤＶＤ）；１１…モータ駆動回路；１２…スピンドルモータ；１４…透明基板（ポリカーボネート）；１６…光反射層；１８…ディスク対；２０…接着層；２２…中心孔；２４…クランピング領域；２５…情報領域；２６…リードアウト領域；２７…リードイン領域；２８…データ記録領域；３０…ディスクドライブ部；３２…光学ヘッド（光ピックアップ）；３３…フィードモータ；３４…対物レンズ；３６…フォーカス回路；３７…フィードモータ駆動回路；３８…トラッキング回路；４０…ヘッドアンプ；４４…サーボ処理回路；５０Ａ…時計回路；５０…システムＣＰＵ部；５２…システム用ＲＯＭ／ＲＡＭ部；５４…システムプロセサ部；５４Ａ、５８Ａ、６０Ａ、６２Ａ…システムタイムクロックＳＴＣ；５４Ｂ…レジスタ；５６…データＲＡＭ部；５６Ａ…メニューテーブル；５８…ビデオデコーダ；６０…オーディオデコーダ；６２…副映像デコーダ；６２Ｂ…デコード部；６２Ｃ…ハイライト処理部６４…Ｄ／Ａおよびデータ再生部；６４Ａ…画像合成部；２００…パケット転送部；４ａ、５ａ…電源キー；４ｂ…マイク入力端子；４ｃ、５ｃ…再生キー；４ｄ、５ｄ…一時停止キー；４ｅ、５ｅ…停止キー；４ｆ、５ｆ…チャプター／プログラムのスキップキー；４ｇ、５ｇ…オープン／クローズキー；４ｈ…表示器；４ｉ…ディスクトレイ；５ｔ…数字キー（テンキー）；５ｊ…早送り・後戻りキー；５ｋ…リピートキー；５ｍ…メモリキー；５ｎ…メニューキー；５ｐ…タイトルキー；５ｓｂｔ…サブタイトルキー；５ａｕｄ…オーディオキー；５ｑ…セレクトキー（カーソルキー）；５ａｎｇ…アングルキー；５ａｍ…アングルマークオン・オフキー；４０１…ＣＤ表示；４０２…ＤＶＤ表示；４０３…タイトル番号表示；４０４…チャプター／トラック番号表示；４０５…全再生時間／再生残り時間表示；４０６…走行表示；４０７…アングルマーク表示（アングルブロックを含むタイトルの再生時に点灯し、アングルブロック再生中に点滅する）；４０８…リピート再生表示；４０９…ランダム再生表示；４１０…メモリー再生表示；７０…ボリュームおよびファイル構造領域；７１…ビデオマネージャＶＭＧ；７２…ビデオタイトルセットＶＴＳ＃ｎ；８２…ビデオオブジェクトセットＶＯＢＳ；８３…ビデオオブジェクトＶＯＢ；８４…セル；８５…ビデオオブジェクトユニットＶＯＢＵ；８６…ナビゲーションパック；８７…プログラムチェーンＰＧＣ；８８…ビデオパック；８９…プログラム；９０…副映像パック；９１…オーディオパック；１１０、１１２Ａ、１１４Ａ…パックヘッダ；１１１…システムヘッダ；１１２Ｂ、１１４Ｂ…サブストリームＩＤ；１１３…再生制御情報データ；１１５…データサーチ情報データ；１１６…再生制御情報パック；１１７…データサーチ情報パック；１０００…パーソナルコンピュータ（ＰＣ）ハードウエア；１００２…内部バス；１００４…メインＣＰＵ；１００６…キャッシュメモリ；１００８…基本入出力システムＲＯＭ（ＢＩＯＳ・ＲＯＭ）；１０１０…メインメモリ；１０１２…ビデオメモリ；１０１４…スカジインターフェイス（ＳＣＳＩボード）；１０１８…ハードディスクドライブ（ＨＤＤ）；１０２０…ＤＶＤディスク用ＲＯＭドライブ（またはＲＡＭドライブ）；１０２２…フロッピーディスクドライブ（ＦＤＤ）；１０２４…キーボードＩ／Ｏデバイス；１０２４Ａ…キーボード；１０２６…マウスＩ／Ｏデバイス；１０２６Ａ…マウス（遠隔操作可能な赤外線コードレスマウス）；１０２６Ｂ…コードレスマウス用赤外線受信器；１０２８…通信Ｉ／Ｏデバイス；１０２８Ａ…通信アダプタ（モデム）；１０３０…ＤＶＤ処理ボード（パーソナルコンピュータ１０００のバス１００２に設けられた汎用スロットに装着できるもの）；１０３２…ビデオＩ／Ｏデバイス（ビデオカード）；１０３４…オーディオＩ／Ｏデバイス（オーディオカード）；２０００…プロバイダの配信センタ；２００２…ＤＶＤマルチディスク・オートチェンジャ；２００４…ＤＶＤプログラムソースのデータベース（大容量ハードディスクのディスクアレイ、デジタルテープカセットアレイなど）；２００６…スクランブルエンコーダ；２００８…加入者データベース；Ｌ１０…電話回線（デジタルまたはアナログ）；Ｌ２０…デジタル回線。
【図１】
0003798532.tif 000002
【図２】
0003798532.tif 000003
【図３】
0003798532.tif 000004
【図４】
0003798532.tif 000005
【図５】
0003798532.tif 000006
【図６】
0003798532.tif 000007
【図７】
0003798532.tif 000008
【図８】
0003798532.tif 000009
【図９】
0003798532.tif 000010
【図１０】
0003798532.tif 000011
【図１１】
0003798532.tif 000012
【図１２】
0003798532.tif 000013
【図１３】
0003798532.tif 000014
【図１４】
0003798532.tif 000015
【図１５】
0003798532.tif 000016
【図１６】
0003798532.tif 000017
【図１７】
0003798532.tif 000018
【図１８】
0003798532.tif 000019
【図１９】
0003798532.tif 000020
【図２０】
0003798532.tif 000021
【図２１】
0003798532.tif 000022
【図２２】
0003798532.tif 000023
【図２３】
0003798532.tif 000024
【図２４】
0003798532.tif 000025
【図２５】
0003798532.tif 000026
【図２６】
0003798532.tif 000027
【図２７】
0003798532.tif 000028
【図２８】
0003798532.tif 000029
【図２９】
0003798532.tif 000030
【図３０】
0003798532.tif 000031
【図３１】
0003798532.tif 000032
【図３２】
0003798532.tif 000033
【図３３】
0003798532.tif 000034
【図３４】
0003798532.tif 000035
【図３５】
0003798532.tif 000036
【図３６】
0003798532.tif 000037
【図３７】
0003798532.tif 000038
【図３８】
0003798532.tif 000039
【図３９】
0003798532.tif 000040
【図４０】
0003798532.tif 000041
【図４１】
0003798532.tif 000042
【図４２】
0003798532.tif 000043
【図４３】
0003798532.tif 000044
【図４４】
0003798532.tif 000045
【図４５】
0003798532.tif 000046
【図４６】
0003798532.tif 000047
【図４７】
0003798532.tif 000048
【図４８】
0003798532.tif 000049
【図４９】
0003798532.tif 000050
【図５０】
0003798532.tif 000051
【図５１】
0003798532.tif 000052
【図５２】
0003798532.tif 000053
【図５３】
0003798532.tif 000054
【図５４】
0003798532.tif 000055
【図５５】
0003798532.tif 000056
【図５６】
0003798532.tif 000057
【図５７】
0003798532.tif 000058
【図５８】
0003798532.tif 000059
【図５９】
0003798532.tif 000060
【図６０】
0003798532.tif 000061
【図６１】
0003798532.tif 000062
【図６２】
0003798532.tif 000063
【図６３】
0003798532.tif 000064
【図６４】
0003798532.tif 000065
【図６５】
0003798532.tif 000066
【図６６】
0003798532.tif 000067
【図６７】
0003798532.tif 000068
【図６８】
0003798532.tif 000069
【図６９】
0003798532.tif 000070
【図７０】
0003798532.tif 000071
【図７１】
0003798532.tif 000072
【図７２】
0003798532.tif 000073
【図７３】
0003798532.tif 000074
【図７４】
0003798532.tif 000075
【図７５】
0003798532.tif 000076
【図７６】
0003798532.tif 000077
【図７７】
0003798532.tif 000078
【図７８】
0003798532.tif 000079
【図７９】
0003798532.tif 000080
【図８０】
0003798532.tif 000081
【図８１】
0003798532.tif 000082
【図８２】
0003798532.tif 000083
【図８３】
0003798532.tif 000084
【図８４】
0003798532.tif 000085
【図８５】
0003798532.tif 000086
【図８６】
0003798532.tif 000087
【図８７】
0003798532.tif 000088
【図８８】
0003798532.tif 000089
【図８９】
0003798532.tif 000090
【図９０】
0003798532.tif 000091
【図９１】
0003798532.tif 000092
【図９２】
0003798532.tif 000093
【図９３】
0003798532.tif 000094
【図９４】
0003798532.tif 000095
【図９５】
0003798532.tif 000096
【図９６】
0003798532.tif 000097
【図９７】
0003798532.tif 000098
【図９８】
0003798532.tif 000099
【図９９】
0003798532.tif 000100
【図１００】
0003798532.tif 000101
【図１０１】
0003798532.tif 000102
【図１０２】
0003798532.tif 000103
【図１０３】
0003798532.tif 000104
【図１０４】
0003798532.tif 000105